(57)【要約】      （修正有）【課題】ＬＯＳを含む伝播環境においてデータの受信品質を向上させる。【解決手段】送信方法は、符号化ブロックを生成する符号化処理と、符号化ブロックから複数のシンボルを生成する変調処理と、シンボルに位相変更を施す位相変更処理と、シンボルをデータキャリアに配置して送信する送信処理とを含む。送信処理は、複数のシンボル群を周波数方向に順番に配置してフレームを構成して送信する。各シンボル群は、第１符号化ブロックから生成されたシンボルと、第２符号化ブロックから生成されたシンボルとを含む。位相変更処理は、同じシンボル群に含まれるシンボルに対して、同じ位相変更値を用いて位相変更を施す。【選択図】図１１
2017112589.tif 000002
【特許請求の範囲】
【請求項１】
送信方法であって、
前方誤り訂正の符号化ブロックを生成する符号化処理と、
前記符号化ブロックから複数の第１シンボル及び複数の第２シンボルを生成する変調処理と、
前記複数の第１のシンボル及び前記複数の第２シンボルのうち少なくとも一方に対して位相変更を施す位相変更処理と、
前記複数の第１シンボル及び前記複数の第２シンボルを複数のデータキャリアに配置して送信する送信処理と、を含み、
前記送信処理は、それぞれが複数の前記第１シンボルを含む複数の第１シンボル群を周波数方向に順番に配置して第１フレームを構成し、それぞれが複数の前記第２シンボルを含む複数の第２シンボル群を周波数方向に順番に配置して第２フレームを構成し、
前記複数の第１シンボル群のそれぞれは、第１符号化ブロックから生成された第１シンボルと、前記第１符号化ブロックとは異なる第２符号化ブロックから生成された第１シンボルとを含み、
前記複数の第２シンボル群のそれぞれは、前記第１符号化ブロックから生成された第２シンボルと、前記第２符号化ブロックから生成された第２シンボルとを含み、
前記位相変更処理は、同じ第１シンボル群又は同じ第２シンボル群に含まれるシンボルに対して、同じ位相変更値を用いて位相変更を施し、
前記送信処理は、前記第１フレーム及び前記第２フレームを複数のアンテナを用いて同時に送信する
送信方法。
【請求項２】
送信装置であって、
前方誤り訂正の符号化ブロックを生成する符号化処理部と、
前記符号化ブロックから複数の第１シンボル及び複数の第２シンボルを生成する変調処理部と、
前記複数の第１のシンボル及び前記複数の第２シンボルのうち少なくとも一方に対して位相変更を施す位相変更処理部と、
前記複数の第１シンボル及び前記複数の第２シンボルを複数のデータキャリアに配置して送信する送信処理部と、を備え、
前記送信処理部は、それぞれが複数の前記第１シンボルを含む複数の第１シンボル群を周波数方向に順番に配置して第１フレームを構成し、それぞれが複数の前記第２シンボルを含む複数の第２シンボル群を周波数方向に順番に配置して第２フレームを構成し、
前記複数の第１シンボル群のそれぞれは、第１符号化ブロックから生成された第１シンボルと、前記第１符号化ブロックとは異なる第２符号化ブロックから生成された第１シンボルとを含み、
前記複数の第２シンボル群のそれぞれは、前記第１符号化ブロックから生成された第２シンボルと、前記第２符号化ブロックから生成された第２シンボルとを含み、
前記位相変更処理部は、同じ第１シンボル群又は同じ第２シンボル群に含まれるシンボルに対して、同じ位相変更値を用いて位相変更を施し、
前記送信処理部は、前記第１フレーム及び前記第２フレームを複数のアンテナを用いて同時に送信する
送信装置。
【発明の詳細な説明】
【技術分野】
【０００１】
本発明は、特にマルチアンテナを用いた通信を行う送信装置および受信装置に関する。
【背景技術】
【０００２】
従来、マルチアンテナを用いた通信方法として例えばＭＩＭＯ（Ｍｕｌｔｉｐｌｅ−Ｉｎｐｕｔ  Ｍｕｌｔｉｐｌｅ−Ｏｕｔｐｕｔ）と呼ばれる通信方法がある。ＭＩＭＯに代表されるマルチアンテナ通信では、複数系列の送信データをそれぞれ変調し、各変調信号を異なるアンテナから同時に送信することで、データの通信速度を高めるようになっている。
【０００３】
図７３は、非特許文献１に記載されている、送信アンテナ数２、送信変調信号（送信ストリーム）数２のときの、ＤＶＢ−ＮＧＨ（Digital Video Broadcasting - Next Genertion Handheld）規格に基づいた送信装置の構成の一例を示している。送信装置では、符号化部００２により符号化されたデータ００３が、分配部００４により、データ００５Ａ、データ００５Ｂに分けられる。データ００５Ａは、インタリーバ００４Ａにより、インタリーブの処理、マッピング部００６Ａにより、マッピングの処理が施される。同様に、データ００５Ｂは、インタリーバ００４Ｂにより、インタリーブの処理、マッピング部００６Ｂにより、マッピングの処理が施される。重み付け合成部００８Ａ、００８Ｂは、マッピング後の信号００７Ａ、００７Ｂを入力とし、それぞれ重み付け合成を行い、重み付け合成後の信号００９Ａ、０１６Ｂが生成される。重み付け合成後の信号０１６Ｂは、その後、位相変更が行われる。そして、無線部０１０Ａ、０１０Ｂにより、例えば、ＯＦＤＭ（orthogonal frequency division multiplexing）に関連する処理、周波数変換、増幅などの処理が行われ、アンテナ０１２Ａから送信信号０１１Ａ、アンテナ０１２Ｂから送信信号０１１Ｂが送信される。
【０００４】
このとき、位相変更部０１７Ｂでは、例えば、９つの位相変更値を設けて、周期９の位相変更が規則的に行われる方法が考えられる。
図７３の場合は、分配部００４がデータを分配する構成となっているが、ＯＦＤＭ方式などのマルチキャリア伝送方式を用いた際、受信装置におけるデータの受信品質を向上させるために、周波数軸上に配置するシンボルの配置に、特定の規則を設けた場合、上述とは異なる位相変更方法を行うとデータの受信品質が向上する可能性がある。
【先行技術文献】
【非特許文献】
【０００５】
【非特許文献１】“MIMO for DVB-NGH, the next generation mobile TV broadcasting,” IEEE Commun. Mag., vol.57, no.7, pp.130-137, July 2013.
【発明の概要】
【発明が解決しようとする課題】
【０００６】
本発明は、ＯＦＤＭ方式のようなマルチキャリア伝送方式を用いたときのシンボル配置および位相変更方法に関する発明であり、これにより、ＬＯＳ（line-of sight）を含む伝播環境において、データの受信品質を向上させることを目的とする。
【課題を解決するための手段】
【０００７】
本開示の一態様の送信方法は、前方誤り訂正の符号化ブロックを生成する符号化処理と、符号化ブロックから複数の第１シンボル及び複数の第２シンボルを生成する変調処理と、複数の第１のシンボル及び複数の第２シンボルのうち少なくとも一方に対して位相変更を施す位相変更処理と、複数の第１シンボル及び複数の第２シンボルを複数のデータキャリアに配置して送信する送信処理と、を含んでいる。送信処理は、それぞれが複数の第１シンボルを含む複数の第１シンボル群を周波数方向に順番に配置して第１フレームを構成し、それぞれが複数の第２シンボルを含む複数の第２シンボル群を周波数方向に順番に配置して第２フレームを構成する。複数の第１シンボル群のそれぞれは、第１符号化ブロックから生成された第１シンボルと、第１符号化ブロックとは異なる第２符号化ブロックから生成された第１シンボルとを含む。複数の第２シンボル群のそれぞれは、第１符号化ブロックから生成された第２シンボルと、第２符号化ブロックから生成された第２シンボルとを含む。位相変更処理は、同じ第１シンボル群又は同じ第２シンボル群に含まれるシンボルに対して、同じ位相変更値を用いて位相変更を施す。送信処理は、第１フレーム及び第２フレームを複数のアンテナを用いて同時に送信する。
【０００８】
本開示の一態様の送信装置は、前方誤り訂正の符号化ブロックを生成する符号化処理部と、符号化ブロックから複数の第１シンボル及び複数の第２シンボルを生成する変調処理部と、複数の第１のシンボル及び複数の第２シンボルのうち少なくとも一方に対して位相変更を施す位相変更処理部と、複数の第１シンボル及び複数の第２シンボルを複数のデータキャリアに配置して送信する送信処理部とを備える。送信処理部は、それぞれが複数の第１シンボルを含む複数の第１シンボル群を周波数方向に順番に配置して第１フレームを構成し、それぞれが複数の第２シンボルを含む複数の第２シンボル群を周波数方向に順番に配置して第２フレームを構成する。複数の第１シンボル群のそれぞれは、第１符号化ブロックから生成された第１シンボルと、第１符号化ブロックとは異なる第２符号化ブロックから生成された第１シンボルとを含む。複数の第２シンボル群のそれぞれは、第１符号化ブロックから生成された第２シンボルと、第２符号化ブロックから生成された第２シンボルとを含む。位相変更処理部は、同じ第１シンボル群又は同じ第２シンボル群に含まれるシンボルに対して、同じ位相変更値を用いて位相変更を施す。送信処理部は、第１フレーム及び第２フレームを複数のアンテナを用いて同時に送信する。
【発明の効果】
【０００９】
このように本発明によれば、データの受信品質の劣化を改善する送信方法、受信方法、送信装置、受信装置を提供することができるため、放送やマルチキャスト通信、および、ユニキャスト通信において、品質の高いサービスを提供することができる。
【図面の簡単な説明】
【００１０】
【図１】送信装置の構成例
【図２】プリコーディングと位相変更を行う場合の信号処理部の構成例
【図３】プリコーディングと位相変更の処理を含む関連部分の構成例
【図４】プリコーディングと位相変更の処理を含む関連部分の構成例
【図５】プリコーディングと位相変更の処理を含む関連部分の構成例
【図６】変調信号のフレーム構成例
【図７】シンボルのデータキャリアへの配置例
【図８】受信装置における受信電界強度のイメージ図
【図９】フレーム構成例
【図１０】フレーム構成例
【図１１】フレーム構成例
【図１２】シンボルの生成例
【図１３】フレーム構成例
【図１４】フレーム構成例
【図１５】シンボルの生成例
【図１６】フレーム構成例
【図１７】フレーム構成例
【図１８】位相変更値の割り当て例
【図１９】位相変更値の割り当て例
【図２０】位相変更値の割り当て例
【図２１】位相変更値の割り当て例
【図２２】位相変更値の割り当て例
【図２３】位相変更値の割り当て例
【図２４】位相変更値の割り当て例
【図２５】位相変更値の割り当て例
【図２６】位相変更値の割り当て例
【図２７】変調信号のフレーム構成例
【図２８】受信装置の構成例
【図２９】通信局＃１の構成例
【図３０】通信局＃２の構成例
【図３１】通信局＃１と通信局＃２の通信のやりとり例
【図３２】通信局＃１と通信局＃２の通信のやりとり例
【図３３】通信局＃１と通信局＃２の通信のやりとり例
【図３４】通信局＃１と通信局＃２の送信フレームのやりとり例
【図３５】アンテナ設定用シンボル群の構成例
【図３６】アンテナ設定用シンボル群の構成例
【図３７】アンテナ設定用シンボル群の構成例
【図３８】通信局＃１と通信局＃２の様子の関係
【図３９】アンテナ部の構成例
【図４０】アンテナ部の構成例
【図４１】アンテナ設定用シンボル群の構成例
【図４２】アンテナ設定用シンボル群の構成例
【図４３】アンテナ設定用シンボル群の構成例
【図４４】アンテナ設定用シンボル群の構成例
【図４５】アンテナ設定用シンボル群の構成例
【図４６】アンテナ設定用シンボル群の構成例
【図４７】通信局＃１と通信局＃２の送信フレームのやりとり例
【図４８】通信局＃１と通信局＃２の通信のやりとり例
【図４９】通信局＃１と通信局＃２の送信フレームのやりとり例
【図５０】通信局＃１と通信局＃２の送信フレームのやりとり例
【図５１】通信局＃１の構成例
【図５２】通信局＃２の構成例
【図５３】通信局＃１と通信局＃２の通信のやりとり例
【図５４】通信局＃１と通信局＃２の送信フレームのやりとり例
【図５５】通信局＃１と通信局＃２の送信フレームのやりとり例
【図５６】通信局＃１と通信局＃２の通信のやりとり例
【図５７】通信局＃１と通信局＃２の送信フレームのやりとり例
【図５８】通信局＃１と通信局＃２の送信フレームのやりとり例
【図５９】シンボルのデータキャリアへの配置例
【図６０】シンボルの生成例
【図６１】フレーム構成例
【図６２】フレーム構成例
【図６３】フレーム構成例
【図６４】無線部の構成例
【図６５】位相変更値の割り当て例
【図６６】位相変更値の割り当て例
【図６７】位相変更値の割り当て例
【図６８】位相変更値の割り当て例
【図６９】シンボルのデータキャリアへの配置例
【図７０】シンボルのデータキャリアへの配置例
【図７１】シンボルのデータキャリアへの配置例
【図７２】シンボルのデータキャリアへの配置例
【図７３】送信装置の構成の従来例
【図７４】シンボルのデータキャリアへの配置例
【図７５】送信装置の構成例
【図７６】シンボルのデータキャリアへの配置例
【図７７】シンボルのデータキャリアへの配置例
【図７８】シンボルのデータキャリアへの配置例
【図７９】シンボルのデータキャリアへの配置例
【図８０】シンボルのデータキャリアへの配置例
【図８１】シンボルの生成例
【図８２】フレームの構成例
【図８３】フレームの構成例
【図８４】フレームの構成例
【図８５】フレームの構成例
【図８６】シンボルの生成例
【図８７Ａ】フレームの構成例
【図８７Ｂ】フレームの構成例
【図８７Ｃ】フレームの構成例
【図８８】フレームの構成例
【図８９】フレームの構成例
【図９０】フレームの構成例
【図９１】フレームの構成例
【図９２】シンボルのデータキャリアへの配置例
【図９３】シンボルのデータキャリアへの配置例
【図９４】シンボルのデータキャリアへの配置例
【図９５】シンボルのデータキャリアへの配置例
【発明を実施するための形態】
【００１１】
以下、本発明の実施の形態について図面を参照して詳細に説明する。
（実施の形態１）
本実施の形態の送信方法、送信装置、受信方法、受信装置について詳しく説明する。
図１に、本実施の形態における送信装置の構成の一例を示す。符号化部１５１は、データ１５０およびフレーム構成信号１１３を入力とし、フレーム構成信号１１３に含まれる誤り訂正符号に関する情報（例えば、誤り訂正符号の情報、符号長（ブロック長）、符号化率）に基づき、誤り訂正符号化を行い、符号化データ１５２を出力する。
【００１２】
インタリーバ１５３は、符号化データ１５２およびフレーム構成信号１１３を入力とし、フレーム構成信号１１３に含まれるインタリーブの方法の情報に基づき、データの並び替えを行い、インタリーブ後のデータ１５４を出力する。（なお、データの並び替えを行わなくてもよい。）
記憶部１５５は、インタリーブ後のデータ１５４およびフレーム構成信号１１３を入力とし、フレーム構成信号１１３に含まれるフレーム構成に関する情報に基づき、データを記憶し、フレーム構成にしたがって、ストリーム＃１のデータ１０５Ａおよびストリーム＃２のデータ１０５Ｂを出力する。なお、記憶部１５５の動作については、後で、詳しく説明する。
【００１３】
マッピング部１０６Ａは、ストリーム＃１のデータ１０５Ａおよびフレーム構成信号１１３を入力とし、フレーム構成信号１１３に含まれる変調方式の情報に基づき、変調方式に対応するマッピングを行い、マッピング後の信号（ベースバンド信号）１０７Ａを出力する。
同様に、マッピング部１０６Ｂは、ストリーム＃２のデータ１０５Ｂおよびフレーム構成信号１１３を入力とし、フレーム構成信号１１３に含まれる変調方式の情報に基づき、変調方式に対応するマッピングを行い、マッピング後の信号（ベースバンド信号）１０７Ｂを出力する。
【００１４】
信号処理方法情報生成部１１４は、フレーム構成信号１１３を入力とし、ＳＩＳＯ（Single-Input Single-Output）方式、ＭＩＭＯ方式の選択、また、ＭＩＭＯ方式を選択した場合、ＭＩＭＯ方式における具体的な方式（プリコーディング行列の情報、および、位相変更方法の情報など）（なお、この点については、後で説明する。）を決定し、送信方法に関する情報の信号１１５を出力する。
【００１５】
重み付け合成部１０８Ａは、マッピング後の信号１０７Ａ、マッピング後の信号１０７Ｂ、および、送信方法に関する情報の信号１１５を入力とし、送信方法に関する情報の信号１１５が、「ＭＩＭＯ方式での送信」を示している場合、プリコーディング行列に基づく重み付け合成を行い、重み付け合成後の信号１０９Ａを出力する。また、送信方法に関する情報の信号１１５が、「ＳＩＳＯ方式での送信」を示している場合、重み付け合成部１０８Ａは、重み付け合成の動作をせず、変調信号を出力することになる。
【００１６】
同様に、重み付け合成部１０８Ｂは、マッピング後の信号１０７Ａ、マッピング後の信号１０７Ｂ、および、送信方法に関する情報信号１１５を入力とし、送信方法に関する情報の信号１１５が、「ＭＩＭＯ方式での送信」を示している場合、プリコーディング行列に基づく重み付け合成を行い、重み付け合成後の信号１１６Ｂを出力する。また、送信方法に関する情報の信号１１５が、「ＳＩＳＯ方式での送信」を示している場合、重み付け合成部１０８Ｂは、重み付け合成をせず、変調信号を出力してもよいし、出力しなくてもよい。
【００１７】
位相変更部１１７Ｂは、重み付け合成後の信号１１６Ｂ、および、送信方法に関する情報信号１１５を入力とし、送信方法に関する情報信号１１５が「ＭＩＭＯ方式での送信」を示しており、かつ、「位相変更を行う」ことを示している場合、重み付け合成後の信号１１６Ｂに対し、位相変更を行い、位相変更後の信号１０９Ｂを出力する。
制御情報信号生成部１１６Ｚは、フレーム構成信号１１３、送信方法に関する情報の信号１１５を入力とし、通信相手に伝送するための制御情報（例えば、変調に用いた変調方式の情報、誤り訂正符号に関する情報、送信方法に関する情報など）を伝送するための変調信号を生成し、制御情報信号１１７Ｚを出力する。
【００１８】
無線部１１０Ａは、重み付け合成後の信号１０９、制御情報信号１１７Ｚ、および、フレーム構成信号１１３を入力とし、フレーム構成に従い、フレーム構成にしたがった変調信号を生成し（その際、周波数変換、信号の増幅、マルチキャリアの伝送方式を用いるときは、マルチキャリア化などの処理を行う。）、送信信号１１１Ａを出力する。そして、送信信号１１１Ａは、アンテナ１１２Ａから電波として出力される。
【００１９】
無線部１１０Ｂは、位相変更後の信号１０９Ｂ、制御情報信号１１７Ｚ、および、フレーム構成信号１１３を入力とし、フレーム構成に従い、フレーム構成にしたがった変調信号を生成し（その際、周波数変換、信号の増幅、マルチキャリアの伝送方式を用いるときは、マルチキャリア化などの処理を行う。）、送信信号１１１Ｂを出力する。そして、送信信号１１１Ｂは、アンテナ１１２Ｂから電波として出力される。
【００２０】
次に、図１の送信装置が、ＭＩＭＯ方式を用いる際、プリコーディングを行う送信方法で送信する場合（この場合、位相変更を行わない。）、および、プリコーディングと位相変更を行う送信方法で送信する場合について説明する。
図２は、プリコーディングと位相変更を行う場合の信号処理部の構成の一例を示している。なお、図２において、図１と同様に動作するものについては、同一番号を付している。そして、図１の重み付け合成部１０８Ａと１０８Ｂを統合した処理部が、図２の重み付け合成部２００となる。
【００２１】
プリコーディングを行う送信方法（位相変更なし）：
マッピング後の信号１０７Ａをｓ１（ｉ）（ｓ１（ｉ）は複素数で定義する。したがって、ｓ１（ｉ）は複素数、実数、どちらであってもよい。）とあらわし、マッピング後の信号１０７Ｂをｓ２（ｉ）（ｓ２（ｉ）は複素数で定義する。したがって、ｓ１（ｉ）は複素数、実数、どちらであってもよい。）とあらわす。なお、ｉはシンボル番号であるものとする。
【００２２】
そして、重み付け合成後の信号１０９Ａをｚ１（ｉ）（ｚ１（ｉ）は複素数で定義する。したがって、ｚ１（ｉ）は複素数、実数、どちらであってもよい。）とあらわし、重み付け合成後の信号１１６Ｂをｚ２’（ｉ）（ｚ２’（ｉ）は複素数で定義する。したがって、ｚ２’（ｉ）は複素数、実数、どちらであってもよい。）とあらわす。
そして、送信方法に関する情報１１５が、「位相変更を行わないＭＩＭＯ方式」という送信方法を適用することを示している場合、重み付け合成部２００は、以下の演算を行うことになる。
【００２３】
【数１】
2017112589.tif 000003
【００２４】
式（１）において、ａ、ｂ、ｃ、ｄは複素数で定義でき、したがって、ａ、ｂ、ｃ、ｄは複素数、実数、どちらであってもよい。
そして、位相変更部１１７Ｂは、位相の変更を行わずに信号（１０９Ｂ）を出力する。したがって、ｚ２（ｉ）＝ｚ２’（ｉ）が成立する。なお、信号１０９Ｂがｚ２（ｉ）となる。そして、ｚ１（ｉ）とｚ２（ｉ）は、同一時間、同一周波数（同一周波数帯）で、送信装置から送信されることになる。
【００２５】
プリコーディングと位相変更を行う送信方法：
図２における重み付け合成部２００の動作は、「プリコーディングを行う送信方法（位相変更なし）」で説明したときと同様となる。したがって、重み付け合成後の信号１０９Ａをｚ１（ｉ）および重み付け合成後の信号１１６Ｂをｚ２’（ｉ）は、式（１）であらわされる。
【００２６】
そして、図２に示すように、シンボル番号ｕのストリームｓ１（ｉ）をｓ１（ｕ）（２０１＿１）、シンボル番号ｕのストリームｓ２（ｉ）をｓ２（ｕ）（２０１＿２）、シンボル番号ｕ＋１のストリームｓ１（ｉ）をｓ１（ｕ＋１）（２０２＿１）、シンボル番号ｕのストリームｓ２（ｉ）をｓ２（ｕ＋１）（２０２＿２）、・・・とあらわすものとする。
【００２７】
このとき、位相変更部１１７Ｂでは、例えば、ｚ２’（ｕ）に対しｙ（ｕ）の位相変更を施し、ｚ２’（ｕ＋１）に対しｙ（ｕ＋１）、・・・の位相変更を施すものとする。したがって、ｚ２（ｉ）＝ｙ（ｉ）×ｚ２’（ｉ）とあらわすことができる。なお、図２の例では、位相変更の値を以下のように設定している。
【００２８】
【数２】
2017112589.tif 000004
【００２９】
なお、式（２）において、ｕ＋ｋはシンボル番号を示しており、ｋは、例えば、整数であるものとする。
したがって、重み付け合成後の信号１０９Ａ（ｚ１（ｉ））、および、位相変更後の信号１０９Ｂ（ｚ２（ｉ））は、次式であらわすことができる。
【００３０】
【数３】
2017112589.tif 000005
【００３１】
なお、δ（ｉ）は実数である。そして、ｚ１（ｉ）とｚ２（ｉ）は、同一時間、同一周波数（同一周波数帯）で、送信装置から送信されることになる。
式（３）において、位相変更の値は、式（２）に限ったものではなく、例えば、周期的、規則的に位相を変更するような方法が考えられる。
式（１）および式（３）における（プリコーディング）行列
【００３２】
【数４】
2017112589.tif 000006
【００３３】
とする。例えば、行列Ｆは、以下のような行列を用いることが考えられる。
【００３４】
【数５】
2017112589.tif 000007
【００３５】
または、
【００３６】
【数６】
2017112589.tif 000008
【００３７】
または、
【００３８】
【数７】
2017112589.tif 000009
【００３９】
または、
【００４０】
【数８】
2017112589.tif 000010
【００４１】
または、
【００４２】
【数９】
2017112589.tif 000011
【００４３】
または、
【００４４】
【数１０】
2017112589.tif 000012
【００４５】
または、
【００４６】
【数１１】
2017112589.tif 000013
【００４７】
または、
【００４８】
【数１２】
2017112589.tif 000014
【００４９】
なお、式（５）、式（６）、式（７）、式（８）、式（９）、式（１０）、式（１１）、式（１２）において、αは実数であってもよいし、虚数であってもよく、βは実数であってもよいし、虚数であってもよい。ただし、αは０（ゼロ）ではない。そして、βも０（ゼロ）ではない。
または、
【００５０】
【数１３】
2017112589.tif 000015
【００５１】
または、
【００５２】
【数１４】
2017112589.tif 000016
【００５３】
または、
【００５４】
【数１５】
2017112589.tif 000017
【００５５】
または、
【００５６】
【数１６】
2017112589.tif 000018
【００５７】
または、
【００５８】
【数１７】
2017112589.tif 000019
【００５９】
または、
【００６０】
【数１８】
2017112589.tif 000020
【００６１】
または、
【００６２】
【数１９】
2017112589.tif 000021
【００６３】
または、
【００６４】
【数２０】
2017112589.tif 000022
【００６５】
なお、式（１３）、式（１５）、式（１７）、式（１９）において、βは実数であってもよいし、虚数であってもよい。ただし、βは０（ゼロ）ではない。
または、
【００６６】
【数２１】
2017112589.tif 000023
【００６７】
または、
【００６８】
【数２２】
2017112589.tif 000024
【００６９】
または、
【００７０】
【数２３】
2017112589.tif 000025
【００７１】
または、
【００７２】
【数２４】
2017112589.tif 000026
【００７３】
または、
【００７４】
【数２５】
2017112589.tif 000027
【００７５】
または、
【００７６】
【数２６】
2017112589.tif 000028
【００７７】
または、
【００７８】
【数２７】
2017112589.tif 000029
【００７９】
または、
【００８０】
【数２８】
2017112589.tif 000030
【００８１】
または、
【００８２】
【数２９】
2017112589.tif 000031
【００８３】
または、
【００８４】
【数３０】
2017112589.tif 000032
【００８５】
または、
【００８６】
【数３１】
2017112589.tif 000033
【００８７】
または、
【００８８】
【数３２】
2017112589.tif 000034
【００８９】
ただし、θ１１（ｉ）、θ２１（ｉ）、λ（ｉ）はｉの（シンボル番号の）関数であり、λは固定の値であり、αは実数であってもよいし、虚数であってもよく、βは実数であってもよいし、虚数であってもよい。ただし、αは０（ゼロ）ではない。そして、βも０（ゼロ）ではない。
また、これら以外のプリコーディング行列を用いても、本明細書の各実施の形態を実施することが可能である。
【００９０】
または、
【００９１】
【数３３】
2017112589.tif 000035
【００９２】
または、
【００９３】
【数３４】
2017112589.tif 000036
【００９４】
または、
【００９５】
【数３５】
2017112589.tif 000037
【００９６】
または、
【００９７】
【数３６】
2017112589.tif 000038
【００９８】
なお、式（３４）、式（３６）のβは実数であってもよいし、虚数であってもよい。ただし、βも０（ゼロ）ではない。
次に、上述とは異なる「プリコーディングを行う送信方法（位相変更なし）」、「プリコーディングと位相変更を行う送信方法」について説明する
プリコーディングと位相変更を行う送信方法：
図３に、プリコーディングと位相変更の処理を含む関連部分の構成の一例を示しており、図１、図２と同様に動作するものについては、同一番号を付している。図２と異なる点は、係数乗算部３０１Ａと係数乗算部３０１Ｂが追加されている部分である。なお、上述で説明した部分については説明を省略する。
【００９９】
係数乗算部３０１Ａと係数乗算部３０１Ｂは、入力信号に対し、係数を乗算し、信号を出力することになる。そして、乗算する係数は、送信方法に関する情報１１５により変更可能となっている。このとき、ｚ１（ｉ）およびｚ２（ｉ）は、次式であらわされる。
【０１００】
【数３７】
2017112589.tif 000039
【０１０１】
なお、ｅ、ｆは複素数で定義することができ、複素数であってもよいし、実数であってもよい。そして、「ｅ、ｆ」は送信方法に関する情報１１５により変更可能となっている。そして、プリコーディング行列Ｆについては、例えば、式（５）から式（３６）のような行列が考えられる。（しかし、これに限ったものではない。）また、式（３７）において、位相変更の値は、式（２）に限ったものではなく、例えば、周期的、規則的に位相を変更するような方法が考えられる。そして、ｚ１（ｉ）とｚ２（ｉ）は、同一時間、同一周波数（同一周波数帯）で、送信装置から送信されることになる。
【０１０２】
図４に、プリコーディングと位相変更の処理を含む関連部分の構成の一例を示しており、図１、図２、図３と同様に動作するものについては、同一番号を付している。図３と異なる点は、係数乗算部４０１Ａと係数乗算部４０１Ｂが追加されている部分である。なお、上述で説明した部分については説明を省略する。
係数乗算部４０１Ａと係数乗算部４０１Ｂは、入力信号に対し、係数を乗算し、信号を出力することになる。そして、乗算する係数は、送信方法に関する情報１１５により変更可能となっている。そして、図４のように信号４０２Ａをｕ１（ｉ）、信号４０２Ｂをｕ２（ｉ）とあらわすとすると、ｕ１（ｉ）およびｕ２（ｉ）は、次式であらわされる。
【０１０３】
【数３８】
2017112589.tif 000040
【０１０４】
なお、ｇ、ｈは複素数で定義することができ、複素数であってもよいし、実数であってもよい。そして、「ｇ、ｈ」は送信方法に関する情報１１５により変更可能となっている。そして、プリコーディング行列Ｆについては、例えば、式（５）から式（３６）のような行列が考えられる。（しかし、これに限ったものではない。）また、式（３８）において、位相変更の値は、式（２）に限ったものではなく、例えば、周期的、規則的に位相を変更するような方法が考えられる。そして、ｕ１（ｉ）とｕ２（ｉ）は、同一時間、同一周波数（同一周波数帯）で、送信装置から送信されることになる。
【０１０５】
信号４０２Ａ（ｕ１（ｉ））は、図１の無線部１１０Ａに入力され、また、４０２Ｂ（ｕ２（ｉ））は、図１の無線部１１０Ｂに入力され、その後の処理が行われることになる。なお、図４において、位相変更部１１７Ｂと係数乗算部４０１Ｂの順番を入れ替えてもよく、先に係数乗算の処理を行い、その後位相変更の処理を行ってもよい。
図５に、プリコーディングと位相変更の処理を含む関連部分の構成の一例を示しており、図１、図２、図４と同様に動作するものについては、同一番号を付している。図５が、図４と異なる点は、図４において、係数乗算部３０１Ａと係数乗算部３０１Ｂを取り除いた点である。したがって、図５における信号信号４０２Ａ（ｕ１（ｉ））および信号４０２Ｂ（ｕ２（ｉ））は、次式であらわされる。
【０１０６】
【数３９】
2017112589.tif 000041
【０１０７】
なお、ｇ、ｈは複素数で定義することができ、複素数であってもよいし、実数であってもよい。そして、「ｇ、ｈ」は送信方法に関する情報１１５により変更可能となっている。そして、プリコーディング行列Ｆについては、例えば、式（５）から式（３６）のような行列が考えられる。（しかし、これに限ったものではない。）例えば、周期的、規則的に位相を変更するような方法が考えられる。そして、ｕ１（ｉ）とｕ２（ｉ）は、同一時間、同一周波数（同一周波数帯）で、送信装置から送信されることになる。
【０１０８】
信号４０２Ａ（ｕ１（ｉ））は、図１の無線部１１０Ａに入力され、また、４０２Ｂ（ｕ２（ｉ））は、図１の無線部１１０Ｂに入力され、その後の処理が行われることになる。なお、図４において、位相変更部１１７Ｂと係数乗算部４０１Ｂの順番を入れ替えてもよく、先に係数乗算の処理を行い、その後位相変更の処理を行ってもよい。
プリコーディングを行う送信方法（位相変更なし）：
図３の構成のとき、位相変更を行わない場合、ｚ１（ｉ）およびｚ２（ｉ）は、次式であらわされる。
【０１０９】
【数４０】
2017112589.tif 000042
【０１１０】
このとき、ｚ１（ｉ）とｚ２（ｉ）は、同一時間、同一周波数（同一周波数帯）で、送信装置から送信されることになる。
図４の構成のとき、位相変更を行わない場合、ｕ１（ｉ）およびｕ２（ｉ）は、次式であらわされる。
【０１１１】
【数４１】
2017112589.tif 000043
【０１１２】
このとき、ｕ１（ｉ）とｕ２（ｉ）は、同一時間、同一周波数（同一周波数帯）で、送信装置から送信されることになる。
図５の構成のとき、位相変更を行わない場合、ｕ１（ｉ）およびｕ２（ｉ）は、次式であらわされる。
【０１１３】
【数４２】
2017112589.tif 000044
【０１１４】
このとき、ｕ１（ｉ）とｕ２（ｉ）は、同一時間、同一周波数（同一周波数帯）で、送信装置から送信されることになる。
そして、式（４０）、式（４１）、式（４２）において、プリコーディング行列Ｆについては、例えば、式（５）から式（３６）のような行列が考えられる。（しかし、これに限ったものではない。）
なお、ＭＩＭＯ方式を用いる際、プリコーディング行列Ｆを、フレームごとに切り替えてもよいし、切り替えなくてもよい。また、ストリームｓ１（ｉ）とストリームｓ２（ｉ）の変調方式のセットを切り替える際に、プリコーディング行列Ｆを切り替えてもよいし、切り替えなくてもよい。また、プリコーディング行列Ｆを、（通信）相手からのフィードバック情報に基づいて、切り替えてもよいし、切り替えなくてもよい。
【０１１５】
次に、例えば、ＯＦＤＭのようなマルチキャリアの伝送方法を用いたときの図１の送信装置が送信する変調信号のフレーム構成の一例を図６に示す。
図６は、横軸周波数におけるシンボルの配置の例を示しており、上述で示した異なるアンテナから送信する２つの変調信号のシンボル配置を示している。例えば、図６では、データキャリア（データシンボル）とパイロットシンボル（リファレンスシンボル）「図６では「Ｐ」と記載している。」で構成されている場合を示している（なお、図６は、あくまでも例であり、他のシンボルが存在していてもよい。）。このとき、データキャリアは、ＭＩＭＯ伝送により、（通信）相手にデータを伝送するためのシンボルであり、パイロットシンボルは、（通信）相手が、伝播変動の推定（チャネル推定）を行うためのシンボルである。
【０１１６】
図６では、一例として、１ＯＦＤＭシンボル中に存在するデータキャリア（周波数軸に存在するデータキャリア）の数を３３６とし（したがって、データキャリア＄１〜データキャリア＄３３６が各時刻に存在する）、データキャリアとデータキャリアの間にパイロットシンボルが挿入されていてもよい。なお、図６では、時刻＆１と時刻＆２で、パイロットキャリアの挿入されている周波数的な位置が異なっているが、このような構成に限ったものではない。
【０１１７】
図６において、データキャリアは、周波数軸方向に、「データキャリア＄１」、「データキャリア＄２」、「データキャリア＄３」、「データキャリア＄４」、「データキャリア＄５」、「データキャリア＄６」、「データキャリア＄７」、「データキャリア＄８」、「データキャリア＄９」、「データキャリア＄１０」、「データキャリア＄１１」、「データキャリア＄１２」、「データキャリア＄１３」、・・・、「データキャリア＄３３０」、「データキャリア＄３３１」、「データキャリア＄３３２」、「データキャリア＄３３３」、「データキャリア＄３３４」、「データキャリア＄３３５」、「データキャリア＄３３６」の順に並んでいるものとする。つまり、周波数軸方向に対し、データキャリアは昇順に番号を付している。
【０１１８】
図７に、ストリームｓ１（ｉ）の変調方式を同相Ｉ−直交Ｑ平面において４個の信号点がある変調方式（シンボル当たり２ビット伝送の変調方式）の例であるＱＰＳＫ、ストリームｓ２（ｉ）の変調方式を同相Ｉ−直交Ｑ平面において４個の信号点がある変調方式（シンボル当たり２ビット伝送の変調方式）の例であるＱＰＳＫとしたときのデータキャリアへの配置例を示している。ここでは、一例として、誤り訂正符号のブロック長（符号長）を６７２ビットとする。そして、誤り訂正符号化された６７２ビットで構成された第１のブロックに対しブロック＃１と名付け「＃１」と記載する。したがって、誤り訂正符号化された６７２ビットで構成された第Ｎ（Ｎは１以上の整数とする。）のブロックに対しブロック＃Ｎと名付け「＃Ｎ」と記載する。
【０１１９】
ＱＰＳＫ変調を適用したとき、ブロック＃Ｎから３３６のシンボルが生成される。図７では、ブロック＃１から生成された３３６のシンボルを「＃１−１」、「＃１−２」、「＃１−３」、「＃１−４」、・・・、「＃１−３３４」、「＃１−３３５」、「＃１−３３６」と示している。したがって、ブロック＃Ｎから生成された３３６のシンボルを「＃Ｎ−１」、「＃Ｎ−２」、「＃Ｎ−３」、「＃Ｎ−４」、・・・、「＃Ｎ−３３４」、「＃Ｎ−３３５」、「＃Ｎ−３３６」とあらわすことになる。
【０１２０】
また、図７に、横軸周波数とし、データキャリアを並べたときを示している。ストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在している。
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０１２１】
そして、図７に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃１−３」のシンボルを割り当て、ストリーム２（ｓ２（ｉ））のデータキャリア＄２に「＃１−４」のシンボルを割り当て、ストリーム１（ｓ１（ｉ））のデータキャリア＄３に「＃１−５」のシンボルを割り当て、ストリーム２（ｓ２（ｉ））のデータキャリア＄３に「＃１−６」のシンボルを割り当てるという規則にしたがい、シンボルの割り当てるとする。すると、ブロック＃１のデータは、ストリーム１（ｓ１（ｉ））のデータキャリア＄１から＄１６７、および、ストリーム２（ｓ２（ｉ））のデータキャリア＄１から＄１６７を用いて、送信装置が送信することになる。
【０１２２】
同様の規則にしたがい、ブロック＃２のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信することになる。
以上が、時刻＆１のシンボルの配置とする。同様に、シンボル配置を行うと、時刻＆２では、以下のような配置を行うことになる。
【０１２３】
・ブロック＃３のデータは、ストリーム１（ｓ１（ｉ））のデータキャリア＄１から＄１６７、および、ストリーム２（ｓ２（ｉ））のデータキャリア＄１から＄１６７を用いて、送信装置が送信する。
・ブロック＃４のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信する。
【０１２４】
したがって、時刻＆Ｍでは（Ｍは１以上の整数とする）、以下のような配置を行うことになる。
・ブロック＃（２Ｍ−１）のデータは、ストリーム１（ｓ１（ｉ））のデータキャリア＄１から＄１６７、および、ストリーム２（ｓ２（ｉ））のデータキャリア＄１から＄１６７を用いて、送信装置が送信する。
・ブロック＃（２Ｍ）のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信する。
【０１２５】
図７のようなフレーム構成で送信装置が、変調信号を送信する場合を考える。図１の送信装置の（通信）相手である受信装置における受信電界強度のイメージ図を図８に示す。
図８において、横軸を周波数、縦軸を受信電界強度とする。このとき、マルチパスの影響により、受信電界強度の低い図８の８０１のようなところが存在することになる。そして、図７のようなフレーム構成で送信装置が変調信号を送信すると、マルチパスの影響（例えば、図８の８０１）により、誤り訂正符号の同一ブロックのシンボルに受信品質の悪いシンボルが多く存在するような現象を招く可能性が高い。これにより、高い誤り訂正能力を得ることができず、データの受信品質が低下する可能性が高い。
【０１２６】
別の例として、図９のようなフレーム構成を考える。図９に示すように、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃１−２」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃１−３３４」のシンボルを割り当て、
ストリーム２（ｓ２（ｉ））のデータキャリア＄３３４に「＃２−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃１−３３６」のシンボルを割り当て、
ストリーム２（ｓ２（ｉ））のデータキャリア＄３３６に「＃２−３３６」のシンボルを割り当てるとする。
【０１２７】
以上が、時刻＆１のシンボル配置となる。したがって、データキャリアの番号が奇数のシンボルは、ブロック＃１のデータを伝送しており、データキャリアの番号が偶数のシンボルは、ブロック＃２のデータを伝送する。
時刻＆２では、以下のような配置を行うことになる。
・ストリーム１（ｓ１（ｉ））は、ブロック＃３のデータを伝送し、ストリーム２（ｓ２（ｉ））は、ブロック＃４のデータを伝送する。
【０１２８】
よって、時刻＆Ｍでは（Ｍは１以上の整数とする）、以下のような配置を行うことになる。
・ストリーム１（ｓ１（ｉ））は、ブロック＃（２Ｍ−１）のデータを伝送し、ストリーム２（ｓ２（ｉ））は、ブロック＃（２Ｍ）のデータを伝送する。
【０１２９】
図９のようなフレーム構成の場合、図８で説明したような課題は発生する可能性は低い。
ところで、プリコーディング行列が式（４）のようにあらわされ、［１］「ｂがゼロ、かつ、ｃがゼロ」、または、［２］「ａがゼロ、かつ、ｄがゼロ」、または、［３］「ｂの絶対値およびｃの絶対値が、ａの絶対値およびｄの絶対値に比べ極端に小さい」、［４］「ａの絶対値およびｄの絶対値が、ｂの絶対値およびｃの絶対値に比べ極端に小さい」を考える。このようなケースの場合、（通信）相手のストリーム１（ｓ１（ｉ））の受信電界強度が低下したとき、または、（通信）相手のストリーム２（ｓ２（ｉ））の受信電界強度が低下したとき、例えば、時刻＆１において、ブロック＃１の受信品質、または、ブロック＃２の受信品質が低下するという現象が発生する可能性が高い。
【０１３０】
図８を用いて説明した課題、および、図９のようなフレーム構成により発生する課題を解決するために、例えば、図１０のようなフレーム構成を考える。図１０に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃２−１」のシンボルを割り当て、ストリーム２（ｓ２（ｉ））のデータキャリア＄２に「＃２−２」のシンボルを割り当て、ストリーム１（ｓ１（ｉ））のデータキャリア＄３に「＃１−３」のシンボルを割り当て、ストリーム２（ｓ２（ｉ））のデータキャリア＄３に「＃１−４」のシンボルを割り当て、ストリーム１（ｓ１（ｉ））のデータキャリア＄４に「＃２−３」のシンボルを割り当て、ストリーム２（ｓ２（ｉ））のデータキャリア＄４に「＃２−４」のシンボルを割り当て、
・・・
ストリーム１（ｓ１（ｉ））のデータキャリア＄３３３に「＃１−３３３」のシンボルを割り当て、ストリーム２（ｓ２（ｉ））のデータキャリア＄３３３に「＃１−３３４」のシンボルを割り当て、ストリーム１（ｓ１（ｉ））のデータキャリア＄３３４に「＃２−３３３」のシンボルを割り当て、ストリーム２（ｓ２（ｉ））のデータキャリア＄３３４に「＃２−３３４」のシンボルを割り当て、ストリーム１（ｓ１（ｉ））のデータキャリア＄３３５に「＃１−３３５」のシンボルを割り当て、ストリーム２（ｓ２（ｉ））のデータキャリア＄３３５に「＃１−３３６」のシンボルを割り当て、ストリーム１（ｓ１（ｉ））のデータキャリア＄３３６に「＃２−３３５」のシンボルを割り当て、ストリーム２（ｓ２（ｉ））のデータキャリア＄３３６に「＃２−３３６」のシンボルを割り当てるとする。
【０１３１】
以上が、時刻＆１のシンボル配置となる。したがって、データキャリアの番号が奇数のシンボルは、ブロック＃１のデータを伝送しており、データキャリアの番号が偶数のシンボルは、ブロック＃２のデータを伝送する。
時刻＆２では、以下のような配置を行うことになる。
・データキャリアの番号が奇数のシンボルは、ブロック＃３のデータを伝送しており、データキャリアの番号が偶数のシンボルは、ブロック＃４のデータを伝送する。
【０１３２】
よって、時刻＆Ｍでは（Ｍは１以上の整数とする）、以下のような配置を行うことになる。
・データキャリア番号が奇数のシンボルは、ブロック＃（２Ｍ−１）のデータを伝送しており、データキャリア番号が偶数のシンボルは、ブロック＃（２Ｍ）のデータを伝送する。
【０１３３】
図１０のようなフレーム構成で送信装置が、変調信号を送信する場合、図８を用いてマルチパスによる受信電界強度の低い部分図８の８０１の悪影響を、図７のフレーム構成のときより、受けづらい。また、図９を用いて説明したようなデータの受信品質の低下を抑えることができる可能性が高い。したがって、データの受信品質が向上するという効果を得ることができる可能性が高い。
【０１３４】
図８を用いて説明した課題、および、図９のようなフレーム構成により発生する課題を解決するために、例えば、図１１のようなフレーム構成を考える。
図１１に示すように、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃２−２」のシンボルを割り当て、
ストリーム２（ｓ２（ｉ））のデータキャリア＄２に「＃１−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
ストリーム１（ｓ１（ｉ））のデータキャリア＄４に「＃２−４」のシンボルを割り当て、
ストリーム２（ｓ２（ｉ））のデータキャリア＄４に「＃１−４」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃２−３３４」のシンボルを割り当て、
ストリーム２（ｓ２（ｉ））のデータキャリア＄３３４に「＃１−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃２−３３６」のシンボルを割り当て、
ストリーム２（ｓ２（ｉ））のデータキャリア＄３３６に「＃１−３３６」のシンボルを割り当てるとする。
【０１３５】
以上が、時刻＆１のシンボル配置となる。したがって、データキャリアの番号が奇数のシンボル、かつ、ストリーム１（ｓ１（ｉ））は、ブロック＃１のデータを伝送しており、
データキャリアの番号が奇数のシンボル、かつ、ストリーム２（ｓ２（ｉ））は、ブロック＃２のデータを伝送しており、
データキャリアの番号が偶数のシンボル、かつ、ストリーム１（ｓ１（ｉ））は、ブロック＃２のデータを伝送しており、
データキャリアの番号が偶数のシンボル、かつ、ストリーム２（ｓ２（ｉ））は、ブロック＃１のデータを伝送する。
【０１３６】
時刻＆２では、以下のような配置を行うことになる。
・データキャリアの番号が奇数のシンボル、かつ、ストリーム１（ｓ１（ｉ））は、ブロック＃３のデータを伝送しており、
データキャリアの番号が奇数のシンボル、かつ、ストリーム２（ｓ２（ｉ））は、ブロック＃４のデータを伝送しており、
データキャリアの番号が偶数のシンボル、かつ、ストリーム１（ｓ１（ｉ））は、ブロック＃４のデータを伝送しており、
データキャリアの番号が偶数のシンボル、かつ、ストリーム２（ｓ２（ｉ））は、ブロック＃３のデータを伝送する。
【０１３７】
よって、時刻＆Ｍでは（Ｍは１以上の整数とする）、以下のような配置を行うことになる。
・データキャリアの番号が奇数のシンボル、かつ、ストリーム１（ｓ１（ｉ））は、ブロック＃（２Ｍ−１）のデータを伝送しており、
データキャリアの番号が奇数のシンボル、かつ、ストリーム２（ｓ２（ｉ））は、ブロック＃（２Ｍ）のデータを伝送しており、
データキャリアの番号が偶数のシンボル、かつ、ストリーム１（ｓ１（ｉ））は、ブロック＃（２Ｍ）のデータを伝送しており、
データキャリアの番号が偶数のシンボル、かつ、ストリーム２（ｓ２（ｉ））は、ブロック＃（２Ｍ−１）のデータを伝送する。
【０１３８】
図１１のようなフレーム構成で送信装置が、変調信号を送信する場合、図８を用いてマルチパスによる受信電界強度の低い部分図８の８０１の悪影響を、図７のフレーム構成のときより、受けづらい。また、図９を用いて説明したようなデータの受信品質の低下を抑えることができる可能性が高い。したがって、データの受信品質が向上するという効果を得ることができる可能性が高い。
【０１３９】
次に、ストリームｓ１（ｉ）の変調方式を同相Ｉ−直交Ｑ平面において１６個の信号点がある変調方式（シンボル当たり４ビット伝送の変調方式）の例である１６ＱＡＭ、ストリームｓ２（ｉ）の変調方式を同相Ｉ−直交Ｑ平面において１６個の信号点がある変調方式（シンボル当たり４ビット伝送の変調方式）の例である１６ＱＡＭとしたときのデータキャリアの構成について説明する。
【０１４０】
ここでは、一例として、誤り訂正符号のブロック長（符号長）を６７２ビットとする。そして、誤り訂正符号化された６７２ビットで構成された第１のブロックに対しブロック＃１と名付け「＃１」と記載する。したがって、誤り訂正符号化された６７２ビットで構成された第Ｎ（Ｎは１以上の整数とする。）のブロックに対しブロック＃Ｎと名付け「＃Ｎ」と記載する。
【０１４１】
１６ＱＡＭ変調を適用したとき、ブロック＃Ｎから１６８のシンボルが生成される。図１２では、ブロック＃１から生成された１６８のシンボルを「＃１−１」、「＃１−２」、「＃１−３」、「＃１−４」、・・・、「＃１−１６６」、「＃１−１６７」、「＃１−１６８」と示している。したがって、ブロック＃Ｎから生成された１６８のシンボルを「＃Ｎ−１」、「＃Ｎ−２」、「＃Ｎ−３」、「＃Ｎ−４」、・・・、「＃Ｎ−１６６」、「＃Ｎ−１６７」、「＃Ｎ−１６８」とあらわすことになる。
【０１４２】
また、図７と同様に、横軸周波数とし、データキャリアを並べたときストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在しているものとする。
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０１４３】
図８を用いて説明した課題、および、図９のようなフレーム構成により発生する課題を解決するために、例えば、図１３のようなフレーム構成を考える。
図１３に示すように、
ストリーム１（ｓ１（ｉ））のデータキャリア＄１に「＃１−１」のシンボルを割り当て、
ストリーム２（ｓ２（ｉ））のデータキャリア＄１に「＃１−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃３−２」のシンボルを割り当て、
ストリーム１（ｓ１（ｉ））のデータキャリア＄４に「＃４−１」のシンボルを割り当て、
ストリーム２（ｓ２（ｉ））のデータキャリア＄４に「＃４−２」のシンボルを割り当て、
ストリーム１（ｓ１（ｉ））のデータキャリア＄５に「＃１−３」のシンボルを割り当て、
ストリーム２（ｓ２（ｉ））のデータキャリア＄５に「＃１−４」のシンボルを割り当て、
ストリーム１（ｓ１（ｉ））のデータキャリア＄６に「＃２−３」のシンボルを割り当て、
ストリーム２（ｓ２（ｉ））のデータキャリア＄６に「＃２−４」のシンボルを割り当て、
ストリーム１（ｓ１（ｉ））のデータキャリア＄７に「＃３−３」のシンボルを割り当て、
ストリーム２（ｓ２（ｉ））のデータキャリア＄７に「＃３−４」のシンボルを割り当て、
ストリーム１（ｓ１（ｉ））のデータキャリア＄８に「＃４−３」のシンボルを割り当て、
ストリーム２（ｓ２（ｉ））のデータキャリア＄８に「＃４−４」のシンボルを割り当て、
・・・
ストリーム１（ｓ１（ｉ））のデータキャリア＄３３３に「＃１−１６７」のシンボルを割り当て、
ストリーム２（ｓ２（ｉ））のデータキャリア＄３３３に「＃１−１６８」のシンボルを割り当て、
ストリーム１（ｓ１（ｉ））のデータキャリア＄３３４に「＃２−１６７」のシンボルを割り当て、
ストリーム２（ｓ２（ｉ））のデータキャリア＄３３４に「＃２−１６８」のシンボルを割り当て、
ストリーム１（ｓ１（ｉ））のデータキャリア＄３３５に「＃３−１６７」のシンボルを割り当て、
ストリーム２（ｓ２（ｉ））のデータキャリア＄３３５に「＃３−１６８」のシンボルを割り当て、
ストリーム１（ｓ１（ｉ））のデータキャリア＄３３６に「＃４−１６７」のシンボルを割り当て、
ストリーム２（ｓ２（ｉ））のデータキャリア＄３３６に「＃４−１６８」のシンボルを割り当てるとする。
【０１４４】
以上が、時刻＆１のシンボル配置となる。したがって、データキャリアの番号を４で除算したときの余りが１のときのシンボルは、ブロック＃１のデータを伝送しており、
データキャリアの番号を４で除算したときの余りが２のときのシンボルは、ブロック＃２のデータを伝送しており、
データキャリアの番号を４で除算したときの余りが３のときのシンボルは、ブロック＃３のデータを伝送しており、
データキャリアの番号を４で除算したときの余りが０のときのシンボルは、ブロック＃４のデータを伝送する。
【０１４５】
時刻＆２では、以下のような配置を行うことになる。
・データキャリアの番号を４で除算したときの余りが１のときのシンボルは、ブロック＃５のデータを伝送しており、
データキャリアの番号を４で除算したときの余りが２のときのシンボルは、ブロック＃６のデータを伝送しており、
データキャリアの番号を４で除算したときの余りが３のときのシンボルは、ブロック＃７のデータを伝送しており、
データキャリアの番号を４で除算したときの余りが０のときのシンボルは、ブロック＃８のデータを伝送する。
【０１４６】
よって、時刻＆Ｍでは（Ｍは１以上の整数とする）、以下のような配置を行うことになる。
・データキャリアの番号を４で除算したときの余りが１のときのシンボルは、ブロック＃（４Ｍ−３）のデータを伝送しており、
データキャリアの番号を４で除算したときの余りが２のときのシンボルは、ブロック＃（４Ｍ−２）のデータを伝送しており、
データキャリアの番号を４で除算したときの余りが３のときのシンボルは、ブロック＃（４Ｍ−１）のデータを伝送しており、
データキャリアの番号を４で除算したときの余りが０のときのシンボルは、ブロック＃（４Ｍ）のデータを伝送する。
【０１４７】
図１３のようなフレーム構成で送信装置が、変調信号を送信する場合、図８を用いてマルチパスによる受信電界強度の低い部分図８の８０１の悪影響を、受けづらい。また、図９を用いて説明したようなデータの受信品質の低下を抑えることができる可能性が高い。したがって、データの受信品質が向上するという効果を得ることができる可能性が高い。
【０１４８】
図８を用いて説明した課題、および、図９のようなフレーム構成により発生する課題を解決するために、例えば、図１４のようなフレーム構成を考える。
図１４に示すように、
ストリーム１（ｓ１（ｉ））のデータキャリア＄１に「＃１−１」のシンボルを割り当て、
ストリーム２（ｓ２（ｉ））のデータキャリア＄１に「＃３−１」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃４−１」のシンボルを割り当て、
ストリーム１（ｓ１（ｉ））のデータキャリア＄３に「＃３−２」のシンボルを割り当て、
ストリーム２（ｓ２（ｉ））のデータキャリア＄３に「＃１−２」のシンボルを割り当て、
ストリーム１（ｓ１（ｉ））のデータキャリア＄４に「＃４−２」のシンボルを割り当て、
ストリーム２（ｓ２（ｉ））のデータキャリア＄４に「＃２−２」のシンボルを割り当て、
ストリーム１（ｓ１（ｉ））のデータキャリア＄５に「＃１−３」のシンボルを割り当て、
ストリーム２（ｓ２（ｉ））のデータキャリア＄５に「＃３−３」のシンボルを割り当て、
ストリーム１（ｓ１（ｉ））のデータキャリア＄６に「＃２−３」のシンボルを割り当て、
ストリーム２（ｓ２（ｉ））のデータキャリア＄６に「＃４−３」のシンボルを割り当て、
ストリーム１（ｓ１（ｉ））のデータキャリア＄７に「＃３−４」のシンボルを割り当て、
ストリーム２（ｓ２（ｉ））のデータキャリア＄７に「＃１−４」のシンボルを割り当て、
ストリーム１（ｓ１（ｉ））のデータキャリア＄８に「＃４−４」のシンボルを割り当て、
ストリーム２（ｓ２（ｉ））のデータキャリア＄８に「＃２−４」のシンボルを割り当て、
・・・
ストリーム１（ｓ１（ｉ））のデータキャリア＄３３３に「＃１−１６７」のシンボルを割り当て、
ストリーム２（ｓ２（ｉ））のデータキャリア＄３３３に「＃３−１６７」のシンボルを割り当て、
ストリーム１（ｓ１（ｉ））のデータキャリア＄３３４に「＃２−１６７」のシンボルを割り当て、
ストリーム２（ｓ２（ｉ））のデータキャリア＄３３４に「＃４−１６７」のシンボルを割り当て、
ストリーム１（ｓ１（ｉ））のデータキャリア＄３３５に「＃３−１６８」のシンボルを割り当て、
ストリーム２（ｓ２（ｉ））のデータキャリア＄３３５に「＃１−１６８」のシンボルを割り当て、
ストリーム１（ｓ１（ｉ））のデータキャリア＄３３６に「＃４−１６８」のシンボルを割り当て、
ストリーム２（ｓ２（ｉ））のデータキャリア＄３３６に「＃２−１６８」のシンボルを割り当てるとする。
【０１４９】
以上が、時刻＆１のシンボル配置となる。したがって、データキャリアの番号を４で除算したときの余りが１、かつ、ストリーム１（ｓ１（ｉ））のシンボルは、ブロック＃１のデータを伝送しており、
データキャリアの番号を４で除算したときの余りが２、かつ、ストリーム１（ｓ１（ｉ））のシンボルは、ブロック＃２のデータを伝送しており、
データキャリアの番号を４で除算したときの余りが３、かつ、ストリーム１（ｓ１（ｉ））のシンボルは、ブロック＃３のデータを伝送しており、
データキャリアの番号を４で除算したときの余りが０、かつ、ストリーム１（ｓ１（ｉ））のシンボルは、ブロック＃４のデータを伝送する。
そして、
データキャリアの番号を４で除算したときの余りが１、かつ、ストリーム２（ｓ１（ｉ））のシンボルは、ブロック＃３のデータを伝送しており、
データキャリアの番号を４で除算したときの余りが２、かつ、ストリーム２（ｓ１（ｉ））のシンボルは、ブロック＃４のデータを伝送しており、
データキャリアの番号を４で除算したときの余りが３、かつ、ストリーム２（ｓ１（ｉ））のシンボルは、ブロック＃１のデータを伝送しており、
データキャリアの番号を４で除算したときの余りが０、かつ、ストリーム２（ｓ１（ｉ））のシンボルは、ブロック＃２のデータを伝送する。
【０１５０】
時刻＆２では、以下のような配置を行うことになる。
・データキャリアの番号を４で除算したときの余りが１、かつ、ストリーム１（ｓ１（ｉ））のシンボルは、ブロック＃５のデータを伝送しており、
データキャリアの番号を４で除算したときの余りが２、かつ、ストリーム１（ｓ１（ｉ））のシンボルは、ブロック＃６のデータを伝送しており、
データキャリアの番号を４で除算したときの余りが３、かつ、ストリーム１（ｓ１（ｉ））のシンボルは、ブロック＃７のデータを伝送しており、
データキャリアの番号を４で除算したときの余りが０、かつ、ストリーム１（ｓ１（ｉ））のシンボルは、ブロック＃８のデータを伝送する。
【０１５１】
そして、
データキャリアの番号を４で除算したときの余りが１、かつ、ストリーム２（ｓ１（ｉ））のシンボルは、ブロック＃７のデータを伝送しており、
データキャリアの番号を４で除算したときの余りが２、かつ、ストリーム２（ｓ１（ｉ））のシンボルは、ブロック＃８のデータを伝送しており、
データキャリアの番号を４で除算したときの余りが３、かつ、ストリーム２（ｓ１（ｉ））のシンボルは、ブロック＃５のデータを伝送しており、
データキャリアの番号を４で除算したときの余りが０、かつ、ストリーム２（ｓ１（ｉ））のシンボルは、ブロック＃６のデータを伝送する。
【０１５２】
よって、時刻＆Ｍでは（Ｍは１以上の整数とする）、以下のような配置を行うことになる。
・データキャリアの番号を４で除算したときの余りが１、かつ、ストリーム１（ｓ１（ｉ））のシンボルは、ブロック＃（４Ｍ−３）のデータを伝送しており、
データキャリアの番号を４で除算したときの余りが２、かつ、ストリーム１（ｓ１（ｉ））のシンボルは、ブロック＃（４Ｍ−２）のデータを伝送しており、
データキャリアの番号を４で除算したときの余りが３、かつ、ストリーム１（ｓ１（ｉ））のシンボルは、ブロック＃（４Ｍ−１）のデータを伝送しており、
データキャリアの番号を４で除算したときの余りが０、かつ、ストリーム１（ｓ１（ｉ））のシンボルは、ブロック＃（４Ｍ）のデータを伝送する。
【０１５３】
そして、
データキャリアの番号を４で除算したときの余りが１、かつ、ストリーム２（ｓ１（ｉ））のシンボルは、ブロック＃（４Ｍ−１）のデータを伝送しており、
データキャリアの番号を４で除算したときの余りが２、かつ、ストリーム２（ｓ１（ｉ））のシンボルは、ブロック＃（４Ｍ）のデータを伝送しており、
データキャリアの番号を４で除算したときの余りが３、かつ、ストリーム２（ｓ１（ｉ））のシンボルは、ブロック＃（４Ｍ−３）のデータを伝送しており、
データキャリアの番号を４で除算したときの余りが０、かつ、ストリーム２（ｓ１（ｉ））のシンボルは、ブロック＃（４Ｍ−２）のデータを伝送する。
【０１５４】
図１４のようなフレーム構成で送信装置が、変調信号を送信する場合、図８を用いてマルチパスによる受信電界強度の低い部分図８の８０１の悪影響を、受けづらい。また、図９を用いて説明したようなデータの受信品質の低下を抑えることができる可能性が高い。したがって、データの受信品質が向上するという効果を得ることができる可能性が高い。
【０１５５】
なお、図１３、図１４は、データの受信品質を向上させるフレームの好適な例であり、フレーム構成はこれに限ったものではない。データの受信品質を向上させるためには、以下の条件を満たすとよい。
・時刻＆Ｍにおいて、ストリーム１（ｓ１（ｉ））のデータキャリア＄ｉ（ｉは１以上３３５以下の整数）のブロック＃ａ（ａは４Ｍ−３以上４Ｍ以下の整数）のデータを伝送し、ストリーム１（ｓ１（ｉ））のデータキャリア＄ｉ＋１のブロック＃ｂ（ｂは４Ｍ−３以上４Ｍ以下の整数）のデータを伝送するとしたとき、１以上３３５以下の整数を満たす、すべてのｉでａ≠ｂが成立する。
【０１５６】
・時刻＆Ｍにおいて、ストリーム２（ｓ２（ｉ））のデータキャリア＄ｉ（ｉは１以上３３５以下の整数）のブロック＃ｃ（ｃは４Ｍ−３以上４Ｍ以下の整数）のデータを伝送し、ストリーム２（ｓ２（ｉ））のデータキャリア＄ｉ＋１のブロック＃ｄ（ｄは４Ｍ−３以上４Ｍ以下の整数）のデータを伝送するとしたとき、１以上３３５以下の整数を満たす、すべてのｉでｃ≠ｄが成立する。
【０１５７】
・時刻＆Ｍにおいて、ｊは１以上８４以下の整数とし、これを満たす、すべてのｊにおいて、
「ストリーム１（ｓ１（ｉ））のデータキャリア＄４×ｊ−３からデータキャリア＄４×ｊには、ブロック＃（４Ｍ−３）のデータを伝送するシンボルが一つ、ブロック＃（４Ｍ−２）のデータを伝送するシンボルが一つ、ブロック＃（４Ｍ−１）のデータを伝送するシンボルが一つ、ブロック＃（４Ｍ）のデータを伝送するシンボルが一つ存在する」
を満たす。
【０１５８】
・時刻＆Ｍにおいて、ｊは１以上８４以下の整数とし、これを満たす、すべてのｊにおいて、
「ストリーム２（ｓ２（ｉ））のデータキャリア＄４×ｊ−３からデータキャリア＄４×ｊには、ブロック＃（４Ｍ−３）のデータを伝送するシンボルが一つ、ブロック＃（４Ｍ−２）のデータを伝送するシンボルが一つ、ブロック＃（４Ｍ−１）のデータを伝送するシンボルが一つ、ブロック＃（４Ｍ）のデータを伝送するシンボルが一つ存在する」
を満たす。
【０１５９】
次に、ストリームｓ１（ｉ）の変調方式を同相Ｉ−直交Ｑ平面において、６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとしたときのデータキャリアの構成について説明する。
【０１６０】
ここでは、一例として、誤り訂正符号のブロック長（符号長）を６７２ビットとする。そして、誤り訂正符号化された６７２ビットで構成された第１のブロックに対しブロック＃１と名付け「＃１」と記載する。したがって、誤り訂正符号化された６７２ビットで構成された第Ｎ（Ｎは１以上の整数とする。）のブロックに対しブロック＃Ｎと名付け「＃Ｎ」と記載する。
【０１６１】
６４ＱＡＭ変調を適用したとき、ブロック＃Ｎから１１２のシンボルが生成される。図１５では、ブロック＃１から生成された１１２のシンボルを「＃１−１」、「＃１−２」、「＃１−３」、「＃１−４」、・・・、「＃１−１１０」、「＃１−１１１」、「＃１−１１２」と示している。したがって、ブロック＃Ｎから生成された１１２のシンボルを「＃Ｎ−１」、「＃Ｎ−２」、「＃Ｎ−３」、「＃Ｎ−４」、・・・、「＃Ｎ−１１０」、「＃Ｎ−１１１」、「＃Ｎ−１１２」とあらわすことになる。
【０１６２】
また、図７と同様に、横軸周波数とし、データキャリアを並べたときストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在しているものとする。
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０１６３】
図８を用いて説明した課題、および、図９のようなフレーム構成により発生する課題を解決するために、例えば、図１６のようなフレーム構成を考える。
図１６に示すように、
ストリーム１（ｓ１（ｉ））のデータキャリア＄１に「＃１−１」のシンボルを割り当て、
ストリーム２（ｓ２（ｉ））のデータキャリア＄１に「＃１−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃３−２」のシンボルを割り当て、
ストリーム１（ｓ１（ｉ））のデータキャリア＄４に「＃４−１」のシンボルを割り当て、
ストリーム２（ｓ２（ｉ））のデータキャリア＄４に「＃４−２」のシンボルを割り当て、
ストリーム１（ｓ１（ｉ））のデータキャリア＄５に「＃５−１」のシンボルを割り当て、
ストリーム２（ｓ２（ｉ））のデータキャリア＄５に「＃５−２」のシンボルを割り当て、
ストリーム１（ｓ１（ｉ））のデータキャリア＄６に「＃６−１」のシンボルを割り当て、
ストリーム２（ｓ２（ｉ））のデータキャリア＄６に「＃６−２」のシンボルを割り当て、
ストリーム１（ｓ１（ｉ））のデータキャリア＄７に「＃１−３」のシンボルを割り当て、
ストリーム２（ｓ２（ｉ））のデータキャリア＄７に「＃１−４」のシンボルを割り当て、
ストリーム１（ｓ１（ｉ））のデータキャリア＄８に「＃２−３」のシンボルを割り当て、
ストリーム２（ｓ２（ｉ））のデータキャリア＄８に「＃２−４」のシンボルを割り当て、
ストリーム１（ｓ１（ｉ））のデータキャリア＄９に「＃３−３」のシンボルを割り当て、
ストリーム２（ｓ２（ｉ））のデータキャリア＄９に「＃３−４」のシンボルを割り当て、
ストリーム１（ｓ１（ｉ））のデータキャリア＄１０に「＃４−３」のシンボルを割り当て、
ストリーム２（ｓ２（ｉ））のデータキャリア＄１０に「＃４−４」のシンボルを割り当て、
ストリーム１（ｓ１（ｉ））のデータキャリア＄１１に「＃５−３」のシンボルを割り当て、
ストリーム２（ｓ２（ｉ））のデータキャリア＄１１に「＃５−４」のシンボルを割り当て、
ストリーム１（ｓ１（ｉ））のデータキャリア＄１２に「＃６−３」のシンボルを割り当て、
ストリーム２（ｓ２（ｉ））のデータキャリア＄１２に「＃６−４」のシンボルを割り当て、
・・・
ストリーム１（ｓ１（ｉ））のデータキャリア＄３３１に「＃１−１１１」のシンボルを割り当て、
ストリーム２（ｓ２（ｉ））のデータキャリア＄３３１に「＃１−１１２」のシンボルを割り当て、
ストリーム１（ｓ１（ｉ））のデータキャリア＄３３２に「＃２−１１１」のシンボルを割り当て、
ストリーム２（ｓ２（ｉ））のデータキャリア＄３３２に「＃２−１１２」のシンボルを割り当て、
ストリーム１（ｓ１（ｉ））のデータキャリア＄３３３に「＃３−１１１」のシンボルを割り当て、
ストリーム２（ｓ２（ｉ））のデータキャリア＄３３３に「＃３−１１２」のシンボルを割り当て、
ストリーム１（ｓ１（ｉ））のデータキャリア＄３３４に「＃４−１１１」のシンボルを割り当て、
ストリーム２（ｓ２（ｉ））のデータキャリア＄３３４に「＃４−１１２」のシンボルを割り当て、
ストリーム１（ｓ１（ｉ））のデータキャリア＄３３５に「＃５−１１１」のシンボルを割り当て、
ストリーム２（ｓ２（ｉ））のデータキャリア＄３３５に「＃５−１１２」のシンボルを割り当て、
ストリーム１（ｓ１（ｉ））のデータキャリア＄３３６に「＃６−１１１」のシンボルを割り当て、
ストリーム２（ｓ２（ｉ））のデータキャリア＄３３６に「＃６−１１２」のシンボルを割り当てるとする。
【０１６４】
以上が、時刻＆１のシンボル配置となる。したがって、データキャリアの番号を６で除算したときの余りが１のときのシンボルは、ブロック＃１のデータを伝送しており、
データキャリアの番号を６で除算したときの余りが２のときのシンボルは、ブロック＃２のデータを伝送しており、
データキャリアの番号を６で除算したときの余りが３のときのシンボルは、ブロック＃３のデータを伝送しており、
データキャリアの番号を６で除算したときの余りが４のときのシンボルは、ブロック＃４のデータを伝送しており、
データキャリアの番号を６で除算したときの余りが５のときのシンボルは、ブロック＃５のデータを伝送しており、
データキャリアの番号を６で除算したときの余りが０のときのシンボルは、ブロック＃６のデータを伝送する。
【０１６５】
時刻＆２では、以下のような配置を行うことになる。
・データキャリアの番号を６で除算したときの余りが１のときのシンボルは、ブロック＃７のデータを伝送しており、
データキャリアの番号を６で除算したときの余りが２のときのシンボルは、ブロック＃８のデータを伝送しており、
データキャリアの番号を６で除算したときの余りが３のときのシンボルは、ブロック＃９のデータを伝送しており、
データキャリアの番号を６で除算したときの余りが４のときのシンボルは、ブロック＃１０のデータを伝送しており、
データキャリアの番号を６で除算したときの余りが５のときのシンボルは、ブロック＃１１のデータを伝送しており、
データキャリアの番号を６で除算したときの余りが０のときのシンボルは、ブロック＃１２のデータを伝送する。
【０１６６】
よって、時刻＆Ｍでは（Ｍは１以上の整数とする）、以下のような配置を行うことになる。
・データキャリアの番号を６で除算したときの余りが１のときのシンボルは、ブロック＃（６Ｍ−５）のデータを伝送しており、
データキャリアの番号を６で除算したときの余りが２のときのシンボルは、ブロック＃（６Ｍ−４）のデータを伝送しており、
データキャリアの番号を６で除算したときの余りが３のときのシンボルは、ブロック＃（６Ｍ−３）のデータを伝送しており、
データキャリアの番号を６で除算したときの余りが４のときのシンボルは、ブロック＃（６Ｍ−２）のデータを伝送しており、
データキャリアの番号を６で除算したときの余りが５のときのシンボルは、ブロック＃（６Ｍ−１）のデータを伝送しており、
データキャリアの番号を６で除算したときの余りが０のときのシンボルは、ブロック＃（６Ｍ）のデータを伝送する。
【０１６７】
図１６のようなフレーム構成で送信装置が、変調信号を送信する場合、図８を用いてマルチパスによる受信電界強度の低い部分図８の８０１の悪影響を、受けづらい。また、図９を用いて説明したようなデータの受信品質の低下を抑えることができる可能性が高い。したがって、データの受信品質が向上するという効果を得ることができる可能性が高い。
【０１６８】
図８を用いて説明した課題、および、図９のようなフレーム構成により発生する課題を解決するために、例えば、図１７のようなフレーム構成を考える。
図１７に示すように、
ストリーム１（ｓ１（ｉ））のデータキャリア＄１に「＃１−１」のシンボルを割り当て、
ストリーム２（ｓ２（ｉ））のデータキャリア＄１に「＃４−１」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃５−１」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃６−１」のシンボルを割り当て、
ストリーム１（ｓ１（ｉ））のデータキャリア＄４に「＃４−２」のシンボルを割り当て、
ストリーム２（ｓ２（ｉ））のデータキャリア＄４に「＃１−２」のシンボルを割り当て、
ストリーム１（ｓ１（ｉ））のデータキャリア＄５に「＃５−２」のシンボルを割り当て、
ストリーム２（ｓ２（ｉ））のデータキャリア＄５に「＃２−２」のシンボルを割り当て、
ストリーム１（ｓ１（ｉ））のデータキャリア＄６に「＃６−２」のシンボルを割り当て、
ストリーム２（ｓ２（ｉ））のデータキャリア＄６に「＃３−２」のシンボルを割り当て、
ストリーム１（ｓ１（ｉ））のデータキャリア＄７に「＃１−３」のシンボルを割り当て、
ストリーム２（ｓ２（ｉ））のデータキャリア＄７に「＃４−３」のシンボルを割り当て、
ストリーム１（ｓ１（ｉ））のデータキャリア＄８に「＃２−３」のシンボルを割り当て、
ストリーム２（ｓ２（ｉ））のデータキャリア＄８に「＃５−３」のシンボルを割り当て、
ストリーム１（ｓ１（ｉ））のデータキャリア＄９に「＃３−３」のシンボルを割り当て、
ストリーム２（ｓ２（ｉ））のデータキャリア＄９に「＃６−３」のシンボルを割り当て、
ストリーム１（ｓ１（ｉ））のデータキャリア＄１０に「＃４−４」のシンボルを割り当て、
ストリーム２（ｓ２（ｉ））のデータキャリア＄１０に「＃１−４」のシンボルを割り当て、
ストリーム１（ｓ１（ｉ））のデータキャリア＄１１に「＃５−４」のシンボルを割り当て、
ストリーム２（ｓ２（ｉ））のデータキャリア＄１１に「＃２−４」のシンボルを割り当て、
ストリーム１（ｓ１（ｉ））のデータキャリア＄１２に「＃６−４」のシンボルを割り当て、
ストリーム２（ｓ２（ｉ））のデータキャリア＄１２に「＃３−４」のシンボルを割り当て、
・・・
ストリーム１（ｓ１（ｉ））のデータキャリア＄３３１に「＃１−１１１」のシンボルを割り当て、
ストリーム２（ｓ２（ｉ））のデータキャリア＄３３１に「＃４−１１１」のシンボルを割り当て、
ストリーム１（ｓ１（ｉ））のデータキャリア＄３３２に「＃２−１１１」のシンボルを割り当て、
ストリーム２（ｓ２（ｉ））のデータキャリア＄３３２に「＃５−１１１」のシンボルを割り当て、
ストリーム１（ｓ１（ｉ））のデータキャリア＄３３３に「＃３−１１１」のシンボルを割り当て、
ストリーム２（ｓ２（ｉ））のデータキャリア＄３３３に「＃６−１１１」のシンボルを割り当て、
ストリーム１（ｓ１（ｉ））のデータキャリア＄３３４に「＃４−１１２」のシンボルを割り当て、
ストリーム２（ｓ２（ｉ））のデータキャリア＄３３４に「＃１−１１２」のシンボルを割り当て、
ストリーム１（ｓ１（ｉ））のデータキャリア＄３３５に「＃５−１１２」のシンボルを割り当て、
ストリーム２（ｓ２（ｉ））のデータキャリア＄３３５に「＃２−１１２」のシンボルを割り当て、
ストリーム１（ｓ１（ｉ））のデータキャリア＄３３６に「＃６−１１２」のシンボルを割り当て、
ストリーム２（ｓ２（ｉ））のデータキャリア＄３３６に「＃３−１１２」のシンボルを割り当てるとする。
【０１６９】
以上が、時刻＆１のシンボル配置となる。
したがって、
データキャリアの番号を６で除算したときの余りが１、かつ、ストリーム１（ｓ１（ｉ））のシンボルは、ブロック＃１のデータを伝送しており、
データキャリアの番号を６で除算したときの余りが２、かつ、ストリーム１（ｓ１（ｉ））のシンボルは、ブロック＃２のデータを伝送しており、
データキャリアの番号を６で除算したときの余りが３、かつ、ストリーム１（ｓ１（ｉ））のシンボルは、ブロック＃３のデータを伝送しており、
データキャリアの番号を６で除算したときの余りが４、かつ、ストリーム１（ｓ１（ｉ））のシンボルは、ブロック＃４のデータを伝送しており、
データキャリアの番号を６で除算したときの余りが５、かつ、ストリーム１（ｓ１（ｉ））のシンボルは、ブロック＃５のデータを伝送しており、
データキャリアの番号を６で除算したときの余りが０、かつ、ストリーム１（ｓ１（ｉ））のシンボルは、ブロック＃６のデータを伝送する。
【０１７０】
そして、
データキャリアの番号を６で除算したときの余りが１、かつ、ストリーム２（ｓ１（ｉ））のシンボルは、ブロック＃４のデータを伝送しており、
データキャリアの番号を６で除算したときの余りが２、かつ、ストリーム２（ｓ１（ｉ））のシンボルは、ブロック＃５のデータを伝送しており、
データキャリアの番号を６で除算したときの余りが３、かつ、ストリーム２（ｓ１（ｉ））のシンボルは、ブロック＃６のデータを伝送しており、
データキャリアの番号を６で除算したときの余りが４、かつ、ストリーム２（ｓ１（ｉ））のシンボルは、ブロック＃１のデータを伝送しており、
データキャリアの番号を６で除算したときの余りが５、かつ、ストリーム２（ｓ１（ｉ））のシンボルは、ブロック＃２のデータを伝送しており、
データキャリアの番号を６で除算したときの余りが０、かつ、ストリーム２（ｓ１（ｉ））のシンボルは、ブロック＃３のデータを伝送する。
【０１７１】
時刻＆２では、以下のような配置を行うことになる。
・データキャリアの番号を６で除算したときの余りが１、かつ、ストリーム１（ｓ１（ｉ））のシンボルは、ブロック＃７のデータを伝送しており、
データキャリアの番号を６で除算したときの余りが２、かつ、ストリーム１（ｓ１（ｉ））のシンボルは、ブロック＃８のデータを伝送しており、
データキャリアの番号を６で除算したときの余りが３、かつ、ストリーム１（ｓ１（ｉ））のシンボルは、ブロック＃９のデータを伝送しており、
データキャリアの番号を６で除算したときの余りが４、かつ、ストリーム１（ｓ１（ｉ））のシンボルは、ブロック＃１０のデータを伝送しており、
データキャリアの番号を６で除算したときの余りが５、かつ、ストリーム１（ｓ１（ｉ））のシンボルは、ブロック＃１１のデータを伝送しており、
データキャリアの番号を６で除算したときの余りが０、かつ、ストリーム１（ｓ１（ｉ））のシンボルは、ブロック＃１２のデータを伝送する。
【０１７２】
そして、
データキャリアの番号を６で除算したときの余りが１、かつ、ストリーム２（ｓ１（ｉ））のシンボルは、ブロック＃１０のデータを伝送しており、
データキャリアの番号を６で除算したときの余りが２、かつ、ストリーム２（ｓ１（ｉ））のシンボルは、ブロック＃１１のデータを伝送しており、
データキャリアの番号を６で除算したときの余りが３、かつ、ストリーム２（ｓ１（ｉ））のシンボルは、ブロック＃１２のデータを伝送しており、
データキャリアの番号を６で除算したときの余りが４、かつ、ストリーム２（ｓ１（ｉ））のシンボルは、ブロック＃７のデータを伝送しており、
データキャリアの番号を６で除算したときの余りが５、かつ、ストリーム２（ｓ１（ｉ））のシンボルは、ブロック＃８のデータを伝送しており、
データキャリアの番号を６で除算したときの余りが０、かつ、ストリーム２（ｓ１（ｉ））のシンボルは、ブロック＃９のデータを伝送する。
【０１７３】
よって、時刻＆Ｍでは（Ｍは１以上の整数とする）、以下のような配置を行うことになる。
・データキャリアの番号を６で除算したときの余りが１、かつ、ストリーム１（ｓ１（ｉ））のシンボルは、ブロック＃（６Ｍ−５）のデータを伝送しており、
データキャリアの番号を６で除算したときの余りが２、かつ、ストリーム１（ｓ１（ｉ））のシンボルは、ブロック＃（６Ｍ−４）のデータを伝送しており、
データキャリアの番号を６で除算したときの余りが３、かつ、ストリーム１（ｓ１（ｉ））のシンボルは、ブロック＃（６Ｍ−３）のデータを伝送しており、
データキャリアの番号を６で除算したときの余りが４、かつ、ストリーム１（ｓ１（ｉ））のシンボルは、ブロック＃（６Ｍ−２）のデータを伝送しており、
データキャリアの番号を６で除算したときの余りが５、かつ、ストリーム１（ｓ１（ｉ））のシンボルは、ブロック＃（６Ｍ−１）のデータを伝送しており、
データキャリアの番号を６で除算したときの余りが０、かつ、ストリーム１（ｓ１（ｉ））のシンボルは、ブロック＃（６Ｍ）のデータを伝送する。
【０１７４】
そして、
データキャリアの番号を６で除算したときの余りが１、かつ、ストリーム２（ｓ１（ｉ））のシンボルは、ブロック＃（６Ｍ−２）のデータを伝送しており、
データキャリアの番号を６で除算したときの余りが２、かつ、ストリーム２（ｓ１（ｉ））のシンボルは、ブロック＃（６Ｍ−１）のデータを伝送しており、
データキャリアの番号を６で除算したときの余りが３、かつ、ストリーム２（ｓ１（ｉ））のシンボルは、ブロック＃（６Ｍ）のデータを伝送しており、
データキャリアの番号を６で除算したときの余りが４、かつ、ストリーム２（ｓ１（ｉ））のシンボルは、ブロック＃（６Ｍ−５）のデータを伝送しており、
データキャリアの番号を６で除算したときの余りが５、かつ、ストリーム２（ｓ１（ｉ））のシンボルは、ブロック＃（６Ｍ−４）のデータを伝送しており、
データキャリアの番号を６で除算したときの余りが０、かつ、ストリーム２（ｓ１（ｉ））のシンボルは、ブロック＃（６Ｍ−３）のデータを伝送する。
【０１７５】
図１７のようなフレーム構成で送信装置が、変調信号を送信する場合、図８を用いてマルチパスによる受信電界強度の低い部分図８の８０１の悪影響を、受けづらい。また、図９を用いて説明したようなデータの受信品質の低下を抑えることができる可能性が高い。したがって、データの受信品質が向上するという効果を得ることができる可能性が高い。
【０１７６】
なお、図１６、図１７は、データの受信品質を向上させるフレームの好適な例であり、フレーム構成はこれに限ったものではない。データの受信品質を向上させるためには、以下の条件を満たすとよい。
・時刻＆Ｍにおいて、ストリーム１（ｓ１（ｉ））のデータキャリア＄ｉ（ｉは１以上３３５以下の整数）のブロック＃ａ（ａは６Ｍ−５以上６Ｍ以下の整数）のデータを伝送し、ストリーム１（ｓ１（ｉ））のデータキャリア＄ｉ＋１のブロック＃ｂ（ｂは６Ｍ−５以上６Ｍ以下の整数）のデータを伝送するとしたとき、１以上３３５以下の整数を満たす、すべてのｉでａ≠ｂが成立する。
【０１７７】
・時刻＆Ｍにおいて、ストリーム２（ｓ２（ｉ））のデータキャリア＄ｉ（ｉは１以上３３５以下の整数）のブロック＃ｃ（ｃは６Ｍ−５以上６Ｍ以下の整数）のデータを伝送し、ストリーム２（ｓ２（ｉ））のデータキャリア＄ｉ＋１のブロック＃ｄ（ｄは６Ｍ−５以上６Ｍ以下の整数）のデータを伝送するとしたとき、１以上３３５以下の整数を満たす、すべてのｉでｃ≠ｄが成立する。
【０１７８】
・時刻＆Ｍにおいて、ｊは１以上５６以下の整数とし、これを満たす、すべてのｊにおいて、
「ストリーム１（ｓ１（ｉ））のデータキャリア＄６×ｊ−５からデータキャリア＄６×ｊには、ブロック＃（６Ｍ−５）のデータを伝送するシンボルが一つ、ブロック＃（６Ｍ−４）のデータを伝送するシンボルが一つ、ブロック＃（６Ｍ−３）のデータを伝送するシンボルが一つ、ブロック＃（６Ｍ−２）のデータを伝送するシンボルが一つ、ブロック＃（６Ｍ−１）のデータを伝送するシンボルが一つ、ブロック＃（６Ｍ）のデータを伝送するシンボルが一つ存在する」
を満たす。
【０１７９】
・時刻＆Ｍにおいて、ｊは１以上５６以下の整数とし、これを満たす、すべてのｊにおいて、
「ストリーム２（ｓ２（ｉ））のデータキャリア＄６×ｊ−３からデータキャリア＄６×ｊには、ブロック＃（６Ｍ−５）のデータを伝送するシンボルが一つ、ブロック＃（６Ｍ−４）のデータを伝送するシンボルが一つ、ブロック＃（６Ｍ−３）のデータを伝送するシンボルが一つ、ブロック＃（６Ｍ−２）のデータを伝送するシンボルが一つ、ブロック＃（６Ｍ−１）のデータを伝送するシンボルが一つ、ブロック＃（６Ｍ）のデータを伝送するシンボルが一つ存在する」
を満たす。
【０１８０】
以上のように、ストリームｓ１（ｉ）の変調方式およびストリームｓ２（ｉ）の変調方式が、ＱＰＳＫ、１６ＱＡＭ（または、同相Ｉ−直交Ｑ平面において信号点が１６個存在する変調方式）、６４ＱＡＭ（または、同相Ｉ−直交Ｑ平面において信号点が６４個存在する変調方式）のときのフレームの構成方法について説明した。図１の送信装置が、ストリームｓ１（ｉ）の変調方式およびストリームｓ２（ｉ）の変調方式を、ＱＰＳＫ、１６ＱＡＭ（または、同相Ｉ−直交Ｑ平面において信号点が１６個存在する変調方式）、６４ＱＡＭ（または、同相Ｉ−直交Ｑ平面において信号点が６４個存在する変調方式）に切り替えたとき、それぞれの変調方式の際、上述で説明したフレーム構成を満たすと、いずれの変調方式が選択されたときも、（通信）相手の受信装置は良好なデータの受信品質を得ることができるという効果を得ることができる。（なお、図１の送信装置において、位相変更を実施してもよいし、実施しなくてもよい。）
次に、図１の送信装置において、複数の変調信号を複数のアンテナから送信する際、位相変更を行う場合の位相変更方法について説明する。
【０１８１】
プリコーディングおよび位相変更を行う送信方法については、上述で説明したとおりであり、式（３）、式（３７）、式（３８）、式（３９）などで示したとおりである。以下では、式（３）、式（３７）、式（３８）、式（３９）で示した位相変更の具体的な適用例について説明する。つまり、式（３）、式（３７）、式（３８）、式（３９）のｙ（ｉ）の変更方法について説明する。
【０１８２】
図１０に、ストリームｓ１（ｉ）の変調方式を同相Ｉ−直交Ｑ平面において４個の信号点がある変調方式（シンボル当たり２ビット伝送の変調方式）の例であるＱＰＳＫ、ストリームｓ２（ｉ）の変調方式を同相Ｉ−直交Ｑ平面において４個の信号点がある変調方式（シンボル当たり２ビット伝送の変調方式）の例であるＱＰＳＫとしたときのデータキャリアへの配置例を示している。ここでは、一例として、誤り訂正符号のブロック長（符号長）を６７２ビットとする。そして、誤り訂正符号化された６７２ビットで構成された第１のブロックに対しブロック＃１と名付け「＃１」と記載している。したがって、誤り訂正符号化された６７２ビットで構成された第Ｎ（Ｎは１以上の整数とする。）のブロックに対しブロック＃Ｎと名付け「＃Ｎ」と記載している。
【０１８３】
図１８に、図１０のようにデータキャリアにデータの配置を行ったときの位相変更値ｙ（ｉ）の割り当ての例を示している。図１８に示すように、データキャリア＄１ではｙ（０）を用いて位相変更を行った場合、データキャリア＄２でもｙ（０）を用いて位相変更を行う。
同様に、データキャリア＄３で、ｙ（１）を用いて位相変更を行った場合、データキャリア＄４でもｙ（１）を用いて位相変更を行う。
・・・
データキャリア＄３３３で、ｙ（１６６）を用いて位相変更を行った場合、データキャリア＄３３４でもｙ（１６６）を用いて位相変更を行う。
【０１８４】
そして、データキャリア＄３３５で、ｙ（１６７）を用いて位相変更を行った場合、データキャリア＄３３６でもｙ（１６７）を用いて位相変更を行う。
つまり、データキャリア＄（２×ｋ＋１）とデータキャリア＄（２ｋ＋２）では、同一の位相変更値（図１８の場合、ｙ（ｋ））を用いて位相変更を行う（ｋは０以上の整数とする）。
【０１８５】
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
図１１に、図１０とは異なる、ストリームｓ１（ｉ）の変調方式を同相Ｉ−直交Ｑ平面において４個の信号点がある変調方式（シンボル当たり２ビット伝送の変調方式）の例であるＱＰＳＫ、ストリームｓ２（ｉ）の変調方式を同相Ｉ−直交Ｑ平面において４個の信号点がある変調方式（シンボル当たり２ビット伝送の変調方式）の例であるＱＰＳＫとしたときのデータキャリアへの配置例を示している。ここでは、一例として、誤り訂正符号のブロック長（符号長）を６７２ビットとする。そして、誤り訂正符号化された６７２ビットで構成された第１のブロックに対しブロック＃１と名付け「＃１」と記載している。したがって、誤り訂正符号化された６７２ビットで構成された第Ｎ（Ｎは１以上の整数とする。）のブロックに対しブロック＃Ｎと名付け「＃Ｎ」と記載している。
【０１８６】
図１９に、図１１のようにデータキャリアにデータの配置を行ったときの位相変更値ｙ（ｉ）の割り当ての例を示している。図１９に示すように、データキャリア＄１ではｙ（０）を用いて位相変更を行った場合、データキャリア＄２でもｙ（０）を用いて位相変更を行う。
同様に、データキャリア＄３で、ｙ（１）を用いて位相変更を行った場合、データキャリア＄４でもｙ（１）を用いて位相変更を行う。
・・・
データキャリア＄３３３で、ｙ（１６６）を用いて位相変更を行った場合、データキャリア＄３３４でもｙ（１６６）を用いて位相変更を行う。
【０１８７】
そして、データキャリア＄３３５で、ｙ（１６７）を用いて位相変更を行った場合、データキャリア＄３３６でもｙ（１６７）を用いて位相変更を行う。
つまり、データキャリア＄（２×ｋ＋１）とデータキャリア＄（２ｋ＋２）では、同一の位相変更値（図１８の場合、ｙ（ｋ））を用いて位相変更を行う（ｋは０以上の整数とする）。
【０１８８】
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
図２０に、図１９とは異なる、「図１１のようにデータキャリアにデータの配置を行ったとき」の位相変更値ｙ（ｉ）の割り当ての例を示している。図２０に示すように、データキャリア＄１ではｙ（０）を用いて位相変更を行い、データキャリア＄２ではｙ（１）を用いて位相変更を行い、データキャリア＄３ではｙ（２）を用いて位相変更を行い、データキャリア＄４ではｙ（３）を用いて位相変更を行い、・・・、データキャリア＄３３３ではｙ（３３２）を用いて位相変更を行い、データキャリア＄３３４ではｙ（３３３）を用いて位相変更を行い、データキャリア＄３３５ではｙ（３３４）を用いて位相変更を行い、データキャリア＄３３６ではｙ（３３５）を用いて位相変更を行う。
【０１８９】
つまり、データキャリア＄（ｋ＋１）では位相変更値ｙ（ｋ）を用いて位相変更を行う、つまり、データキャリア単位で位相変更を行うことになる（ｋは０以上の整数とする）。
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
【０１９０】
図１３に、ストリームｓ１（ｉ）の変調方式を同相Ｉ−直交Ｑ平面において１６個の信号点がある変調方式（シンボル当たり４ビット伝送の変調方式）の例である１６ＱＡＭ、ストリームｓ２（ｉ）の変調方式を同相Ｉ−直交Ｑ平面において１６個の信号点がある変調方式（シンボル当たり４ビット伝送の変調方式）の例である１６ＱＡＭとしたときのデータキャリアへの配置例を示している。
【０１９１】
ここでは、一例として、誤り訂正符号のブロック長（符号長）を６７２ビットとする。そして、誤り訂正符号化された６７２ビットで構成された第１のブロックに対しブロック＃１と名付け「＃１」と記載している。したがって、誤り訂正符号化された６７２ビットで構成された第Ｎ（Ｎは１以上の整数とする。）のブロックに対しブロック＃Ｎと名付け「＃Ｎ」と記載している。
【０１９２】
図２１に、図１３のようにデータキャリアにデータの配置を行ったときの位相変更値ｙ（ｉ）の割り当ての例を示している。図２１に示すように、データキャリア＄１ではｙ（０）を用いて位相変更を行った場合、データキャリア＄２でｙ（０）を用いて位相変更を行い、データキャリア＄３でｙ（０）を用いて位相変更を行い、データキャリア＄４でｙ（０）を用いて位相変更を行う。
【０１９３】
同様に、データキャリア＄５で、ｙ（１）を用いて位相変更を行った場合、データキャリア＄６でｙ（１）を用いて位相変更を行い、データキャリア＄７でｙ（１）を用いて位相変更を行い、データキャリア＄８でｙ（１）を用いて位相変更を行う。
・・・
データキャリア＄３３３で、ｙ（８３）を用いて位相変更を行った場合、データキャリア＄３３４で、ｙ（８３）を用いて位相変更を行い、データキャリア＄３３５で、ｙ（８３）を用いて位相変更を行い、データキャリア＄３３６で、ｙ（８３）を用いて位相変更を行う。
【０１９４】
つまり、データキャリア＄（４×ｋ＋１）、データキャリア＄（４×ｋ＋２）、データキャリア＄（４×ｋ＋３）、データキャリア＄（４×ｋ＋４）では同一の位相変更値（図２１の場合、ｙ（ｋ））を用いて位相変更を行う（ｋは０以上の整数とする）。
このようにすることで、ブロック＃１に対して、位相は偏りなく変更されており、また、ブロック＃２、ブロック＃３、ブロック＃４についても、位相は偏りなく変更されており、したがって、ブロック＃１、ブロック＃２、ブロック＃３およびブロック＃４ともに、位相変更による効果を十分に得ることができるため、（通信）相手の受信装置のデータ品質が向上するという効果を得ることができる。
【０１９５】
図１４に、図１３と異なる、ストリームｓ１（ｉ）の変調方式を同相Ｉ−直交Ｑ平面において１６個の信号点がある変調方式（シンボル当たり４ビット伝送の変調方式）の例である１６ＱＡＭ、ストリームｓ２（ｉ）の変調方式を同相Ｉ−直交Ｑ平面において１６個の信号点がある変調方式（シンボル当たり４ビット伝送の変調方式）の例である１６ＱＡＭとしたときのデータキャリアへの配置例を示している。
【０１９６】
ここでは、一例として、誤り訂正符号のブロック長（符号長）を６７２ビットとする。そして、誤り訂正符号化された６７２ビットで構成された第１のブロックに対しブロック＃１と名付け「＃１」と記載している。したがって、誤り訂正符号化された６７２ビットで構成された第Ｎ（Ｎは１以上の整数とする。）のブロックに対しブロック＃Ｎと名付け「＃Ｎ」と記載している。
【０１９７】
図２２に、図１４のようにデータキャリアにデータの配置を行ったときの位相変更値ｙ（ｉ）の割り当ての例を示している。図２２に示すように、
データキャリア＄１ではｙ（０）を用いて位相変更を行った場合、データキャリア＄２でｙ（０）を用いて位相変更を行い、データキャリア＄３でｙ（０）を用いて位相変更を行い、データキャリア＄４でｙ（０）を用いて位相変更を行う。
【０１９８】
同様に、データキャリア＄５で、ｙ（１）を用いて位相変更を行った場合、データキャリア＄６でｙ（１）を用いて位相変更を行い、データキャリア＄７でｙ（１）を用いて位相変更を行い、データキャリア＄８でｙ（１）を用いて位相変更を行う。
・・・
データキャリア＄３３３で、ｙ（８３）を用いて位相変更を行った場合、データキャリア＄３３４で、ｙ（８３）を用いて位相変更を行い、データキャリア＄３３５で、ｙ（８３）を用いて位相変更を行い、データキャリア＄３３６で、ｙ（８３）を用いて位相変更を行う。
【０１９９】
つまり、データキャリア＄（４×ｋ＋１）、データキャリア＄（４×ｋ＋２）、データキャリア＄（４×ｋ＋３）、データキャリア＄（４×ｋ＋４）では同一の位相変更値（図２２の場合、ｙ（ｋ））を用いて位相変更を行う（ｋは０以上の整数とする）。
このようにすることで、ブロック＃１に対して、位相は偏りなく変更されており、また、ブロック＃２、ブロック＃３、ブロック＃４についても、位相は偏りなく変更されており、したがって、ブロック＃１、ブロック＃２、ブロック＃３およびブロック＃４ともに、位相変更による効果を十分に得ることができるため、（通信）相手の受信装置のデータ品質が向上するという効果を得ることができる。
【０２００】
図２３に、図２２とは異なる、「図１４のようにデータキャリアにデータの配置を行ったとき」の位相変更値ｙ（ｉ）の割り当ての例を示している。図２３に示すように、データキャリア＄１ではｙ（０）を用いて位相変更を行った場合、データキャリア＄２でもｙ（０）を用いて位相変更を行う。
【０２０１】
同様に、データキャリア＄３で、ｙ（１）を用いて位相変更を行った場合、データキャリア＄４でもｙ（１）を用いて位相変更を行う。
・・・
データキャリア＄３３３で、ｙ（１６６）を用いて位相変更を行った場合、データキャリア＄３３４でもｙ（１６６）を用いて位相変更を行う。
【０２０２】
そして、データキャリア＄３３５で、ｙ（１６７）を用いて位相変更を行った場合、データキャリア＄３３６でもｙ（１６７）を用いて位相変更を行う。
つまり、データキャリア＄（２×ｋ＋１）とデータキャリア＄（２ｋ＋２）では、同一の位相変更値（図２３の場合、ｙ（ｋ））を用いて位相変更を行う（ｋは０以上の整数とする）。
【０２０３】
このようにすることで、ブロック＃１に対して、位相は偏りなく変更されており、また、ブロック＃２、ブロック＃３、ブロック＃４についても、位相は偏りなく変更されており、したがって、ブロック＃１、ブロック＃２、ブロック＃３およびブロック＃４ともに、位相変更による効果を十分に得ることができるため、（通信）相手の受信装置のデータ品質が向上するという効果を得ることができる。
【０２０４】
図１６に、ストリームｓ１（ｉ）の変調方式を同相Ｉ−直交Ｑ平面において、６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとしたときのデータキャリアへの配置例を示している。
【０２０５】
ここでは、一例として、誤り訂正符号のブロック長（符号長）を６７２ビットとする。そして、誤り訂正符号化された６７２ビットで構成された第１のブロックに対しブロック＃１と名付け「＃１」と記載している。したがって、誤り訂正符号化された６７２ビットで構成された第Ｎ（Ｎは１以上の整数とする。）のブロックに対しブロック＃Ｎと名付け「＃Ｎ」と記載している。
【０２０６】
図２４に図１６のようにデータキャリアにデータの配置を行ったときの位相変更値ｙ（ｉ）の割り当ての例を示している。図２４に示すように、データキャリア＄１ではｙ（０）を用いて位相変更を行った場合、データキャリア＄２でｙ（０）を用いて位相変更を行い、データキャリア＄３でｙ（０）を用いて位相変更を行い、データキャリア＄４でｙ（０）を用いて位相変更を行い、データキャリア＄５でｙ（０）を用いて位相変更を行い、データキャリア＄６でｙ（０）を用いて位相変更を行う。
【０２０７】
同様に、データキャリア＄７ではｙ（１）を用いて位相変更を行った場合、データキャリア＄８でｙ（１）を用いて位相変更を行い、データキャリア＄９でｙ（１）を用いて位相変更を行い、データキャリア＄１０でｙ（１）を用いて位相変更を行い、データキャリア＄１１でｙ（１）を用いて位相変更を行い、データキャリア＄１２でｙ（１）を用いて位相変更を行う。
・・・
データキャリア＄３３１ではｙ（５５）を用いて位相変更を行った場合、データキャリア＄３３２でｙ（５５）を用いて位相変更を行い、データキャリア＄３３３でｙ（５５）を用いて位相変更を行い、データキャリア＄３３４でｙ（５５）を用いて位相変更を行い、データキャリア＄３３５でｙ（５５）を用いて位相変更を行い、データキャリア＄３３６でｙ（５５）を用いて位相変更を行う。
【０２０８】
つまり、データキャリア＄（６×ｋ＋１）、データキャリア＄（６×ｋ＋２）、データキャリア＄（６×ｋ＋３）、データキャリア＄（６×ｋ＋４）、データキャリア＄（６×ｋ＋５）、データキャリア＄（６×ｋ＋６）では同一の位相変更値（図２４の場合、ｙ（ｋ））を用いて位相変更を行う（ｋは０以上の整数とする）。
このようにすることで、ブロック＃１に対して、位相は偏りなく変更されており、また、ブロック＃２、ブロック＃３、ブロック＃４、ブロック＃５、ブロック＃６についても、位相は偏りなく変更されており、したがって、ブロック＃１、ブロック＃２、ブロック＃３、ブロック＃４、ブロック＃５およびブロック＃６ともに、位相変更による効果を十分に得ることができるため、（通信）相手の受信装置のデータの品質が向上するという効果を得ることができる。
【０２０９】
図１７に、図１６と異なる、ストリームｓ１（ｉ）の変調方式を同相Ｉ−直交Ｑ平面において、６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとしたときのデータキャリアへの配置例を示している。
【０２１０】
ここでは、一例として、誤り訂正符号のブロック長（符号長）を６７２ビットとする。そして、誤り訂正符号化された６７２ビットで構成された第１のブロックに対しブロック＃１と名付け「＃１」と記載している。したがって、誤り訂正符号化された６７２ビットで構成された第Ｎ（Ｎは１以上の整数とする。）のブロックに対しブロック＃Ｎと名付け「＃Ｎ」と記載している。
【０２１１】
図２５に、図１７のようにデータキャリアにデータの配置を行ったときの位相変更値ｙ（ｉ）の割り当ての例を示している。図２５に示すように、
データキャリア＄１ではｙ（０）を用いて位相変更を行った場合、データキャリア＄２でｙ（０）を用いて位相変更を行い、データキャリア＄３でｙ（０）を用いて位相変更を行い、データキャリア＄４でｙ（０）を用いて位相変更を行い、データキャリア＄５でｙ（０）を用いて位相変更を行い、データキャリア＄６でｙ（０）を用いて位相変更を行う。
【０２１２】
同様に、データキャリア＄７ではｙ（１）を用いて位相変更を行った場合、データキャリア＄８でｙ（１）を用いて位相変更を行い、データキャリア＄９でｙ（１）を用いて位相変更を行い、データキャリア＄１０でｙ（１）を用いて位相変更を行い、データキャリア＄１１でｙ（１）を用いて位相変更を行い、データキャリア＄１２でｙ（１）を用いて位相変更を行う。
・・・
データキャリア＄３３１ではｙ（５５）を用いて位相変更を行った場合、データキャリア＄３３２でｙ（５５）を用いて位相変更を行い、データキャリア＄３３３でｙ（５５）を用いて位相変更を行い、データキャリア＄３３４でｙ（５５）を用いて位相変更を行い、データキャリア＄３３５でｙ（５５）を用いて位相変更を行い、データキャリア＄３３６でｙ（５５）を用いて位相変更を行う。
【０２１３】
つまり、データキャリア＄（６×ｋ＋１）、データキャリア＄（６×ｋ＋２）、データキャリア＄（６×ｋ＋３）、データキャリア＄（６×ｋ＋４）、データキャリア＄（６×ｋ＋５）、データキャリア＄（６×ｋ＋６）では同一の位相変更値（図２４の場合、ｙ（ｋ））を用いて位相変更を行う（ｋは０以上の整数とする）。
このようにすることで、ブロック＃１に対して、位相は偏りなく変更されており、また、ブロック＃２、ブロック＃３、ブロック＃４、ブロック＃５、ブロック＃６についても、位相は偏りなく変更されており、したがって、ブロック＃１、ブロック＃２、ブロック＃３、ブロック＃４、ブロック＃５およびブロック＃６ともに、位相変更による効果を十分に得ることができるため、（通信）相手の受信装置のデータの品質が向上するという効果を得ることができる。
【０２１４】
図２６に、図２５とは異なる「図１７のようにデータキャリアにデータの配置を行ったとき」の位相変更値ｙ（ｉ）の割り当ての例を示している。図２６に示すように、データキャリア＄１ではｙ（０）を用いて位相変更を行った場合、データキャリア＄２でもｙ（０）を用いて位相変更を行い、データキャリア＄３でもｙ（０）を用いて位相変更を行う。
【０２１５】
同様に、データキャリア＄４で、ｙ（１）を用いて位相変更を行った場合、データキャリア＄５でもｙ（１）を用いて位相変更を行い、データキャリア＄６でもｙ（１）を用いて位相変更を行う。
データキャリア＄７で、ｙ（２）を用いて位相変更を行った場合、データキャリア＄８でもｙ（２）を用いて位相変更を行い、データキャリア＄９でもｙ（２）を用いて位相変更を行う。
【０２１６】
データキャリア＄１０で、ｙ（３）を用いて位相変更を行った場合、データキャリア＄１１でもｙ（３）を用いて位相変更を行い、データキャリア＄１２でもｙ（３）を用いて位相変更を行う。
つまり、データキャリア＄（３×ｋ＋１）、データキャリア＄（３×ｋ＋２）、データキャリア＄（３×ｋ＋３）では同一の位相変更値（図２６の場合、ｙ（ｋ））を用いて位相変更を行う（ｋは０お嬢の整数とする）。
【０２１７】
このように「することで、、ブロック＃１に対して、位相は偏りなく変更されており、また、ブロック＃２、ブロック＃３、ブロック＃４、ブロック＃５、ブロック＃６についておも、位相は偏りなく変更されており、したがって、ブロック＃１、ブロック＃２、ブロック＃３、ブロック＃４、ブロック＃５およびブロック＃６ともに、位相変更による効果を十分に得ることができるため、（通信）相手の受信装置のデータの品質が向上するという効果を得ることができる。
【０２１８】
次に、位相変更値ｙ（ｉ）の与え方について説明する。
式（２）に位相変更の与え方の例を示している。別方法として、例えば、位相変更値ｙ（ｉ）に周期を与える方法がある。例えば、周期をＶ（Ｖは２以上の整数とする。）と与えたとき、以下の式が成立する方法がある。
【０２１９】
【数４３】
2017112589.tif 000045
【０２２０】
なお、式（４３）において、i mod Vは、iをVで割った時の余りをあらわすものとする。例として、例えば、以下のような方法がある。
【０２２１】
【数４４】
2017112589.tif 000046
【０２２２】
なお、周期Ｖの方法は式（４４）で与える方法に限ったものではない。例えば、Ｖ個の位相変更値｛Ｙ（０）、Ｙ（１）、・・・Ｙ（Ｖ−２）、Ｙ（Ｖ−１）｝を与え、Ｖ個の位相変更値が異なる値であり、これらＶ個の位相変更値を周期Ｖで規則的に切り替えてもよい。
また、Ｖ個の位相変更値｛Ｙ（０）、Ｙ（１）、・・・Ｙ（Ｖ−２）、Ｙ（Ｖ−１）｝を与え、Ｖ個の位相変更値｛Ｙ（０）、Ｙ（１）、・・・Ｙ（Ｖ−２）、Ｙ（Ｖ−１）｝中には、同一の値をとるものが存在する。そして、これらＶ個の位相変更値を周期Ｖで規則的に切り替えてもよい。
【０２２３】
具体的な例を示す。周期Ｖ＝５とし、位相変更値｛Ｙ（０）、Ｙ（１）、Ｙ（２）、Ｙ（３）、Ｙ（４）｝を以下のように与える。
【０２２４】
【数４５】
2017112589.tif 000047
【０２２５】
そして、
【０２２６】
【数４６】
2017112589.tif 000048
【０２２７】
とすることで、周期５を実現することができる。なお、ｉ  ｍｏｄ  ５は、ｉを５で割ったときの余りをあらわす。
なお、式（４３）、式（４４）、式（４６）では、規則的に位相変更値を切り替える例を説明しているが、必ずしも、規則的に切り替える必要はない。
例えば、Ｖ＝５とし、｛Ｙ（０）、Ｙ（１）、Ｙ（２）、Ｙ（３）、Ｙ（４）｝を用意し、
｛ｙ（０）＝Ｙ（０）、ｙ（１）＝Ｙ（１）、ｙ（２）＝Ｙ（２）、ｙ（３）＝Ｙ（３）、ｙ（４）＝Ｙ（４）、ｙ（５）＝Ｙ（１）、ｙ（６）＝Ｙ（０）、ｙ（７）＝Ｙ（４）、ｙ（８）＝Ｙ（３）、ｙ（９）＝Ｙ（２）、ｙ（１０）＝Ｙ（４）、ｙ（１１）＝Ｙ（３）、ｙ（１２）＝Ｙ（２）、ｙ（１３）＝Ｙ（１）、ｙ（１４）＝Ｙ（０）、・・・・｝
のように、並べるようにしてもよい。なお、並べ方については、これに限ったものではない。
【０２２８】
次に、（通信）相手の受信装置の動作について説明する。一例として、送信装置のフレーム構成を図２７に示す。
図２７（ａ）は、図１のアンテナ１１２Ａから送信される変調信号のフレーム構成、図２７（ｂ）は、図１のアンテナ１１２Ｂから送信される変調信号のフレーム構成を示している。図２７（ａ）、図２７（ｂ）において、横軸時間、縦軸周波数（キャリア）を示している。
【０２２９】
図２７（ａ）において、時間＄１ではプリアンブル２７０１Ａが送信される。そして、図２７（ｂ）においても、時間＄１ではプリアンブル２７０１Ｂが送信される。このとき、プリアンブル２７０１Ａおよびプリアンブル２７０１Ｂには、送信装置が送信する変調信号における送信方法、変調方式、誤り訂正符号の方式（符号化率・符号長など）などの情報が含まれており、受信装置は、この情報を得ることで、データシンボルの復調・復号が可能となる。なお、図２７では、プリアンブル２７０１Ａとプリアンブル２７０１Ｂが存在するようなプリアンブルの構成としているが、プリアンブル２７０１Ａ、プリアンブル２７０１Ｂのいずれか一方を送信するというような構成でもよい。また、プリアンブル２７０１Ａ、２７０１Ｂには、受信装置が信号を検出するためのシンボル、受信装置は周波数・時間同期を行うための信号、受信装置がＡＧＣ（Automatic Gain Control）を行うためのシンボル、受信装置が、伝搬路変動の推定を行うためのシンボルなどが含まれていてもよい。
【０２３０】
そして、図２７（ａ）において、時間＄１ではデータシンボル群２７０２Ａが送信される。そして、図２７（ｂ）においても、時間＄２ではデータシンボル群２７０２Ｂが送信される。なお、データシンボル群２７０２Ａおよびデータシンボル群２７０２Ｂはデータシンボル以外のシンボル、例えば、（チャネル推定を行うための）パイロットシンボルなどが含まれていてもよい。また、データシンボル群２７０２Ａと２７０２Ｂは、同一時間、同一周波数（帯）を用いて送信される。そして、データシンボル群２７０２Ａと２７０２Ｂは、呪術で説明したようなデータシンボルの配置、データの配置を満たしているものとする。さらに、位相変更を行う場合、上述で説明したような位相変更を行ってもよい。
【０２３１】
図２７（ａ）において、時間＄３ではプリアンブル２７０３Ａが送信される。そして、時間＄４ではデータシンボル群２７０４Ａが送信される。なお、プリアンブル、データシンボル群の構成については、上述で説明したとおりである。なお、時間＄３、時間＄４において、図２７（ｂ）では、シンボルを配置していないが、プリアンブル２７０３Ａに相当するシンボルを図１のアンテナ１１２Ｂから送信してもよいし、データシンボル群２７０４Ａに相当するシンボルを図１のアンテナ１１２Ｂから送信してもよい。
【０２３２】
図２８は、（通信）相手の受信装置の構成の一例を示している。
無線部２８０３Ｘは、アンテナ２８０１Ｘで受信した受信信号２８０２Ｘを入力とし、周波数変換等の処理を行い、受信ベースバンド信号２８０４Ｘを出力する。
無線部２８０３Ｙは、アンテナ２８０１Ｙで受信した受信信号２８０２Ｙを入力とし、周波数変換等の処理を行い、受信ベースバンド信号２８０４Ｙを出力する。
【０２３３】
変調信号ｚ１（ｕ１）のチャネル変動推定部２８０５＿１は、受信ベースバンド信号２８０４Ｘを入力とし、例えば、受信ベースバンド信号２８０４Ｘに含まれるパイロットシンボルを用いて、上述で説明した変調信号ｚ１（ｉ）（または、変調信号ｕ１（ｉ））のチャネル変動を推定し、チャネル推定信号２８０６＿１を出力する。
変調信号ｚ２（ｕ２）のチャネル変動推定部２８０５＿２は、受信ベースバンド信号２８０４Ｘを入力とし、例えば、受信ベースバンド信号２８０４Ｘに含まれるパイロットシンボルを用いて、上述で説明した変調信号ｚ２（ｉ）（または、変調信号ｕ２（ｉ））のチャネル変動を推定し、チャネル推定信号２８０６＿２を出力する。
【０２３４】
変調信号ｚ１（ｕ１）のチャネル変動推定部２８０７＿１は、受信ベースバンド信号２８０４Ｙを入力とし、例えば、受信ベースバンド信号２８０４Ｘに含まれるパイロットシンボルを用いて、上述で説明した変調信号ｚ１（ｉ）（または、変調信号ｕ１（ｉ））のチャネル変動を推定し、チャネル推定信号２８０８＿１を出力する。
変調信号ｚ２（ｕ２）のチャネル変動推定部２８０７＿２は、受信ベースバンド信号２８０４Ｙを入力とし、例えば、受信ベースバンド信号２８０４Ｘに含まれるパイロットシンボルを用いて、上述で説明した変調信号ｚ２（ｉ）（または、変調信号ｕ２（ｉ））のチャネル変動を推定し、チャネル推定信号２８０８＿２を出力する。
【０２３５】
制御情報復号部２８０９は、受信ベースバンド信号２８０４Ｘ、および、受信ベースバンド信号２８０４Ｙを入力とし、図２７におけるプリアンブルの復調・復号を行い、制御情報信号２８１０を出力する。
信号処理部２８１１は、チャネル推定信号２８０６＿１、２８０６＿２、２８０８＿１、２８０８＿２、受信ベースバンド信号２８０４Ｘ、２８０４Ｙ、制御情報信号２８１０を入力とし、制御情報信号２８１０に基づいて、上述で説明したデータシンボルの配置に基づき、データの並び替え（データシンボルの並び替え）を行い、また、制御情報信号２８１０に含まれる、送信パラメータ（送信方法、変調方式、誤り訂正符号の方法など）の情報に基づいて、復調、復号を行い、データ２８１２を得、出力する。
【０２３６】
以上のように、本実施の形態のようにデータキャリアにデータを配置することで、（通信）相手である受信装置におけるデータの受信品質が向上するという効果を得ることができ、また、位相変更を上述で説明したように位相変更を行うことで、（通信）相手である受信装置におけるデータの受信品質が向上するという効果を得ることができる。
（実施の形態２）
本実施の形態では、実施の形態１を含む、複数の変調信号を複数のアンテナから送信する、例えば、ＭＩＭＯ伝送方式において、送信装置が、複数の変調信号を送信するのに使用する複数のアンテナを選択する方法の例について説明する。
【０２３７】
まず、通信装置の構成の概要から説明する。本実施の形態では、図２９に示す通信局＃１と図３０に示す通信局＃２とが通信を行う場合を考える。
図２９は、通信局＃１の構成を示している。
無線部群２９５２は、受信アンテナ群２９５０で受信した受信信号群２９５１を入力とし、周波数変換等の処理を施し（ＯＦＤＭ方式を用いている場合は、フーリエ変換による信号処理を行ってもよい）、ベースバンド信号群２９５３を出力する。
【０２３８】
信号処理部２９５４は、受信ベースバンド信号群２９５３を入力とし、（ＭＩＭＯ方式に対する、または、シングルの変調信号送信に対する）復調処理、および、誤り訂正符号に対する復号等の処理を施し、受信データ２９５５、および／または、通信相手からの制御情報２９５６を出力する。
アンテナ設定処理部２９０５は、通信相手からの制御情報２９５６、フレーム構成信号２９０８を入力とし、フレーム構成信号２９０８に基づいて、アンテナ設定用の変調信号２９０６Ａ、２９６０Ｂを出力するとともに、例えば、通信相手からの制御情報２９５６に基づき、例えば、選択したアンテナの情報、アンテナでの重み付け情報などの情報を含んだアンテナ制御信号２９０７Ａ、２９０７Ｂを出力する。なお、詳細の動作については、後で説明する。
【０２３９】
信号処理部２９０３は、送信データ２９０１、制御情報２９０２、フレーム構成信号２９０８を入力とし、制御情報２９０２に含まれる誤り訂正方式の情報（誤り訂正符号の種類、誤り訂正符号の符号長、誤り訂正符号の符号化率）に基づき、誤り訂正符号化を行い、その後、制御情報２９０２に含まれる変調方式の情報に基づき、選択された変調方式のマッピングを行い、また、制御情報２９０２に含まれる送信方法（ＭＩＭＯ伝送方式、ＳＩＳＯ伝送方式など）に基づいた信号処理を施し、変調信号２９０４Ａおよび２９０４Ｂを出力する。なお、信号処理部２９０３は、変調信号２９０４Ａおよび２９０４Ｂの両者を必ず出力しなくてもよい、つまり、変調信号２９０４Ａ、２９０４Ｂのうち、一方を出力するがあってもよい。
【０２４０】
無線部２９０９Ａは、変調信号２９０４Ａ、アンテナ設定時用変調信号２９０６Ａ、フレーム構成信号２９０８を入力とし、フレーム構成信号２９０８に含まれるフレーム構成の情報にしたがい変調信号２９０４Ａ、または、アンテナ設定時用変調信号２９０６Ａのいずれかに対し、周波数変換、増幅等の処理を行い、送信信号２９１０Ａを出力する。
同様に、無線部２９０９Ｂは、変調信号２９０４Ｂ、アンテナ設定時用変調信号２９０６Ｂ、フレーム構成信号２９０８を入力とし、フレーム構成信号２９０８に含まれるフレーム構成の情報にしたがい変調信号２９０４Ｂ、または、アンテナ設定時用変調信号２９０６Ｂのいずれかに対し、周波数変換、増幅等の処理を行い、送信信号２９１０Ｂを出力する。
【０２４１】
なお、送信信号２９１０Ａ、２９１０Ｂのフレーム構成の詳細の例については後で説明する。
アンテナ選択部２９１１Ａは、送信信号２９１０Ａ、フレーム構成信号２９０８、アンテナ制御信号２９０７Ａを入力とし、フレーム構成信号２９０８、アンテナ制御信号２９０７Ａにしたがい、アンテナの選択を行うとともに、アンテナの切り替えタイミングを制御し、送信信号２９１０Ａを、２９１２Ａ、２９１３Ａ、２９１４Ａのいずれかに対し出力する。そして、信号２９１２Ａは第１Ａアンテナ部２９１５Ａから電波として出力され、信号２９１３Ａは第２Ａアンテナ部２９１６Ａから電波として出力され、信号２９１４Ａは第３Ａアンテナ部２９１７Ａから出力される。
【０２４２】
なお、第１Ａアンテナ部２９１５Ａ、第２Ａアンテナ部２９１６Ａ、第３Ａアンテナ部２９１７Ａは、それぞれ、例えば、複数のアンテナで構成されているものとする。そして、第１Ａアンテナ部２９１５Ａは、フレーム構成信号２９０８、アンテナ制御信号２９０７Ａを入力とし、フレーム構成信号２９０８、アンテナ制御信号２９０７Ａにしたがい、複数のアンテナの重み付け、または、位相のパラメータを適切なタイミングで変更することになる。
【０２４３】
同様に、第２Ａアンテナ部２９１６Ａは、フレーム構成信号２９０８、アンテナ制御信号２９０７Ａを入力とし、フレーム構成信号２９０８、アンテナ制御信号２９０７Ａにしたがい、複数のアンテナの重み付け、または、位相のパラメータを適切なタイミングで変更することになる。
そして、第３Ａアンテナ部２９１７Ａは、フレーム構成信号２９０８、アンテナ制御信号２９０７Ａを入力とし、フレーム構成信号２９０８、アンテナ制御信号２９０７Ａにしたがい、複数のアンテナの重み付け、または、位相のパラメータを適切なタイミングで変更することになる。
【０２４４】
アンテナ選択部２９１１Ｂは、送信信号２９１０Ｂ、フレーム構成信号２９０８、アンテナ制御信号２９０７Ｂを入力とし、フレーム構成信号２９０８、アンテナ制御信号２９０７Ｂにしたがい、アンテナの選択を行うとともに、アンテナの切り替えタイミングを制御し、送信信号２９１０Ｂを、２９１２Ｂ、２９１３Ｂ、２９１４Ｂのいずれかに対し出力する。そして、信号２９１２Ｂは第１Ｂアンテナ部２９１５Ｂから電波として出力され、信号２９１３Ｂは第２Ｂアンテナ部２９１６Ｂから電波として出力され、信号２９１４Ｂは第３Ｂアンテナ部２９１７Ｂから出力される。
【０２４５】
なお、第１Ｂアンテナ部２９１５Ｂ、第２Ｂアンテナ部２９１６Ｂ、第３Ｂアンテナ部２９１７Ｂは、それぞれ、例えば、複数のアンテナで構成されているものとする。そして、第１Ｂアンテナ部２９１５Ｂは、フレーム構成信号２９０８、アンテナ制御信号２９０７Ｂを入力とし、フレーム構成信号２９０８、アンテナ制御信号２９０７Ｂにしたがい、複数のアンテナの重み付け、または、位相のパラメータを適切なタイミングで変更することになる。
【０２４６】
同様に、第２Ｂアンテナ部２９１６Ｂは、フレーム構成信号２９０８、アンテナ制御信号２９０７Ｂを入力とし、フレーム構成信号２９０８、アンテナ制御信号２９０７Ｂにしたがい、複数のアンテナの重み付け、または、位相のパラメータを適切なタイミングで変更することになる。
そして、第３Ｂアンテナ部２９１７Ｂは、フレーム構成信号２９０８、アンテナ制御信号２９０７Ｂを入力とし、フレーム構成信号２９０８、アンテナ制御信号２９０７Ｂにしたがい、複数のアンテナの重み付け、または、位相のパラメータを適切なタイミングで変更することになる。
【０２４７】
なお、図２９では、一例として、送信アンテナ部の個数を６個としているが、これはあくまでも一例であり、送信アンテナ部の個数は、この数に限ったものではない。
図３０は、通信局＃２の構成を示している。
アンテナ選択部３００７Ｘは、第１Ｘアンテナ部３００１Ｘで受信した受信信号３００４Ｘ、第２Ｘアンテナ部３００２Ｘで受信した受信信号３００５Ｘ、第３Ｘアンテナ部３００３Ｘで受信した受信信号３００６Ｘを入力とするとともに、制御情報３０１３およびアンテナ制御信号３０１５Ｘを入力とする。そして、アンテナ選択部３００７Ｘは、制御情報３０１３およびアンテナ制御信号３０１５Ｘにしたがい、適切なタイミングでアンテナ選択を行い、受信信号３００４Ｘ、３００５Ｘ、３００６Ｘのいずれかの信号を選択し、受信信号３００８Ｘとして出力する。なお、アンテナ選択の方法については、後で説明する。
【０２４８】
同様に、アンテナ選択部３００７Ｙは、第１Ｙアンテナ部３００１Ｙで受信した受信信号３００４Ｙ、第２Ｙアンテナ部３００２Ｙで受信した受信信号３００５Ｙ、第３Ｙアンテナ部３００３Ｙで受信した受信信号３００６Ｙを入力とするとともに、制御情報３０１３およびアンテナ制御信号３０１５Ｙを入力とする。そして、アンテナ選択部３００７Ｙは、制御情報３０１３およびアンテナ制御信号３０１５Ｙにしたがい、適切なタイミングでアンテナ選択を行い、受信信号３００４Ｙ、３００５Ｙ、３００６Ｙのいずれかの信号を選択し、受信信号３００８Ｙとして出力する。なお、アンテナ選択の方法については、後で説明する。
【０２４９】
第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙは、それぞれ、例えば、複数のアンテナで構成されているものとする。
第１Ｘアンテナ部３００１Ｘは、制御情報３０１３およびアンテナ制御信号３０１５Ｘを入力とし、制御情報３０１３およびアンテナ制御信号３０１５Ｘにしたがい、複数のアンテナの重み付け、または、位相のパラメータを適切なタイミングで変更することになる。
【０２５０】
同様に、第２Ｘアンテナ部３００２Ｘは、制御情報３０１３およびアンテナ制御信号３０１５Ｘを入力とし、制御情報３０１３およびアンテナ制御信号３０１５Ｘにしたがい、複数のアンテナの重み付け、または、位相のパラメータを適切なタイミングで変更することになる。
第３Ｘアンテナ部３００３Ｘは、制御情報３０１３およびアンテナ制御信号３０１５Ｘを入力とし、制御情報３０１３およびアンテナ制御信号３０１５Ｘにしたがい、複数のアンテナの重み付け、または、位相のパラメータを適切なタイミングで変更することになる。
【０２５１】
第１Ｙアンテナ部３００１Ｙは、制御情報３０１３およびアンテナ制御信号３０１５Ｘを入力とし、制御情報３０１３およびアンテナ制御信号３０１５Ｘにしたがい、複数のアンテナの重み付け、または、位相のパラメータを適切なタイミングで変更することになる。
第２Ｙアンテナ部３００２Ｙは、制御情報３０１３およびアンテナ制御信号３０１５Ｘを入力とし、制御情報３０１３およびアンテナ制御信号３０１５Ｘにしたがい、複数のアンテナの重み付け、または、位相のパラメータを適切なタイミングで変更することになる。
【０２５２】
第３Ｙアンテナ部３００３Ｙは、制御情報３０１３およびアンテナ制御信号３０１５Ｘを入力とし、制御情報３０１３およびアンテナ制御信号３０１５Ｘにしたがい、複数のアンテナの重み付け、または、位相のパラメータを適切なタイミングで変更することになる。
無線部３００９Ｘは、受信信号３００８Ｘ、および、制御情報３０１３を入力とし、制御情報に含まれる、送信方法の情報、フレーム構成に関する情報などに基づき、受信信号３００８Ｘに対し、周波数変換等の処理を施し（ＯＦＤＭ方式を用いている場合、例えば、フーリエ変換を施す）、ベースバンド信号３０１０Ｘを出力する。
【０２５３】
同様に、無線部３００９Ｙは、受信信号３００８Ｙ、および、制御情報３０１３を入力とし、制御情報に含まれる、送信方法の情報、フレーム構成に関する情報などに基づき、受信信号３００８Ｙに対し、周波数変換等の処理を施し（ＯＦＤＭ方式を用いている場合、例えば、フーリエ変換を施す）、ベースバンド信号３０１０Ｙを出力する。
信号処理部３０１１は、ベースバンド信号３０１０Ｘ、３０１０Ｙを入力とし、ベースバンド信号に含まれる制御情報から、通信相手である通信局＃１が送信した変調信号の送信方法（フレーム構成に関する情報、「複数の変調信号を送信した、あるいは、シングルの変調信号を送信」関する情報、複数の変調信号を送信した場合、その送信方法に関する情報、使用した変調方式に関する情報、使用した誤り訂正符号に関する情報（誤り訂正符号の種類、符号長、符号化率など）など）を得、これに基づき、ベースバンド信号３０１０Ｘ、３０１０Ｙの復調・復号を行い、受信データおよび制御情報３０１３を出力する。
【０２５４】
アンテナ設定処理部３０１４は、ベースバンド信号３０１０Ｘ、３０１０Ｙ、制御情報３０１３を入力とし、制御情報３０１３におけるフレーム構成に関する情報から、アンテナ関連の設定に必要な信号を検出し、アンテナ制御信号３０１５Ｘ、３０１５Ｙ、および、アンテナ関連用の情報３０１６を出力する。なお、アンテナ鮮魚信号３０１５Ｘ、３０１５Ｙは、受信アンテナに関する重み付け、または、位相変更パラメータに関する情報、受信アンテナの切り替えタイミングに関する情報を含んでおり、アンテナ関連用の情報３０１６は、通信局＃１が変調信号を送信するためのアンテナの情報を含んでいるものとする。
【０２５５】
信号処理部３０５１は、送信データ３０５０、アンテナ関連用の情報３０１６を入力とし、これらに対し、誤り訂正符号化、変調等の処理を行い、変調信号群３０５２を出力する。
無線部群３０５３は、変調信号群３９５２を入力とし、周波数変換、増幅等の処理を行い、送信信号群３０５４を出力する。送信信号群３０５４は、送信アンテナ群３０５５から、電波として出力される。
【０２５６】
なお、図３０において、受信アンテナ部の個数を６個としているが、これはあくまでも一例であり、受信アンテナ部の個数は、この数に限ったものではない。
次に、図３１を用いて、通信局＃１と通信局＃２の通信のやりとりの一例について説明を行う。
通信局＃１と通信局＃２の通信のやりとりの第１の例：
ステップＳＴ１：
通信局＃１は、図２９の第１Ａアンテナ部２９１５Ａから信号を送信する。その後、通信局＃１は、第２Ａアンテナ部２９１６Ａから信号を送信し、第３Ａアンテナ部２９１７Ａから信号を送信し、第１Ｂアンテナ部２９１５Ｂから信号を送信し、第２Ｂアンテナ部２９１６Ｂから信号を送信し、第３Ｂアンテナ部２９１７Ｂから信号を送信する。
【０２５７】
ステップＳＴ２：
通信局＃２は、ステップＳＴ１で送信した変調信号を受信し、「通信局＃１が変調信号を送信するためのアンテナを、第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂから１つのアンテナ部」を決定する。（なお、ここで、決定した送信に使用するアンテナ部を「決定したアンテナ部α」と名付ける。）
ステップＳＴ３：
通信局＃２は、「通信局＃１が変調信号を送信するためのアンテナ（決定したアンテナ部α）の情報」を通信局＃１に送信する。
【０２５８】
ステップＳＴ４：
通信局＃１は、（決定した）アンテナ部αから信号を送信する。
ステップＳＴ５：
通信局＃２は、通信局＃１が（決定した）アンテナ部αから送信した信号を受信し、図３０の第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙから、受信に使用する受信アンテナ部一つを決定する。（なお、ここで、決定した受信に使用するアンテナ部を「決定したアンテナ部β」と名付ける。）
ステップＳＴ６：
使用する受信アンテナ部が一つ決定したことを通信局＃１に通知する。（このとき、決定した受信アンテナの情報を通信局＃１に通知してもよい。）
ステップＳＴ７：
通信局＃１は、以下のルールで信号を送信する。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αと第１Ｂアンテナ部２９１５Ｂから信号を送信」する。その後、「決定したアンテナ部αと第２Ｂアンテナ部２９１６Ｂから信号を送信」し、「決定したアンテナ部αと第３Ｂアンテナ部２９１７Ｂから信号を送信」する。（なお、決定したアンテナ部αと第１Ｂアンテナ２９１５Ｂから信号を送信、続いて、第２Ｂアンテナ２９１６Ｂから信号を送信、第３Ｂアンテナから信号を送信２９１７Ｂ、としてもよい。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αと第１Ａアンテナ部２９１５Ａから信号を送信」する。その後、「決定したアンテナ部αと第２Ａアンテナ部２９１６Ａから信号を送信」し、「決定したアンテナ部αと第３Ａアンテナ部２９１７Ａから信号を送信」する。（なお、決定したアンテナ部αと第１Ａアンテナ２９１５Ａから信号を送信、続いて、第２Ａアンテナ２９１６Ａから信号を送信、第３Ａアンテナ２９１７Ａから信号を送信、としてもよい。）
ステップＳＴ８：
通信局＃２は、
「通信局＃１がアンテナ部αと同時に使用する、変調信号を送信するアンテナ部を１つ決定する。」なお、決定した送信に使用するアンテナ部を「決定したアンテナ部γ」と名付ける。
通信局＃２は、以下のルールで受信アンテナ部を新たに１つ決定する。
・決定したアンテナ部βが、第１Ｘアンテナ部３００１Ｘまたは第２Ｘアンテナ部３００２Ｘまたは第３Ｘアンテナ部３００３Ｘの場合、通信局＃２は、第１Ｙアンテナ部３００１Ｙまたは第２Ｙアンテナ部３００２Ｙまたは第３Ｙアンテナ部３００３Ｙの中から受信に使用するアンテナを新たに１つ決定する。
・決定したアンテナ部βが、第１Ｙアンテナ部３００１Ｙまたは第２Ｙアンテナ部３００２Ｙまたは第３Ｙアンテナ部３００３Ｙの場合、通信局＃２は、第１Ｘアンテナ部３００１Ｘまたは第２Ｘアンテナ部３００２Ｘまたは第３Ｘアンテナ部３００３Ｘの中から受信に使用するアンテナを新たに１つ決定する。
【０２５９】
ステップＳＴ９：
通信局＃２は、「通信局＃１が変調信号を送信するためのアンテナ（決定したアンテナ部γ）の情報」を通信局＃１に送信する。
通信局＃２は、使用する受信アンテナ部があらたに１つ決定したことを通信局＃１に通知する。（決定した受信アンテナ部の情報を通信局＃１に通知してもよい。）なお、決定した受信に使用するアンテナ部を「アンテナ部δ」と名付ける。
【０２６０】
ステップＳＴ１０：
通信局＃１は、アンテナ部αとアンテナ部γを使用し、データシンボルの送信を開始する。（アンテナ部αとアンテナ部γを使用し、２つの変調信号の送信を開始する。）
通信局＃１と通信局＃２の通信のやりとりの第１の例を、図３１を用いて説明したが、図３１の＜Ｐ＞に図３２の処理、図３１の＜Ｑ＞に図３３の処理を追加してもよい。そのとき、通信局＃１と通信局＃２の通信のやりとりは以下のようになる。
【０２６１】
通信局＃１と通信局＃２の通信のやりとりの第２の例：
ステップＳＴ１：
通信局＃１は、図２９の第１Ａアンテナ部２９１５Ａから信号を送信する。その後、通信局＃１は、第２Ａアンテナ部２９１６Ａから信号を送信し、第３Ａアンテナ部２９１７Ａから信号を送信し、第１Ｂアンテナ部２９１５Ｂから信号を送信し、第２Ｂアンテナ部２９１６Ｂから信号を送信し、第３Ｂアンテナ部２９１７Ｂから信号を送信する。
【０２６２】
ステップＳＴ２：
通信局＃２は、ステップＳＴ１で送信した変調信号を受信し、「通信局＃１が変調信号を送信するためのアンテナを、第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂから１つのアンテナ部」を決定する。（なお、ここで、決定した送信に使用するアンテナ部を「決定したアンテナ部α」と名付ける。）
ステップＳＴ３：
通信局＃２は、「通信局＃１が変調信号を送信するためのアンテナ（決定したアンテナ部α）の情報」を通信局＃１に送信する。
【０２６３】
ステップＳＴ４：
通信局＃１は、（決定した）アンテナ部αから信号を送信する。
ステップＳＴ５：
通信局＃２は、通信局＃１が（決定した）アンテナ部αから送信した信号を受信し、図３０の第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙから、受信に使用する受信アンテナ部一つを決定する。（なお、ここで、決定した受信に使用するアンテナ部を「決定したアンテナ部β」と名付ける。）
ステップＳＴ６：
使用する受信アンテナ部が一つ決定したことを通信局＃１に通知する。（このとき、決定した受信アンテナの情報を通信局＃１に通知してもよい。）
ステップＳＴ７：（図３２参照）
通信局＃１は、（決定した）アンテナ部αの重み付け、または、位相のパラメータを複数種類変更し、アンテナ部αから信号を送信する。
【０２６４】
ステップＳＴ８：（図３２参照）
通信局＃２は、（決定した）アンテナ部βの重み付け、または、位相のパラメータを複数種類変更し、受信を行う。
ステップＳＴ９：（図３２参照）
通信局＃２は、「通信局＃１が変調信号を送信するためのアンテナ部αが使用する適切な重み付け、または、位相のパラメータの情報」を通信局＃１に送信する。
通信局＃２は、使用するアンテナ部の適切な重み付け、または、位相のパラメータが決定したことを通信局＃１に通知する。（重み付け、または、位相のパラメータの情報を通信局＃１に通知してもよい。）
ステップＳＴ１０：（図３２参照）
通信局＃１は、「通信局＃２が送信したアンテナ部αの適切な重み付け、または、位相パラメータの情報」に基づき、アンテナ部αに対し、適切な重み付け、または、位相パラメータを設定する。
【０２６５】
ステップＳＴ１１：
通信局＃１は、以下のルールで信号を送信する。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αと第１Ｂアンテナ部２９１５Ｂから信号を送信」する。その後、「決定したアンテナ部αと第２Ｂアンテナ部２９１６Ｂから信号を送信」し、「決定したアンテナ部αと第３Ｂアンテナ部２９１７Ｂから信号を送信」する。（なお、決定したアンテナ部αと第１Ｂアンテナ２９１５Ｂから信号を送信、続いて、第２Ｂアンテナ２９１６Ｂから信号を送信、第３Ｂアンテナから信号を送信２９１７Ｂ、としてもよい。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αと第１Ａアンテナ部２９１５Ａから信号を送信」する。その後、「決定したアンテナ部αと第２Ａアンテナ部２９１６Ａから信号を送信」し、「決定したアンテナ部αと第３Ａアンテナ部２９１７Ａから信号を送信」する。（なお、決定したアンテナ部αと第１Ａアンテナ２９１５Ａから信号を送信、続いて、第２Ａアンテナ２９１６Ａから信号を送信、第３Ａアンテナ２９１７Ａから信号を送信、としてもよい。）
ステップＳＴ１２：
通信局＃２は、
「通信局＃１がアンテナ部αと同時に使用する、変調信号を送信するアンテナ部を１つ決定する。」なお、決定した送信に使用するアンテナ部を「決定したアンテナ部γ」と名付ける。
通信局＃２は、以下のルールで受信アンテナ部を新たに１つ決定する。
・決定したアンテナ部βが、第１Ｘアンテナ部３００１Ｘまたは第２Ｘアンテナ部３００２Ｘまたは第３Ｘアンテナ部３００３Ｘの場合、通信局＃２は、第１Ｙアンテナ部３００１Ｙまたは第２Ｙアンテナ部３００２Ｙまたは第３Ｙアンテナ部３００３Ｙの中から受信に使用するアンテナを新たに１つ決定する。
・決定したアンテナ部βが、第１Ｙアンテナ部３００１Ｙまたは第２Ｙアンテナ部３００２Ｙまたは第３Ｙアンテナ部３００３Ｙの場合、通信局＃２は、第１Ｘアンテナ部３００１Ｘまたは第２Ｘアンテナ部３００２Ｘまたは第３Ｘアンテナ部３００３Ｘの中から受信に使用するアンテナを新たに１つ決定する。
【０２６６】
ステップＳＴ１３：
通信局＃２は、「通信局＃１が変調信号を送信するためのアンテナ（決定したアンテナ部γ）の情報」を通信局＃１に送信する。
通信局＃２は、使用する受信アンテナ部があらたに１つ決定したことを通信局＃１に通知する。（決定した受信アンテナ部の情報を通信局＃１に通知してもよい。）なお、決定した受信に使用するアンテナ部を「アンテナ部δ」と名付ける。
【０２６７】
ステップＳＴ１４：（図３３参照）
通信局＃１は、アンテナ部αから信号を送信するとともに、アンテナ部γの重み付け、または位相のパラメータを複数種類変更し、アンテナ部γから信号を送信する。
ステップＳＴ１５：（図３３参照）
通信局＃２は、（決定した）アンテナ部δの重み付け、または、位相のパラメータを複数種類変更し、受信を行う。
【０２６８】
ステップＳＴ１６：（図３３参照）
通信局＃２は、「通信局＃１が変調信号を送信するためのアンテナ部γが使用する適切な重み付け、または、位相のパラメータの情報」を通信局＃１に送信する。
ステップＳＴ１７：（図３３参照）
通信局＃１は、「通信局＃２が送信したアンテナ部γの適切な重み付け、または、位相パラメータの情報」に基づき、アンテナ部γに対し、適切な重み付け、または、位相パラメータを設定する。
【０２６９】
ステップＳＴ１８：
通信局＃１は、アンテナ部αとアンテナ部γを使用し、データシンボルの送信を開始する。（アンテナ部αとアンテナ部γを使用し、２つの変調信号の送信を開始する。）
次に、「通信局＃１と通信局＃２の通信のやりとりの第１の例」に対する、通信局＃１および通信局＃２の時間軸における送信フレームの例について説明する。
【０２７０】
図３４は、通信局＃１および通信局＃２の時間軸における送信フレームの例を示しており、図３４（ａ）は、通信局＃１の時間軸における送信フレーム、図３４（ｂ）は、通信局＃２の時間軸における送信フレームを示している。
（なお、図３４（ａ）、図３４（ｂ）において、シンボルは、周波数軸にも存在していてもよい。）
図３４に示すように、まず、通信局＃１は、第１Ａアンテナ部２９１５Ａからアンテナ設定用シンボル群３４０１を送信し、その後、第２Ａアンテナ部２９１６Ａからアンテナ設定用シンボル群３４０２、第３Ａアンテナ部２９１７Ａからアンテナ設定用シンボル群３４０３、第１Ｂアンテナ部２９１５Ｂからアンテナ設定用シンボル群３４０４、第２Ｂアンテナ部２９１６Ｂからアンテナ設定用シンボル群３４０５、第３Ｂアンテナ部２９１７Ｂからアンテナ設定用シンボル群３４０６を送信する。なお、これらのシンボル群を、アンテナ設定用シンボル群３４８０と呼ぶことにする。
【０２７１】
通信局＃２は、通信局＃１が送信したアンテナ設定用シンボル群３４８０を受信する。そして、例えば、第１Ａアンテナ部２９１５Ａを用いて送信されたアンテナ設定用シンボル群３４０１の受信電界強度、第２Ａアンテナ部２９１６Ａを用いて送信されたアンテナ設定用シンボル群３４０２の受信電界強度、第３Ａアンテナ部２９１７Ａを用いて送信されたアンテナ設定用シンボル群３４０３の受信電界強度、第１Ｂアンテナ部２９１５Ｂを用いて送信されたアンテナ設定用シンボル群３４０４の受信電界強度、第２Ｂアンテナ部２９１６Ｂを用いて送信されたアンテナ設定用シンボル群３４０５の受信電界強度、第３Ｂアンテナ部２９１７Ｂを用いて送信されたアンテナ設定用シンボル群３４０６の受信電界強度を比較し、受信電界強度の大きくなる通信局＃１のアンテナ部を推定し、通信局＃１が変調信号を送信する際に使用して欲しいアンテナ部を選択する。そして、通信局＃２は、この選択したアンテナ部の情報を含むアンテナ関連シンボル群＄１（３４５１）を送信する。
【０２７２】
通信局＃１は、通信局＃２が送信したアンテナ関連シンボル群＄１（３４５１）を受信し、通信局＃２が送信したアンテナ関連シンボル群＄１（３４５１）に含まれる「選択されたアンテナ部の情報」に基づいて、変調信号を送信するために使用するアンテナ部（前にも説明したように、「アンテナ部α」と呼ぶ。）を決定し、アンテナ部αからアンテナ設定用シンボル群３４０７を送信する。
【０２７３】
通信局＃２は、通信局＃１が送信したアンテナ設定用シンボル群３４０７を、第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙを用いて受信し、受信に使用する受信アンテナ部を一つ決定する。（なお、前にも説明したように、ここで、決定した受信に使用するアンテナ部を「決定したアンテナ部β」と名付ける。）そして、通信局＃２は、使用する受信アンテナ部が一つ決定したことを通信局＃１に通知するために、アンテナ関連シンボル群＄２（３４５２）を送信する。（このとき、アンテナ関連シンボル群＄２（３４５２）は、決定した受信アンテナの情報を含んでいてもよい。）
通信局＃１は、通信局＃２が送信したアンテナ関連シンボル群＄２（３４５２）を受信し、通信局＃２が受信に使用するアンテナ部が一つ決定したことを知ることになる。これにより、通信局＃１が送信に使用するアンテナ部一つと通信局＃２が使用するアンテナ部一つが決定したことになる。したがって、通信局＃１が送信に使用するもう一つのアンテナ部と通信局＃２が受信に使用するもう一つのアンテナを決めるための手続きに入ることになる。
【０２７４】
通信局＃１は、以下のルールで、「アンテナ部αからアンテナ設定用のシンボル群３４０８＿１を送信、アンテナ設定用シンボル群＜１＞（３４０８＿２）を送信、アンテナ部αからアンテナ設定用のシンボル群３４０９＿１を送信、アンテナ設定用シンボル群＜２＞（３４０９＿２）を送信、アンテナ部αからアンテナ設定用のシンボル群３４１０＿１を送信、アンテナ設定用シンボル群＜３＞（３４１０＿２）を送信する。」なお、これらのシンボル群をアンテナ設定用シンボル群セット３４８１と呼ぶことにする。そして、アンテナ設定用シンボル群セット３４８１の送信方法については、後で説明する。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αからアンテナ設定用のシンボル群３４０８＿１を送信し、第１Ｂアンテナ部２９１５Ｂからアンテナ設定用シンボル群＜１＞（３４０８＿２）を送信」する。その後、「決定したアンテナ部αからアンテナ設定用のシンボル群３４０９＿１を送信し、第２Ｂアンテナ部２９１６Ｂからアンテナ設定用シンボル群＜２＞（３４０９＿２）を送信」し、「決定したアンテナ部αからアンテナ設定用のシンボル群３４１０＿１を送信し、第３Ｂアンテナ部２９１７Ｂからアンテナ設定用シンボル群＜３＞（３４１０＿２）を送信」する。（なお、決定したアンテナ部αからアンテナ設定用のシンボル群３４０８＿１を送信し、第１Ｂアンテナ２９１５Ｂからアンテナ設定用シンボル群＜１＞（３４０８＿２）を送信、続いて、第２Ｂアンテナ２９１６Ｂからアンテナ設定用シンボル群＜２＞（３４０９＿２）を送信、第３Ｂアンテナ２９１７Ｂからアンテナ設定用シンボル群＜３＞（３４１０＿２）を送信、としてもよい。このとき、シンボルの送信する順番は、これに限ったものではない。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αからアンテナ設定用のシンボル群３４０８＿１を送信し、第１Ａアンテナ部２９１５Ａからアンテナ設定用シンボル群＜１＞（３４０８＿２）を送信」する。その後、「決定したアンテナ部αからアンテナ設定用のシンボル群３４０９＿１を送信し、第２Ａアンテナ部２９１６Ａからアンテナ設定用シンボル群＜２＞（３４０９＿２）を送信」し、「決定したアンテナ部αからアンテナ設定用のシンボル群３４１０＿１を送信し、第３Ａアンテナ部２９１７Ａからアンテナ設定用シンボル群＜３＞（３４１０＿２）を送信」する。（なお、決定したアンテナ部αからアンテナ設定用のシンボル群３４０８＿１を送信し、第１Ａアンテナ２９１５Ａからアンテナ設定用のシンボル群３４０８＿１を送信、続いて、第２Ａアンテナ２９１６Ａからアンテナ設定用シンボル群＜２＞（３４０９＿２）を送信、第３Ａアンテナ２９１７Ａからアンテナ設定用シンボル群＜３＞（３４１０＿２）を送信、としてもよい。このとき、シンボルを送信する順番は、これに限ったものではない。）
通信局＃２は、通信局＃１が送信したアンテナ設定用シンボル群セット３４８１を受信する。そして、通信局＃２は、「通信局＃１がアンテナ部αと同時に使用する、変調信号を送信するアンテナ部を１つ決定する。」（なお、前にも説明したように、決定した送信に使用するアンテナ部を「決定したアンテナ部γ」と名付ける。）
また、通信局＃２は、以下のルールで受信アンテナ部を新たに１つ決定する。
・決定したアンテナ部βが、第１Ｘアンテナ部３００１Ｘまたは第２Ｘアンテナ部３００２Ｘまたは第３Ｘアンテナ部３００３Ｘの場合、通信局＃２は、第１Ｙアンテナ部３００１Ｙまたは第２Ｙアンテナ部３００２Ｙまたは第３Ｙアンテナ部３００３Ｙの中から受信に使用するアンテナを新たに１つ決定する。
・決定したアンテナ部βが、第１Ｙアンテナ部３００１Ｙまたは第２Ｙアンテナ部３００２Ｙまたは第３Ｙアンテナ部３００３Ｙの場合、通信局＃２は、第１Ｘアンテナ部３００１Ｘまたは第２Ｘアンテナ部３００２Ｘまたは第３Ｘアンテナ部３００３Ｘの中から受信に使用するアンテナを新たに１つ決定する。（なお、前にも説明したように、決定した受信に使用するアンテナ部を「アンテナ部δ」と名付ける。）
そして、通信局＃２は、「通信局＃１が変調信号を送信するためのアンテナ（決定したアンテナ部γ）の情報」を含むアンテナ関連シンボル群＄３（３４５３）を通信局＃１に送信する。（このとき、アンテナ関連シンボル群＄３（３４５３）は、決定した受信アンテナの情報を含んでいてもよい。）
通信局＃１は、通信局＃２が送信したアンテナ関連シンボル群＄３（３４５３）を受信し、アンテナ設定が完了したと判断し、データシンボル群３４１１＿１およびデータシンボル群３４１１＿２を送信する。このとき、データシンボル群３４１１＿１とデータシンボル群３４１１＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群３４１１＿１およびデータシンボル群３４１１＿２では記載していないが、データシンボル群３４１１＿１およびデータシンボル群３４１１＿２にデータシンボル以外の制御情報を伝送するためのシンボル、プリアンブル、パイロットシンボル、リファレンスシンボルなどのシンボルが含まれていてもよい。
【０２７５】
図３５は、アンテナ設定用シンボル群３４８０の構成の一例である（横軸は時間である）。第１Ａアンテナ部２９１５Ａからアンテナ設定用シンボル群３４０１、第２Ａアンテナ部２９１６Ａからアンテナ設定用シンボル群３４０２、第３Ａアンテナ部２９１７Ａからアンテナ設定用シンボル群３４０３、第１Ｂアンテナ部２９１５Ｂからアンテナ設定用シンボル群３４０４、第２Ｂアンテナ部２９１６Ｂからアンテナ設定用シンボル群３４０５、第３Ｂアンテナ部２９１７Ｂからアンテナ設定用シンボル群３４０６の各シンボル群は、例えば、図３５のような構成とする。
【０２７６】
第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂには、それぞれ固有のアンテナＩＤ（ＩＤ：identification）が付与されているものとする。したがって、例えば、第１Ａアンテナ部２９１５Ａからアンテナ設定用シンボル群３４０１を送信する際、アンテナＩＤシンボル３５０１では、第１Ａアンテナ部２９１５ＡのアンテナＩＤを送信することになる。
【０２７７】
そして、図３５に示したように、アンテナＩＤシンボル３５０１に加えて、リファレンス信号（リファレンスシンボル）３５０２を、通信局＃１は、送信する。リファレンス信号（リファレンスシンボル）３５０２の役割は、通信局＃２が通信状態（受信品質）（例えば、受信電界強度）を推定することを実現するための信号（シンボル）である。よって、例えば、通信局＃２にとっても既知の信号（例えば、既知のＰＳＫ（Phase Shift Keying）シンボル）であるとする。
【０２７８】
したがって、通信局＃１は、図３４の第１Ａアンテナ部２９１５Ａからアンテナ設定用シンボル群３４０１として、図３５の構成のシンボル群を送信するものとする。（当然であるが、アンテナＩＤシンボル３５０１は、第１Ａアンテナ部２９１５Ａであることを示している。）そして、通信局＃２は、図３４の第１Ａアンテナ部２９１５Ａからアンテナ設定用シンボル群３４０１を受信し、アンテナＩＤシンボル３５０１から「第１Ａアンテナ部２９１５Ａから変調信号が通信局＃１から送信された」ことを知る。また、通信局＃２は、リファレンス信号（リファレンスシンボル）３５０２から、通信状態（通信品質）を推定する。よって、通信局＃２は、「図３４の第１Ａアンテナ部２９１５Ａから送信された変調信号も通信状態（通信品質）」を推定することになる。
【０２７９】
同様に、通信局＃１は、図３４の第２Ａアンテナ部２９１６Ａからアンテナ設定用シンボル群３４０２として、図３５の構成のシンボル群を送信するものとする。（当然であるが、アンテナＩＤシンボル３５０１は、第２Ａアンテナ部２９１６Ａであることを示している。）通信局＃２は、上述と同様の動作を行うことで、通信局＃２は、「図３４の第２Ａアンテナ部２９１６Ａから送信された変調信号も通信状態（通信品質）」を推定することになる。
【０２８０】
通信局＃１は、図３４の第３Ａアンテナ部２９１７Ａからアンテナ設定用シンボル群３４０３として、図３５の構成のシンボル群を送信するものとする。（当然であるが、アンテナＩＤシンボル３５０１は、第３Ａアンテナ部２９１７Ａであることを示している。）通信局＃２は、上述と同様の動作を行うことで、通信局＃２は、「図３４の第３Ａアンテナ部２９１７Ａから送信された変調信号も通信状態（通信品質）」を推定することになる。
【０２８１】
通信局＃１は、図３４の第１Ｂアンテナ部２９１５Ｂからアンテナ設定用シンボル群３４０４として、図３５の構成のシンボル群を送信するものとする。（当然であるが、アンテナＩＤシンボル３５０１は、第１Ｂアンテナ部２９１５Ｂであることを示している。）通信局＃２は、上述と同様の動作を行うことで、通信局＃２は、「図３４の第１Ｂアンテナ部２９１５Ｂから送信された変調信号も通信状態（通信品質）」を推定することになる。
【０２８２】
通信局＃１は、図３４の第２Ｂアンテナ部２９１６Ｂからアンテナ設定用シンボル群３４０５として、図３５の構成のシンボル群を送信するものとする。（当然であるが、アンテナＩＤシンボル３５０１は、第２Ｂアンテナ部２９１６Ｂであることを示している。）通信局＃２は、上述と同様の動作を行うことで、通信局＃２は、「図３４の第２Ｂアンテナ部２９１６Ｂから送信された変調信号も通信状態（通信品質）」を推定することになる。
【０２８３】
通信局＃１は、図３４の第３Ｂアンテナ部２９１７Ｂからアンテナ設定用シンボル群３４０６として、図３５の構成のシンボル群を送信するものとする。（当然であるが、アンテナＩＤシンボル３５０１は、第３Ｂアンテナ部２９１７Ｂであることを示している。）通信局＃２は、上述と同様の動作を行うことで、通信局＃２は、「図３４の第３Ｂアンテナ部２９１７Ｂから送信された変調信号も通信状態（通信品質）」を推定することになる。
【０２８４】
なお、図３５のようにアンテナＩＤシンボルが３５０１のように存在している場合、図３４のアンテナ設定用シンボル群３４８０におけるシンボル３４０１、３４０２、３４０３、３４０４、３４０５、３４０６の送信する順番は、図３４のように送信する必要はなく、シンボル３４０１、３４０２、３４０３、３４０４、３４０５、３４０６の送信する順番はどのように設定してもよく、また、例えば、送信する時刻により、シンボル３４０１、３４０２、３４０３、３４０４、３４０５、３４０６を送信する順番を変更してもよい。（このようにしても、図３５のようにアンテナＩＤシンボル３５０１が存在しているため、通信局＃２は、「どのアンテナから送信された変調信号であるか」を識別することが可能である。）
図３６は、アンテナ設定用シンボル群セット３４８１の構成の一例である（横軸は時間である）。図３４のようにアンテナ部αからのアンテナ設定用のシンボル群３４０８＿１とアンテナ設定用シンボル群＜１＞（３４０８＿２）を送信しているとき、図３６（ａ）が、「アンテナ部αからのアンテナ設定用のシンボル群３４０８＿１」の構成を示しており、図３６（ｂ）が、「アンテナ設定用シンボル群＜１＞（３４０８＿２）」の構成を示している。
【０２８５】
図３６（ｂ）に示すように、「アンテナ設定用シンボル群＜１＞（３４０８＿２）」には、アンテナＩＤシンボル３６０１が含まれている。アンテナＩＤシンボル３６０１は上述の説明と同様、「アンテナ設定用シンボル群＜１＞（３４０８＿２）」を送信するのに使用したアンテナのＩＤの情報を含むシンボルであり、通信局＃２は、アンテナＩＤシンボル３６０１を受信することで、通信局＃１が、「アンテナ設定用シンボル群＜１＞（３４０８＿２）」を送信するのに使用したアンテナを識別することができる。
【０２８６】
図３６（ａ）の「アンテナ部αからのアンテナ設定用のシンボル群３４０８＿１」では、アンテナ部αのアンテナＩＤのシンボルを送信してもよいし、送信しなくてもよい。（すでに通信局＃１と通信局＃２ではアンテナ部αに関する情報を共有しているからである。）
そして、図３６（ａ）の「アンテナ部αからのアンテナ設定用のシンボル群３４０８＿１」では、時間＄１において、リファレンス信号（リファレンスシンボル）３６０２を配置し、図３６（ｂ）の「アンテナ設定用シンボル群＜１＞（３４０８＿２）」でも、時間＄１において、リファレンス信号（リファレンスシンボル）３６０３を配置する。このとき、リファレンス信号（リファレンスシンボル）３６０２とリファレンス信号（リファレンスシンボル）３６０３は、同一周波数（帯）を用いて送信される。そして、リファレンス信号（リファレンスシンボル）３６０２とリファレンス信号（リファレンスシンボル）３６０３は複数のシンボルで構成されているものとする。
【０２８７】
このとき、リファレンス信号（リファレンスシンボル）３６０２およびリファレンス信号（リファレンスシンボル）３６０３がそれぞれＮ個のシンボルで構成されているものとする。
リファレンス信号（リファレンスシンボル）３６０２のＮ（Ｎは２以上の整数）個のシンボルの同相成分をＩαｖ（ｖは０以上Ｎ−１以下の整数）とあらわし、リファレンス信号（リファレンスシンボル）３６０２のＮ個のシンボルの直交成分をＱαｖ（ｖは０以上Ｎ−１以下の整数）とあらわすものとする。
【０２８８】
そして、リファレンス信号（リファレンスシンボル）３６０３のＮ（Ｎは２以上の整数）個のシンボルの同相成分をＩｘｖ（ｖは０以上Ｎ−１以下の整数）とあらわし、リファレンス信号（リファレンスシンボル）３６０３のＮ個のシンボルの直交成分をＱｘｖ（ｖは０以上Ｎ−１以下の整数）とあらわすものとする。
このとき、以下の関係式を与える。
【０２８９】
【数４７】
2017112589.tif 000049
【０２９０】
【数４８】
2017112589.tif 000050
【０２９１】
そして、以下の条件の＜条件＃１＞または＜条件＃２＞の少なくとも一方を満たすことになる。
＜条件＃１＞
式（４７）および式（４８）を満たし、ｖは０以上Ｎ−１以下の整数とし、これを満たす、すべてのｖでＩαｖ≠０、および、Ｉｘｖ≠０を満たす。
＜条件＃２＞
式（４７）および式（４８）を満たし、ｖは０以上Ｎ−１以下の整数とし、これを満たす、すべてのｖでＱαｖ≠０、および、Ｑｘｖ≠０を満たす。
【０２９２】
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０２９３】
図３４のようにアンテナ部αからアンテナ設定用のシンボル群３４０９＿１とアンテナ設定用シンボル群＜２＞（３４０９＿２）を送信しているときも、図３６（ａ）が、「アンテナ部αからのアンテナ設定用のシンボル群３４０９＿１」の構成、図３６（ｂ）が、「アンテナ設定用シンボル群＜２＞（３４０９＿２）」の構成となる。このようにし、上記で説明したリファレンス信号（リファレンスシンボル）３６０２およびリファレンス信号（リファレンスシンボル）３６０３に対し、＜条件＃１＞または＜条件＃２＞の少なくとも一方を満たすことで、アンテナ部αで送信した変調信号のチャネル状態（伝搬環境）と「アンテナ設定用シンボル群＜２＞（３４０９＿２）」におけるチャネル状態（伝搬環境）を知ることができ、これにより、好適なアンテナ選択が可能となるという利点がある。
【０２９４】
また、図３４のように、アンテナ部αからアンテナ設定用のシンボル群３４１０＿１とアンテナ設定用シンボル群＜３＞（３４１０＿２）を送信しているときも、図３６（ａ）が、「アンテナ部αからのアンテナ設定用のシンボル群３４１０＿１」の構成、図３６（ｂ）が、「アンテナ設定用シンボル群＜３＞（３４１０＿２）」の構成となる。このようにし、上記で説明したリファレンス信号（リファレンスシンボル）３６０２およびリファレンス信号（リファレンスシンボル）３６０３に対し、＜条件＃１＞または＜条件＃２＞の少なくとも一方を満たすことで、アンテナ部αで送信した変調信号のチャネル状態（伝搬環境）と「アンテナ設定用シンボル群＜３＞（３４１０＿２）」におけるチャネル状態（伝搬環境）を知ることができ、これにより、好適なアンテナ選択が可能となるという利点がある。
【０２９５】
図３７は、アンテナ設定用シンボル群セット３４８１の、図３６とは異なる構成の一例を示している（横軸は時間である）。図３４のようにアンテナ部αからのアンテナ設定用のシンボル群３４０８＿１とアンテナ設定用シンボル群＜１＞（３４０８＿２）を送信しているとき、図３７（ａ）が、「アンテナ部αからのアンテナ設定用のシンボル群３４０８＿１」の構成を示しており、図３７（ｂ）が、「アンテナ設定用シンボル群＜１＞（３４０８＿２）」の構成を示している。
【０２９６】
図３７（ｂ）に示すように、「アンテナ設定用シンボル群＜１＞（３４０８＿２）」には、アンテナＩＤシンボル３７０１が含まれている。アンテナＩＤシンボル３７０１は上述の説明と同様、「アンテナ設定用シンボル群＜１＞（３４０８＿２）」を送信するのに使用したアンテナのＩＤの情報を含むシンボルであり、通信局＃２は、アンテナＩＤシンボル３７０１を受信することで、通信局＃１が、「アンテナ設定用シンボル群＜１＞（３４０８＿２）」を送信するのに使用したアンテナを識別することができる。
【０２９７】
図３７（ａ）の「アンテナ部αからのアンテナ設定用のシンボル群３４０８＿１」では、アンテナ部αのアンテナＩＤのシンボルを送信してもよいし、送信しなくてもよい。（すでに通信局＃１と通信局＃２ではアンテナ部αに関する情報を共有しているからである。）
そして、図３７（ａ）の「アンテナ部αからのアンテナ設定用のシンボル群３４０８＿１」では、時間＄２において、リファレンス信号（リファレンスシンボル）３７０３を配置し、図３７（ｂ）の「アンテナ設定用シンボル群＜１＞（３４０８＿２）」でも、時間＄１において、リファレンス信号（リファレンスシンボル）３７０２を配置する。このとき、リファレンス信号（リファレンスシンボル）３７０２とリファレンス信号（リファレンスシンボル）３７０３は、同一周波数（帯）を用いて送信される。
【０２９８】
このとき、リファレンス信号（リファレンスシンボル）３７０２を送信している際、アンテナ部αからは変調信号を送信せず、そして、リファレンス信号（リファレンスシンボル）３７０３を送信している際、図３７（ｂ）では変調信号が存在していないものとする。
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０２９９】
なお、フレーム構成は、これに限ったものではない。変形例として、例えば、リファレンス信号（リファレンスシンボル）３７０２およびリファレンス信号（リファレンスシンボル）３７０３がそれぞれＮ個のシンボルで構成されているものとする。
リファレンス信号（リファレンスシンボル）３７０２のＮ（Ｎは２以上の整数）個のシンボルの同相成分をＩαｖ（ｖは０以上Ｎ−１以下の整数）とあらわし、リファレンス信号（リファレンスシンボル）３７０２のＮ個のシンボルの直交成分をＱαｖ（ｖは０以上Ｎ−１以下の整数）とあらわすものとする。
【０３００】
そして、リファレンス信号（リファレンスシンボル）３７０３のＮ（Ｎは２以上の整数）個のシンボルの同相成分をＩｘｖ（ｖは０以上Ｎ−１以下の整数）とあらわし、リファレンス信号（リファレンスシンボル）３７０３のＮ個のシンボルの直交成分をＱｘｖ（ｖは０以上Ｎ−１以下の整数）とあらわすものとする。
このとき、以下の関係式を与える。
【０３０１】
【数４９】
2017112589.tif 000051
【０３０２】
【数５０】
2017112589.tif 000052
【０３０３】
そして、以下の条件の＜条件＃３＞または＜条件＃４＞の少なくとも一方のいずれかを満たすことになる。
＜条件＃３＞
式（４９）および式（５０）を満たす。そして、ｖは０以上Ｎ−１以下の整数とし、ｖでＩαｖ＝０を満たすｖが存在する。そして、ｖは０以上Ｎ−１以下の整数とし、ｖでＩｘｖ＝０を満たすｖが存在する。
【０３０４】
さらに、ｖは０以上Ｎ−１以下の整数とし、これを満たす、すべてのｖでＩαｖ＝０を満たすことはない。そして、ｖは０以上Ｎ−１以下の整数とし、これを満たす、すべてのｖでＩｘｖ＝０を満たすことはない。
＜条件＃４＞
式（４９）および式（５０）を満たす。そして、ｖは０以上Ｎ−１以下の整数とし、ｖでＱαｖ＝０を満たすｖが存在する。そして、ｖは０以上Ｎ−１以下の整数とし、ｖでＱｘｖ＝０を満たすｖが存在する。
【０３０５】
さらに、ｖは０以上Ｎ−１以下の整数とし、これを満たす、すべてのｖでＱαｖ＝０を満たすことはない。そして、ｖは０以上Ｎ−１以下の整数とし、これを満たす、すべてのｖでＱｘｖ＝０を満たすことはない。
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０３０６】
図３４のようにアンテナ部αからアンテナ設定用のシンボル群３４０９＿１とアンテナ設定用シンボル群＜２＞（３４０９＿２）を送信しているときも、図３７（ａ）が、「アンテナ部αからのアンテナ設定用のシンボル群３４０９＿１」の構成、図３７（ｂ）が、「アンテナ設定用シンボル群＜２＞（３４０９＿２）」の構成となる。このようにし、上記で説明したリファレンス信号（リファレンスシンボル）３７０２およびリファレンス信号（リファレンスシンボル）３７０３に対しのように送信する、または、＜条件＃３＞または＜条件＃４＞の少なくとも一方を満たすことで、アンテナ部αで送信した変調信号のチャネル状態（伝搬環境）と「アンテナ設定用シンボル群＜２＞（３４０９＿２）」におけるチャネル状態（伝搬環境）を知ることができ、これにより、好適なアンテナ選択が可能となるという利点がある。
【０３０７】
また、図３４のように、アンテナ部αからアンテナ設定用のシンボル群３４１０＿１とアンテナ設定用シンボル群＜３＞（３４１０＿２）を送信しているときも、図３７（ａ）が、「アンテナ部αからのアンテナ設定用のシンボル群３４１０＿１」の構成、図３７（ｂ）が、「アンテナ設定用シンボル群＜３＞（３４１０＿２）」の構成となる。このようにし、上記で説明したリファレンス信号（リファレンスシンボル）３７０２およびリファレンス信号（リファレンスシンボル）３７０３に対しのように送信する、または、＜条件＃３＞または＜条件＃４＞の少なくとも一方を満たすことで、アンテナ部αで送信した変調信号のチャネル状態（伝搬環境）と「アンテナ設定用シンボル群＜３＞（３４１０＿２）」におけるチャネル状態（伝搬環境）を知ることができ、これにより、好適なアンテナ選択が可能となるという利点がある。
【０３０８】
次に、図３４のように、通信局＃１がアンテナ設定用シンボル群セット３４８１のように送信したとき、通信局＃２が良好な通信状態であると判断する例について説明する。
例えば、図３４のようにアンテナ部αからのアンテナ設定用のシンボル群３４０８＿１とアンテナ設定用シンボル群＜１＞（３４０８＿２）を送信しているものとする。このとき、通信局＃１と通信局＃２の様子の関係は、図３８のようになる。アンテナ部α（３８０２＿α）は、変調信号３８０１＿αを送信する。このとき、変調信号３８０１＿αをｚ１（ｔ）とあらわすものとする（ｔ：時間）（ｚ１（ｔ）は複素数で定義できるものとする）。そして、アンテナ部ｕ（３８０２＿ｕ）は、変調信号３８０１＿ｕを送信する。このとき、変調信号３８０１＿ｕをｚ２（ｔ）とあらわすものとする（ｚ２（ｔ）は複素数で定義できるものとする）。
【０３０９】
アンテナ部α（３８０２＿α）とアンテナ部β（３８０３＿β）間の伝搬環境をｈαβ（ｔ）とあらわし（ｈαβ（ｔ）は複素数で定義できるものとする）、アンテナ部α（３８０２＿α）とアンテナ部ｖ（３８０３＿ｖ）間の伝搬環境をｈαｖ（ｔ）とあらわし（ｈαｖ（ｔ）は複素数で定義できるものとする）、アンテナ部ｕ（３８０２＿ｕ）とアンテナ部β（３８０３＿β）間の伝搬環境をｈｕβ（ｔ）とあらわし（ｈｕβ（ｔ）は複素数で定義できるものとする）、アンテナ部ｕ（３８０２＿ｕ）とアンテナ部ｖ（３８０３＿ｖ）間の伝搬環境をｈｕｖ（ｔ）とあらわすものとする（ｈｕｖ（ｔ）は複素数で定義できるものとする）。
【０３１０】
そして、アンテナ部β（３８０３＿β）で受信した受信信号を受信信号３８０４＿βとし、受信信号３８０４＿βをｒ１（ｔ）とあらわすものとする（ｒ１（ｔ）は複素数で定義できるものとする）。アンテナ部ｖ（３８０３＿ｖ）で受信した受信信号を受信信号３８０４＿ｖとし、受信信号３８０４＿ｖをｒ２（ｔ）とあらわすものとする（ｒ２（ｔ）は複素数で定義できるものとする）。
【０３１１】
このとき、以下の関係式が成立する。
【０３１２】
【数５１】
2017112589.tif 000053
【０３１３】
このとき、二つの以下のケースを考える。
＜ケース＃１＞アンテナ部αで重み付け変更、または、位相の変更を施すことで、ビームを形成し、アンテナ部ｕにおいても重み付け変更、または、位相の変更を施すことで、ビームを形成する。
＜ケース＃２＞アンテナ部αの偏波とアンテナ部ｕの偏波が異なるものとする。
【０３１４】
＜ケース＃１＞の場合、高い受信品質を得ることができるＭＩＭＯ伝送として、受信アンテナにおいて、XPD（交差偏波識別度：Cross polarization discrimination）が大きくなるような状態が望まれる。したがって、高い受信品質を得るために、以下の条件を満足するとよい。
【０３１５】
＜条件＃５＞
ｈαβ（ｔ）の振幅がｈｕβ（ｔ）の振幅に比べ非常に大きな値であり、かつ、ｈｕｖ（ｔ）の振幅がｈαｖ（ｔ）の振幅に比べ非常に大きな値である。
＜ケース＃２＞の場合、高い受信品質を得ることができるＭＩＭＯ伝送として、受信アンテナにおいて、XPD（交差偏波識別度：Cross polarization discrimination）が大きくなるような状態が望まれる。この場合、例えば、以下の２つの条件のうち、いずれかを満足するとよい。
【０３１６】
＜条件＃６＞
ｈαβ（ｔ）の振幅がｈｕβ（ｔ）の振幅に比べ非常に大きな値であり、かつ、ｈｕｖ（ｔ）の振幅がｈαｖ（ｔ）の振幅に比べ非常に大きな値である。
＜条件＃７＞
式（５１）の行列の行列式の絶対値が大きな値をとる。
【０３１７】
図３４のように、通信局＃１がアンテナ設定用シンボル群セット３４８１を送信する場合、アンテナ部αからアンテナ設定用のシンボル群３４０８＿１とアンテナ設定用シンボル群＜１＞（３４０８＿２）を送信し、図３８の関係を用いて、通信局＃２は、高い受信品質が得られるアンテナセットであるかの判別を行う。
【０３１８】
同様に、通信局＃１は、アンテナ部αからアンテナ設定用のシンボル群３４０９＿１とアンテナ設定用シンボル群＜２＞（３４０９＿２）を送信し、図３８の関係を用いて、通信局＃２は、高い受信品質が得られるアンテナセットであるかの判別を行う。
通信局＃１は、アンテナ部αからアンテナ設定用のシンボル群３４１０＿１とアンテナ設定用シンボル群＜３＞（３４１０＿２）を送信し、図３８の関係を用いて、通信局＃２は、高い受信品質が得られるアンテナセットであるかの判別を行う。
【０３１９】
これにより、通信局＃２は、通信局＃１がアンテナ部αと同時に使用する、変調信号を送信するアンテナ部を１つ決定し、通信局＃２は、受信アンテナ部を新たに１つ決定する。
次に、図３４を用いた別の実施方法について説明する。なお、図３４については、上述で説明したので、説明を省略する。
【０３２０】
図３９は、図２９における通信局＃１の第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂを例とするアンテナ部の構成の一例を示している。
分配部３９０２は、変調信号３９０１を入力とし、変調信号３９０１をを分配し、変調信号３９０３＿１、３９０３＿２、３９０３＿３、３９０３＿４を出力する。
【０３２１】
乗算部３９０４＿１は、アンテナ制御信号３９００、変調信号３９０３＿１を入力とし、アンテナ制御信号３９００における乗算係数に基づいて、変調信号３９０３＿１に、例えば、係数Ｗ１を乗算し、係数乗算後の変調信号３９０５＿１を出力する（Ｗ１は複素数で定義できるものとする）。そして、係数乗算後の変調信号３９０５＿１はアンテナ３９０６＿１から電波として出力される。
【０３２２】
同様に、乗算部３９０４＿２は、アンテナ制御信号３９００、変調信号３９０３＿２を入力とし、アンテナ制御信号３９００における乗算係数に基づいて、変調信号３９０３＿２に、例えば、係数Ｗ２を乗算し、係数乗算後の変調信号３９０５＿２を出力する（Ｗ２は複素数で定義できるものとする）。そして、係数乗算後の変調信号３９０５＿２はアンテナ３９０６＿２から電波として出力される。
【０３２３】
乗算部３９０４＿３は、アンテナ制御信号３９００、変調信号３９０３＿３を入力とし、アンテナ制御信号３９００における乗算係数に基づいて、変調信号３９０３＿３に、例えば、係数Ｗ３を乗算し、係数乗算後の変調信号３９０５＿３を出力する（Ｗ３は複素数で定義できるものとする）。そして、係数乗算後の変調信号３９０５＿３はアンテナ３９０６＿３から電波として出力される。
【０３２４】
乗算部３９０４＿４は、アンテナ制御信号３９００、変調信号３９０３＿４を入力とし、アンテナ制御信号３９００における乗算係数に基づいて、変調信号３９０３＿４に、例えば、係数Ｗ４を乗算し、係数乗算後の変調信号３９０５＿４を出力する（Ｗ４は複素数で定義できるものとする）。そして、係数乗算後の変調信号３９０５＿４はアンテナ３９０６＿４から電波として出力される。
【０３２５】
なお、「Ｗ１の絶対値、Ｗ２の絶対値、Ｗ３の絶対値、Ｗ４の絶対値が等しく」てもよい。このとき、位相変更が行われたことに相当する。（当然であるが、Ｗ１の絶対値、Ｗ２の絶対値、Ｗ３の絶対値、Ｗ４の絶対値は等しくなくてもよい。）
また、図３９では、アンテナ部は、４本のアンテナ（および、４つの乗算部）で構成されている例で説明しているが、アンテナの本数は４に限ったものではなく、２本以上のアンテナで構成されていればよい。（ただし、アンテナ部は、１本のアンテナで構成してもよい。）
図４０は、図３０における通信局＃２の第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、段３Ｙアンテナ部３００３Ｙを例とするアンテナ部の構成の一例を示している。
【０３２６】
乗算部４００３＿１は、アンテナ４００１＿１で受信した受信信号４００２＿１、アンテナ制御信号４０００を入力とし、アンテナ制御信号４０００における乗算係数に基づいて、受信信号４００２＿１に、例えば、係数Ｖ１を乗算し、係数乗算後の受信信号４００４＿１を出力する（Ｖ１は複素数で定義できるものとする）。
乗算部４００３＿２は、アンテナ４００１＿２で受信した受信信号４００２＿２、アンテナ制御信号４０００を入力とし、アンテナ制御信号４０００における乗算係数に基づいて、受信信号４００２＿２に、例えば、係数Ｖ２を乗算し、係数乗算後の受信信号４００４＿２を出力する（Ｖ２は複素数で定義できるものとする）。
【０３２７】
乗算部４００３＿３は、アンテナ４００１＿３で受信した受信信号４００３＿３、アンテナ制御信号４０００を入力とし、アンテナ制御信号４０００における乗算係数に基づいて、受信信号４００２＿３に、例えば、係数Ｖ３を乗算し、係数乗算後の受信信号４００４＿３を出力する（Ｖ３は複素数で定義できるものとする）。
乗算部４００３＿４は、アンテナ４００１＿４で受信した受信信号４００３＿３、アンテナ制御信号４０００を入力とし、アンテナ制御信号４０００における乗算係数に基づいて、受信信号４００２＿４に、例えば、係数Ｖ４を乗算し、係数乗算後の受信信号４００４＿４を出力する（Ｖ４は複素数で定義できるものとする）。
【０３２８】
合成部４００５は、係数乗算後の受信信号４００４＿１、４００４＿２、４００４＿３、４００４＿４を入力とし、係数乗算後の受信信号４００４＿１、４００４＿２、４００４＿３、４００４＿４を合成し、合成語の受信信号４００６を出力する。
なお、「Ｖ１の絶対値、Ｖ２の絶対値、Ｖ３の絶対値、Ｖ４の絶対値が等しく」てもよい。このとき、位相変更が行われたことに相当する。（当然であるが、Ｖ１の絶対値、Ｖ２の絶対値、Ｖ３の絶対値、Ｖ４の絶対値は等しくなくてもよい。）
また、図４０では、アンテナ部は、４本のアンテナ（および、４つの乗算部）で構成されている例で説明しているが、アンテナの本数は４に限ったものではなく、２本以上のアンテナで構成されていればよい。（ただし、アンテナ部は、１本のアンテナで構成してもよい。）
図４１は、アンテナ設定用シンボル群３４８０の構成の一例であり、横軸は時間である。第１Ａアンテナ部２９１５Ａからアンテナ設定用シンボル群３４０１、第２Ａアンテナ部２９１６Ａからアンテナ設定用シンボル群３４０２、第３Ａアンテナ部２９１７Ａからアンテナ設定用シンボル群３４０３、第１Ｂアンテナ部２９１５Ｂからアンテナ設定用シンボル群３４０４、第２Ｂアンテナ部２９１６Ｂからアンテナ設定用シンボル群３４０５、第３Ｂアンテナ部２９１７Ｂからアンテナ設定用シンボル群３４０６の各シンボル群は、例えば、図４１のような構成とする。
【０３２９】
第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂには、それぞれ固有のアンテナＩＤ（ＩＤ：identification）が付与されているものとする。したがって、例えば、第１Ａアンテナ部２９１５Ａからアンテナ設定用シンボル群３４０１を送信する際、アンテナＩＤシンボル４１０１では、第１Ａアンテナ部２９１５ＡのアンテナＩＤを送信することになる。
【０３３０】
そして、図４１に示したように、アンテナＩＤシンボル４１０１に加えて、リファレンス信号（リファレンスシンボル）４１０２−１、４１０２−２、４２０２−３、・・・を、通信局＃１は、送信する。リファレンス信号（リファレンスシンボル）４１０２−１、４１０２−２、４２０２−３、・・・の役割は、通信局＃２が通信状態（受信品質）（例えば、受信電界強度）を推定することを実現するための信号（シンボル）である。よって、例えば、通信局＃２にとっても既知の信号（例えば、既知のＰＳＫ（Phase Shift Keying）シンボル）であるとする。
【０３３１】
また、リファレンス信号（リファレンスシンボル）４１０２−１を送信する際、図３９に関する説明における、係数Ｗ１＝Ｗ１１、係数Ｗ２＝Ｗ２１、係数Ｗ３＝Ｗ３１、係数Ｗ４＝Ｗ４１と設定するものとする。
そして、リファレンス信号（リファレンスシンボル）４１０２−２を送信する際、図３９に関する説明における、係数Ｗ１＝Ｗ１２、係数Ｗ２＝Ｗ２２、係数Ｗ３＝Ｗ３２、係数Ｗ４＝Ｗ４２と設定するものとする。
【０３３２】
リファレンス信号（リファレンスシンボル）４１０２−３を送信する際、図３９に関する説明における、係数Ｗ１＝Ｗ１３、係数Ｗ２＝Ｗ２３、係数Ｗ３＝Ｗ３３、係数Ｗ４＝Ｗ４３と設定するものとする。
・・・
（リファレンス信号（リファレンスシンボル）４１０２−ｉを送信する際、図３９に関する説明における、係数Ｗ１＝Ｗ１ｉ、係数Ｗ２＝Ｗ２ｉ、係数Ｗ３＝Ｗ３ｉ、係数Ｗ４＝Ｗ４ｉと設定するものとする。（アンテナ数によって、必要となる係数の数は異なる。））
図４２は、図４１とは異なるアンテナ設定用シンボル群３４８０の構成の一例であり、図４１と同様に動作するものについては、同一番号を付与している（横軸は時間である。）。図４２が、図４１と異なる点は、常に、リファレンス信号（リファレンスシンボル）とアンテナＩＤシンボルがセットになり、送信されている点である。したがって、アンテナＩＤシンボル４２０１とアンテナＩＤシンボル４２０２を、図４２では記載している。
【０３３３】
図４１、図４２いずれの場合も、上述で説明したような、リファレンス信号（リファレンスシンボル）４１０２−１、４１０２−２、４１０２−３、・・・を送信する。このとき、以下の条件が成立するものとする。
＜条件＃８＞
ｉは１以上Ｎ以下の整数とし（Ｎは２以上の整数）、ｊは１以上Ｎ以下の整数とし、ｉ≠ｊとし、これを満たす、すべてのｉ、すべてのｊで、｛Ｗ１ｉ≠Ｗ１ｊ、または、Ｗ２ｉ≠Ｗ２ｊ、または、Ｗ３ｉ≠Ｗ３ｊ、または、Ｗ４ｉ≠Ｗ１４、｝を満たすものとする。
【０３３４】
通信局＃１は、図３４の第１Ａアンテナ部２９１５Ａからアンテナ設定用シンボル群３４０１として、図４１の構成のシンボル群を送信するものとする。（当然であるが、アンテナＩＤシンボル３５０１は、第１Ａアンテナ部２９１５Ａであることを示している。）
そして、通信局＃２は、図３４の第１Ａアンテナ部２９１５Ａを用いて送信されたアンテナ設定用シンボル群３４０１を受信し、アンテナＩＤシンボル４１０１から「第１Ａアンテナ部２９１５Ａから変調信号が通信局＃１から送信された」ことを知る。また、通信局＃２は、リファレンス信号（リファレンスシンボル）４１０２−１、４１０２−２、４１０２−３、・・・から、（第１Ａアンテナ部２９１５Ａから送信された）それぞれのリファレンス信号（リファレンスシンボル）における通信状態（通信品質）を推定する。
【０３３５】
同様に、通信局＃１は、図３４の第２Ａアンテナ部２９１６Ａからアンテナ設定用シンボル群３４０２として、図４１の構成のシンボル群を送信するものとする。（当然であるが、アンテナＩＤシンボル４１０１は、第２Ａアンテナ部２９１６Ａであることを示している。）
通信局＃２は、上述と同様の動作を行うことで、リファレンス信号（リファレンスシンボル）４１０２−１、４１０２−２、４１０２−３、・・・から、（第２Ａアンテナ部２９１６Ａから送信された）それぞれのリファレンス信号（リファレンスシンボル）における通信状態（通信品質）を推定する。
【０３３６】
通信局＃１は、図３４の第３Ａアンテナ部２９１７Ａからアンテナ設定用シンボル群３４０３として、図４１の構成のシンボル群を送信するものとする。（当然であるが、アンテナＩＤシンボル４１０１は、第３Ａアンテナ部２９１７Ａであることを示している。）
通信局＃２は、上述と同様の動作を行うことで、リファレンス信号（リファレンスシンボル）４１０２−１、４１０２−２、４１０２−３、・・・から、（第３Ａアンテナ部２９１７Ａから送信された）それぞれのリファレンス信号（リファレンスシンボル）における通信状態（通信品質）を推定する。
【０３３７】
通信局＃１は、図３４の第１Ｂアンテナ部２９１５Ｂからアンテナ設定用シンボル群３４０４として、図４１の構成のシンボル群を送信するものとする。（当然であるが、アンテナＩＤシンボル４１０１は、第１Ｂアンテナ部２９１５Ｂであることを示している。）
通信局＃２は、上述と同様の動作を行うことで、リファレンス信号（リファレンスシンボル）４１０２−１、４１０２−２、４１０２−３、・・・から、（第１Ｂアンテナ部２９１５Ｂから送信された）それぞれのリファレンス信号（リファレンスシンボル）における通信状態（通信品質）を推定する。
【０３３８】
通信局＃１は、図３４の第２Ｂアンテナ部２９１６Ｂからアンテナ設定用シンボル群３４０５として、図４１の構成のシンボル群を送信するものとする。（当然であるが、アンテナＩＤシンボル４１０１は、第２Ｂアンテナ部２９１６Ｂであることを示している。）
通信局＃２は、上述と同様の動作を行うことで、リファレンス信号（リファレンスシンボル）４１０２−１、４１０２−２、４１０２−３、・・・から、（第２Ｂアンテナ部２９１６Ｂから送信された）それぞれのリファレンス信号（リファレンスシンボル）における通信状態（通信品質）を推定する。
【０３３９】
通信局＃１は、図３４の第３Ｂアンテナ部２９１７Ｂからアンテナ設定用シンボル群３４０６として、図４１の構成のシンボル群を送信するものとする。（当然であるが、アンテナＩＤシンボル４１０１は、第３Ｂアンテナ部２９１７Ｂであることを示している。）
通信局＃２は、上述と同様の動作を行うことで、リファレンス信号（リファレンスシンボル）４１０２−１、４１０２−２、４１０２−３、・・・から、（第３Ｂアンテナ部２９１７Ｂから送信された）それぞれのリファレンス信号（リファレンスシンボル）における通信状態（通信品質）を推定する。
【０３４０】
そして、通信局＃２、これらのリファレンス信号（リファレンスシンボル）の通信状態（通信品質）から、受信品質が良好となる、「通信局＃１のアンテナ部、および、乗算係数」を推定する。そして、通信局＃２は、受信品質が良好となる「通信局＃１のアンテナ部、および、乗算係数」に関する情報を通信局＃１に対し、送信することになる。（図３４の「送信＄１（３４５１）」）
なお、図４１、図４２のようにアンテナＩＤシンボルが４１０１のように存在している場合、図３４のアンテナ設定用シンボル群３４８０におけるシンボル３４０１、３４０２、３４０３、３４０４、３４０５、３４０６の送信する順番は、図３４のように送信する必要はなく、シンボル３４０１、３４０２、３４０３、３４０４、３４０５、３４０６の送信する順番はどのように設定してもよく、また、例えば、送信する時刻により、シンボル３４０１、３４０２、３４０３、３４０４、３４０５、３４０６を送信する順番を変更してもよい。（このようにしても、図４１、図４２のようにアンテナＩＤシンボル４１０１が存在しているため、通信局＃２は、「どのアンテナから送信された変調信号であるか」を識別することが可能である。）
また、図４２において、アンテナＩＤシンボル４１０１を送信する際、通信局＃１は、リファレンス信号（リファレンスシンボル）４１０２−１を送信するときと同様の係数Ｗ１，Ｗ２、Ｗ３、Ｗ４を使用して、アンテナＩＤシンボル４１０１を送信し、アンテナＩＤシンボル４２０１を送信する際、通信局＃１は、リファレンス信号（リファレンスシンボル）４１０２−２を送信するときと同様の係数Ｗ１、Ｗ２、Ｗ３、Ｗ４を使用して、アンテナＩＤシンボル４２０１を送信し、アンテナＩＤシンボル４２０２を送信する際、通信局＃１は、リファレンス信号（リファレンスシンボル）４１０２−３を送信するときと同様の係数Ｗ１、Ｗ２、Ｗ３、Ｗ４を使用して、アンテナＩＤシンボル４２０２を送信してもよい。
【０３４１】
図３４に示したように、通信局＃２がアンテナ関連シンボル群＄１（３４５１）を送信し、通信局＃１が、このシンボル群を受信することで、通信局＃１は、変調信号を送信する際に使用するアンテナ部および乗算係数を決定する。そして、通信局＃１は、決定したアンテナ部と乗算係数を用いてアンテナ部αからアンテナ設定用のシンボル群３４０７を送信する。
【０３４２】
そして、通信局＃２は、通信局＃１が送信したアンテナ設定用シンボル群３４０７を、第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙを用いて受信する。このとき、通信局＃２の各受信アンテナ部は、図４０の構成を具備しており、好適な乗算係数についてもあわせて推定する。よって、通信局＃２は、受信に使用する受信アンテナ部を一つ決定し、加えて、好適な乗算係数を決定する。（なお、前にも説明したように、ここで、決定した受信に使用するアンテナ部を「決定したアンテナ部β」と名付ける。）そして、通信局＃２は、使用する受信アンテナ部が一つ決定したことを通信局＃１に通知するために、アンテナ関連シンボル群＄２（３４５２）を送信する。（このとき、アンテナ関連シンボル群＄２（３４５２）は、決定した受信アンテナの情報を含んでいてもよい。）
通信局＃１は、通信局＃２が送信したアンテナ関連シンボル群＄２（３４５２）を受信し、通信局＃２が受信に使用するアンテナ部が一つ決定したことを知ることになる。これにより、通信局＃１が送信に使用するアンテナ部一つと通信局＃２が使用するアンテナ部一つが決定したことになる。（あわせて、通信局＃１が使用する乗算係数、および、通信局＃２が使用する乗算係数も決定したことになる。）したがって、通信局＃１が送信に使用するもう一つのアンテナ部と使用する乗算係数、および、通信局＃２が受信に使用するもう一つのアンテナ部と使用する乗算係数を決めるための手続きに入ることになる。
【０３４３】
通信局＃１は、以下のルールで、「アンテナ部αからアンテナ設定用のシンボル群３４０８＿１を送信、アンテナ設定用シンボル群＜１＞（３４０８＿２）を送信、アンテナ部αからアンテナ設定用のシンボル群３４０９＿１を送信、アンテナ設定用シンボル群＜２＞（３４０９＿２）を送信、アンテナ部αからアンテナ設定用のシンボル群３４１０＿１を送信、アンテナ設定用シンボル群＜３＞（３４１０＿２）を送信する。」なお、これらのシンボル群をアンテナ設定用シンボル群セット３４８１と呼ぶことにする。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αからアンテナ設定用のシンボル群３４０８＿１を送信し、第１Ｂアンテナ部２９１５Ｂからアンテナ設定用シンボル群＜１＞（３４０８＿２）を送信」する。その後、「決定したアンテナ部αからアンテナ設定用のシンボル群３４０９＿１を送信し、第２Ｂアンテナ部２９１６Ｂからアンテナ設定用シンボル群＜２＞（３４０９＿２）を送信」し、「決定したアンテナ部αからアンテナ設定用のシンボル群３４１０＿１を送信し、第３Ｂアンテナ部２９１７Ｂからアンテナ設定用シンボル群＜３＞（３４１０＿２）を送信」する。（なお、決定したアンテナ部αからアンテナ設定用のシンボル群３４０８＿１を送信し、第１Ｂアンテナ２９１５Ｂからアンテナ設定用シンボル群＜１＞（３４０８＿２）を送信、続いて、第２Ｂアンテナ２９１６Ｂからアンテナ設定用シンボル群＜２＞（３４０９＿２）を送信、第３Ｂアンテナ２９１７Ｂからアンテナ設定用シンボル群＜３＞（３４１０＿２）を送信、としてもよい。このとき、シンボルの送信する順番は、これに限ったものではない。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αからアンテナ設定用のシンボル群３４０８＿１を送信し、第１Ａアンテナ部２９１５Ａからアンテナ設定用シンボル群＜１＞（３４０８＿２）を送信」する。その後、「決定したアンテナ部αからアンテナ設定用のシンボル群３４０９＿１を送信し、第２Ａアンテナ部２９１６Ａからアンテナ設定用シンボル群＜２＞（３４０９＿２）を送信」し、「決定したアンテナ部αからアンテナ設定用のシンボル群３４１０＿１を送信し、第３Ａアンテナ部２９１７Ａからアンテナ設定用シンボル群＜３＞（３４１０＿２）を送信」する。（なお、決定したアンテナ部αからアンテナ設定用のシンボル群３４０８＿１を送信し、第１Ａアンテナ２９１５Ａからアンテナ設定用のシンボル群３４０８＿１を送信、続いて、第２Ａアンテナ２９１６Ａからアンテナ設定用シンボル群＜２＞（３４０９＿２）を送信、第３Ａアンテナ２９１７Ａからアンテナ設定用シンボル群＜３＞（３４１０＿２）を送信、としてもよい。このとき、シンボルを送信する順番は、これに限ったものではない。）
図４３は、アンテナ設定用シンボル群セット３４８１の構成の一例である（横軸は時間である）。図３４のようにアンテナ部αからのアンテナ設定用のシンボル群３４０８＿１とアンテナ設定用シンボル群＜１＞（３４０８＿２）を送信しているとき、図４３（ａ）が、「アンテナ部αからのアンテナ設定用のシンボル群３４０８＿１」の構成を示しており、図４３（ｂ）が、「アンテナ設定用シンボル群＜１＞（３４０８＿２）」の構成を示している。
【０３４４】
図４３（ｂ）に示すように、「アンテナ設定用シンボル群＜１＞（３４０８＿２）」には、アンテナＩＤシンボル４３０１が含まれている。アンテナＩＤシンボル４３０１は上述の説明と同様、「アンテナ設定用シンボル群＜１＞（３４０８＿２）」を送信するのに使用したアンテナのＩＤの情報を含むシンボルであり、通信局＃２は、アンテナＩＤシンボル４３０１を受信することで、通信局＃１が、「アンテナ設定用シンボル群＜１＞（３４０８＿２）」を送信するのに使用したアンテナを識別することができる。
【０３４５】
図４３（ａ）の「アンテナ部αからのアンテナ設定用のシンボル群３４０８＿１」では、アンテナ部αのアンテナＩＤのシンボルを送信してもよいし、送信しなくてもよい。（すでに通信局＃１と通信局＃２ではアンテナ部αに関する情報を共有しているからである。）
そして、図４３（ａ）の「アンテナ部αからのアンテナ設定用のシンボル群３４０８＿１」では、時間＄１において、リファレンス信号（リファレンスシンボル）４３０２−１を配置し、図４３（ｂ）の「アンテナ設定用シンボル群＜１＞（３４０８＿２）」でも、時間＄１において、リファレンス信号（リファレンスシンボル）４３０３を配置する。このとき、リファレンス信号（リファレンスシンボル）４３０２−１とリファレンス信号（リファレンスシンボル）４３０３は、同一周波数（帯）を用いて送信される。そして、リファレンス信号（リファレンスシンボル）４３０２−１とリファレンス信号（リファレンスシンボル）４３０３は複数のシンボルで構成されているものとする。
【０３４６】
このとき、リファレンス信号（リファレンスシンボル）４３０２−１およびリファレンス信号（リファレンスシンボル）４３０３がそれぞれＮ個のシンボルで構成されているものとする。
リファレンス信号（リファレンスシンボル）４３０２−１のＮ（Ｎは２以上の整数）個のシンボルの同相成分をＩαｖ（ｖは０以上Ｎ−１以下の整数）とあらわし、リファレンス信号（リファレンスシンボル）４３０２−１のＮ個のシンボルの直交成分をＱαｖ（ｖは０以上Ｎ−１以下の整数）とあらわすものとする。
【０３４７】
そして、リファレンス信号（リファレンスシンボル）４３０３のＮ（Ｎは２以上の整数）個のシンボルの同相成分をＩｘｖ（ｖは０以上Ｎ−１以下の整数）とあらわし、リファレンス信号（リファレンスシンボル）４３０３のＮ個のシンボルの直交成分をＱｘｖ（ｖは０以上Ｎ−１以下の整数）とあらわすものとする。
このとき、以下の関係式を与える。
【０３４８】
【数５２】
2017112589.tif 000054
【０３４９】
【数５３】
2017112589.tif 000055
【０３５０】
そして、以下の条件の＜条件＃９＞または＜条件＃１０＞の少なくとも一方を満たすことになる。
＜条件＃９＞
式（５２）および式（５３）を満たし、ｖは０以上Ｎ−１以下の整数とし、これを満たす、すべてのｖでＩαｖ≠０、および、Ｉｘｖ≠０を満たす。
＜条件＃１０＞
式（５２）および式（５３）を満たし、ｖは０以上Ｎ−１以下の整数とし、これを満たす、すべてのｖでＱαｖ≠０、および、Ｑｘｖ≠０を満たす。
【０３５１】
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０３５２】
なお、リファレンス信号（リファレンスシンボル）４３０３を送信する際、図３９に関する説明における、係数Ｗ１＝ｕ１１、係数Ｗ２＝ｕ２１、係数Ｗ３＝ｕ３１、係数Ｗ４＝ｕ４１と設定するものとする。
（このとき、リファレンス信号（リファレンスシンボル）４３０２−１を通信局＃１が送信するのに使用する係数は、アンテナ部αであることから、すでに決定している。）
図４３（ａ）の「アンテナ部αからのアンテナ設定用のシンボル群３４０８＿１」では、時間＄２において、リファレンス信号（リファレンスシンボル）４３０２−２を配置し、図４３（ｂ）の「アンテナ設定用シンボル群＜１＞（３４０８＿２）」でも、時間＄２において、リファレンス信号（リファレンスシンボル）４３０４を配置する。このとき、リファレンス信号（リファレンスシンボル）４３０２−２とリファレンス信号（リファレンスシンボル）４３０４は、同一周波数（帯）を用いて送信される。そして、リファレンス信号（リファレンスシンボル）４３０２−２とリファレンス信号（リファレンスシンボル）４３０４は複数のシンボルで構成されているものとする。
【０３５３】
このとき、リファレンス信号（リファレンスシンボル）４３０２−２およびリファレンス信号（リファレンスシンボル）４３０４がそれぞれＮ個のシンボルで構成されているものとする。
リファレンス信号（リファレンスシンボル）４３０２−２のＮ（Ｎは２以上の整数）個のシンボルの同相成分をＩαｖ（ｖは０以上Ｎ−１以下の整数）とあらわし、リファレンス信号（リファレンスシンボル）４３０２−２のＮ個のシンボルの直交成分をＱαｖ（ｖは０以上Ｎ−１以下の整数）とあらわすものとする。
【０３５４】
そして、リファレンス信号（リファレンスシンボル）４３０４のＮ（Ｎは２以上の整数）個のシンボルの同相成分をＩｘｖ（ｖは０以上Ｎ−１以下の整数）とあらわし、リファレンス信号（リファレンスシンボル）４３０４のＮ個のシンボルの直交成分をＱｘｖ（ｖは０以上Ｎ−１以下の整数）とあらわすものとする。
このとき、以下の関係式を与える。
【０３５５】
【数５４】
2017112589.tif 000056
【０３５６】
【数５５】
2017112589.tif 000057
【０３５７】
そして、以下の条件の＜条件＃１１＞または＜条件＃１２＞の少なくとも一方を満たすことになる。
＜条件＃１１＞
式（５４）および式（５５）を満たし、ｖは０以上Ｎ−１以下の整数とし、これを満たす、すべてのｖでＩαｖ≠０、および、Ｉｘｖ≠０を満たす。
＜条件＃１２＞
式（５４）および式（５５）を満たし、ｖは０以上Ｎ−１以下の整数とし、これを満たす、すべてのｖでＱαｖ≠０、および、Ｑｘｖ≠０を満たす。
【０３５８】
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０３５９】
なお、リファレンス信号（リファレンスシンボル）４３０４を送信する際、図３９に関する説明における、係数Ｗ１＝ｕ１２、係数Ｗ２＝ｕ２２、係数Ｗ３＝ｕ３２、係数Ｗ４＝ｕ４２と設定するものとする。
（このとき、リファレンス信号（リファレンスシンボル）４３０２−２を通信局＃１が送信するのに使用する係数は、アンテナ部αであることから、すでに決定している。）
図４３（ａ）の「アンテナ部αからのアンテナ設定用のシンボル群３４０８＿１」では、時間＄３において、リファレンス信号（リファレンスシンボル）４３０２−３を配置し、図４３（ｂ）の「アンテナ設定用シンボル群＜１＞（３４０８＿２）」でも、時間＄３において、リファレンス信号（リファレンスシンボル）４３０５を配置する。このとき、リファレンス信号（リファレンスシンボル）４３０２−３とリファレンス信号（リファレンスシンボル）４３０５は、同一周波数（帯）を用いて送信される。そして、リファレンス信号（リファレンスシンボル）４３０２−３とリファレンス信号（リファレンスシンボル）４３０５は複数のシンボルで構成されているものとする。
【０３６０】
このとき、リファレンス信号（リファレンスシンボル）４３０２−３およびリファレンス信号（リファレンスシンボル）４３０５がそれぞれＮ個のシンボルで構成されているものとする。
リファレンス信号（リファレンスシンボル）４３０２−３のＮ（Ｎは２以上の整数）個のシンボルの同相成分をＩαｖ（ｖは０以上Ｎ−１以下の整数）とあらわし、リファレンス信号（リファレンスシンボル）４３０２−３のＮ個のシンボルの直交成分をＱαｖ（ｖは０以上Ｎ−１以下の整数）とあらわすものとする。
【０３６１】
そして、リファレンス信号（リファレンスシンボル）４３０５のＮ（Ｎは２以上の整数）個のシンボルの同相成分をＩｘｖ（ｖは０以上Ｎ−１以下の整数）とあらわし、リファレンス信号（リファレンスシンボル）４３０５のＮ個のシンボルの直交成分をＱｘｖ（ｖは０以上Ｎ−１以下の整数）とあらわすものとする。
このとき、以下の関係式を与える。
【０３６２】
【数５６】
2017112589.tif 000058
【０３６３】
【数５７】
2017112589.tif 000059
【０３６４】
そして、以下の条件の＜条件＃１３＞または＜条件＃１４＞の少なくとも一方を満たすことになる。
＜条件＃１３＞
式（５６）および式（５７）を満たし、ｖは０以上Ｎ−１以下の整数とし、これを満たす、すべてのｖでＩαｖ≠０、および、Ｉｘｖ≠０を満たす。
＜条件＃１４＞
式（５６）および式（５７）を満たし、ｖは０以上Ｎ−１以下の整数とし、これを満たす、すべてのｖでＱαｖ≠０、および、Ｑｘｖ≠０を満たす。
【０３６５】
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０３６６】
なお、リファレンス信号（リファレンスシンボル）４３０５を送信する際、図３９に関する説明における、係数Ｗ１＝ｕ１３、係数Ｗ２＝ｕ２３、係数Ｗ３＝ｕ３３、係数Ｗ４＝ｕ４３と設定するものとする。
（このとき、リファレンス信号（リファレンスシンボル）４３０２−５を通信局＃１が送信するのに使用する係数は、アンテナ部αであることから、すでに決定している。）
上述において、同一時間に送信するリファレンス信号（リファレンスシンボル）のセットは３としているがこれに限ったものではなく、例えばＮセット（Ｎは２以上の整数）としてもよい。このとき、図４３（ｂ）において、リファレンス信号（リファレンスシンボル）を送信する際、図３９に関する説明における、係数Ｗ１＝ｕ１ｉ、係数Ｗ２＝ｕ２ｉ、係数Ｗ３＝ｕ３ｉ、係数Ｗ４＝ｕ４ｉと設定するものとする（ｉは１以上Ｎ以下の整数）。
【０３６７】
図４４は、アンテナ設定用シンボル群セット３４８１の、図４３とは異なる構成の一例を示している（横軸は時間である）。図４４において、図４３と同様に動作するものについては、同一番号を付与している。図４４が、図４３と異なる点は、常に、リファレンス信号（リファレンスシンボル）とアンテナＩＤシンボルがセットになり、送信されている点である。したがって、アンテナＩＤシンボル４４０１、４４０２、４４０３が存在している。そして、図４４において、リファレンス信号（リファレンスシンボル）４３０２−１、４３０２−２、４３０２−３、リファレンス信号（リファレンスシンボル）４３０３、４３０４、４３０５の構成方法については、図４３を用いて説明したとおりである。
【０３６８】
図４３、図４４いずれの場合も、上述で説明したようなリファレンス信号４３０３、４３０４、４３０５、・・・を送信する。このとき、以下の条件が成立するものとする。
＜条件＃１５＞
ｉは１以上Ｎ以下の整数とし（Ｎは２以上の整数）、ｊは１以上Ｎ以下の整数とし、ｉ≠ｊとし、これを満たす、すべてのｉ、すべてのｊで、｛ｕ１ｉ≠ｕ１ｊ、または、ｕ２ｉ≠ｕ２ｊ、または、ｕ３ｉ≠ｕ３ｊ、または、ｕ４ｉ≠ｕ４ｊ｝を満たすものとする。
【０３６９】
図３４のように、アンテナ部αからアンテナ設定用のシンボル群３４０９＿１とアンテナ設定用シンボル群＜２＞（３４０９＿２）を送信しているとき、図４３（ａ）が、「アンテナ部αからのアンテナ設定用のシンボル群３４０９＿１」の構成、図４３（ｂ）が、「アンテナ設定用シンボル群＜２＞（３４０９＿２）」の構成となる。または、図４４（ａ）が、「アンテナ部αからのアンテナ設定用のシンボル群３４０９＿１」の構成、図４４（ｂ）が、「アンテナ設定用シンボル群＜２＞（３４０９＿２）」の構成となる。このようにし、上記で説明したリファレンス信号（リファレンスシンボル）４３０２−１、４３０２−２、４３０２−３、・・・、および、リファレンス信号（リファレンスシンボル）４３０３、４３０４、４３０５、・・・に対し、上述の説明と同様に、リファレンス信号（リファレンスシンボル）を構成するものとする。
【０３７０】
また、図３４のように、アンテナ部αからアンテナ設定用のシンボル群３４１０＿１とアンテナ設定用シンボル群＜３＞（３４１０＿２）を送信しているとき、図４３（ａ）が、「アンテナ部αからのアンテナ設定用のシンボル群３４０９＿１」の構成、図４３（ｂ）が、「アンテナ設定用シンボル群＜３＞（３４０９＿２）」の構成となる。または、図４４（ａ）が、「アンテナ部αからのアンテナ設定用のシンボル群３４０９＿１」の構成、図４４（ｂ）が、「アンテナ設定用シンボル群＜３＞（３４０９＿２）」の構成となる。このようにし、上記で説明したリファレンス信号（リファレンスシンボル）４３０２−１、４３０２−２、４３０２−３、・・・、および、リファレンス信号（リファレンスシンボル）４３０３、４３０４、４３０５、・・・に対し、上述の説明と同様に、リファレンス信号（リファレンスシンボル）を構成するものとする。
【０３７１】
通信局＃２は、上述と同様の動作を行うことで、アンテナ部αを用いて送信されたアンテナ設定用のシンボル群３４０９＿１とアンテナ設定用シンボル群＜２＞（３４０９＿２）におけるリファレンス信号（リファレンスシンボル）４３０２−１、４３０２−２、４３０２−３、・・・、および、リファレンス信号（リファレンスシンボル）４３０３、４３０４、４３０５から、それぞれのリファレンス信号（リファレンスシンボル）における通信状態（通信品質）を推定する。
【０３７２】
そして、通信局＃２は、上述と同様の動作を行うことで、アンテナ部αを用いて送信されたアンテナ設定用のシンボル群３４１０＿１とアンテナ設定用シンボル群＜３＞（３４１０＿２）におけるリファレンス信号（リファレンスシンボル）４３０２−１、４３０２−２、４３０２−３、・・・、および、リファレンス信号（リファレンスシンボル）４３０３、４３０４、４３０５から、それぞれのリファレンス信号（リファレンスシンボル）における通信状態（通信品質）を推定する。
【０３７３】
そして、通信局＃２、これらのリファレンス信号（リファレンスシンボル）の通信状態（通信品質）から、受信品質が良好となる、「通信局＃１のアンテナ部、および、乗算係数」を推定する。そして、通信局＃２は、受信品質が良好となる「通信局＃１の（新たな）アンテナ部（アンテナ部αでないアンテナ部）、および、（新たなアンテナ部の）乗算係数」に関する情報を通信局＃１に対し、送信することになる。（図３４の「送信＄３（３４５３）」）
図４５は、アンテナ設定用シンボル群セット３４８１の、図４３、図４４とは異なる構成の一例を示している（横軸は時間である。）。アンテナ部αからのアンテナ設定用のシンボル群３４０８＿１とアンテナ設定用シンボル群＜１＞（３４０８＿２）を送信しているとき、図４５（ａ）が、「アンテナ部αからのアンテナ設定用のシンボル群３４０８＿１」の構成を示しており、図４５（ｂ）が、「アンテナ設定用シンボル群＜１＞（３４０８＿２）」の構成を示している。
【０３７４】
図４５（ｂ）に示すように、「アンテナ設定用シンボル群＜１＞（３４０８＿２）」には、アンテナＩＤシンボル４５０１が含まれている。アンテナＩＤシンボル４５０１は上述の説明と同様、「アンテナ設定用シンボル群＜１＞（３４０８＿２）」を送信するのに使用したアンテナのＩＤの情報を含むシンボルであり、通信局＃２は、アンテナＩＤシンボル４５０１を受信することで、通信局＃１が、「アンテナ設定用シンボル群＜１＞（３４０８＿２）」を送信するのに使用したアンテナを識別することができる。
【０３７５】
図４５（ａ）の「アンテナ部αからのアンテナ設定用のシンボル群３４０８＿１」では、アンテナ部αのアンテナＩＤのシンボルを送信してもよいし、送信しなくてもよい。（すでに通信局＃１と通信局＃２ではアンテナ部αに関する情報を共有しているからである。）
そして、図４５（ａ）の「アンテナ部αからのアンテナ設定用のシンボル群３４０８＿１」では、時間＄２において、リファレンス信号（リファレンスシンボル）４５０２−１を配置し、図４５（ｂ）の「アンテナ設定用シンボル群＜１＞（３４０８＿２）」でも、時間＄１において、リファレンス信号（リファレンスシンボル）４５０３を配置する。このとき、リファレンス信号（リファレンスシンボル）４５０２−１とリファレンス信号（リファレンスシンボル）４５０３は、同一周波数（帯）を用いて送信される。
【０３７６】
このとき、リファレンス信号（リファレンスシンボル）４５０３を送信している際、アンテナ部αからは変調信号を送信せず、そして、リファレンス信号（リファレンスシンボル）４５０２−１を送信している際、図４５（ｂ）では変調信号が存在していないものとする。
なお、フレーム構成は、これに限ったものではない。変形例として、例えば、リファレンス信号（リファレンスシンボル）４５０２−１およびリファレンス信号（リファレンスシンボル）４５０３がそれぞれＮ個のシンボルで構成されているものとする。
【０３７７】
リファレンス信号（リファレンスシンボル）４５０２−１のＮ（Ｎは２以上の整数）個のシンボルの同相成分をＩαｖ（ｖは０以上Ｎ−１以下の整数）とあらわし、リファレンス信号（リファレンスシンボル）４５０２−１のＮ個のシンボルの直交成分をＱαｖ（ｖは０以上Ｎ−１以下の整数）とあらわすものとする。
そして、リファレンス信号（リファレンスシンボル）４５０３のＮ（Ｎは２以上の整数）個のシンボルの同相成分をＩｘｖ（ｖは０以上Ｎ−１以下の整数）とあらわし、リファレンス信号（リファレンスシンボル）４５０３のＮ個のシンボルの直交成分をＱｘｖ（ｖは０以上Ｎ−１以下の整数）とあらわすものとする。
【０３７８】
このとき、以下の関係式を与える。
【０３７９】
【数５８】
2017112589.tif 000060
【０３８０】
【数５９】
2017112589.tif 000061
【０３８１】
そして、以下の条件の＜条件＃１６＞または＜条件＃１７＞の少なくとも一方のいずれかを満たすことになる。
＜条件＃１６＞
式（５８）および式（５９）を満たす。そして、ｖは０以上Ｎ−１以下の整数とし、ｖでＩαｖ＝０を満たすｖが存在する。そして、ｖは０以上Ｎ−１以下の整数とし、ｖでＩｘｖ＝０を満たすｖが存在する。
【０３８２】
さらに、ｖは０以上Ｎ−１以下の整数とし、これを満たす、すべてのｖでＩαｖ＝０を満たすことはない。そして、ｖは０以上Ｎ−１以下の整数とし、これを満たす、すべてのｖでＩｘｖ＝０を満たすことはない。
＜条件＃１７＞
式（５８）および式（５９）を満たす。そして、ｖは０以上Ｎ−１以下の整数とし、ｖでＱαｖ＝０を満たすｖが存在する。そして、ｖは０以上Ｎ−１以下の整数とし、ｖでＱｘｖ＝０を満たすｖが存在する。
【０３８３】
さらに、ｖは０以上Ｎ−１以下の整数とし、これを満たす、すべてのｖでＱαｖ＝０を満たすことはない。そして、ｖは０以上Ｎ−１以下の整数とし、これを満たす、すべてのｖでＱｘｖ＝０を満たすことはない。
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０３８４】
なお、リファレンス信号（リファレンスシンボル）４５０３を送信する際、図３９に関する説明における、係数Ｗ１＝Ｓ１１、係数Ｗ２＝Ｓ２１、係数Ｗ３＝Ｓ３１、係数Ｗ４＝Ｓ４１と設定するものとする。
（このとき、リファレンス信号（リファレンスシンボル）４５０２−１を通信局＃１が送信するのに使用する係数は、アンテナ部αであることから、すでに決定している。）
図４５（ａ）の「アンテナ部αからのアンテナ設定用のシンボル群３４０８＿１」では、時間＄４において、リファレンス信号（リファレンスシンボル）４５０２−２を配置し、図４５（ｂ）の「アンテナ設定用シンボル群＜１＞（３４０８＿２）」でも、時間＄３において、リファレンス信号（リファレンスシンボル）４５０４を配置する。このとき、リファレンス信号（リファレンスシンボル）４５０２−２とリファレンス信号（リファレンスシンボル）４５０４は、同一周波数（帯）を用いて送信される。
【０３８５】
このとき、リファレンス信号（リファレンスシンボル）４５０４を送信している際、アンテナ部αからは変調信号を送信せず、そして、リファレンス信号（リファレンスシンボル）４５０２−２を送信している際、図４５（ｂ）では変調信号が存在していないものとする。
なお、フレーム構成は、これに限ったものではない。変形例として、例えば、リファレンス信号（リファレンスシンボル）４５０２−２およびリファレンス信号（リファレンスシンボル）４５０４がそれぞれＮ個のシンボルで構成されているものとする。
【０３８６】
リファレンス信号（リファレンスシンボル）４５０２−２のＮ（Ｎは２以上の整数）個のシンボルの同相成分をＩαｖ（ｖは０以上Ｎ−１以下の整数）とあらわし、リファレンス信号（リファレンスシンボル）４５０２−２のＮ個のシンボルの直交成分をＱαｖ（ｖは０以上Ｎ−１以下の整数）とあらわすものとする。
そして、リファレンス信号（リファレンスシンボル）４５０４のＮ（Ｎは２以上の整数）個のシンボルの同相成分をＩｘｖ（ｖは０以上Ｎ−１以下の整数）とあらわし、リファレンス信号（リファレンスシンボル）４５０４のＮ個のシンボルの直交成分をＱｘｖ（ｖは０以上Ｎ−１以下の整数）とあらわすものとする。
【０３８７】
このとき、以下の関係式を与える。
【０３８８】
【数６０】
2017112589.tif 000062
【０３８９】
【数６１】
2017112589.tif 000063
【０３９０】
そして、以下の条件の＜条件＃１８＞または＜条件＃１９＞の少なくとも一方のいずれかを満たすことになる。
＜条件＃１８＞
式（６０）および式（６１）を満たす。そして、ｖは０以上Ｎ−１以下の整数とし、ｖでＩαｖ＝０を満たすｖが存在する。そして、ｖは０以上Ｎ−１以下の整数とし、ｖでＩｘｖ＝０を満たすｖが存在する。
【０３９１】
さらに、ｖは０以上Ｎ−１以下の整数とし、これを満たす、すべてのｖでＩαｖ＝０を満たすことはない。そして、ｖは０以上Ｎ−１以下の整数とし、これを満たす、すべてのｖでＩｘｖ＝０を満たすことはない。
＜条件＃１９＞
式（６０）および式（６１）を満たす。そして、ｖは０以上Ｎ−１以下の整数とし、ｖでＱαｖ＝０を満たすｖが存在する。そして、ｖは０以上Ｎ−１以下の整数とし、ｖでＱｘｖ＝０を満たすｖが存在する。
【０３９２】
さらに、ｖは０以上Ｎ−１以下の整数とし、これを満たす、すべてのｖでＱαｖ＝０を満たすことはない。そして、ｖは０以上Ｎ−１以下の整数とし、これを満たす、すべてのｖでＱｘｖ＝０を満たすことはない。
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０３９３】
なお、リファレンス信号（リファレンスシンボル）４５０４を送信する際、図３９に関する説明における、係数Ｗ１＝Ｓ１２、係数Ｗ２＝Ｓ２２、係数Ｗ３＝Ｓ３２、係数Ｗ４＝Ｓ４２と設定するものとする。
（このとき、リファレンス信号（リファレンスシンボル）４５０２−２を通信局＃１が送信するのに使用する係数は、アンテナ部αであることから、すでに決定している。）
図４５（ａ）の「アンテナ部αからのアンテナ設定用のシンボル群３４０８＿１」では、時間＄６において、リファレンス信号（リファレンスシンボル）４５０２−３を配置し、図４５（ｂ）の「アンテナ設定用シンボル群＜１＞（３４０８＿２）」でも、時間＄５において、リファレンス信号（リファレンスシンボル）４５０５を配置する。このとき、リファレンス信号（リファレンスシンボル）４５０２−３とリファレンス信号（リファレンスシンボル）４５０５は、同一周波数（帯）を用いて送信される。
【０３９４】
このとき、リファレンス信号（リファレンスシンボル）４５０５を送信している際、アンテナ部αからは変調信号を送信せず、そして、リファレンス信号（リファレンスシンボル）４５０２−３を送信している際、図４５（ｂ）では変調信号が存在していないものとする。
なお、フレーム構成は、これに限ったものではない。変形例として、例えば、リファレンス信号（リファレンスシンボル）４５０２−３およびリファレンス信号（リファレンスシンボル）４５０５がそれぞれＮ個のシンボルで構成されているものとする。
【０３９５】
リファレンス信号（リファレンスシンボル）４５０２−３のＮ（Ｎは２以上の整数）個のシンボルの同相成分をＩαｖ（ｖは０以上Ｎ−１以下の整数）とあらわし、リファレンス信号（リファレンスシンボル）４５０２−３のＮ個のシンボルの直交成分をＱαｖ（ｖは０以上Ｎ−１以下の整数）とあらわすものとする。
そして、リファレンス信号（リファレンスシンボル）４５０５のＮ（Ｎは２以上の整数）個のシンボルの同相成分をＩｘｖ（ｖは０以上Ｎ−１以下の整数）とあらわし、リファレンス信号（リファレンスシンボル）４５０５のＮ個のシンボルの直交成分をＱｘｖ（ｖは０以上Ｎ−１以下の整数）とあらわすものとする。
【０３９６】
このとき、以下の関係式を与える。
【０３９７】
【数６２】
2017112589.tif 000064
【０３９８】
【数６３】
2017112589.tif 000065
【０３９９】
そして、以下の条件の＜条件＃２０＞または＜条件＃２１＞の少なくとも一方のいずれかを満たすことになる。
＜条件＃２０＞
式（６２）および式（６３）を満たす。そして、ｖは０以上Ｎ−１以下の整数とし、ｖでＩαｖ＝０を満たすｖが存在する。そして、ｖは０以上Ｎ−１以下の整数とし、ｖでＩｘｖ＝０を満たすｖが存在する。
【０４００】
さらに、ｖは０以上Ｎ−１以下の整数とし、これを満たす、すべてのｖでＩαｖ＝０を満たすことはない。そして、ｖは０以上Ｎ−１以下の整数とし、これを満たす、すべてのｖでＩｘｖ＝０を満たすことはない。
＜条件＃２１＞
式（６２）および式（６３）を満たす。そして、ｖは０以上Ｎ−１以下の整数とし、ｖでＱαｖ＝０を満たすｖが存在する。そして、ｖは０以上Ｎ−１以下の整数とし、ｖでＱｘｖ＝０を満たすｖが存在する。
【０４０１】
さらに、ｖは０以上Ｎ−１以下の整数とし、これを満たす、すべてのｖでＱαｖ＝０を満たすことはない。そして、ｖは０以上Ｎ−１以下の整数とし、これを満たす、すべてのｖでＱｘｖ＝０を満たすことはない。
このようにすることで、アンテナ部αで送信した変調信号のチャネル状態（伝搬環境）と「アンテナ設定用シンボル群＜１＞（３４０８＿２）」におけるチャネル状態（伝搬環境）を知ることができ、これにより、好適なアンテナ選択が可能となるという利点がある。
【０４０２】
なお、リファレンス信号（リファレンスシンボル）４５０５を送信する際、図３９に関する説明における、係数Ｗ１＝Ｓ１３、係数Ｗ２＝Ｓ２３、係数Ｗ３＝Ｓ３３、係数Ｗ４＝Ｓ４３と設定するものとする。
（このとき、リファレンス信号（リファレンスシンボル）４５０２−３を通信局＃１が送信するのに使用する係数は、アンテナ部αであることから、すでに決定している。）
上述において、同一時間に送信するリファレンス信号（リファレンスシンボル）のセットは３としているがこれに限ったものではなく、例えばＮセット（Ｎは２以上の整数）としてもよい。このとき、図４５（ｂ）において、リファレンス信号（リファレンスシンボル）を送信する際、図３９に関する説明における、係数Ｗ１＝Ｓ１ｉ、係数Ｗ２＝Ｓ２ｉ、係数Ｗ３＝Ｓ３ｉ、係数Ｗ４＝Ｓ４ｉと設定するものとする（ｉは１以上Ｎ以下の整数）。
【０４０３】
図４６は、アンテナ設定用シンボル群セット３４８１の、図４５とは異なる構成の一例を示している（横軸は時間である）。図４６において、図４４と同様に動作するものについては、同一番号を付与している。図４６が、図４４と異なる点は、常に、リファレンス信号（リファレンスシンボル）とアンテナＩＤシンボルがセットになり、送信されている点である。したがって、アンテナＩＤシンボル４５０１、４６０１、４６０２が存在している。そして、図４６において、リファレンス信号（リファレンスシンボル）４５０２−１、４５０２−２、４５０２−３、リファレンス信号（リファレンスシンボル）４５０３、４５０４、４５０６の構成方法については、図４５を用いて説明したとおりである。
【０４０４】
図４５、図４６いずれの場合も、上述で説明したようなリファレンス信号４５０３、４５０４、４５０５、・・・を送信する。このとき、以下の条件が成立するものとする。
＜条件＃２２＞
ｉは１以上Ｎ以下の整数とし（Ｎは２以上の整数）、ｊは１以上Ｎ以下の整数とし、ｉ≠ｊとし、これを満たす、すべてのｉ、すべてのｊで、｛Ｓ１ｉ≠Ｓ１ｊ、または、Ｓ２ｉ≠Ｓ２ｊ、または、Ｓ３ｉ≠Ｓ３ｊ、または、Ｓ４ｉ≠Ｓ４ｊ｝を満たすものとする。
【０４０５】
図３４のように、アンテナ部αを用いて送信されたアンテナ設定用のシンボル群３４０９＿１とアンテナ設定用シンボル群＜２＞（３４０９＿２）を送信しているとき、図４５（ａ）が、「アンテナ部αからのアンテナ設定用のシンボル群３４０９＿１」の構成、図４５（ｂ）が、「アンテナ設定用シンボル群＜２＞（３４０９＿２）」の構成となる。または、図４６（ａ）が、「アンテナ部αからのアンテナ設定用のシンボル群３４０９＿１」の構成、図４６（ｂ）が、「アンテナ設定用シンボル群＜２＞（３４０９＿２）」の構成となる。このようにし、上記で説明したリファレンス信号（リファレンスシンボル）４５０２−１、４５０２−２、４５０２−３、・・・、および、リファレンス信号（リファレンスシンボル）４５０３、４５０４、４５０５、・・・に対し、上述の説明と同様に、リファレンス信号（リファレンスシンボル）を構成するものとする。
【０４０６】
また、図３４のように、アンテナ部αを用いて送信されたアンテナ設定用のシンボル群３４１０＿１とアンテナ設定用シンボル群＜３＞（３４１０＿２）を送信しているとき、図４５（ａ）が、「アンテナ部αからのアンテナ設定用のシンボル群３４０９＿１」の構成、図４５（ｂ）が、「アンテナ設定用シンボル群＜２＞（３４０９＿２）」の構成となる。または、図４６（ａ）が、「アンテナ部αからのアンテナ設定用のシンボル群３４０９＿１」の構成、図４６（ｂ）が、「アンテナ設定用シンボル群＜２＞（３４０９＿２）」の構成となる。このようにし、上記で説明したリファレンス信号（リファレンスシンボル）４５０２−１、４５０２−２、４５０２−３、・・・、および、リファレンス信号（リファレンスシンボル）４５０３、４５０４、４５０５、・・・に対し、上述の説明と同様に、リファレンス信号（リファレンスシンボル）を構成するものとする。
【０４０７】
通信局＃２は、上述と同様の動作を行うことで、アンテナ部αを用いて送信されたアンテナ設定用のシンボル群３４０９＿１とアンテナ設定用シンボル群＜２＞（３４０９＿２）におけるリファレンス信号（リファレンスシンボル）４５０２−１、４５０２−２、４５０２−３、・・・、および、リファレンス信号（リファレンスシンボル）４５０３、４５０４、４５０５から、それぞれのリファレンス信号（リファレンスシンボル）における通信状態（通信品質）を推定する。
【０４０８】
そして、通信局＃２は、上述と同様の動作を行うことで、アンテナ部αを用いて送信されたアンテナ設定用のシンボル群３４１０＿１とアンテナ設定用シンボル群＜３＞（３４１０＿２）におけるリファレンス信号（リファレンスシンボル）４５０２−１、４５０２−２、４５０２−３、・・・、および、リファレンス信号（リファレンスシンボル）４５０３、４５０４、４５０５から、それぞれのリファレンス信号（リファレンスシンボル）における通信状態（通信品質）を推定する。
【０４０９】
そして、通信局＃２は、これらのリファレンス信号（リファレンスシンボル）の通信状態（通信品質）から、受信品質が良好となる、「通信局＃１のアンテナ部、および、乗算係数」を推定する。そして、通信局＃２は、受信品質が良好となる「通信局＃１の（新たな）アンテナ部（アンテナ部αでないアンテナ部）、および、（新たなアンテナ部の）乗算係数」に関する情報を通信局＃１に対し、送信することになる。（図３４の「送信＄３（３４５３）」）
加えて、通信局＃２は、アンテナ部αからアンテナ設定用のシンボル群３４０９＿１とアンテナ設定用シンボル群＜２＞（３４０９＿２）におけるリファレンス信号（リファレンスシンボル）４５０２−１、４５０２−２、４５０２−３、・・・、および、リファレンス信号（リファレンスシンボル）４５０３、４５０４、４５０５を受信中に、通信局＃２の各受信アンテナ部は、図４０の構成を具備しており、好適な乗算係数についてもあわせて推定してもよい。よって、通信局＃２は、（新たな）アンテナ部（アンテナ部δ）が使用する好適な乗算係数を設定することになる。
【０４１０】
よって、通信局＃２が、図３４のアンテナ関連シンボル群＄３（３４５３）を送信し、このシンボル群を、通信局＃１が受信することで、通信局＃２のアンテナ部の設定（アンテナ部の決定、および、使用する乗算係数の決定）が完了したことを知ることになる。
以上のように、通信局＃１が、まず、送信に使用するアンテナ部を決定するために、各アンテナ部から、リファレンスシンボルを送信し、各リファレンスシンボルの通信状態を、通信局＃２から、得て、データシンボルを送信する一つのアンテナ部（アンテナ部α）を決定し、次に、通信局＃１は、アンテナ部αと各アンテナ部から、リファレンスシンボルを送信し、アンテナ部αから送信されたリファレンスシンボルの通信状態と各アンテナ部から送信されたリファレンスシンボルの通信状態を、通信局＃２から、得て、データシンボルを送信する、もう一つのアンテナ部（アンテナ部γ）を決定することで、通信局＃２は、高いデータの受信品質を得ることができるという効果を得ることができる。なお、その際、送受信アンテナで使用する乗算係数をあわせて決定してもよい。
【０４１１】
次に、「通信局＃１と通信局＃２の通信のやりとりの第２の例」に対する、通信局＃１および通信局＃２の時間軸における送信フレームの例について説明する。
図４７は、通信局＃１および通信局＃２の時間軸における送信フレームの図３４とは異なる例を示しており、図４７（ａ）は、通信局＃１の時間軸における送信フレーム、図４７（ｂ）は、通信局＃２の時間軸における送信フレームを示している。（なお、図４７（ａ）、図４７（ｂ）において、シンボルは、周波数軸にも存在していてもよい。）
図４７において、図３４で示したものと同様に動作するものについては、同一番号を付与している。
【０４１２】
図４７に示すように、まず、通信局＃１は、第１Ａアンテナ部２９１５Ａからアンテナ設定用シンボル群３４０１を送信し、その後、第２Ａアンテナ部２９１６Ａからアンテナ設定用シンボル群３４０２、第３Ａアンテナ部２９１７Ａからアンテナ設定用シンボル群３４０３、第１Ｂアンテナ部２９１５Ｂからアンテナ設定用シンボル群３４０４、第２Ｂアンテナ部２９１６Ｂからアンテナ設定用シンボル群３４０５、第３Ｂアンテナ部２９１７Ｂからアンテナ設定用シンボル群３４０６を送信する。なお、これらのシンボル群を、アンテナ設定用シンボル群３４８０と呼ぶことにする。
【０４１３】
通信局＃２は、通信局＃１が送信したアンテナ設定用シンボル群３４８０を受信する。そして、例えば、第１Ａアンテナ部２９１５Ａを用いて送信されたアンテナ設定用シンボル群３４０１の受信電界強度、第２Ａアンテナ部２９１６Ａを用いて送信されたアンテナ設定用シンボル群３４０２の受信電界強度、第３Ａアンテナ部２９１７Ａを用いて送信されたアンテナ設定用シンボル群３４０３の受信電界強度、第１Ｂアンテナ部２９１５Ｂを用いて送信されたアンテナ設定用シンボル群３４０４の受信電界強度、第２Ｂアンテナ部２９１６Ｂを用いて送信されたアンテナ設定用シンボル群３４０５の受信電界強度、第３Ｂアンテナ部２９１７Ｂを用いて送信されたアンテナ設定用シンボル群３４０６の受信電界強度を比較し、受信電界強度の大きくなる通信局＃１のアンテナ部を推定し、通信局＃１が変調信号を送信する際に使用して欲しいアンテナ部を選択する。そして、通信局＃２は、この選択したアンテナ部の情報を含むアンテナ関連シンボル群＄１（３４５１）を送信する。
【０４１４】
通信局＃１は、通信局＃２が送信したアンテナ関連シンボル群＄１（３４５１）を受信し、通信局＃２が送信したアンテナ関連シンボル群＄１（３４５１）に含まれる「選択されたアンテナ部の情報」に基づいて、変調信号を送信するために使用するアンテナ部（前にも説明したように、「アンテナ部α」と呼ぶ。）を決定し、アンテナ部αからアンテナ設定用シンボル群３４０７を送信する。
【０４１５】
通信局＃２は、通信局＃１が送信したアンテナ設定用シンボル群３４０７を、第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙを用いて受信し、受信に使用する受信アンテナ部を一つ決定する。（なお、前にも説明したように、ここで、決定した受信に使用するアンテナ部を「決定したアンテナ部β」と名付ける。）そして、通信局＃２は、使用する受信アンテナ部が一つ決定したことを通信局＃１に通知するために、アンテナ関連シンボル群＄２（３４５２）を送信する。（このとき、アンテナ関連シンボル群＄２（３４５２）は、決定した受信アンテナの情報を含んでいてもよい。）
通信局＃１は、通信局＃２が送信したアンテナ関連シンボル群＄２（３４５２）を受信し、通信局＃２が受信に使用するアンテナ部が一つ決定したことを知ることになる。これにより、通信局＃１が送信に使用するアンテナ部一つと通信局＃２が使用するアンテナ部一つが決定したことになる。
【０４１６】
通信局＃１が具備する各（送信）アンテナ部は、前にも説明したように、図３９のようなアンテナ構成であるものとし、通信局＃２が具備する各（受信）アンテナ部は、図４０のようなアンテナ構成であるものとする。
そこで、通信局＃１は、前に説明した図４１、図４２のようなフレーム構成で、乗算係数設定用シンボル群４７０１をアンテナ部αから送信する。このとき、図４１、図４２のフレーム構成については、前にも説明したので、詳細の説明は省略する。図４１、図４２におけるアンテナＩＤシンボル４１０１、４２０１、４２０２、・・・は、アンテナ部αに関するＩＤの情報が、例えば、含まれているものとする。そして、図３９のアンテナ部で使用する乗算係数セットを切り替えて、リファレンス信号（リファレンスシンボル）４１０２−１、４１０２−２、４１０２−３、・・・を送信する。なお、詳細については、上述したとおりである。
【０４１７】
そして、通信局＃２は、これらのリファレンス信号（リファレンスシンボル）の通信状態（通信品質）（乗算係数設定用シンボル群４７０１）から、受信品質が良好となる、「通信局＃１のアンテナ部αの乗算係数」を推定する。そして、通信局＃２は、受信品質が良好となる「通信局＃１のアンテナ部αの乗算係数」に関する情報を通信局＃１に対し、送信することになる。（図４７の「送信＆１（４７０２）」）
加えて、通信局＃２は、乗算係数設定用シンボル群４７０１を受信することで、図４０のようなアンテナ構成部における、使用する好適な乗算係数を推定することになる。そして、通信局＃２は、アンテナ部βで使用する乗算係数を設定することになる。
【０４１８】
通信局＃１は、以下のルールで、「アンテナ部αからアンテナ設定用のシンボル群３４０８＿１を送信、アンテナ設定用シンボル群＜１＞（３４０８＿２）を送信、アンテナ部αからアンテナ設定用のシンボル群３４０９＿１を送信、アンテナ設定用シンボル群＜２＞（３４０９＿２）を送信、アンテナ部αからアンテナ設定用のシンボル群３４１０＿１を送信、アンテナ設定用シンボル群＜３＞（３４１０＿２）を送信する。」なお、これらのシンボル群をアンテナ設定用シンボル群セット３４８１と呼ぶことにする。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αからアンテナ設定用のシンボル群３４０８＿１を送信し、第１Ｂアンテナ部２９１５Ｂからアンテナ設定用シンボル群＜１＞（３４０８＿２）を送信」する。その後、「決定したアンテナ部αからアンテナ設定用のシンボル群３４０９＿１を送信し、第２Ｂアンテナ部２９１６Ｂからアンテナ設定用シンボル群＜２＞（３４０９＿２）を送信」し、「決定したアンテナ部αからアンテナ設定用のシンボル群３４１０＿１を送信し、第３Ｂアンテナ部２９１７Ｂからアンテナ設定用シンボル群＜３＞（３４１０＿２）を送信」する。（なお、決定したアンテナ部αからアンテナ設定用のシンボル群３４０８＿１を送信し、第１Ｂアンテナ２９１５Ｂからアンテナ設定用シンボル群＜１＞（３４０８＿２）を送信、続いて、第２Ｂアンテナ２９１６Ｂからアンテナ設定用シンボル群＜２＞（３４０９＿２）を送信、第３Ｂアンテナ２９１７Ｂからアンテナ設定用シンボル群＜３＞（３４１０＿２）を送信、としてもよい。このとき、シンボルの送信する順番は、これに限ったものではない。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αからアンテナ設定用のシンボル群３４０８＿１を送信し、第１Ａアンテナ部２９１５Ａからアンテナ設定用シンボル群＜１＞（３４０８＿２）を送信」する。その後、「決定したアンテナ部αからアンテナ設定用のシンボル群３４０９＿１を送信し、第２Ａアンテナ部２９１６Ａからアンテナ設定用シンボル群＜２＞（３４０９＿２）を送信」し、「決定したアンテナ部αからアンテナ設定用のシンボル群３４１０＿１を送信し、第３Ａアンテナ部２９１７Ａからアンテナ設定用シンボル群＜３＞（３４１０＿２）を送信」する。（なお、決定したアンテナ部αからアンテナ設定用のシンボル群３４０８＿１を送信し、第１Ａアンテナ２９１５Ａからアンテナ設定用のシンボル群３４０８＿１を送信、続いて、第２Ａアンテナ２９１６Ａからアンテナ設定用シンボル群＜２＞（３４０９＿２）を送信、第３Ａアンテナ２９１７Ａからアンテナ設定用シンボル群＜３＞（３４１０＿２）を送信、としてもよい。このとき、シンボルを送信する順番は、これに限ったものではない。）
なお、アンテナ設定用シンボル群セット３４８１の構成方法については、図３５、図３６を用いて上述したとおりである。
【０４１９】
通信局＃２は、通信局＃１が送信したアンテナ設定用シンボル群セット３４８１を受信する。そして、通信局＃２は、「通信局＃１がアンテナ部αと同時に使用する、変調信号を送信するアンテナ部を１つ決定する。」（なお、前にも説明したように、決定した送信に使用するアンテナ部を「決定したアンテナ部γ」と名付ける。）
また、通信局＃２は、以下のルールで受信アンテナ部を新たに１つ決定する。
・決定したアンテナ部βが、第１Ｘアンテナ部３００１Ｘまたは第２Ｘアンテナ部３００２Ｘまたは第３Ｘアンテナ部３００３Ｘの場合、通信局＃２は、第１Ｙアンテナ部３００１Ｙまたは第２Ｙアンテナ部３００２Ｙまたは第３Ｙアンテナ部３００３Ｙの中から受信に使用するアンテナを新たに１つ決定する。
・決定したアンテナ部βが、第１Ｙアンテナ部３００１Ｙまたは第２Ｙアンテナ部３００２Ｙまたは第３Ｙアンテナ部３００３Ｙの場合、通信局＃２は、第１Ｘアンテナ部３００１Ｘまたは第２Ｘアンテナ部３００２Ｘまたは第３Ｘアンテナ部３００３Ｘの中から受信に使用するアンテナを新たに１つ決定する。（なお、前にも説明したように、決定した受信に使用するアンテナ部を「アンテナ部δ」と名付ける。）
そして、通信局＃２は、「通信局＃１が変調信号を送信するためのアンテナ（決定したアンテナ部γ）の情報」を含むアンテナ関連シンボル群＄３（３４５３）を通信局＃１に送信する。（このとき、アンテナ関連シンボル群＄３（３４５３）は、決定した受信アンテナの情報を含んでいてもよい。）
なお、アンテナ部の決定方法については、図３５、図３６の説明とあわせて、説明したとおりである。
【０４２０】
通信局＃１は、アンテナ部αからの乗算係数設定用シンボル群４７０３＿１およびアンテナ部γからの乗算係数設定用シンボル群４７０３＿２を送信する。このとき、これらのシンボル群の構成は、例えば、図４３、図４４、図４５、図４６で示したとおりであり、詳細の動作については上述のとおりである。
通信局＃２は、図４３、図４４、図４５、図４６で記載したリファレンス信号（リファレンスシンボル）から、通信状態（通信品質）を推定し、良好となる、「通信局＃１のアンテナ部γの乗算係数」を推定する。そして、通信局＃２は、受信品質が良好となる「通信局＃１のアンテナ部γの乗算係数」に関する情報を通信局＃１に対し、送信することになる。（図４７の「送信＆２（４７０４）」）
加えて、通信局＃２は、アンテナ部αからの乗算係数設定用シンボル群４７０３＿１およびアンテナ部γからの乗算係数設定用シンボル群４７０３＿２を受信することで、図４０のようなアンテナ部における、アンテナ部δで使用する乗算係数を推定することになる。そして、通信局＃２は、アンテナ部δで使用する乗算係数を設定することになる。
【０４２１】
通信局＃１は、通信局＃２が送信した「送信＆２（４７０４）」を受信し、アンテナ設定が完了したと判断し、データシンボル群３４１１＿１およびデータシンボル群３４１１＿２を送信する。このとき、データシンボル群３４１１＿１とデータシンボル群３４１１＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群３４１１＿１およびデータシンボル群３４１１＿２では記載していないが、データシンボル群３４１１＿１およびデータシンボル群３４１１＿２にデータシンボル以外の制御情報を伝送するためのシンボル、プリアンブル、パイロットシンボル、リファレンスシンボルなどのシンボルが含まれていてもよい。
【０４２２】
次に、「通信局＃１と通信局＃２の通信のやりとりの第３の例」について説明する。
通信局＃１と通信局＃２の通信のやりとりの第３の例：
ステップＳＴ１：
通信局＃１は、図２９の第１Ａアンテナ部２９１５Ａから信号を送信する。その後、通信局＃１は、第２Ａアンテナ部２９１６Ａから信号を送信し、第３Ａアンテナ部２９１７Ａから信号を送信し、第１Ｂアンテナ部２９１５Ｂから信号を送信し、第２Ｂアンテナ部２９１６Ｂから信号を送信し、第３Ｂアンテナ部２９１７Ｂから信号を送信する。
【０４２３】
ステップＳＴ２：
通信局＃２は、ステップＳＴ１で送信した変調信号を受信し、「通信局＃１が変調信号を送信するためのアンテナを、第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂから１つのアンテナ部」を決定する。（なお、ここで、決定した送信に使用するアンテナ部を「決定したアンテナ部α」と名付ける。）
さらに、通信局＃２は、通信局＃１がアンテナ部αから送信した信号を受信しているので、このときに、図３０の第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙから、受信に使用する受信アンテナ部一つを決定する。（なお、ここで、決定した受信に使用するアンテナ部を「決定したアンテナ部β」と名付ける。）
ステップＳＴ３：
使用する受信アンテナ部が一つ決定したことを通信局＃１に通知する。（このとき、決定した受信アンテナの情報を通信局＃１に通知してもよい。）
ステップＳＴ４：
通信局＃１は、以下のルールで信号を送信する。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αと第１Ｂアンテナ部２９１５Ｂから信号を送信」する。その後、「決定したアンテナ部αと第２Ｂアンテナ部２９１６Ｂから信号を送信」し、「決定したアンテナ部αと第３Ｂアンテナ部２９１７Ｂから信号を送信」する。（なお、決定したアンテナ部αと第１Ｂアンテナ２９１５Ｂから信号を送信、続いて、第２Ｂアンテナ２９１６Ｂから信号を送信、第３Ｂアンテナから信号を送信２９１７Ｂ、としてもよい。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αと第１Ａアンテナ部２９１５Ａから信号を送信」する。その後、「決定したアンテナ部αと第２Ａアンテナ部２９１６Ａから信号を送信」し、「決定したアンテナ部αと第３Ａアンテナ部２９１７Ａから信号を送信」する。（なお、決定したアンテナ部αと第１Ａアンテナ２９１５Ａから信号を送信、続いて、第２Ａアンテナ２９１６Ａから信号を送信、第３Ａアンテナ２９１７Ａから信号を送信、としてもよい。）
ステップＳＴ５：
通信局＃２は、
「通信局＃１がアンテナ部αと同時に使用する、変調信号を送信するアンテナ部を１つ決定する。」なお、決定した送信に使用するアンテナ部を「決定したアンテナ部γ」と名付ける。
通信局＃２は、以下のルールで受信アンテナ部を新たに１つ決定する。
・決定したアンテナ部βが、第１Ｘアンテナ部３００１Ｘまたは第２Ｘアンテナ部３００２Ｘまたは第３Ｘアンテナ部３００３Ｘの場合、通信局＃２は、第１Ｙアンテナ部３００１Ｙまたは第２Ｙアンテナ部３００２Ｙまたは第３Ｙアンテナ部３００３Ｙの中から受信に使用するアンテナを新たに１つ決定する。
・決定したアンテナ部βが、第１Ｙアンテナ部３００１Ｙまたは第２Ｙアンテナ部３００２Ｙまたは第３Ｙアンテナ部３００３Ｙの場合、通信局＃２は、第１Ｘアンテナ部３００１Ｘまたは第２Ｘアンテナ部３００２Ｘまたは第３Ｘアンテナ部３００３Ｘの中から受信に使用するアンテナを新たに１つ決定する。
【０４２４】
ステップＳＴ６：
通信局＃２は、「通信局＃１が変調信号を送信するためのアンテナ（決定したアンテナ部γ）の情報」を通信局＃１に送信する。
通信局＃２は、使用する受信アンテナ部があらたに１つ決定したことを通信局＃１に通知する。（決定した受信アンテナ部の情報を通信局＃１に通知してもよい。）なお、決定した受信に使用するアンテナ部を「アンテナ部δ」と名付ける。
【０４２５】
ステップＳＴ７：
通信局＃１は、アンテナ部αとアンテナ部γを使用し、データシンボルの送信を開始する。（アンテナ部αとアンテナ部γを使用し、２つの変調信号の送信を開始する。）
通信局＃１と通信局＃２の通信のやりとりの第３の例を、図４８を用いて説明したが、図４８の＜Ｐ＞に図３２の処理、図４８の＜Ｑ＞に図３３の処理を追加してもよい。そのとき、通信局＃１と通信局＃２の通信のやりとりの説明は、前に示したとおりである。
【０４２６】
図４９は、通信局＃１および通信局＃２の時間軸における送信フレームの図４８に基づく例を示しており、図４９（ａ）は、通信局＃１の時間軸における送信フレーム、図４９（ｂ）は、通信局＃２の時間軸における送信フレームを示している。（なお、図４９（ａ）、図４９（ｂ）において、シンボルは、周波数軸にも存在していてもよい。）
図４９に示すように、まず、通信局＃１は、第１Ａアンテナ部２９１５Ａからアンテナ設定用シンボル群４９０１を送信し、その後、第２Ａアンテナ部２９１６Ａからアンテナ設定用シンボル群４９０２、第３Ａアンテナ部２９１７Ａからアンテナ設定用シンボル群４９０３、第１Ｂアンテナ部２９１５Ｂからアンテナ設定用シンボル群４９０４、第２Ｂアンテナ部２９１６Ｂからアンテナ設定用シンボル群４９０５、第３Ｂアンテナ部２９１７Ｂからアンテナ設定用シンボル群４９０６を送信する。なお、これらのシンボル群を、アンテナ設定用シンボル群４９８０と呼ぶことにする。
【０４２７】
通信局＃２は、通信局＃１が送信したアンテナ設定用シンボル群４９８０を受信する。そして、例えば、第１Ａアンテナ部２９１５Ａを用いて送信されたアンテナ設定用シンボル群４９０１において、受信電界強度、第２Ａアンテナ部２９１６Ａを用いて送信されたアンテナ設定用シンボル群４９０２において、受信電界強度、第３Ａアンテナ部２９１７Ａを用いて送信されたアンテナ設定用シンボル群４９０３において、受信電界強度、第１Ｂアンテナ部２９１５Ｂを用いて送信されたアンテナ設定用シンボル群４９０４において、受信電界強度、第２Ｂアンテナ部２９１６Ｂを用いて送信されたアンテナ設定用シンボル群４９０５において、受信電界強度、第３Ｂアンテナ部２９１７Ｂを用いて送信されたアンテナ設定用シンボル群４９０６において、受信電界強度を比較し、受信電界強度の大きくなる通信局＃１のアンテナ部を推定し、通信局＃１が変調信号を送信する際に使用して欲しいアンテナ部を選択する。そして、通信局＃２は、この選択したアンテナ部の情報を含むアンテナ関連シンボル群＄１（４９５１）を送信する。
【０４２８】
また、通信局＃２は、通信局＃１が送信したアンテナ設定用シンボル群４９８０を第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙを用いて受信する。そして、通信局＃２は、受信に使用するアンテナ部を決定する。なお、決定したアンテナ部を、アンテナ部βと呼ぶことにする。
【０４２９】
通信局＃１は、通信局＃２が送信したアンテナ関連シンボル群＄１（４９５１）を受信し、通信局＃２が送信したアンテナ関連シンボル群＄１（４９５１）に含まれる「選択されたアンテナ部の情報」に基づいて、変調信号を送信するために使用するアンテナ部（前にも説明したように、「アンテナ部α」と呼ぶ。）を決定する。
これにより、通信局＃１が送信に使用するアンテナ部一つ、および、通信局＃２が使用するアンテナ部一つが決定したことになる。
【０４３０】
通信局＃１は、以下のルールで、「アンテナ部αからアンテナ設定用のシンボル群４９０７＿１を送信、アンテナ設定用シンボル群＜１＞（４９０７＿２）を送信、アンテナ部αからアンテナ設定用のシンボル群４９０８＿１を送信、アンテナ設定用シンボル群＜２＞（４９０８＿２）を送信、アンテナ部αからアンテナ設定用のシンボル群４９０９＿１を送信、アンテナ設定用シンボル群＜３＞（４９０９＿２）を送信する。」なお、これらのシンボル群をアンテナ設定用シンボル群セット４９８１と呼ぶことにする。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αからアンテナ設定用のシンボル群４９０７＿１を送信し、第１Ｂアンテナ部２９１５Ｂからアンテナ設定用シンボル群＜１＞（４９０７＿２）を送信」する。その後、「決定したアンテナ部αからアンテナ設定用のシンボル群４９０８＿１を送信し、第２Ｂアンテナ部２９１６Ｂからアンテナ設定用シンボル群＜２＞（４９０８＿２）を送信」し、「決定したアンテナ部αからアンテナ設定用のシンボル群４９０９＿１を送信し、第３Ｂアンテナ部２９１７Ｂからアンテナ設定用シンボル群＜３＞（４９０９＿２）を送信」する。（なお、決定したアンテナ部αからアンテナ設定用のシンボル群４９０７＿１を送信し、第１Ｂアンテナ２９１５Ｂからアンテナ設定用シンボル群＜１＞（４９０７＿２）を送信、続いて、第２Ｂアンテナ２９１６Ｂからアンテナ設定用シンボル群＜２＞（４９０８＿２）を送信、第３Ｂアンテナ２９１７Ｂからアンテナ設定用シンボル群＜３＞（４９０９＿２）を送信、としてもよい。このとき、シンボルの送信する順番は、これに限ったものではない。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αからアンテナ設定用のシンボル群４９０７＿１を送信し、第１Ａアンテナ部２９１５Ａからアンテナ設定用シンボル群＜１＞（４９０７＿２）を送信」する。その後、「決定したアンテナ部αからアンテナ設定用のシンボル群４９０８＿１を送信し、第２Ａアンテナ部２９１６Ａからアンテナ設定用シンボル群＜２＞（４９０８＿２）を送信」し、「決定したアンテナ部αからアンテナ設定用のシンボル群４９０９＿１を送信し、第３Ａアンテナ部２９１７Ａからアンテナ設定用シンボル群＜３＞（４９０９＿２）を送信」する。（なお、決定したアンテナ部αからアンテナ設定用のシンボル群４９０７＿１を送信し、第１Ａアンテナ２９１５Ａからアンテナ設定用のシンボル群４９０７＿１を送信、続いて、第２Ａアンテナ２９１６Ａからアンテナ設定用シンボル群＜２＞（４９０８＿２）を送信、第３Ａアンテナ２９１７Ａからアンテナ設定用シンボル群＜３＞（４９０９＿２）を送信、としてもよい。このとき、シンボルを送信する順番は、これに限ったものではない。）
また、通信局＃１は、アンテナ部αからアンテナ設定用のシンボル群４９０７＿１を送信、アンテナ設定用シンボル群＜１＞（４９０７＿２）を送信する。このとき、これらのシンボル群の構成は、例えば、図３６、図３７で示したとおりであり、詳細の動作については上述のとおりである。
【０４３１】
同様に、通信局＃１は、アンテナ部αからアンテナ設定用のシンボル群４９０８＿１を送信、アンテナ設定用シンボル群＜２＞（４９０８＿２）を送信する。このとき、これらのシンボル群の構成は、例えば、図３６、図３７で示したとおりであり、詳細の動作については上述のとおりである。
同様に、通信局＃１は、アンテナ部αからアンテナ設定用のシンボル群４９０９＿１を送信、アンテナ設定用シンボル群＜３＞（４９０９＿２）を送信する。このとき、これらのシンボル群の構成は、例えば、図３６、図３７で示したとおりであり、詳細の動作については上述のとおりである。
【０４３２】
通信局＃２は、図３６、図３７で記載したリファレンス信号（リファレンスシンボル）から、通信状態（通信品質）を推定し、良好となる、「通信局＃１のアンテナ部γ」を推定する。そして、通信局＃２は、受信品質が良好となる「通信局＃１のアンテナ部γ」に関する情報を通信局＃１に対し、送信することになる。（図４９の「送信＄２（４９５２）」）
また、通信局＃２は、通信局＃１が送信したアンテナ設定用シンボル群セット４９８１を受信する。そして、通信局＃２は、受信に使用する（新たな）アンテナ部を決定する。なお、決定したアンテナ部を、アンテナ部δと呼ぶことにする。
【０４３３】
通信局＃１は、通信局＃２が送信した「送信＄２（４９５２）」を受信し、通信局＃１が使用する送信アンテナ部γの情報を得る。加えて、通信局＃１は、アンテナ設定が完了したと判断し、データシンボル群４９１０＿１およびデータシンボル群４９１０＿２を送信する。このとき、データシンボル群４９１０＿１とデータシンボル群４９１０＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群４９１０＿１およびデータシンボル群４９１０＿２では記載していないが、データシンボル群４９１０＿１およびデータシンボル群４９１０＿２にデータシンボル以外の制御情報を伝送するためのシンボル、プリアンブル、パイロットシンボル、リファレンスシンボルなどのシンボルが含まれていてもよい。
【０４３４】
次に、図４９における、上述とは異なる動作について説明する。
図４９に示すように、まず、通信局＃１は、第１Ａアンテナ部２９１５Ａからアンテナ設定用シンボル群４９０１を送信し、その後、第２Ａアンテナ部２９１６Ａからアンテナ設定用シンボル群４９０２、第３Ａアンテナ部２９１７Ａからアンテナ設定用シンボル群４９０３、第１Ｂアンテナ部２９１５Ｂからアンテナ設定用シンボル群４９０４、第２Ｂアンテナ部２９１６Ｂからアンテナ設定用シンボル群４９０５、第３Ｂアンテナ部２９１７Ｂからアンテナ設定用シンボル群４９０６を送信する。なお、これらのシンボル群を、アンテナ設定用シンボル群４９８０と呼ぶことにする。
【０４３５】
通信局＃１が具備する各（送信）アンテナ部は、前にも説明したように、図３９のようなアンテナ構成であるものとし、通信局＃２が具備する各（受信）アンテナ部は、図４０のようなアンテナ構成であるものとする。
そこで、通信局＃１は、前に説明した図４１、図４２のようなフレーム構成で、アンテナ設定用シンボル群４９０１、アンテナ設定用シンボル群４９０２、アンテナ設定用シンボル群４９０３、アンテナ設定用シンボル群４９０４、アンテナ設定用シンボル群４９０５、アンテナ設定用シンボル群４９０６を送信する。このとき、図４１、図４２のフレーム構成については、前にも説明したので、詳細の説明は省略する。図４１、図４２におけるアンテナＩＤシンボル４１０１、４２０１、４２０２、・・・の送信方法、リファレンス信号（リファレンスシンボル）４１０２−１、４１０２−２、４１０２−３、・・・の送信方法については、上述で説明したとおりで、各アンテナ設定用シンボル群で、アンテナＩＤシンボル、および、リファレンスシンボルはそれぞれ構成されることになる。
【０４３６】
通信局＃２は、通信局＃１が送信したアンテナ設定用シンボル群４９８０を受信する。そして、例えば、第１Ａアンテナ部２９１５Ａを用いて送信されたアンテナ設定用シンボル群４９０１において、乗算係数適用ごとの受信電界強度（例えば、乗算係数セット＃Ａを適用したときの受信電界強度を推定し、乗算係数セット＃Ｂを適用したときの受信電界強度を推定し、というように、乗算係数セットごとに受信電界強度を推定することになる）、第２Ａアンテナ部２９１６Ａを用いて送信されたアンテナ設定用シンボル群４９０２において、乗算係数適用ごとの受信電界強度、第３Ａアンテナ部２９１７Ａを用いて送信されたアンテナ設定用シンボル群４９０３において、乗算係数適用ごとの受信電界強度、第１Ｂアンテナ部２９１５Ｂを用いて送信されたアンテナ設定用シンボル群４９０４において、乗算係数適用ごとの受信電界強度、第２Ｂアンテナ部２９１６Ｂを用いて送信されたアンテナ設定用シンボル群４９０５において、乗算係数適用ごとの受信電界強度、第３Ｂアンテナ部２９１７Ｂを用いて送信されたアンテナ設定用シンボル群４９０６において、乗算係数適用ごとの受信電界強度を比較し、受信電界強度の大きくなる通信局＃１のアンテナ部および乗算係数セットを推定し、通信局＃１が変調信号を送信する際に使用して欲しいアンテナ部および乗算係数セットを選択する。そして、通信局＃２は、この選択したアンテナ部の情報および乗算係数セットの情報を含むアンテナ関連シンボル群＄１（４９５１）を送信する。
【０４３７】
また、通信局＃２は、通信局＃１が送信したアンテナ設定用シンボル群４９８０を第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙを用いて受信する。このとき、通信局＃２は、図４０に示したアンテナ部を具備しているため、各アンテナ部の係数の変更を行いながら、アンテナ設定用シンボル群を受信する。そして、通信局＃２は、受信に使用するアンテナ部を決定するとともに、決定したアンテナ部で使用する係数の決定を行う。なお、決定したアンテナ部を、アンテナ部βと呼ぶことにする。
【０４３８】
通信局＃１は、通信局＃２が送信したアンテナ関連シンボル群＄１（４９５１）を受信し、通信局＃２が送信したアンテナ関連シンボル群＄１（４９５１）に含まれる「選択されたアンテナ部の情報および乗算係数セットの情報」に基づいて、変調信号を送信するために使用するアンテナ部（前にも説明したように、「アンテナ部α」と呼ぶ。）を決定し、加えて、乗算係数を設定する。
これにより、通信局＃１が送信に使用するアンテナ部一つとその乗算係数、および、通信局＃２が使用するアンテナ部一つと乗算係数が決定したことになる。
【０４３９】
通信局＃１は、以下のルールで、「アンテナ部αからアンテナ設定用のシンボル群４９０７＿１を送信、アンテナ設定用シンボル群＜１＞（４９０７＿２）を送信、アンテナ部αからアンテナ設定用のシンボル群４９０８＿１を送信、アンテナ設定用シンボル群＜２＞（４９０８＿２）を送信、アンテナ部αからアンテナ設定用のシンボル群４９０９＿１を送信、アンテナ設定用シンボル群＜３＞（４９０９＿２）を送信する。」なお、これらのシンボル群をアンテナ設定用シンボル群セット４９８１と呼ぶことにする。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αからアンテナ設定用のシンボル群４９０７＿１を送信し、第１Ｂアンテナ部２９１５Ｂからアンテナ設定用シンボル群＜１＞（４９０７＿２）を送信」する。その後、「決定したアンテナ部αからアンテナ設定用のシンボル群４９０８＿１を送信し、第２Ｂアンテナ部２９１６Ｂからアンテナ設定用シンボル群＜２＞（４９０８＿２）を送信」し、「決定したアンテナ部αからアンテナ設定用のシンボル群４９０９＿１を送信し、第３Ｂアンテナ部２９１７Ｂからアンテナ設定用シンボル群＜３＞（４９０９＿２）を送信」する。（なお、決定したアンテナ部αからアンテナ設定用のシンボル群４９０７＿１を送信し、第１Ｂアンテナ２９１５Ｂからアンテナ設定用シンボル群＜１＞（４９０７＿２）を送信、続いて、第２Ｂアンテナ２９１６Ｂからアンテナ設定用シンボル群＜２＞（４９０８＿２）を送信、第３Ｂアンテナ２９１７Ｂからアンテナ設定用シンボル群＜３＞（４９０９＿２）を送信、としてもよい。このとき、シンボルの送信する順番は、これに限ったものではない。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αからアンテナ設定用のシンボル群４９０７＿１を送信し、第１Ａアンテナ部２９１５Ａからアンテナ設定用シンボル群＜１＞（４９０７＿２）を送信」する。その後、「決定したアンテナ部αからアンテナ設定用のシンボル群４９０８＿１を送信し、第２Ａアンテナ部２９１６Ａからアンテナ設定用シンボル群＜２＞（４９０８＿２）を送信」し、「決定したアンテナ部αからアンテナ設定用のシンボル群４９０９＿１を送信し、第３Ａアンテナ部２９１７Ａからアンテナ設定用シンボル群＜３＞（４９０９＿２）を送信」する。（なお、決定したアンテナ部αからアンテナ設定用のシンボル群４９０７＿１を送信し、第１Ａアンテナ２９１５Ａからアンテナ設定用のシンボル群４９０７＿１を送信、続いて、第２Ａアンテナ２９１６Ａからアンテナ設定用シンボル群＜２＞（４９０８＿２）を送信、第３Ａアンテナ２９１７Ａからアンテナ設定用シンボル群＜３＞（４９０９＿２）を送信、としてもよい。このとき、シンボルを送信する順番は、これに限ったものではない。）
また、通信局＃１は、アンテナ部αからアンテナ設定用のシンボル群４９０７＿１を送信、アンテナ設定用シンボル群＜１＞（４９０７＿２）を送信する。このとき、これらのシンボル群の構成は、例えば、図４３、図４４、図４５、図４６で示したとおりであり、詳細の動作については上述のとおりである。
【０４４０】
同様に、通信局＃１は、アンテナ部αからアンテナ設定用のシンボル群４９０８＿１を送信、アンテナ設定用シンボル群＜２＞（４９０８＿２）を送信する。このとき、これらのシンボル群の構成は、例えば、図４３、図４４、図４５、図４６で示したとおりであり、詳細の動作については上述のとおりである。
同様に、通信局＃１は、アンテナ部αからアンテナ設定用のシンボル群４９０９＿１を送信、アンテナ設定用シンボル群＜３＞（４９０９＿２）を送信する。このとき、これらのシンボル群の構成は、例えば、図４３、図４４、図４５、図４６で示したとおりであり、詳細の動作については上述のとおりである。
【０４４１】
通信局＃２は、図４３、図４４、図４５、図４６で記載したリファレンス信号（リファレンスシンボル）から、通信状態（通信品質）を推定し、良好となる、「通信局＃１のアンテナ部γの乗算係数」を推定する。そして、通信局＃２は、受信品質が良好となる「通信局＃１のアンテナ部γの乗算係数」に関する情報を通信局＃１に対し、送信することになる。（図４９の「送信＄２（４９５２）」）
また、通信局＃２は、通信局＃１が送信したアンテナ設定用シンボル群セット４９８１を受信する。このとき、通信局＃２は、図４０に示したアンテナ部を具備しているため、各アンテナ部の係数の変更を行いながら、アンテナ設定用シンボル群セット４９８１を受信する。そして、通信局＃２は、受信に使用する（新たな）アンテナ部を決定するとともに、決定したアンテナ部で使用する係数の決定を行う。なお、決定したアンテナ部を、アンテナ部δと呼ぶことにする。
【０４４２】
通信局＃１は、通信局＃２が送信した「送信＄２（４９５２）」を受信し、通信局＃１が使用する送信アンテナ部γの情報を得る。加えて、通信局＃１は、アンテナ設定が完了したと判断し、データシンボル群４９１０＿１およびデータシンボル群４９１０＿２を送信する。このとき、データシンボル群４９１０＿１とデータシンボル群４９１０＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群４９１０＿１およびデータシンボル群４９１０＿２では記載していないが、データシンボル群４９１０＿１およびデータシンボル群４９１０＿２にデータシンボル以外の制御情報を伝送するためのシンボル、プリアンブル、パイロットシンボル、リファレンスシンボルなどのシンボルが含まれていてもよい。
【０４４３】
図５０は、通信局＃１および通信局＃２の時間軸における送信フレームの構成を示しており、図５０（ａ）は、通信局＃１の時間軸における送信フレーム、図５０（ｂ）は、通信局＃２の時間軸における送信フレームを示している。（なお、図５０（ａ）、図５０（ｂ）において、シンボルは、周波数軸にも存在していてもよい。）
図５０において、図４９で示したものと同様に動作するものについては、同一番号を付している。
【０４４４】
図４９に示すように、まず、通信局＃１は、第１Ａアンテナ部２９１５Ａからアンテナ設定用シンボル群４９０１を送信し、その後、第２Ａアンテナ部２９１６Ａからアンテナ設定用シンボル群４９０２、第３Ａアンテナ部２９１７Ａからアンテナ設定用シンボル群４９０３、第１Ｂアンテナ部２９１５Ｂからアンテナ設定用シンボル群４９０４、第２Ｂアンテナ部２９１６Ｂからアンテナ設定用シンボル群４９０５、第３Ｂアンテナ部２９１７Ｂからアンテナ設定用シンボル群４９０６を送信する。なお、これらのシンボル群を、アンテナ設定用シンボル群４９８０と呼ぶことにする。
【０４４５】
通信局＃２は、通信局＃１が送信したアンテナ設定用シンボル群４９８０を受信する。そして、例えば、第１Ａアンテナ部２９１５Ａを用いて送信されたアンテナ設定用シンボル群４９０１において、受信電界強度、第２Ａアンテナ部２９１６Ａを用いて送信されたアンテナ設定用シンボル群４９０２において、受信電界強度、第３Ａアンテナ部２９１７Ａを用いて送信されたアンテナ設定用シンボル群４９０３において、受信電界強度、第１Ｂアンテナ部２９１５Ｂを用いて送信されたアンテナ設定用シンボル群４９０４において、受信電界強度、第２Ｂアンテナ部２９１６Ｂを用いて送信されたアンテナ設定用シンボル群４９０５において、受信電界強度、第３Ｂアンテナ部２９１７Ｂを用いて送信されたアンテナ設定用シンボル群４９０６において、受信電界強度を比較し、受信電界強度の大きくなる通信局＃１のアンテナ部を推定し、通信局＃１が変調信号を送信する際に使用して欲しいアンテナ部を選択する。そして、通信局＃２は、この選択したアンテナ部の情報を含むアンテナ関連シンボル群＄１（４９５１）を送信する。
【０４４６】
また、通信局＃２は、通信局＃１が送信したアンテナ設定用シンボル群４９８０を第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙを用いて受信する。そして、通信局＃２は、受信に使用するアンテナ部を決定する。なお、決定したアンテナ部を、アンテナ部βと呼ぶことにする。
【０４４７】
通信局＃１は、通信局＃２が送信したアンテナ関連シンボル群＄１（４９５１）を受信し、通信局＃２が受信に使用するアンテナ部が一つ決定したことを知ることになる。これにより、通信局＃１が送信に使用するアンテナ部一つと通信局＃２が使用するアンテナ部一つが決定したことになる。
通信局＃１が具備する各（送信）アンテナ部は、前にも説明したように、図３９のようなアンテナ構成であるものとし、通信局＃２が具備する各（受信）アンテナ部は、図４０のようなアンテナ構成であるものとする。
【０４４８】
そこで、通信局＃１は、前に説明した図４１、図４２のようなフレーム構成で、乗算係数設定用シンボル群５００１をアンテナ部αから送信する。このとき、図４１、図４２のフレーム構成については、前にも説明したので、詳細の説明は省略する。図４１、図４２におけるアンテナＩＤシンボル４１０１、４２０１、４２０２、・・・は、アンテナ部αに関するＩＤの情報が、例えば、含まれているものとする。そして、図３９のアンテナ部で使用する乗算係数セットを切り替えて、リファレンス信号（リファレンスシンボル）４１０２−１、４１０２−２、４１０２−３、・・・を送信する。なお、詳細については、上述したとおりである。
【０４４９】
そして、通信局＃２は、これらのリファレンス信号（リファレンスシンボル）の通信状態（通信品質）（乗算係数設定用シンボル群５００１）から、受信品質が良好となる、「通信局＃１のアンテナ部αの乗算係数」を推定する。そして、通信局＃２は、受信品質が良好となる「通信局＃１のアンテナ部αの乗算係数」に関する情報を通信局＃１に対し、送信することになる。（図５０の「送信＆１（５００２）」）
加えて、通信局＃２は、乗算係数設定用シンボル群５００１を受信することで、図４０のようなアンテナ構成部における、使用する好適な乗算係数を推定することになる。そして、通信局＃２は、アンテナ部βで使用する乗算係数を設定することになる。
【０４５０】
通信局＃１は、以下のルールで、「アンテナ部αからアンテナ設定用のシンボル群４９０７＿１を送信、アンテナ設定用シンボル群＜１＞（４９０７＿２）を送信、アンテナ部αからアンテナ設定用のシンボル群４９０８＿１を送信、アンテナ設定用シンボル群＜２＞（４９０８＿２）を送信、アンテナ部αからアンテナ設定用のシンボル群４９０９＿１を送信、アンテナ設定用シンボル群＜３＞（４９０９＿２）を送信する。」なお、これらのシンボル群をアンテナ設定用シンボル群セット４９８１と呼ぶことにする。
・決定したアンテナ部αが、第１Ａアンテナ部２９１５Ａまたは第２Ａアンテナ部２９１６Ａまたは第３Ａアンテナ部２９１７Ａの場合、通信局＃１は「決定したアンテナ部αからアンテナ設定用のシンボル群４９０７＿１を送信し、第１Ｂアンテナ部２９１５Ｂからアンテナ設定用シンボル群＜１＞（４９０７＿２）を送信」する。その後、「決定したアンテナ部αからアンテナ設定用のシンボル群４９０８＿１を送信し、第２Ｂアンテナ部２９１６Ｂからアンテナ設定用シンボル群＜２＞（４９０８＿２）を送信」し、「決定したアンテナ部αからアンテナ設定用のシンボル群４９０９＿１を送信し、第３Ｂアンテナ部２９１７Ｂからアンテナ設定用シンボル群＜３＞（４９０９＿２）を送信」する。（なお、決定したアンテナ部αからアンテナ設定用のシンボル群４９０７＿１を送信し、第１Ｂアンテナ２９１５Ｂからアンテナ設定用シンボル群＜１＞（４９０７＿２）を送信、続いて、第２Ｂアンテナ２９１６Ｂからアンテナ設定用シンボル群＜２＞（４９０８＿２）を送信、第３Ｂアンテナ２９１７Ｂからアンテナ設定用シンボル群＜３＞（４９０９＿２）を送信、としてもよい。このとき、シンボルの送信する順番は、これに限ったものではない。）
・決定したアンテナ部αが、第１Ｂアンテナ部２９１５Ｂまたは第２Ｂアンテナ部２９１６Ｂまたは第３Ｂアンテナ部２９１７Ｂの場合、通信局＃１は「決定したアンテナ部αからアンテナ設定用のシンボル群４９０７＿１を送信し、第１Ａアンテナ部２９１５Ａからアンテナ設定用シンボル群＜１＞（４９０７＿２）を送信」する。その後、「決定したアンテナ部αからアンテナ設定用のシンボル群４９０８＿１を送信し、第２Ａアンテナ部２９１６Ａからアンテナ設定用シンボル群＜２＞（４９０８＿２）を送信」し、「決定したアンテナ部αからアンテナ設定用のシンボル群４９０９＿１を送信し、第３Ａアンテナ部２９１７Ａからアンテナ設定用シンボル群＜３＞（４９０９＿２）を送信」する。（なお、決定したアンテナ部αからアンテナ設定用のシンボル群４９０７＿１を送信し、第１Ａアンテナ２９１５Ａからアンテナ設定用のシンボル群４９０７＿１を送信、続いて、第２Ａアンテナ２９１６Ａからアンテナ設定用シンボル群＜２＞（４９０８＿２）を送信、第３Ａアンテナ２９１７Ａからアンテナ設定用シンボル群＜３＞（４９０９＿２）を送信、としてもよい。このとき、シンボルを送信する順番は、これに限ったものではない。）
また、通信局＃１は、アンテナ部αからアンテナ設定用のシンボル群４９０７＿１を送信、アンテナ設定用シンボル群＜１＞（４９０７＿２）を送信する。このとき、これらのシンボル群の構成は、例えば、図３６、図３７で示したとおりであり、詳細の動作については上述のとおりである。
【０４５１】
同様に、通信局＃１は、アンテナ部αからアンテナ設定用のシンボル群４９０８＿１を送信、アンテナ設定用シンボル群＜２＞（４９０８＿２）を送信する。このとき、これらのシンボル群の構成は、例えば、図３６、図３７で示したとおりであり、詳細の動作については上述のとおりである。
同様に、通信局＃１は、アンテナ部αからアンテナ設定用のシンボル群４９０９＿１を送信、アンテナ設定用シンボル群＜３＞（４９０９＿２）を送信する。このとき、これらのシンボル群の構成は、例えば、図３６、図３７で示したとおりであり、詳細の動作については上述のとおりである。
【０４５２】
通信局＃２は、図３６、図３７で記載したリファレンス信号（リファレンスシンボル）から、通信状態（通信品質）を推定し、良好となる、「通信局＃１のアンテナ部γ」を推定する。そして、通信局＃２は、受信品質が良好となる「通信局＃１のアンテナ部γ」に関する情報を通信局＃１に対し、送信することになる。（図４９の「送信＄２（４９５２）」）
通信局＃１は、アンテナ部αからの乗算係数設定用シンボル群５００３＿１およびアンテナ部γからの乗算係数設定用シンボル群５００３＿２を送信する。このとき、これらのシンボル群の構成は、例えば、図４３、図４４、図４５、図４６で示したとおりであり、詳細の動作については上述のとおりである。
【０４５３】
通信局＃２は、図４３、図４４、図４５、図４６で記載したリファレンス信号（リファレンスシンボル）から、通信状態（通信品質）を推定し、良好となる、「通信局＃１のアンテナ部γの乗算係数」を推定する。そして、通信局＃２は、受信品質が良好となる「通信局＃１のアンテナ部γの乗算係数」に関する情報を通信局＃１に対し、送信することになる。（図５０の「送信＆２（５００４）」）
加えて、通信局＃２は、アンテナ部αからの乗算係数設定用シンボル群５００３＿１およびアンテナ部γからの乗算係数設定用シンボル群５００３＿２を受信することで、図４０のようなアンテナ部における、アンテナ部δで使用する乗算係数を推定することになる。そして、通信局＃２は、アンテナ部δで使用する乗算係数を設定することになる。
【０４５４】
通信局＃１は、通信局＃２が送信した「送信＆２（５００４）」を受信し、通信局＃１が使用する送信アンテナ部γの情報を得る。加えて、通信局＃１は、アンテナ設定が完了したと判断し、データシンボル群４９１０＿１およびデータシンボル群４９１０＿２を送信する。このとき、データシンボル群４９１０＿１とデータシンボル群４９１０＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群４９１０＿１およびデータシンボル群４９１０＿２では記載していないが、データシンボル群４９１０＿１およびデータシンボル群４９１０＿２にデータシンボル以外の制御情報を伝送するためのシンボル、プリアンブル、パイロットシンボル、リファレンスシンボルなどのシンボルが含まれていてもよい。
【０４５５】
以上のように、通信局＃１が、まず、送信に使用するアンテナ部を決定するために、各アンテナ部から、リファレンスシンボルを送信し、各リファレンスシンボルの通信状態を、通信局＃２から、得て、データシンボルを送信する一つのアンテナ部（アンテナ部α）を決定し、次に、通信局＃１は、アンテナ部αと各アンテナ部から、リファレンスシンボルを送信し、アンテナ部αから送信されたリファレンスシンボルの通信状態と各アンテナ部から送信されたリファレンスシンボルの通信状態を、通信局＃２から、得て、データシンボルを送信する、もう一つのアンテナ部（アンテナ部γ）を決定することで、通信局＃２は、高いデータの受信品質を得ることができるという効果を得ることができる。なお、その際、送受信アンテナで使用する乗算係数をあわせて決定してもよい。また、本発明のポイントの一つは、「単独送信のあとに複数送信を行い、アンテナ選択を行うこと」である。そして、本実施の形態で、いくつかのフレーム構成を説明したが、それらのフレーム構成において、周波数軸上にもシンボルが存在してもよい。
【０４５６】
なお、図３４、図４７のデータシンボル群３４１１＿１、３４１１＿２、および、図４９、図５０のデータシンボル群４９１０＿１、４９１０＿２において、通信局＃１は、送信に使用するアンテナ部αの（ＩＤ）情報、送信に使用するアンテナγの（ＩＤ）情報、アンテナ部αの係数に関する情報、アンテナ部γの係数に関する情報をあわせて送信してもよい。
【０４５７】
また、図４１、図４２、図４３、図４４、図４５、図４６のように、送信局＃１が送信アンテナ部の乗算係数を変更してリファレンス信号（リファレンスシンボル）を送信する場合、図４１から図４６に記載されているアンテナＩＤシンボルは、アンテナＩＤに関する情報に加えて、乗算係数に関する情報を含んでいてもよい。このとき、乗算係数に関する情報は、乗算した係数の情報そのものであってもよいし、乗算係数に関するＩＤの情報であってもよい。
【０４５８】
例えば、第１の乗算係数セットに対し、乗算係数に関するＩＤとして「＃１」を割り当て、第２の乗算係数セットに対し、乗算係数に関するＩＤとして「＃２」を割り当て、・・・というようにする。
そして、例えば、リファレンス信号（リファレンスシンボル）を生成する際、第１の乗算係数セットを用いた場合、「＃１」のＩＤに対応する情報をアンテナＩＤシンボルに含め、通信局＃１は、このアンテナＩＤシンボルを送信することになる。
【０４５９】
このとき、通信局＃２は、通信局＃１が送信に使用するアンテナおよび乗算係数を決定し（通信局＃２は、アンテナの識別と乗算係数の識別を、例えば、通信局＃１が送信したアンテナＩＤの情報と乗算係数の（ＩＤの）情報によって、行うことになる。）、通信局＃２は、通信局＃１に対し、「通信局＃１が送信に使用するアンテナの情報」を送信することになるが、あわせて「乗算係数のＩＤの情報」を送信することになる。
【０４６０】
（実施の形態２の補足）
実施の形態２における図２９の通信局＃１の構成において、第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂが、それぞれ異なる性質のアンテナ特性を持つとしてもよい。なお、例えば、第１の偏波特性を持つアンテナと第２の偏波特性を持つアンテナ（第１の偏波特性と第２の偏波特性は異なる。（例として、第１の偏波特性は水平偏波、第２の偏波特性は垂直偏波））のような関係を「異なる性質のアンテナ特性」と呼ぶものとする。
【０４６１】
また、別の方法として、「第１Ａアンテナ部２９１５Ａ、および、第２Ａアンテナ部２９１６Ａ、および、第３Ａアンテナ部２９１７Ａ」が第１のアンテナ特性を持ち、「第１Ｂアンテナ部２９１５Ｂ、および、第２Ｂアンテナ部２９１６Ｂ、および、第３Ｂアンテナ部２９１７Ｂ」が第２のアンテナ特性を持つとし、第１のアンテナ特性と第２のアンテナ特性が異なるとする方法がある。このようにすると、第１のアンテナ特性を持つアンテナ部と第２のアンテナ特性を持つアンテナ部の両者を通信局＃１が変調信号を送信する際に使用することになるので、ユースケースによっては、通信局＃２が良好なデータの受信品質を得ることができる可能性がある。
【０４６２】
ところで、ＤＭＧアンテナを以下のように定義する。
「Directional multi-gigabit (DMG) antenna: A DMG antenna is a phased array, a single element antenna, or a set of switch beam antennas covered by a quasi-omni antenna pattern」
実施の形態２における図２９の通信局＃１の構成において、第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂが、それぞれ異なる性質を持つＤＭＧアンテナとしてもよい。
【０４６３】
また、別の方法として、「第１Ａアンテナ部２９１５Ａ、および、第２Ａアンテナ部２９１６Ａ、および、第３Ａアンテナ部２９１７Ａ」が第１のＤＭＧアンテナ、「第１Ｂアンテナ部２９１５Ｂ、および、第２Ｂアンテナ部２９１６Ｂ、および、第３Ｂアンテナ部２９１７Ｂ」が第２のＤＭＧアンテナ（第１のＤＭＧアンテナと第２のＤＭＧアンテナは性質の異なるアンテナであるものとする。）とする方法がある。このようにすると、第１のＤＭＧアンテナと第２のＤＭＧアンテナの両者を通信局＃１が変調信号を送信する際に使用することになるので、ユースケースによっては、通信局＃２が良好なデータの受信品質を得ることができる可能性がある。
【０４６４】
なお、第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂのアンテナ特性（アンテナの種類など）の与え方は、上述に限ったものではない（例えば、第１Ａアンテナ部２９１５Ａ、第２Ａアンテナ部２９１６Ａ、第３Ａアンテナ部２９１７Ａ、第１Ｂアンテナ部２９１５Ｂ、第２Ｂアンテナ部２９１６Ｂ、第３Ｂアンテナ部２９１７Ｂが同一の性質のアンテナ特性をもつアンテナであってもよい。）。
【０４６５】
また、実施の形態２における図３０の通信局＃２の構成において、第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙが、それぞれ異なる性質のアンテナ特性を持つとしてもよい。なお、例えば、第１の偏波特性を持つアンテナと第２の偏波特性を持つアンテナ（第１の偏波特性と第２の偏波特性は異なる。（例として、第１の偏波特性は水平偏波、第２の偏波特性は垂直偏波））のような関係を「異なる性質のアンテナ特性」と呼ぶものとする。
【０４６６】
また、別の方法として、「第１Ｘアンテナ部３００１Ｘ、および、第２Ｘアンテナ部３００２Ｘ、および、第３Ｘアンテナ部３００３Ｘ」が第１のアンテナ特性を持ち、「第１Ｙアンテナ部３００１Ｙ、および、第２Ｙアンテナ部３００２Ｙ、および、第３Ｙアンテナ部３００３Ｙ」が第２のアンテナ特性を持つとし、第１のアンテナ特性と第２のアンテナ特性が異なるとする方法がある。このようにすると、第１のアンテナ特性を持つアンテナ部と第２のアンテナ特性を持つアンテナ部の両者を通信局＃２が変調信号を受信する際に使用することになるので、ユースケースによっては、通信局＃２が良好なデータの受信品質を得ることができる可能性がある。
【０４６７】
実施の形態２における図３０の通信局＃２の構成において、第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙが、それぞれ異なる性質を持つＤＭＧアンテナとしてもよい。
また、別の方法として、「第１Ｘアンテナ部３００１Ｘ、および、第２Ｘアンテナ部３００２Ｘ、および、第３Ｘアンテナ部３００３Ｘ」が第１のＤＭＧアンテナ、「第１Ｙアンテナ部３００１Ｙ、および、第２Ｙアンテナ部３００２Ｙ、および、第３Ｙアンテナ部３００３Ｙ」が第２のＤＭＧアンテナ（第１のＤＭＧアンテナと第２のＤＭＧアンテナは性質の異なるアンテナであるものとする。）とする方法がある。このようにすると、第１のＤＭＧアンテナと第２のＤＭＧアンテナの両者を通信局＃２が変調信号を受信する際に使用することになるので、ユースケースによっては、通信局＃２が良好なデータの受信品質を得ることができる可能性がある。
【０４６８】
なお、第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙのアンテナ特性（アンテナの種類など）の与え方は、上述に限ったものではない（例えば、第１Ｘアンテナ部３００１Ｘ、第２Ｘアンテナ部３００２Ｘ、第３Ｘアンテナ部３００３Ｘ、第１Ｙアンテナ部３００１Ｙ、第２Ｙアンテナ部３００２Ｙ、第３Ｙアンテナ部３００３Ｙが同一の性質のアンテナ特性をもつアンテナであってもよい。）。
【０４６９】
（実施の形態３）
本実施の形態では、実施の形態１を含む、複数の変調信号を複数のアンテナから送信する、例えば、ＭＩＭＯ伝送方式において、送信装置が、複数の変調信号を送信するのに使用する複数のアンテナを選択する方法の実施の形態２とは異なる例について説明する。
【０４７０】
まず、通信装置の構成の概要から説明する。本実施の形態では、図５１に示す通信局＃１と図５２に示す通信局＃２とが通信を行う場合を考える。
図５１は、通信局＃１の構成を示している。なお、図２９と同様に動作するものについては、同一番号を付しており、その部分については、実施の形態２において説明しているので、説明を省略する。
【０４７１】
アンテナ設定処理部２９０５は、通信相手からの制御情報２９５６、フレーム構成信号２９０８を入力とし、フレーム構成信号２９０８に基づいて、アンテナ設定用の変調信号２９０６Ａ、２９６０Ｂを出力するとともに、例えば、通信相手からの制御情報２９５６に基づき、例えば、選択したアンテナの情報、アンテナでの重み付け情報などの情報を含んだアンテナ制御信号５１０４を出力する。なお、詳細の動作については、後で説明する。
【０４７２】
アンテナ選択部５１０１は、送信信号２９１０Ａ、送信信号２９１０Ｂ、フレーム構成信号２９０８、アンテナ制御信号５１０４を入力とし、フレーム構成信号２９０８、アンテナ制御信号５１０４にしたがい、アンテナの選択を行うとともに、アンテナの切り替えタイミングを制御し、送信信号２９１０Ａを、５１０２＿１、５１０２＿２、５１０２＿３、５１０２＿４、５１０２＿５、５１０２＿６のいずれかに対し出力し、送信信号２９１０Ｂを、５１０２＿１、５１０２＿２、５１０２＿３、５１０２＿４、５１０２＿５、５１０２＿６のいずれかに対し出力する。したがって、送信信号２９１０Ａは、第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれからのアンテナ部から電波として出力される。また、送信信号２９１０Ｂも、第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれからのアンテナ部から電波として出力される。ただし、送信信号２９１０Ａと送信信号２９１０Ｂは、異なるアンテナ部から送信されることになる。
【０４７３】
なお、第１Ａアンテナ部５１０３＿１、第２Ａアンテナ部５１０３＿２、第３Ａアンテナ部５１０３＿３、第４Ａアンテナ部５１０３＿４、第５Ａアンテナ５１０３＿５、第６Ａアンテナ５１０３＿６は、それぞれ、例えば、複数のアンテナで構成されているものとする。
そして、第１Ａアンテナ部５１０３＿１は、フレーム構成信号２９０８、アンテナ制御信号５１０４を入力とし、フレーム構成信号２９０８、アンテナ制御信号５１０４にしたがい、複数のアンテナの重み付け、または、位相のパラメータを適切なタイミングで変更することになる。
【０４７４】
同様に、第２Ａアンテナ部５１０３＿２は、フレーム構成信号２９０８、アンテナ制御信号５１０４を入力とし、フレーム構成信号２９０８、アンテナ制御信号５１０４にしたがい、複数のアンテナの重み付け、または、位相のパラメータを適切なタイミングで変更することになる。
第３Ａアンテナ部５１０３＿３は、フレーム構成信号２９０８、アンテナ制御信号５１０４を入力とし、フレーム構成信号２９０８、アンテナ制御信号５１０４にしたがい、複数のアンテナの重み付け、または、位相のパラメータを適切なタイミングで変更することになる。
【０４７５】
第４Ａアンテナ部５１０３＿４は、フレーム構成信号２９０８、アンテナ制御信号５１０４を入力とし、フレーム構成信号２９０８、アンテナ制御信号５１０４にしたがい、複数のアンテナの重み付け、または、位相のパラメータを適切なタイミングで変更することになる。
第５Ａアンテナ部５１０３＿５は、フレーム構成信号２９０８、アンテナ制御信号５１０４を入力とし、フレーム構成信号２９０８、アンテナ制御信号５１０４にしたがい、複数のアンテナの重み付け、または、位相のパラメータを適切なタイミングで変更することになる。
【０４７６】
第６Ａアンテナ部５１０３＿６は、フレーム構成信号２９０８、アンテナ制御信号５１０４を入力とし、フレーム構成信号２９０８、アンテナ制御信号５１０４にしたがい、複数のアンテナの重み付け、または、位相のパラメータを適切なタイミングで変更することになる。
なお、図５１では、一例として、送信アンテナ部の個数を６個としているが、これはあくまでも一例であり、送信アンテナ部の個数は、この数に限ったものではない。
【０４７７】
図５２は、通信局＃２の構成を示している。なお、図３０と同様に動作するものについては、同一番号を付しており、その部分については、実施の形態２において説明しているので、説明を省略する。
アンテナ選択部５２０３は、第１Ｘアンテナ部５２０１＿１で受信した受信信号５２０２＿１、第２Ｘアンテナ部５２０１＿２で受信した受信信号５２０２＿２、第３Ｘアンテナ部５２０１＿３で受信した受信信号５２０２＿３、第４Ｘアンテナ部５２０１＿４で受信した受信信号５２０２＿４、第５Ｘアンテナ部５２０１＿５で受信した受信信号５２０２＿５、第６Ｘアンテナ部５２０１＿６で受信した受信信号５２０２＿６、を入力とするとともに、制御情報３０１３およびアンテナ制御信号５２０４を入力とする。そして、アンテナ選択部５２０３は、制御情報３０１３およびアンテナ制御信号３０１５Ｘにしたがい、適切なタイミングでアンテナ選択を行い、受信信号５２０２＿１、５２０２＿２、５２０２＿３、５２０２＿４、５２０１＿５のうち、例えば、いずれか２つの信号を選択し、受信信号３００８Ｘ、８００８Ｙとして出力する。なお、アンテナ選択の方法については、後で説明する。
【０４７８】
第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６は、それぞれ、例えば、複数のアンテナで構成されているものとする。
第１Ｘアンテナ部５２０１＿１は、制御情報３０１３およびアンテナ制御信号５２０４を入力とし、制御情報３０１３およびアンテナ制御信号５２０４にしたがい、複数のアンテナの重み付け、または、位相のパラメータを適切なタイミングで変更することになる。
【０４７９】
同様に、第２Ｘアンテナ部５２０１＿２は、制御情報３０１３およびアンテナ制御信号５２０４を入力とし、制御情報３０１３およびアンテナ制御信号５２０４にしたがい、複数のアンテナの重み付け、または、位相のパラメータを適切なタイミングで変更することになる。
第３Ｘアンテナ部５２０１＿３は、制御情報３０１３およびアンテナ制御信号５２０４を入力とし、制御情報３０１３およびアンテナ制御信号５２０４にしたがい、複数のアンテナの重み付け、または、位相のパラメータを適切なタイミングで変更することになる。
【０４８０】
第４Ｘアンテナ部５２０１＿４は、制御情報３０１３およびアンテナ制御信号５２０４を入力とし、制御情報３０１３およびアンテナ制御信号５２０４にしたがい、複数のアンテナの重み付け、または、位相のパラメータを適切なタイミングで変更することになる。
第５Ｘアンテナ部５２０１＿５は、制御情報３０１３およびアンテナ制御信号５２０４を入力とし、制御情報３０１３およびアンテナ制御信号５２０４にしたがい、複数のアンテナの重み付け、または、位相のパラメータを適切なタイミングで変更することになる。
【０４８１】
第６Ｘアンテナ部５２０１＿６は、制御情報３０１３およびアンテナ制御信号５２０４を入力とし、制御情報３０１３およびアンテナ制御信号５２０４にしたがい、複数のアンテナの重み付け、または、位相のパラメータを適切なタイミングで変更することになる。
アンテナ設定処理部３０１４は、ベースバンド信号３０１０Ｘ、３０１０Ｙ、制御情報３０１３を入力とし、制御情報３０１３におけるフレーム構成に関する情報から、アンテナ関連の設定に必要な信号を検出し、アンテナ制御信号５２０４、および、アンテナ関連用の情報３０１６を出力する。なお、アンテナ制御信号５２０４は、受信アンテナに関する重み付け、または、位相変更パラメータに関する情報、受信アンテナの切り替えタイミングに関する情報を含んでおり、アンテナ関連用の情報３０１６は、通信局＃１が変調信号を送信するためのアンテナの情報を含んでいるものとする。
【０４８２】
なお、図５２において、受信アンテナ部の個数を６個としているが、これはあくまでも一例であり、受信アンテナ部の個数は、この数に限ったものではない。
次に、図５３を用いて、通信局＃１と通信局＃２の通信のやりとりの一例について説明を行う。
通信局＃１と通信局＃２の通信のやりとりの第１の例：
ステップＳＴ１：
通信局＃１は、図５１の第１Ａアンテナ部５１０３＿１から信号を送信する。その後、通信局＃１は、第２Ａアンテナ部５１０３＿２から信号を送信し、第３Ａアンテナ部５１０３＿３から信号を送信し、第４Ａアンテナ部５１０３＿４から信号を送信し、第５Ａアンテナ部５１０３＿５から信号を送信し、第６Ａアンテナ部５１０３＿６から信号を送信する。
【０４８３】
ステップＳＴ２：
通信局＃２は、ステップＳＴ１で送信した変調信号を受信し、「通信局＃１が変調信号を送信するためのアンテナを、第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６から１つのアンテナ部」を決定する。（なお、ここで、決定した送信に使用するアンテナ部を「決定したアンテナ部α」と名付ける。）
ステップＳＴ３：
通信局＃２は、「通信局＃１が変調信号を送信するためのアンテナ（決定したアンテナ部α）の情報」を通信局＃１に送信する。
【０４８４】
ステップＳＴ４：
通信局＃１は、（決定した）アンテナ部αから信号を送信する。
ステップＳＴ５：
通信局＃２は、通信局＃１が（決定した）アンテナ部αから送信した信号を受信し、図５２の第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６から、受信に使用する受信アンテナ部一つを決定する。（なお、ここで、決定した受信に使用するアンテナ部を「決定したアンテナ部β」と名付ける。）
ステップＳＴ６：
使用する受信アンテナ部が一つ決定したことを通信局＃１に通知する。（このとき、決定した受信アンテナの情報を通信局＃１に通知してもよい。）
ステップＳＴ７：
通信局＃１は、以下のルールで信号を送信する。
・通信局＃１は「決定したアンテナ部αとアンテナ部ｇ１から信号を送信」。その後、「決定したアンテナ部αとアンテナ部ｇ２から信号を送信」、「決定したアンテナ部αとアンテナ部ｇ３から信号を送信」、「決定したアンテナ部αとアンテナ部ｇ４から信号を送信」。、「決定したアンテナ部αとアンテナ部ｇ５から信号を送信」（なお、決定したアンテナ部αとアンテナ部ｇ１から信号を送信、続いて、アンテナ部ｇ２から信号を送信、アンテナ部ｇ３から信号を送信、アンテナ部ｇ４から信号を送信、アンテナ部ｇ５から信号を送信、としてもよい。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０４８５】
ステップＳＴ８：
通信局＃２は、
「通信局＃１がアンテナ部αと同時に使用する、変調信号を送信するアンテナ部を１つ決定する。」なお、決定した送信に使用するアンテナ部を「決定したアンテナ部γ」と名付ける。
通信局＃２は、アンテナ部βとは異なる受信アンテナ部を新たに１つ決定する。
なお、新たに決定した受信アンテナ部は、第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６のいずれかである。
【０４８６】
ステップＳＴ９：
通信局＃２は、「通信局＃１が変調信号を送信するためのアンテナ（決定したアンテナ部γ）の情報」を通信局＃１に送信する。
通信局＃２は、使用する受信アンテナ部があらたに１つ決定したことを通信局＃１に通知する。（決定した受信アンテナ部の情報を通信局＃１に通知してもよい。）なお、決定した受信に使用するアンテナ部を「アンテナ部δ」と名付ける。
【０４８７】
ステップＳＴ１０：
通信局＃１は、アンテナ部αとアンテナ部γを使用し、データシンボルの送信を開始する。（アンテナ部αとアンテナ部γを使用し、２つの変調信号の送信を開始する。）
通信局＃１と通信局＃２の通信のやりとりの第１の例を、図５３を用いて説明したが、図５３の＜Ｐ＞に図３２の処理、図５３の＜Ｑ＞に図３３の処理を追加してもよい。そのとき、通信局＃１と通信局＃２の通信のやりとりは以下のようになる。
【０４８８】
通信局＃１と通信局＃２の通信のやりとりの第２の例：
ステップＳＴ１：
通信局＃１は、図５１の第１Ａアンテナ部５１０３＿１から信号を送信する。その後、通信局＃１は、第２Ａアンテナ部５１０３＿２から信号を送信し、第３Ａアンテナ部５１０３＿３から信号を送信し、第４Ａアンテナ部５１０３＿４から信号を送信し、第５Ａアンテナ部５１０３＿５から信号を送信し、第６Ａアンテナ部５１０３＿６から信号を送信する。
【０４８９】
ステップＳＴ２：
通信局＃２は、ステップＳＴ１で送信した変調信号を受信し、「通信局＃１が変調信号を送信するためのアンテナを、第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６から１つのアンテナ部」を決定する。（なお、ここで、決定した送信に使用するアンテナ部を「決定したアンテナ部α」と名付ける。）
ステップＳＴ３：
通信局＃２は、「通信局＃１が変調信号を送信するためのアンテナ（決定したアンテナ部α）の情報」を通信局＃１に送信する。
【０４９０】
ステップＳＴ４：
通信局＃１は、（決定した）アンテナ部αから信号を送信する。
ステップＳＴ５：
通信局＃２は、通信局＃１が（決定した）アンテナ部αから送信した信号を受信し、図５２の第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６から、受信に使用する受信アンテナ部一つを決定する。（なお、ここで、決定した受信に使用するアンテナ部を「決定したアンテナ部β」と名付ける。）
ステップＳＴ６：
使用する受信アンテナ部が一つ決定したことを通信局＃１に通知する。（このとき、決定した受信アンテナの情報を通信局＃１に通知してもよい。）
ステップＳＴ７：（図３２参照）
通信局＃１は、（決定した）アンテナ部αの重み付け、または、位相のパラメータを複数種類変更し、アンテナ部αから信号を送信する。
【０４９１】
ステップＳＴ８：（図３２参照）
通信局＃２は、（決定した）アンテナ部βの重み付け、または、位相のパラメータを複数種類変更し、受信を行う。
ステップＳＴ９：（図３２参照）
通信局＃２は、「通信局＃１が変調信号を送信するためのアンテナ部αが使用する適切な重み付け、または、位相のパラメータの情報」を通信局＃１に送信する。
【０４９２】
通信局＃２は、使用するアンテナ部の適切な重み付け、または、位相のパラメータが決定したことを通信局＃１に通知する。（重み付け、または、位相のパラメータの情報を通信局＃１に通知してもよい。）
ステップＳＴ１０：（図３２参照）
通信局＃１は、「通信局＃２が送信したアンテナ部αの適切な重み付け、または、位相パラメータの情報」に基づき、アンテナ部αに対し、適切な重み付け、または、位相パラメータを設定する。
【０４９３】
ステップＳＴ１１：
通信局＃１は、以下のルールで信号を送信する。
・通信局＃１は「決定したアンテナ部αとアンテナ部ｇ１から信号を送信」。その後、「決定したアンテナ部αとアンテナ部ｇ２から信号を送信」、「決定したアンテナ部αとアンテナ部ｇ３から信号を送信」、「決定したアンテナ部αとアンテナ部ｇ４から信号を送信」。、「決定したアンテナ部αとアンテナ部ｇ５から信号を送信」（なお、決定したアンテナ部αとアンテナ部ｇ１から信号を送信、続いて、アンテナ部ｇ２から信号を送信、アンテナ部ｇ３から信号を送信、アンテナ部ｇ４から信号を送信、アンテナ部ｇ５から信号を送信、としてもよい。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０４９４】
ステップＳＴ１２：
通信局＃２は、
「通信局＃１がアンテナ部αと同時に使用する、変調信号を送信するアンテナ部を１つ決定する。」なお、決定した送信に使用するアンテナ部を「決定したアンテナ部γ」と名付ける。
通信局＃２は、アンテナ部βとは異なる受信アンテナ部を新たに１つ決定する。
なお、新たに決定した受信アンテナ部は、第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６のいずれかである。
【０４９５】
ステップＳＴ１３：
通信局＃２は、「通信局＃１が変調信号を送信するためのアンテナ（決定したアンテナ部γ）の情報」を通信局＃１に送信する。
通信局＃２は、使用する受信アンテナ部があらたに１つ決定したことを通信局＃１に通知する。（決定した受信アンテナ部の情報を通信局＃１に通知してもよい。）なお、決定した受信に使用するアンテナ部を「アンテナ部δ」と名付ける。
【０４９６】
ステップＳＴ１４：（図３３参照）
通信局＃１は、アンテナ部αから信号を送信するとともに、アンテナ部γの重み付け、または位相のパラメータを複数種類変更し、アンテナ部γから信号を送信する。
ステップＳＴ１５：（図３３参照）
通信局＃２は、（決定した）アンテナ部δの重み付け、または、位相のパラメータを複数種類変更し、受信を行う。
【０４９７】
ステップＳＴ１６：（図３３参照）
通信局＃２は、「通信局＃１が変調信号を送信するためのアンテナ部γが使用する適切な重み付け、または、位相のパラメータの情報」を通信局＃１に送信する。
ステップＳＴ１７：（図３３参照）
通信局＃１は、「通信局＃２が送信したアンテナ部γの適切な重み付け、または、位相パラメータの情報」に基づき、アンテナ部γに対し、適切な重み付け、または、位相パラメータを設定する。
【０４９８】
ステップＳＴ１８：
通信局＃１は、アンテナ部αとアンテナ部γを使用し、データシンボルの送信を開始する。（アンテナ部αとアンテナ部γを使用し、２つの変調信号の送信を開始する。）
次に、「通信局＃１と通信局＃２の通信のやりとりの第１の例」に対する、通信局＃１および通信局＃２の時間軸における送信フレームの例について説明する。
【０４９９】
図５４は、通信局＃１および通信局＃２の時間軸における送信フレームの例を示しており、図５４（ａ）は、通信局＃１の時間軸における送信フレーム、図５４（ｂ）は、通信局＃２の時間軸における送信フレームを示している。
（なお、図５４（ａ）、図５４（ｂ）において、シンボルは、周波数軸にも存在していてもよい。）
図５４に示すように、まず、通信局＃１は、第１Ａアンテナ部５１０３＿１からアンテナ設定用シンボル群３４０１を送信し、その後、第２Ａアンテナ部５１０３＿２からアンテナ設定用シンボル群３４０２、第３Ａアンテナ部５１０３＿３からアンテナ設定用シンボル群３４０３、第４Ａアンテナ部５１０３＿４からアンテナ設定用シンボル群５４０１、第５Ａアンテナ部５１０３＿５からアンテナ設定用シンボル群５４０２、第６Ａアンテナ部５１０３＿６からアンテナ設定用シンボル群５４０３を送信する。なお、これらのシンボル群を、アンテナ設定用シンボル群３４８０と呼ぶことにする。
【０５００】
通信局＃２は、通信局＃１が送信したアンテナ設定用シンボル群３４８０を受信する。そして、例えば、第１Ａアンテナ部５１０３＿１を用いて送信されたアンテナ設定用シンボル群３４０１の受信電界強度、第２Ａアンテナ部５１０３＿２を用いて送信されたアンテナ設定用シンボル群３４０２の受信電界強度、第３Ａアンテナ部５１０３＿３を用いて送信されたアンテナ設定用シンボル群３４０３の受信電界強度、第４Ａアンテナ部５１０３＿４を用いて送信されたアンテナ設定用シンボル群５４０１の受信電界強度、第５Ａアンテナ部５１０３＿５を用いて送信されたアンテナ設定用シンボル群５４０２の受信電界強度、第６Ａアンテナ部５１０３＿６を用いて送信されたアンテナ設定用シンボル群５４０３の受信電界強度を比較し、受信電界強度の大きくなる通信局＃１のアンテナ部を推定し、通信局＃１が変調信号を送信する際に使用して欲しいアンテナ部を選択する。そして、通信局＃２は、この選択したアンテナ部の情報を含むアンテナ関連シンボル群＄１（３４５１）を送信する。
【０５０１】
通信局＃１は、通信局＃２が送信したアンテナ関連シンボル群＄１（３４５１）を受信し、通信局＃２が送信したアンテナ関連シンボル群＄１（３４５１）に含まれる「選択されたアンテナ部の情報」に基づいて、変調信号を送信するために使用するアンテナ部（前にも説明したように、「アンテナ部α」と呼ぶ。）を決定し、アンテナ部αからアンテナ設定用シンボル群３４０７を送信する。
【０５０２】
通信局＃２は、通信局＃１が送信したアンテナ設定用シンボル群３４０７を、第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６を用いて受信し、受信に使用する受信アンテナ部を一つ決定する。（なお、前にも説明したように、ここで、決定した受信に使用するアンテナ部を「決定したアンテナ部β」と名付ける。）そして、通信局＃２は、使用する受信アンテナ部が一つ決定したことを通信局＃１に通知するために、アンテナ関連シンボル群＄２（３４５２）を送信する。（このとき、アンテナ関連シンボル群＄２（３４５２）は、決定した受信アンテナの情報を含んでいてもよい。）
通信局＃１は、通信局＃２が送信したアンテナ関連シンボル群＄２（３４５２）を受信し、通信局＃２が受信に使用するアンテナ部が一つ決定したことを知ることになる。これにより、通信局＃１が送信に使用するアンテナ部一つと通信局＃２が使用するアンテナ部一つが決定したことになる。したがって、通信局＃１が送信に使用するもう一つのアンテナ部と通信局＃２が受信に使用するもう一つのアンテナを決めるための手続きに入ることになる。
【０５０３】
通信局＃１は、以下のルールで、「アンテナ部αからアンテナ設定用のシンボル群５４１１＿１を送信、アンテナ設定用シンボル群＜１＞（５４１１＿２）を送信、アンテナ部αからアンテナ設定用のシンボル群５４１２＿１を送信、アンテナ設定用シンボル群＜２＞（５４１２＿２）を送信、アンテナ部αからアンテナ設定用のシンボル群５４１３＿１を送信、アンテナ設定用シンボル群＜３＞（５４１３＿２）を送信、アンテナ部αからアンテナ設定用のシンボル群５４１４＿１を送信、アンテナ設定用シンボル群＜４＞（５４１４＿２）を送信、アンテナ部αからアンテナ設定用のシンボル群５４１５＿１を送信、アンテナ設定用シンボル群＜５＞（５４１５＿２）を送信する。」なお、これらのシンボル群をアンテナ設定用シンボル群セット５４１０と呼ぶことにする。そして、アンテナ設定用シンボル群セット５４１０の送信方法については、後で説明する。
【０５０４】
・通信局＃１は「決定したアンテナ部αからアンテナ設定用のシンボル群５４１１＿１を、アンテナ部ｇ１からアンテナ設定用シンボル群＜１＞（５４１１＿２）を送信」。その後、「決定したアンテナ部αからアンテナ設定用のシンボル群５４１２＿１を、アンテナ部ｇ２からアンテナ設定用シンボル群＜２＞（５４１２＿２）を送信」、「決定したアンテナ部αからアンテナ設定用のシンボル群５４１３＿１を、アンテナ部ｇ３からアンテナ設定用シンボル群＜３＞（５４１３＿２）を送信」、「決定したアンテナ部αからアンテナ設定用のシンボル群５４１４＿１を、アンテナ部ｇ４からアンテナ設定用シンボル群＜４＞（５４１４＿２）を送信」。、「決定したアンテナ部αからアンテナ設定用のシンボル群５４１５＿１を、アンテナ部ｇ５からアンテナ設定用シンボル群＜５＞（５４１５＿２）を送信」（なお、決定したアンテナ部αからアンテナ設定用のシンボル群５４１１＿１を、アンテナ部ｇ１からアンテナ設定用シンボル群＜１＞（５４１１＿２）を送信、続いて、アンテナ部ｇ２からアンテナ設定用シンボル群＜２＞（５４１２＿２）を送信、アンテナ部ｇ３からアンテナ設定用シンボル群＜３＞（５４１３＿２）を送信、アンテナ部ｇ４からアンテナ設定用シンボル群＜４＞（５４１４＿２）を送信、アンテナ部ｇ５からアンテナ設定用シンボル群＜５＞（５４１５＿２）を送信、としてもよい。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０５０５】
通信局＃２は、通信局＃１が送信したアンテナ設定用シンボル群セット５４１０を受信する。そして、通信局＃２は、「通信局＃１がアンテナ部αと同時に使用する、変調信号を送信するアンテナ部を１つ決定する。」（なお、前にも説明したように、決定した送信に使用するアンテナ部を「決定したアンテナ部γ」と名付ける。）
また、通信局＃２は、使用する受信アンテナ部を新たに１つ決定する。
（なお、前にも説明したように、決定した受信に使用するアンテナ部を「アンテナ部δ」と名付ける。）
そして、通信局＃２は、「通信局＃１が変調信号を送信するためのアンテナ（決定したアンテナ部γ）の情報」を含むアンテナ関連シンボル群＄３（３４５３）を通信局＃１に送信する。（このとき、アンテナ関連シンボル群＄３（３４５３）は、決定した受信アンテナの情報を含んでいてもよい。）
通信局＃１は、通信局＃２が送信したアンテナ関連シンボル群＄３（３４５３）を受信し、アンテナ設定が完了したと判断し、データシンボル群３４１１＿１およびデータシンボル群３４１１＿２を送信する。このとき、データシンボル群３４１１＿１とデータシンボル群３４１１＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群３４１１＿１およびデータシンボル群３４１１＿２では記載していないが、データシンボル群３４１１＿１およびデータシンボル群３４１１＿２にデータシンボル以外の制御情報を伝送するためのシンボル、プリアンブル、パイロットシンボル、リファレンスシンボルなどのシンボルが含まれていてもよい。
【０５０６】
図３５は、アンテナ設定用シンボル群３４８０の構成の一例である（横軸は時間である）。第１Ａアンテナ部５１０３＿１からアンテナ設定用シンボル群３４０１、第２Ａアンテナ部５１０３＿２からアンテナ設定用シンボル群３４０２、第３Ａアンテナ部５１０３＿３からアンテナ設定用シンボル群３４０３、第４Ａアンテナ部５１０３＿４からアンテナ設定用シンボル群５４０１、第５Ａアンテナ部５１０３＿５からアンテナ設定用シンボル群５４０２、第６Ａアンテナ部５１０３＿６からアンテナ設定用シンボル群５４０３の各シンボル群は、例えば、図３５のような構成とする。
【０５０７】
第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６には、それぞれ固有のアンテナＩＤ（ＩＤ：identification）が付与されているものとする。したがって、例えば、第１Ａアンテナ部５１０３＿１からアンテナ設定用シンボル群３４０１を送信する際、アンテナＩＤシンボル３５０１では、第１Ａアンテナ部５１０３＿１のアンテナＩＤを送信することになる。
【０５０８】
そして、図３５に示したように、アンテナＩＤシンボル３５０１に加えて、リファレンス信号（リファレンスシンボル）３５０２を、通信局＃１は、送信する。リファレンス信号（リファレンスシンボル）３５０２の役割は、通信局＃２が通信状態（受信品質）（例えば、受信電界強度）を推定することを実現するための信号（シンボル）である。よって、例えば、通信局＃２にとっても既知の信号（例えば、既知のＰＳＫ（Phase Shift Keying）シンボル）であるとする。
【０５０９】
したがって、通信局＃１は、図５４の第１Ａアンテナ部５１０３＿１からアンテナ設定用シンボル群３４０１として、図３５の構成のシンボル群を送信するものとする。（当然であるが、アンテナＩＤシンボル３５０１は、第１Ａアンテナ部５１０３＿１であることを示している。）そして、通信局＃２は、図５４の第１Ａアンテナ部５１０３＿１からアンテナ設定用シンボル群３４０１を受信し、アンテナＩＤシンボル３５０１から「第１Ａアンテナ部５１０３＿１から変調信号が通信局＃１から送信された」ことを知る。また、通信局＃２は、リファレンス信号（リファレンスシンボル）３５０２から、通信状態（通信品質）を推定する。よって、通信局＃２は、「図５４の第１Ａアンテナ部５１０３＿１から送信された変調信号も通信状態（通信品質）」を推定することになる。
【０５１０】
同様に、通信局＃１は、図５４の第２Ａアンテナ部５１０３＿２からアンテナ設定用シンボル群３４０２として、図３５の構成のシンボル群を送信するものとする。（当然であるが、アンテナＩＤシンボル３５０１は、第２Ａアンテナ部５１０３＿２であることを示している。）通信局＃２は、上述と同様の動作を行うことで、通信局＃２は、「図５４の第２Ａアンテナ部５１０３＿２から送信された変調信号も通信状態（通信品質）」を推定することになる。
【０５１１】
通信局＃１は、図５４の第３Ａアンテナ部５１０３＿３からアンテナ設定用シンボル群３４０３として、図３５の構成のシンボル群を送信するものとする。（当然であるが、アンテナＩＤシンボル３５０１は、第３Ａアンテナ部５１０３＿３であることを示している。）通信局＃２は、上述と同様の動作を行うことで、通信局＃２は、「図５４の第３Ａアンテナ部５１０３＿３から送信された変調信号も通信状態（通信品質）」を推定することになる。
【０５１２】
通信局＃１は、図５４の第４Ａアンテナ部５１０３＿４からアンテナ設定用シンボル群５４０１として、図３５の構成のシンボル群を送信するものとする。（当然であるが、アンテナＩＤシンボル３５０１は、第４Ａアンテナ部５１０３＿４であることを示している。）通信局＃２は、上述と同様の動作を行うことで、通信局＃２は、「図５４の第４Ａアンテナ部５１０３＿４から送信された変調信号も通信状態（通信品質）」を推定することになる。
【０５１３】
通信局＃１は、図５４の第５Ａアンテナ部５１０３＿５からアンテナ設定用シンボル群５４０２として、図３５の構成のシンボル群を送信するものとする。（当然であるが、アンテナＩＤシンボル３５０１は、第５Ａアンテナ部５１０３＿５であることを示している。）通信局＃２は、上述と同様の動作を行うことで、通信局＃２は、「図５４の第５Ａアンテナ部５１０３＿５から送信された変調信号も通信状態（通信品質）」を推定することになる。
【０５１４】
通信局＃１は、図５４の第６Ａアンテナ部５１０３＿６からアンテナ設定用シンボル群５４０３として、図３５の構成のシンボル群を送信するものとする。（当然であるが、アンテナＩＤシンボル３５０１は、第６Ａアンテナ部５１０３＿６であることを示している。）通信局＃２は、上述と同様の動作を行うことで、通信局＃２は、「図５４の第６Ａアンテナ部５１０３＿６から送信された変調信号も通信状態（通信品質）」を推定することになる。
【０５１５】
なお、図３５のようにアンテナＩＤシンボルが３５０１のように存在している場合、図５４のアンテナ設定用シンボル群３４８０におけるシンボル３４０１、３４０２、３４０３、５４０１、５４０２、５４０３の送信する順番は、図５４のように送信する必要はなく、シンボル３４０１、３４０２、３４０３、５４０１、５４０２、５４０３の送信する順番はどのように設定してもよく、また、例えば、送信する時刻により、シンボル３４０１、３４０２、３４０３、５４０１、５４０２、５４０３を送信する順番を変更してもよい。（このようにしても、図３５のようにアンテナＩＤシンボル３５０１が存在しているため、通信局＃２は、「どのアンテナから送信された変調信号であるか」を識別することが可能である。）
図３６は、アンテナ設定用シンボル群セット５４１０の構成の一例である（横軸は時間である）。図５４のようにアンテナ部αからのアンテナ設定用のシンボル群５４１１＿１とアンテナ設定用シンボル群＜１＞（５４１１＿２）を送信しているとき、図３６（ａ）が、「アンテナ部αからのアンテナ設定用のシンボル群５４１１＿１」の構成を示しており、図３６（ｂ）が、「アンテナ設定用シンボル群＜１＞（５４１１＿２）」の構成を示している。
【０５１６】
図３６（ｂ）に示すように、「アンテナ設定用シンボル群＜１＞（５４１１＿２）」には、アンテナＩＤシンボル３６０１が含まれている。アンテナＩＤシンボル３６０１は上述の説明と同様、「アンテナ設定用シンボル群＜１＞（５４１１＿２）」を送信するのに使用したアンテナのＩＤの情報を含むシンボルであり、通信局＃２は、アンテナＩＤシンボル３６０１を受信することで、通信局＃１が、「アンテナ設定用シンボル群＜１＞（５４１１＿２）」を送信するのに使用したアンテナを識別することができる。
【０５１７】
図３６（ａ）の「アンテナ部αからのアンテナ設定用のシンボル群５４１１＿１」では、アンテナ部αのアンテナＩＤのシンボルを送信してもよいし、送信しなくてもよい。（すでに通信局＃１と通信局＃２ではアンテナ部αに関する情報を共有しているからである。）
そして、図３６（ａ）の「アンテナ部αからのアンテナ設定用のシンボル群５４１１＿１」では、時間＄１において、リファレンス信号（リファレンスシンボル）３６０２を配置し、図３６（ｂ）の「アンテナ設定用シンボル群＜１＞（５４１１＿２）」でも、時間＄１において、リファレンス信号（リファレンスシンボル）３６０３を配置する。このとき、リファレンス信号（リファレンスシンボル）３６０２とリファレンス信号（リファレンスシンボル）３６０３は、同一周波数（帯）を用いて送信される。そして、リファレンス信号（リファレンスシンボル）３６０２とリファレンス信号（リファレンスシンボル）３６０３は複数のシンボルで構成されているものとする。
【０５１８】
このとき、リファレンス信号（リファレンスシンボル）３６０２およびリファレンス信号（リファレンスシンボル）３６０３がそれぞれＮ個のシンボルで構成されているものとする。
リファレンス信号（リファレンスシンボル）３６０２のＮ（Ｎは２以上の整数）個のシンボルの同相成分をＩαｖ（ｖは０以上Ｎ−１以下の整数）とあらわし、リファレンス信号（リファレンスシンボル）３６０２のＮ個のシンボルの直交成分をＱαｖ（ｖは０以上Ｎ−１以下の整数）とあらわすものとする。
【０５１９】
そして、リファレンス信号（リファレンスシンボル）３６０３のＮ（Ｎは２以上の整数）個のシンボルの同相成分をＩｘｖ（ｖは０以上Ｎ−１以下の整数）とあらわし、リファレンス信号（リファレンスシンボル）３６０３のＮ個のシンボルの直交成分をＱｘｖ（ｖは０以上Ｎ−１以下の整数）とあらわすものとする。
そして、以下の条件の＜条件＃２３＞または＜条件＃２４＞の少なくとも一方を満たすことになる。
【０５２０】
＜条件＃２３＞
式（４７）および式（４８）を満たし、ｖは０以上Ｎ−１以下の整数とし、これを満たす、すべてのｖでＩαｖ≠０、および、Ｉｘｖ≠０を満たす。
＜条件＃２４＞
式（４７）および式（４８）を満たし、ｖは０以上Ｎ−１以下の整数とし、これを満たす、すべてのｖでＱαｖ≠０、および、Ｑｘｖ≠０を満たす。
【０５２１】
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０５２２】
図５４のようにアンテナ部αからアンテナ設定用のシンボル群５４１２＿１とアンテナ設定用シンボル群＜２＞（５４１２＿２）を送信しているときも、図３６（ａ）が、「アンテナ部αからのアンテナ設定用のシンボル群５４１２＿１」の構成、図３６（ｂ）が、「アンテナ設定用シンボル群＜２＞（５４１２＿２）」の構成となる。このようにし、上記で説明したリファレンス信号（リファレンスシンボル）３６０２およびリファレンス信号（リファレンスシンボル）３６０３に対し、＜条件＃２３＞または＜条件＃２５＞の少なくとも一方を満たすことで、アンテナ部αで送信した変調信号のチャネル状態（伝搬環境）と「アンテナ設定用シンボル群＜２＞（５４１２＿２）」におけるチャネル状態（伝搬環境）を知ることができ、これにより、好適なアンテナ選択が可能となるという利点がある。
【０５２３】
また、図５４のように、アンテナ部αからアンテナ設定用のシンボル群５４１３＿１とアンテナ設定用シンボル群＜３＞（５４１３＿２）を送信しているときも、図３６（ａ）が、「アンテナ部αからのアンテナ設定用のシンボル群５４１３＿１」の構成、図３６（ｂ）が、「アンテナ設定用シンボル群＜３＞（５４１３＿２）」の構成となる。このようにし、上記で説明したリファレンス信号（リファレンスシンボル）３６０２およびリファレンス信号（リファレンスシンボル）３６０３に対し、＜条件＃２３＞または＜条件＃２４＞の少なくとも一方を満たすことで、アンテナ部αで送信した変調信号のチャネル状態（伝搬環境）と「アンテナ設定用シンボル群＜３＞（５４１３＿２）」におけるチャネル状態（伝搬環境）を知ることができ、これにより、好適なアンテナ選択が可能となるという利点がある。
【０５２４】
図３７は、アンテナ設定用シンボル群セット５４１０の、図３６とは異なる構成の一例を示している（横軸は時間である）。図５４のようにアンテナ部αからのアンテナ設定用のシンボル群５４１１＿１とアンテナ設定用シンボル群＜１＞（５４１１＿２）を送信しているとき、図３７（ａ）が、「アンテナ部αからのアンテナ設定用のシンボル群５４１１＿１」の構成を示しており、図３７（ｂ）が、「アンテナ設定用シンボル群＜１＞（５４１１＿２）」の構成を示している。
【０５２５】
図３７（ｂ）に示すように、「アンテナ設定用シンボル群＜１＞（５４１１＿２）」には、アンテナＩＤシンボル３７０１が含まれている。アンテナＩＤシンボル３７０１は上述の説明と同様、「アンテナ設定用シンボル群＜１＞（５４１１＿２）」を送信するのに使用したアンテナのＩＤの情報を含むシンボルであり、通信局＃２は、アンテナＩＤシンボル３７０１を受信することで、通信局＃１が、「アンテナ設定用シンボル群＜１＞（５４１１＿２）」を送信するのに使用したアンテナを識別することができる。
【０５２６】
図３７（ａ）の「アンテナ部αからのアンテナ設定用のシンボル群５４１１＿１」では、アンテナ部αのアンテナＩＤのシンボルを送信してもよいし、送信しなくてもよい。（すでに通信局＃１と通信局＃２ではアンテナ部αに関する情報を共有しているからである。）
そして、図３７（ａ）の「アンテナ部αからのアンテナ設定用のシンボル群５４１１＿１」では、時間＄２において、リファレンス信号（リファレンスシンボル）３７０３を配置し、図３７（ｂ）の「アンテナ設定用シンボル群＜１＞（５４１１＿２）」でも、時間＄１において、リファレンス信号（リファレンスシンボル）３７０２を配置する。このとき、リファレンス信号（リファレンスシンボル）３７０２とリファレンス信号（リファレンスシンボル）３７０３は、同一周波数（帯）を用いて送信される。
【０５２７】
このとき、リファレンス信号（リファレンスシンボル）３７０２を送信している際、アンテナ部αからは変調信号を送信せず、そして、リファレンス信号（リファレンスシンボル）３７０３を送信している際、図３７（ｂ）では変調信号が存在していないものとする。
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０５２８】
なお、フレーム構成は、これに限ったものではない。変形例として、例えば、リファレンス信号（リファレンスシンボル）３７０２およびリファレンス信号（リファレンスシンボル）３７０３がそれぞれＮ個のシンボルで構成されているものとする。
リファレンス信号（リファレンスシンボル）３７０２のＮ（Ｎは２以上の整数）個のシンボルの同相成分をＩαｖ（ｖは０以上Ｎ−１以下の整数）とあらわし、リファレンス信号（リファレンスシンボル）３７０２のＮ個のシンボルの直交成分をＱαｖ（ｖは０以上Ｎ−１以下の整数）とあらわすものとする。
【０５２９】
そして、リファレンス信号（リファレンスシンボル）３７０３のＮ（Ｎは２以上の整数）個のシンボルの同相成分をＩｘｖ（ｖは０以上Ｎ−１以下の整数）とあらわし、リファレンス信号（リファレンスシンボル）３７０３のＮ個のシンボルの直交成分をＱｘｖ（ｖは０以上Ｎ−１以下の整数）とあらわすものとする。
そして、以下の条件の＜条件＃２５＞または＜条件＃２６＞の少なくとも一方のいずれかを満たすことになる。
【０５３０】
＜条件＃２５＞
式（４９）および式（５０）を満たす。そして、ｖは０以上Ｎ−１以下の整数とし、ｖでＩαｖ＝０を満たすｖが存在する。そして、ｖは０以上Ｎ−１以下の整数とし、ｖでＩｘｖ＝０を満たすｖが存在する。
【０５３１】
さらに、ｖは０以上Ｎ−１以下の整数とし、これを満たす、すべてのｖでＩαｖ＝０を満たすことはない。そして、ｖは０以上Ｎ−１以下の整数とし、これを満たす、すべてのｖでＩｘｖ＝０を満たすことはない。
＜条件＃２６＞
式（４９）および式（５０）を満たす。そして、ｖは０以上Ｎ−１以下の整数とし、ｖでＱαｖ＝０を満たすｖが存在する。そして、ｖは０以上Ｎ−１以下の整数とし、ｖでＱｘｖ＝０を満たすｖが存在する。
【０５３２】
さらに、ｖは０以上Ｎ−１以下の整数とし、これを満たす、すべてのｖでＱαｖ＝０を満たすことはない。そして、ｖは０以上Ｎ−１以下の整数とし、これを満たす、すべてのｖでＱｘｖ＝０を満たすことはない。
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０５３３】
図５４のようにアンテナ部αからアンテナ設定用のシンボル群５４１２＿１とアンテナ設定用シンボル群＜２＞（５４１２＿２）を送信しているときも、図３７（ａ）が、「アンテナ部αからのアンテナ設定用のシンボル群５４１２＿１」の構成、図３７（ｂ）が、「アンテナ設定用シンボル群＜２＞（５４１２＿２）」の構成となる。このようにし、上記で説明したリファレンス信号（リファレンスシンボル）３７０２およびリファレンス信号（リファレンスシンボル）３７０３に対しのように送信する、または、＜条件＃２５＞または＜条件＃２６＞の少なくとも一方を満たすことで、アンテナ部αで送信した変調信号のチャネル状態（伝搬環境）と「アンテナ設定用シンボル群＜２＞（５４１２＿２）」におけるチャネル状態（伝搬環境）を知ることができ、これにより、好適なアンテナ選択が可能となるという利点がある。
【０５３４】
また、図５４のように、アンテナ部αからアンテナ設定用のシンボル群５４１３＿１とアンテナ設定用シンボル群＜３＞（５４１３＿２）を送信しているときも、図３７（ａ）が、「アンテナ部αからのアンテナ設定用のシンボル群５４１３＿１」の構成、図３７（ｂ）が、「アンテナ設定用シンボル群＜３＞（５４１３＿２）」の構成となる。このようにし、上記で説明したリファレンス信号（リファレンスシンボル）３７０２およびリファレンス信号（リファレンスシンボル）３７０３に対しのように送信する、または、＜条件＃２５＞または＜条件＃２６＞の少なくとも一方を満たすことで、アンテナ部αで送信した変調信号のチャネル状態（伝搬環境）と「アンテナ設定用シンボル群＜３＞（５４１３＿２）」におけるチャネル状態（伝搬環境）を知ることができ、これにより、好適なアンテナ選択が可能となるという利点がある。
【０５３５】
図５４のように、アンテナ部αからアンテナ設定用のシンボル群５４１４＿１とアンテナ設定用シンボル群＜４＞（５４１４＿２）を送信しているときも、図３７（ａ）が、「アンテナ部αからのアンテナ設定用のシンボル群５４１４＿１」の構成、図３７（ｂ）が、「アンテナ設定用シンボル群＜４＞（５４１４＿２）」の構成となる。このようにし、上記で説明したリファレンス信号（リファレンスシンボル）３７０２およびリファレンス信号（リファレンスシンボル）３７０３に対しのように送信する、または、＜条件＃２５＞または＜条件＃２６＞の少なくとも一方を満たすことで、アンテナ部αで送信した変調信号のチャネル状態（伝搬環境）と「アンテナ設定用シンボル群＜４＞（５４１４＿２）」におけるチャネル状態（伝搬環境）を知ることができ、これにより、好適なアンテナ選択が可能となるという利点がある。
【０５３６】
図５４のように、アンテナ部αからアンテナ設定用のシンボル群５４１５＿１とアンテナ設定用シンボル群＜５＞（５４１５＿２）を送信しているときも、図３７（ａ）が、「アンテナ部αからのアンテナ設定用のシンボル群５４１５＿１」の構成、図３７（ｂ）が、「アンテナ設定用シンボル群＜５＞（５４１５＿２）」の構成となる。このようにし、上記で説明したリファレンス信号（リファレンスシンボル）３７０２およびリファレンス信号（リファレンスシンボル）３７０３に対しのように送信する、または、＜条件＃２５＞または＜条件＃２６＞の少なくとも一方を満たすことで、アンテナ部αで送信した変調信号のチャネル状態（伝搬環境）と「アンテナ設定用シンボル群＜５＞（５４１５＿２）」におけるチャネル状態（伝搬環境）を知ることができ、これにより、好適なアンテナ選択が可能となるという利点がある。
【０５３７】
次に、図３４のように、通信局＃１がアンテナ設定用シンボル群セット５４１０のように送信したとき、通信局＃２が良好な通信状態であると判断する例について説明する。
例えば、図３４のようにアンテナ部αからのアンテナ設定用のシンボル群５４１１＿１とアンテナ設定用シンボル群＜１＞（５４１１＿２）を送信しているものとする。このとき、通信局＃１と通信局＃２の様子の関係は、図３８のようになる。アンテナ部α（３８０２＿α）は、変調信号３８０１＿αを送信する。このとき、変調信号３８０１＿αをｚ１（ｔ）とあらわすものとする（ｔ：時間）（ｚ１（ｔ）は複素数で定義できるものとする）。そして、アンテナ部ｕ（３８０２＿ｕ）は、変調信号３８０１＿ｕを送信する。このとき、変調信号３８０１＿ｕをｚ２（ｔ）とあらわすものとする（ｚ２（ｔ）は複素数で定義できるものとする）。
【０５３８】
アンテナ部α（３８０２＿α）とアンテナ部β（３８０３＿β）間の伝搬環境をｈαβ（ｔ）とあらわし（ｈαβ（ｔ）は複素数で定義できるものとする）、アンテナ部α（３８０２＿α）とアンテナ部ｖ（３８０３＿ｖ）間の伝搬環境をｈαｖ（ｔ）とあらわし（ｈαｖ（ｔ）は複素数で定義できるものとする）、アンテナ部ｕ（３８０２＿ｕ）とアンテナ部β（３８０３＿β）間の伝搬環境をｈｕβ（ｔ）とあらわし（ｈｕβ（ｔ）は複素数で定義できるものとする）、アンテナ部ｕ（３８０２＿ｕ）とアンテナ部ｖ（３８０３＿ｖ）間の伝搬環境をｈｕｖ（ｔ）とあらわすものとする（ｈｕｖ（ｔ）は複素数で定義できるものとする）。
【０５３９】
そして、アンテナ部β（３８０３＿β）で受信した受信信号を受信信号３８０４＿βとし、受信信号３８０４＿βをｒ１（ｔ）とあらわすものとする（ｒ１（ｔ）は複素数で定義できるものとする）。アンテナ部ｖ（３８０３＿ｖ）で受信した受信信号を受信信号３８０４＿ｖとし、受信信号３８０４＿ｖをｒ２（ｔ）とあらわすものとする（ｒ２（ｔ）は複素数で定義できるものとする）。
【０５４０】
このとき、式（５１）が成立する。
このとき、二つの以下のケースを考える。
＜ケース＃３＞アンテナ部αで重み付け変更、または、位相の変更を施すことで、ビームを形成し、アンテナ部ｕにおいても重み付け変更、または、位相の変更を施すことで、ビームを形成する。
＜ケース＃４＞アンテナ部αの偏波とアンテナ部ｕの偏波が異なるものとする。
【０５４１】
＜ケース＃３＞の場合、高い受信品質を得ることができるＭＩＭＯ伝送として、受信アンテナにおいて、XPD（交差偏波識別度：Cross polarization discrimination）が大きくなるような状態が望まれる。したがって、高い受信品質を得るために、以下の条件を満足するとよい。
【０５４２】
＜条件＃２７＞
ｈαβ（ｔ）の振幅がｈｕβ（ｔ）の振幅に比べ非常に大きな値であり、かつ、ｈｕｖ（ｔ）の振幅がｈαｖ（ｔ）の振幅に比べ非常に大きな値である。
＜ケース＃４＞の場合、高い受信品質を得ることができるＭＩＭＯ伝送として、受信アンテナにおいて、XPD（交差偏波識別度：Cross polarization discrimination）が大きくなるような状態が望まれる。この場合、例えば、以下の２つの条件のうち、いずれかを満足するとよい。
【０５４３】
＜条件＃２８＞
ｈαβ（ｔ）の振幅がｈｕβ（ｔ）の振幅に比べ非常に大きな値であり、かつ、ｈｕｖ（ｔ）の振幅がｈαｖ（ｔ）の振幅に比べ非常に大きな値である。
＜条件＃２９＞
式（５１）の行列の行列式の絶対値が大きな値をとる。
【０５４４】
図５４のように、通信局＃１がアンテナ設定用シンボル群セット５４１０を送信する場合、アンテナ部αからアンテナ設定用のシンボル群５４１１＿１とアンテナ設定用シンボル群＜１＞（５４１１＿２）を送信し、図３８の関係を用いて、通信局＃２は、高い受信品質が得られるアンテナセットであるかの判別を行う。
【０５４５】
同様に、通信局＃１は、アンテナ部αからアンテナ設定用のシンボル群５４１２＿１とアンテナ設定用シンボル群＜２＞（５４１２＿２）を送信し、図３８の関係を用いて、通信局＃２は、高い受信品質が得られるアンテナセットであるかの判別を行う。
通信局＃１は、アンテナ部αからアンテナ設定用のシンボル群５４１３＿１とアンテナ設定用シンボル群＜３＞（５４１３＿２）を送信し、図３８の関係を用いて、通信局＃２は、高い受信品質が得られるアンテナセットであるかの判別を行う。
【０５４６】
通信局＃１は、アンテナ部αからアンテナ設定用のシンボル群５４１４＿１とアンテナ設定用シンボル群＜４＞（５４１４＿２）を送信し、図３８の関係を用いて、通信局＃２は、高い受信品質が得られるアンテナセットであるかの判別を行う。
通信局＃１は、アンテナ部αからアンテナ設定用のシンボル群５４１５＿１とアンテナ設定用シンボル群＜５＞（５４１５＿２）を送信し、図３８の関係を用いて、通信局＃２は、高い受信品質が得られるアンテナセットであるかの判別を行う。
【０５４７】
これにより、通信局＃２は、通信局＃１がアンテナ部αと同時に使用する、変調信号を送信するアンテナ部を１つ決定し、通信局＃２は、受信アンテナ部を新たに１つ決定する。
次に、図３４を用いた別の実施方法について説明する。なお、図３４については、上述で説明したので、説明を省略する。
【０５４８】
図３９は、図５１における通信局＃１の第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６を例とするアンテナ部の構成の一例を示している。
分配部３９０２は、変調信号３９０１を入力とし、変調信号３９０１をを分配し、変調信号３９０３＿１、３９０３＿２、３９０３＿３、３９０３＿４を出力する。
【０５４９】
乗算部３９０４＿１は、アンテナ制御信号３９００、変調信号３９０３＿１を入力とし、アンテナ制御信号３９００における乗算係数に基づいて、変調信号３９０３＿１に、例えば、係数Ｗ１を乗算し、係数乗算後の変調信号３９０５＿１を出力する（Ｗ１は複素数で定義できるものとする）。そして、係数乗算後の変調信号３９０５＿１はアンテナ３９０６＿１から電波として出力される。
【０５５０】
同様に、乗算部３９０４＿２は、アンテナ制御信号３９００、変調信号３９０３＿２を入力とし、アンテナ制御信号３９００における乗算係数に基づいて、変調信号３９０３＿２に、例えば、係数Ｗ２を乗算し、係数乗算後の変調信号３９０５＿２を出力する（Ｗ２は複素数で定義できるものとする）。そして、係数乗算後の変調信号３９０５＿２はアンテナ３９０６＿２から電波として出力される。
【０５５１】
乗算部３９０４＿３は、アンテナ制御信号３９００、変調信号３９０３＿３を入力とし、アンテナ制御信号３９００における乗算係数に基づいて、変調信号３９０３＿３に、例えば、係数Ｗ３を乗算し、係数乗算後の変調信号３９０５＿３を出力する（Ｗ３は複素数で定義できるものとする）。そして、係数乗算後の変調信号３９０５＿３はアンテナ３９０６＿３から電波として出力される。
【０５５２】
乗算部３９０４＿４は、アンテナ制御信号３９００、変調信号３９０３＿４を入力とし、アンテナ制御信号３９００における乗算係数に基づいて、変調信号３９０３＿４に、例えば、係数Ｗ４を乗算し、係数乗算後の変調信号３９０５＿４を出力する（Ｗ４は複素数で定義できるものとする）。そして、係数乗算後の変調信号３９０５＿４はアンテナ３９０６＿４から電波として出力される。
【０５５３】
なお、「Ｗ１の絶対値、Ｗ２の絶対値、Ｗ３の絶対値、Ｗ４の絶対値が等しく」てもよい。このとき、位相変更が行われたことに相当する。（当然であるが、Ｗ１の絶対値、Ｗ２の絶対値、Ｗ３の絶対値、Ｗ４の絶対値は等しくなくてもよい。）
また、図３９では、アンテナ部は、４本のアンテナ（および、４つの乗算部）で構成されている例で説明しているが、アンテナの本数は４に限ったものではなく、２本以上のアンテナで構成されていればよい。（ただし、アンテナ部は、１本のアンテナで構成してもよい。）
図４０は、図５２における通信局＃２の第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６を例とするアンテナ部の構成の一例を示している。
【０５５４】
乗算部４００３＿１は、アンテナ４００１＿１で受信した受信信号４００２＿１、アンテナ制御信号４０００を入力とし、アンテナ制御信号４０００における乗算係数に基づいて、受信信号４００２＿１に、例えば、係数Ｖ１を乗算し、係数乗算後の受信信号４００４＿１を出力する（Ｖ１は複素数で定義できるものとする）。
乗算部４００３＿２は、アンテナ４００１＿２で受信した受信信号４００２＿２、アンテナ制御信号４０００を入力とし、アンテナ制御信号４０００における乗算係数に基づいて、受信信号４００２＿２に、例えば、係数Ｖ２を乗算し、係数乗算後の受信信号４００４＿２を出力する（Ｖ２は複素数で定義できるものとする）。
【０５５５】
乗算部４００３＿３は、アンテナ４００１＿３で受信した受信信号４００３＿３、アンテナ制御信号４０００を入力とし、アンテナ制御信号４０００における乗算係数に基づいて、受信信号４００２＿３に、例えば、係数Ｖ３を乗算し、係数乗算後の受信信号４００４＿３を出力する（Ｖ３は複素数で定義できるものとする）。
乗算部４００３＿４は、アンテナ４００１＿４で受信した受信信号４００３＿３、アンテナ制御信号４０００を入力とし、アンテナ制御信号４０００における乗算係数に基づいて、受信信号４００２＿４に、例えば、係数Ｖ４を乗算し、係数乗算後の受信信号４００４＿４を出力する（Ｖ４は複素数で定義できるものとする）。
【０５５６】
合成部４００５は、係数乗算後の受信信号４００４＿１、４００４＿２、４００４＿３、４００４＿４を入力とし、係数乗算後の受信信号４００４＿１、４００４＿２、４００４＿３、４００４＿４を合成し、合成語の受信信号４００６を出力する。
なお、「Ｖ１の絶対値、Ｖ２の絶対値、Ｖ３の絶対値、Ｖ４の絶対値が等しく」てもよい。このとき、位相変更が行われたことに相当する。（当然であるが、Ｖ１の絶対値、Ｖ２の絶対値、Ｖ３の絶対値、Ｖ４の絶対値は等しくなくてもよい。）
また、図４０では、アンテナ部は、４本のアンテナ（および、４つの乗算部）で構成されている例で説明しているが、アンテナの本数は４に限ったものではなく、２本以上のアンテナで構成されていればよい。（ただし、アンテナ部は、１本のアンテナで構成してもよい。）
図４１は、アンテナ設定用シンボル群３４８０の構成の一例であり、横軸は時間である。第１Ａアンテナ部５１０３＿１からアンテナ設定用シンボル群３４０１、第２Ａアンテナ部５１０３＿２からアンテナ設定用シンボル群３４０２、第３Ａアンテナ部５１０３＿３からアンテナ設定用シンボル群３４０３、第４Ａアンテナ部５１０３＿４からアンテナ設定用シンボル群５４０１、第５Ａアンテナ部５１０３＿５からアンテナ設定用シンボル群５４０２、第６Ａアンテナ部５１０３＿６からアンテナ設定用シンボル群５４０３の各シンボル群は、例えば、図４１のような構成とする。
【０５５７】
第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６には、それぞれ固有のアンテナＩＤ（ＩＤ：identification）が付与されているものとする。したがって、例えば、第１Ａアンテナ部５１０３＿１からアンテナ設定用シンボル群３４０１を送信する際、アンテナＩＤシンボル４１０１では、第１Ａアンテナ部５１０３＿１のアンテナＩＤを送信することになる。
【０５５８】
そして、図４１に示したように、アンテナＩＤシンボル４１０１に加えて、リファレンス信号（リファレンスシンボル）４１０２−１、４１０２−２、４２０２−３、・・・を、通信局＃１は、送信する。リファレンス信号（リファレンスシンボル）４１０２−１、４１０２−２、４２０２−３、・・・の役割は、通信局＃２が通信状態（受信品質）（例えば、受信電界強度）を推定することを実現するための信号（シンボル）である。よって、例えば、通信局＃２にとっても既知の信号（例えば、既知のＰＳＫ（Phase Shift Keying）シンボル）であるとする。
【０５５９】
また、リファレンス信号（リファレンスシンボル）４１０２−１を送信する際、図３９に関する説明における、係数Ｗ１＝Ｗ１１、係数Ｗ２＝Ｗ２１、係数Ｗ３＝Ｗ３１、係数Ｗ４＝Ｗ４１と設定するものとする。
そして、リファレンス信号（リファレンスシンボル）４１０２−２を送信する際、図３９に関する説明における、係数Ｗ１＝Ｗ１２、係数Ｗ２＝Ｗ２２、係数Ｗ３＝Ｗ３２、係数Ｗ４＝Ｗ４２と設定するものとする。
【０５６０】
リファレンス信号（リファレンスシンボル）４１０２−３を送信する際、図３９に関する説明における、係数Ｗ１＝Ｗ１３、係数Ｗ２＝Ｗ２３、係数Ｗ３＝Ｗ３３、係数Ｗ４＝Ｗ４３と設定するものとする。
・・・
（リファレンス信号（リファレンスシンボル）４１０２−ｉを送信する際、図３９に関する説明における、係数Ｗ１＝Ｗ１ｉ、係数Ｗ２＝Ｗ２ｉ、係数Ｗ３＝Ｗ３ｉ、係数Ｗ４＝Ｗ４ｉと設定するものとする。（アンテナ数によって、必要となる係数の数は異なる。））
図４２は、図４１とは異なるアンテナ設定用シンボル群３４８０の構成の一例であり、図４１と同様に動作するものについては、同一番号を付与している（横軸は時間である。）。図４２が、図４１と異なる点は、常に、リファレンス信号（リファレンスシンボル）とアンテナＩＤシンボルがセットになり、送信されている点である。したがって、アンテナＩＤシンボル４２０１とアンテナＩＤシンボル４２０２を、図４２では記載している。
【０５６１】
図４１、図４２いずれの場合も、上述で説明したような、リファレンス信号（リファレンスシンボル）４１０２−１、４１０２−２、４１０２−３、・・・を送信する。このとき、以下の条件が成立するものとする。
＜条件＃３０＞
ｉは１以上Ｎ以下の整数とし（Ｎは２以上の整数）、ｊは１以上Ｎ以下の整数とし、ｉ≠ｊとし、これを満たす、すべてのｉ、すべてのｊで、｛Ｗ１ｉ≠Ｗ１ｊ、または、Ｗ２ｉ≠Ｗ２ｊ、または、Ｗ３ｉ≠Ｗ３ｊ、または、Ｗ４ｉ≠Ｗ１４、｝を満たすものとする。
【０５６２】
通信局＃１は、図５４の第１Ａアンテナ部５１０３＿１からアンテナ設定用シンボル群３４０１として、図４１の構成のシンボル群を送信するものとする。（当然であるが、アンテナＩＤシンボル３５０１は、第１Ａアンテナ部５１０３＿１であることを示している。）
そして、通信局＃２は、図５４の第１Ａアンテナ部５１０３＿１を用いて送信されたアンテナ設定用シンボル群３４０１を受信し、アンテナＩＤシンボル４１０１から「第１Ａアンテナ部５１０３＿１から変調信号が通信局＃１から送信された」ことを知る。また、通信局＃２は、リファレンス信号（リファレンスシンボル）４１０２−１、４１０２−２、４１０２−３、・・・から、（第１Ａアンテナ部５１０３＿１から送信された）それぞれのリファレンス信号（リファレンスシンボル）における通信状態（通信品質）を推定する。
【０５６３】
同様に、通信局＃１は、図５４の第２Ａアンテナ部５１０３＿２からアンテナ設定用シンボル群３４０２として、図４１の構成のシンボル群を送信するものとする。（当然であるが、アンテナＩＤシンボル４１０１は、第２Ａアンテナ部５１０３＿２であることを示している。）
通信局＃２は、上述と同様の動作を行うことで、リファレンス信号（リファレンスシンボル）４１０２−１、４１０２−２、４１０２−３、・・・から、（第２Ａアンテナ部５１０３＿２から送信された）それぞれのリファレンス信号（リファレンスシンボル）における通信状態（通信品質）を推定する。
【０５６４】
通信局＃１は、図５４の第３Ａアンテナ部５１０３＿３からアンテナ設定用シンボル群３４０３として、図４１の構成のシンボル群を送信するものとする。（当然であるが、アンテナＩＤシンボル４１０１は、第３Ａアンテナ部５１０３＿３であることを示している。）
通信局＃２は、上述と同様の動作を行うことで、リファレンス信号（リファレンスシンボル）４１０２−１、４１０２−２、４１０２−３、・・・から、（第３Ａアンテナ部５１０３＿３から送信された）それぞれのリファレンス信号（リファレンスシンボル）における通信状態（通信品質）を推定する。
【０５６５】
通信局＃１は、図５４の第４Ａアンテナ部５１０３＿４からアンテナ設定用シンボル群５４０１として、図４１の構成のシンボル群を送信するものとする。（当然であるが、アンテナＩＤシンボル４１０１は、第４Ａアンテナ部５１０３＿４であることを示している。）
通信局＃２は、上述と同様の動作を行うことで、リファレンス信号（リファレンスシンボル）４１０２−１、４１０２−２、４１０２−３、・・・から、（第４Ａアンテナ部５１０３＿４から送信された）それぞれのリファレンス信号（リファレンスシンボル）における通信状態（通信品質）を推定する。
【０５６６】
通信局＃１は、図５４の第５Ａアンテナ部５１０３＿５からアンテナ設定用シンボル群５４０２として、図４１の構成のシンボル群を送信するものとする。（当然であるが、アンテナＩＤシンボル４１０１は、第５Ａアンテナ部５１０３＿５であることを示している。）
通信局＃２は、上述と同様の動作を行うことで、リファレンス信号（リファレンスシンボル）４１０２−１、４１０２−２、４１０２−３、・・・から、（第５Ａアンテナ部５１０３＿５から送信された）それぞれのリファレンス信号（リファレンスシンボル）における通信状態（通信品質）を推定する。
【０５６７】
通信局＃１は、図５４の第６Ａアンテナ部５１０３＿６からアンテナ設定用シンボル群５４０３として、図４１の構成のシンボル群を送信するものとする。（当然であるが、アンテナＩＤシンボル４１０１は、第６Ａアンテナ部５１０３＿６であることを示している。）
通信局＃２は、上述と同様の動作を行うことで、リファレンス信号（リファレンスシンボル）４１０２−１、４１０２−２、４１０２−３、・・・から、（第６Ａアンテナ部５１０３＿６から送信された）それぞれのリファレンス信号（リファレンスシンボル）における通信状態（通信品質）を推定する。
【０５６８】
そして、通信局＃２、これらのリファレンス信号（リファレンスシンボル）の通信状態（通信品質）から、受信品質が良好となる、「通信局＃１のアンテナ部、および、乗算係数」を推定する。そして、通信局＃２は、受信品質が良好となる「通信局＃１のアンテナ部、および、乗算係数」に関する情報を通信局＃１に対し、送信することになる。（図５４の「送信＄１（３４５１）」）
なお、図４１、図４２のようにアンテナＩＤシンボルが４１０１のように存在している場合、図５４のアンテナ設定用シンボル群３４８０におけるシンボル３４０１、３４０２、３４０３、５４０１、５４０２、５４０３の送信する順番は、図５４のように送信する必要はなく、シンボル３４０１、３４０２、３４０３、５４０１、５４０２、５４０３の送信する順番はどのように設定してもよく、また、例えば、送信する時刻により、シンボル３４０１、３４０２、３４０３、５４０１、５４０２、５４０３を送信する順番を変更してもよい。（このようにしても、図４１、図４２のようにアンテナＩＤシンボル４１０１が存在しているため、通信局＃２は、「どのアンテナから送信された変調信号であるか」を識別することが可能である。）
また、図４２において、アンテナＩＤシンボル４１０１を送信する際、通信局＃１は、リファレンス信号（リファレンスシンボル）４１０２−１を送信するときと同様の係数Ｗ１，Ｗ２、Ｗ３、Ｗ４を使用して、アンテナＩＤシンボル４１０１を送信し、アンテナＩＤシンボル４２０１を送信する際、通信局＃１は、リファレンス信号（リファレンスシンボル）４１０２−２を送信するときと同様の係数Ｗ１、Ｗ２、Ｗ３、Ｗ４を使用して、アンテナＩＤシンボル４２０１を送信し、アンテナＩＤシンボル４２０２を送信する際、通信局＃１は、リファレンス信号（リファレンスシンボル）４１０２−３を送信するときと同様の係数Ｗ１、Ｗ２、Ｗ３、Ｗ４を使用して、アンテナＩＤシンボル４２０２を送信してもよい。
【０５６９】
図５４に示したように、通信局＃２がアンテナ関連シンボル群＄１（３４５１）を送信し、通信局＃１が、このシンボル群を受信することで、通信局＃１は、変調信号を送信する際に使用するアンテナ部および乗算係数を決定する。そして、通信局＃１は、決定したアンテナ部と乗算係数を用いてアンテナ部αからアンテナ設定用のシンボル群３４０７を送信する。
【０５７０】
そして、通信局＃２は、通信局＃１が送信したアンテナ設定用シンボル群３４０７を、第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６を用いて受信する。このとき、通信局＃２の各受信アンテナ部は、図４０の構成を具備しており、好適な乗算係数についてもあわせて推定する。よって、通信局＃２は、受信に使用する受信アンテナ部を一つ決定し、加えて、好適な乗算係数を決定する。（なお、前にも説明したように、ここで、決定した受信に使用するアンテナ部を「決定したアンテナ部β」と名付ける。）そして、通信局＃２は、使用する受信アンテナ部が一つ決定したことを通信局＃１に通知するために、アンテナ関連シンボル群＄２（３４５２）を送信する。（このとき、アンテナ関連シンボル群＄２（３４５２）は、決定した受信アンテナの情報を含んでいてもよい。）
通信局＃１は、通信局＃２が送信したアンテナ関連シンボル群＄２（３４５２）を受信し、通信局＃２が受信に使用するアンテナ部が一つ決定したことを知ることになる。これにより、通信局＃１が送信に使用するアンテナ部一つと通信局＃２が使用するアンテナ部一つが決定したことになる。（あわせて、通信局＃１が使用する乗算係数、および、通信局＃２が使用する乗算係数も決定したことになる。）したがって、通信局＃１が送信に使用するもう一つのアンテナ部と使用する乗算係数、および、通信局＃２が受信に使用するもう一つのアンテナ部と使用する乗算係数を決めるための手続きに入ることになる。
【０５７１】
通信局＃１は、以下のルールで、「アンテナ部αからアンテナ設定用のシンボル群５４１１＿１を送信、アンテナ設定用シンボル群＜１＞（５４１１＿２）を送信、アンテナ部αからアンテナ設定用のシンボル群５４１２＿１を送信、アンテナ設定用シンボル群＜２＞（５４１２＿２）を送信、アンテナ部αからアンテナ設定用のシンボル群５４１３＿１を送信、アンテナ設定用シンボル群＜３＞（５４１３＿２）を送信、アンテナ部αからアンテナ設定用のシンボル群５４１４＿１を送信、アンテナ設定用シンボル群＜４＞（５４１４＿２）を送信、アンテナ部αからアンテナ設定用のシンボル群５４１５＿１を送信、アンテナ設定用シンボル群＜５＞（５４１５＿２）を送信する。」なお、これらのシンボル群をアンテナ設定用シンボル群セット５４１０と呼ぶことにする。
・通信局＃１は「決定したアンテナ部αからアンテナ設定用のシンボル群５４１１＿１を、アンテナ部ｇ１からアンテナ設定用シンボル群＜１＞（５４１１＿２）を送信」。その後、「決定したアンテナ部αからアンテナ設定用のシンボル群５４１２＿１を、アンテナ部ｇ２からアンテナ設定用シンボル群＜２＞（５４１２＿２）を送信」、「決定したアンテナ部αからアンテナ設定用のシンボル群５４１３＿１を、アンテナ部ｇ３からアンテナ設定用シンボル群＜３＞（５４１３＿２）を送信」、「決定したアンテナ部αからアンテナ設定用のシンボル群５４１４＿１を、アンテナ部ｇ４からアンテナ設定用シンボル群＜４＞（５４１４＿２）を送信」。、「決定したアンテナ部αからアンテナ設定用のシンボル群５４１５＿１を、アンテナ部ｇ５からアンテナ設定用シンボル群＜５＞（５４１５＿２）を送信」（なお、決定したアンテナ部αからアンテナ設定用のシンボル群５４１１＿１を、アンテナ部ｇ１からアンテナ設定用シンボル群＜１＞（５４１１＿２）を送信、続いて、アンテナ部ｇ２からアンテナ設定用シンボル群＜２＞（５４１２＿２）を送信、アンテナ部ｇ３からアンテナ設定用シンボル群＜３＞（５４１３＿２）を送信、アンテナ部ｇ４からアンテナ設定用シンボル群＜４＞（５４１４＿２）を送信、アンテナ部ｇ５からアンテナ設定用シンボル群＜５＞（５４１５＿２）を送信、としてもよい。このとき、シンボルの送信する順番は、これに限ったものではない。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０５７２】
図４３は、アンテナ設定用シンボル群セット５４１０の構成の一例である（横軸は時間である）。図５４のようにアンテナ部αからのアンテナ設定用のシンボル群５４１１＿１とアンテナ設定用シンボル群＜１＞（５４１１＿２）を送信しているとき、図４３（ａ）が、「アンテナ部αからのアンテナ設定用のシンボル群５４１１＿１」の構成を示しており、図４３（ｂ）が、「アンテナ設定用シンボル群＜１＞（５４１１＿２）」の構成を示している。
【０５７３】
図４３（ｂ）に示すように、「アンテナ設定用シンボル群＜１＞（５４１１＿２）」には、アンテナＩＤシンボル４３０１が含まれている。アンテナＩＤシンボル４３０１は上述の説明と同様、「アンテナ設定用シンボル群＜１＞（５４１１＿２）」を送信するのに使用したアンテナのＩＤの情報を含むシンボルであり、通信局＃２は、アンテナＩＤシンボル４３０１を受信することで、通信局＃１が、「アンテナ設定用シンボル群＜１＞（５４１１＿２）」を送信するのに使用したアンテナを識別することができる。
【０５７４】
図４３（ａ）の「アンテナ部αからのアンテナ設定用のシンボル群５４１１＿１」では、アンテナ部αのアンテナＩＤのシンボルを送信してもよいし、送信しなくてもよい。（すでに通信局＃１と通信局＃２ではアンテナ部αに関する情報を共有しているからである。）
そして、図４３（ａ）の「アンテナ部αからのアンテナ設定用のシンボル群５４１１＿１」では、時間＄１において、リファレンス信号（リファレンスシンボル）４３０２−１を配置し、図４３（ｂ）の「アンテナ設定用シンボル群＜１＞（５４１１＿２）」でも、時間＄１において、リファレンス信号（リファレンスシンボル）４３０３を配置する。このとき、リファレンス信号（リファレンスシンボル）４３０２−１とリファレンス信号（リファレンスシンボル）４３０３は、同一周波数（帯）を用いて送信される。そして、リファレンス信号（リファレンスシンボル）４３０２−１とリファレンス信号（リファレンスシンボル）４３０３は複数のシンボルで構成されているものとする。
【０５７５】
このとき、リファレンス信号（リファレンスシンボル）４３０２−１およびリファレンス信号（リファレンスシンボル）４３０３がそれぞれＮ個のシンボルで構成されているものとする。
リファレンス信号（リファレンスシンボル）４３０２−１のＮ（Ｎは２以上の整数）個のシンボルの同相成分をＩαｖ（ｖは０以上Ｎ−１以下の整数）とあらわし、リファレンス信号（リファレンスシンボル）４３０２−１のＮ個のシンボルの直交成分をＱαｖ（ｖは０以上Ｎ−１以下の整数）とあらわすものとする。
【０５７６】
そして、リファレンス信号（リファレンスシンボル）４３０３のＮ（Ｎは２以上の整数）個のシンボルの同相成分をＩｘｖ（ｖは０以上Ｎ−１以下の整数）とあらわし、リファレンス信号（リファレンスシンボル）４３０３のＮ個のシンボルの直交成分をＱｘｖ（ｖは０以上Ｎ−１以下の整数）とあらわすものとする。
そして、以下の条件の＜条件＃３１＞または＜条件＃３２＞の少なくとも一方を満たすことになる。
【０５７７】
＜条件＃３１＞
式（５２）および式（５３）を満たし、ｖは０以上Ｎ−１以下の整数とし、これを満たす、すべてのｖでＩαｖ≠０、および、Ｉｘｖ≠０を満たす。
＜条件＃３２＞
式（５２）および式（５３）を満たし、ｖは０以上Ｎ−１以下の整数とし、これを満たす、すべてのｖでＱαｖ≠０、および、Ｑｘｖ≠０を満たす。
【０５７８】
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０５７９】
なお、リファレンス信号（リファレンスシンボル）４３０３を送信する際、図３９に関する説明における、係数Ｗ１＝ｕ１１、係数Ｗ２＝ｕ２１、係数Ｗ３＝ｕ３１、係数Ｗ４＝ｕ４１と設定するものとする。
（このとき、リファレンス信号（リファレンスシンボル）４３０２−１を通信局＃１が送信するのに使用する係数は、アンテナ部αであることから、すでに決定している。）
図４３（ａ）の「アンテナ部αからのアンテナ設定用のシンボル群５４１１＿１」では、時間＄２において、リファレンス信号（リファレンスシンボル）４３０２−２を配置し、図４３（ｂ）の「アンテナ設定用シンボル群＜１＞（５４１１＿２）」でも、時間＄２において、リファレンス信号（リファレンスシンボル）４３０４を配置する。このとき、リファレンス信号（リファレンスシンボル）４３０２−２とリファレンス信号（リファレンスシンボル）４３０４は、同一周波数（帯）を用いて送信される。そして、リファレンス信号（リファレンスシンボル）４３０２−２とリファレンス信号（リファレンスシンボル）４３０４は複数のシンボルで構成されているものとする。
【０５８０】
このとき、リファレンス信号（リファレンスシンボル）４３０２−２およびリファレンス信号（リファレンスシンボル）４３０４がそれぞれＮ個のシンボルで構成されているものとする。
リファレンス信号（リファレンスシンボル）４３０２−２のＮ（Ｎは２以上の整数）個のシンボルの同相成分をＩαｖ（ｖは０以上Ｎ−１以下の整数）とあらわし、リファレンス信号（リファレンスシンボル）４３０２−２のＮ個のシンボルの直交成分をＱαｖ（ｖは０以上Ｎ−１以下の整数）とあらわすものとする。
【０５８１】
そして、リファレンス信号（リファレンスシンボル）４３０４のＮ（Ｎは２以上の整数）個のシンボルの同相成分をＩｘｖ（ｖは０以上Ｎ−１以下の整数）とあらわし、リファレンス信号（リファレンスシンボル）４３０４のＮ個のシンボルの直交成分をＱｘｖ（ｖは０以上Ｎ−１以下の整数）とあらわすものとする。
このとき、以下の関係式を与える。
【０５８２】
そして、以下の条件の＜条件＃３３＞または＜条件＃３４＞の少なくとも一方を満たすことになる。
＜条件＃３３＞
式（５４）および式（５５）を満たし、ｖは０以上Ｎ−１以下の整数とし、これを満たす、すべてのｖでＩαｖ≠０、および、Ｉｘｖ≠０を満たす。
＜条件＃３４＞
式（５４）および式（５５）を満たし、ｖは０以上Ｎ−１以下の整数とし、これを満たす、すべてのｖでＱαｖ≠０、および、Ｑｘｖ≠０を満たす。
【０５８３】
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０５８４】
なお、リファレンス信号（リファレンスシンボル）４３０４を送信する際、図３９に関する説明における、係数Ｗ１＝ｕ１２、係数Ｗ２＝ｕ２２、係数Ｗ３＝ｕ３２、係数Ｗ４＝ｕ４２と設定するものとする。
（このとき、リファレンス信号（リファレンスシンボル）４３０２−２を通信局＃１が送信するのに使用する係数は、アンテナ部αであることから、すでに決定している。）
図４３（ａ）の「アンテナ部αからのアンテナ設定用のシンボル群５４１１＿１」では、時間＄３において、リファレンス信号（リファレンスシンボル）４３０２−３を配置し、図４３（ｂ）の「アンテナ設定用シンボル群＜１＞（５４１１＿２）」でも、時間＄３において、リファレンス信号（リファレンスシンボル）４３０５を配置する。このとき、リファレンス信号（リファレンスシンボル）４３０２−３とリファレンス信号（リファレンスシンボル）４３０５は、同一周波数（帯）を用いて送信される。そして、リファレンス信号（リファレンスシンボル）４３０２−３とリファレンス信号（リファレンスシンボル）４３０５は複数のシンボルで構成されているものとする。
【０５８５】
このとき、リファレンス信号（リファレンスシンボル）４３０２−３およびリファレンス信号（リファレンスシンボル）４３０５がそれぞれＮ個のシンボルで構成されているものとする。
リファレンス信号（リファレンスシンボル）４３０２−３のＮ（Ｎは２以上の整数）個のシンボルの同相成分をＩαｖ（ｖは０以上Ｎ−１以下の整数）とあらわし、リファレンス信号（リファレンスシンボル）４３０２−３のＮ個のシンボルの直交成分をＱαｖ（ｖは０以上Ｎ−１以下の整数）とあらわすものとする。
【０５８６】
そして、リファレンス信号（リファレンスシンボル）４３０５のＮ（Ｎは２以上の整数）個のシンボルの同相成分をＩｘｖ（ｖは０以上Ｎ−１以下の整数）とあらわし、リファレンス信号（リファレンスシンボル）４３０５のＮ個のシンボルの直交成分をＱｘｖ（ｖは０以上Ｎ−１以下の整数）とあらわすものとする。
そして、以下の条件の＜条件＃３５＞または＜条件＃３６＞の少なくとも一方を満たすことになる。
【０５８７】
＜条件＃３５＞
式（５６）および式（５７）を満たし、ｖは０以上Ｎ−１以下の整数とし、これを満たす、すべてのｖでＩαｖ≠０、および、Ｉｘｖ≠０を満たす。
＜条件＃３６＞
式（５６）および式（５７）を満たし、ｖは０以上Ｎ−１以下の整数とし、これを満たす、すべてのｖでＱαｖ≠０、および、Ｑｘｖ≠０を満たす。
【０５８８】
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０５８９】
なお、リファレンス信号（リファレンスシンボル）４３０５を送信する際、図３９に関する説明における、係数Ｗ１＝ｕ１３、係数Ｗ２＝ｕ２３、係数Ｗ３＝ｕ３３、係数Ｗ４＝ｕ４３と設定するものとする。
（このとき、リファレンス信号（リファレンスシンボル）４３０２−５を通信局＃１が送信するのに使用する係数は、アンテナ部αであることから、すでに決定している。）
上述において、同一時間に送信するリファレンス信号（リファレンスシンボル）のセットは３としているがこれに限ったものではなく、例えばＮセット（Ｎは２以上の整数）としてもよい。このとき、図４３（ｂ）において、リファレンス信号（リファレンスシンボル）を送信する際、図３９に関する説明における、係数Ｗ１＝ｕ１ｉ、係数Ｗ２＝ｕ２ｉ、係数Ｗ３＝ｕ３ｉ、係数Ｗ４＝ｕ４ｉと設定するものとする（ｉは１以上Ｎ以下の整数）。
【０５９０】
図４４は、アンテナ設定用シンボル群セット５４１０の、図４３とは異なる構成の一例を示している（横軸は時間である）。図４４において、図４３と同様に動作するものについては、同一番号を付与している。図４４が、図４３と異なる点は、常に、リファレンス信号（リファレンスシンボル）とアンテナＩＤシンボルがセットになり、送信されている点である。したがって、アンテナＩＤシンボル４４０１、４４０２、４４０３が存在している。そして、図４４において、リファレンス信号（リファレンスシンボル）４３０２−１、４３０２−２、４３０２−３、リファレンス信号（リファレンスシンボル）４３０３、４３０４、４３０５の構成方法については、図４３を用いて説明したとおりである。
【０５９１】
図４３、図４４いずれの場合も、上述で説明したようなリファレンス信号４３０３、４３０４、４３０５、・・・を送信する。このとき、以下の条件が成立するものとする。
＜条件＃３７＞
ｉは１以上Ｎ以下の整数とし（Ｎは２以上の整数）、ｊは１以上Ｎ以下の整数とし、ｉ≠ｊとし、これを満たす、すべてのｉ、すべてのｊで、｛ｕ１ｉ≠ｕ１ｊ、または、ｕ２ｉ≠ｕ２ｊ、または、ｕ３ｉ≠ｕ３ｊ、または、ｕ４ｉ≠ｕ４ｊ｝を満たすものとする。
【０５９２】
図５４のように、アンテナ部αからアンテナ設定用のシンボル群５４１２＿１とアンテナ設定用シンボル群＜２＞（５４１２＿２）を送信しているとき、図４３（ａ）が、「アンテナ部αからのアンテナ設定用のシンボル群５４１２＿１」の構成、図４３（ｂ）が、「アンテナ設定用シンボル群＜２＞（５４１２＿２）」の構成となる。または、図４４（ａ）が、「アンテナ部αからのアンテナ設定用のシンボル群５４１２＿１」の構成、図４４（ｂ）が、「アンテナ設定用シンボル群＜２＞（５４１２＿２）」の構成となる。このようにし、上記で説明したリファレンス信号（リファレンスシンボル）４３０２−１、４３０２−２、４３０２−３、・・・、および、リファレンス信号（リファレンスシンボル）４３０３、４３０４、４３０５、・・・に対し、上述の説明と同様に、リファレンス信号（リファレンスシンボル）を構成するものとする。
【０５９３】
また、図５４のように、アンテナ部αからアンテナ設定用のシンボル群５４１３＿１とアンテナ設定用シンボル群＜３＞（５４１３＿２）を送信しているとき、図４３（ａ）が、「アンテナ部αからのアンテナ設定用のシンボル群５４１３＿１」の構成、図４３（ｂ）が、「アンテナ設定用シンボル群＜３＞（５４１３＿２）」の構成となる。または、図４４（ａ）が、「アンテナ部αからのアンテナ設定用のシンボル群５４１３＿１」の構成、図４４（ｂ）が、「アンテナ設定用シンボル群＜３＞（５４１３＿２）」の構成となる。
【０５９４】
このようにし、上記で説明したリファレンス信号（リファレンスシンボル）４３０２−１、４３０２−２、４３０２−３、・・・、および、リファレンス信号（リファレンスシンボル）４３０３、４３０４、４３０５、・・・に対し、上述の説明と同様に、リファレンス信号（リファレンスシンボル）を構成するものとする。
【０５９５】
図５４のように、アンテナ部αからアンテナ設定用のシンボル群５４１４＿１とアンテナ設定用シンボル群＜４＞（５４１４＿２）を送信しているとき、図４３（ａ）が、「アンテナ部αからのアンテナ設定用のシンボル群５４１４＿１」の構成、図４３（ｂ）が、「アンテナ設定用シンボル群＜４＞（５４１４＿２）」の構成となる。または、図４４（ａ）が、「アンテナ部αからのアンテナ設定用のシンボル群５４１４＿１」の構成、図４４（ｂ）が、「アンテナ設定用シンボル群＜４＞（５４１４＿２）」の構成となる。このようにし、上記で説明したリファレンス信号（リファレンスシンボル）４３０２−１、４３０２−２、４３０２−３、・・・、および、リファレンス信号（リファレンスシンボル）４３０３、４３０４、４３０５、・・・に対し、上述の説明と同様に、リファレンス信号（リファレンスシンボル）を構成するものとする。
【０５９６】
このようにし、上記で説明したリファレンス信号（リファレンスシンボル）４３０２−１、４３０２−２、４３０２−３、・・・、および、リファレンス信号（リファレンスシンボル）４３０３、４３０４、４３０５、・・・に対し、上述の説明と同様に、リファレンス信号（リファレンスシンボル）を構成するものとする。
図５４のように、アンテナ部αからアンテナ設定用のシンボル群５４１５＿１とアンテナ設定用シンボル群＜５＞（５４１５＿２）を送信しているとき、図４３（ａ）が、「アンテナ部αからのアンテナ設定用のシンボル群５４１５＿１」の構成、図４３（ｂ）が、「アンテナ設定用シンボル群＜５＞（５４１５＿２）」の構成となる。または、図４４（ａ）が、「アンテナ部αからのアンテナ設定用のシンボル群５４１５＿１」の構成、図４４（ｂ）が、「アンテナ設定用シンボル群＜５＞（５４１５＿２）」の構成となる。このようにし、上記で説明したリファレンス信号（リファレンスシンボル）４３０２−１、４３０２−２、４３０２−３、・・・、および、リファレンス信号（リファレンスシンボル）４３０３、４３０４、４３０５、・・・に対し、上述の説明と同様に、リファレンス信号（リファレンスシンボル）を構成するものとする。
【０５９７】
このようにし、上記で説明したリファレンス信号（リファレンスシンボル）４３０２−１、４３０２−２、４３０２−３、・・・、および、リファレンス信号（リファレンスシンボル）４３０３、４３０４、４３０５、・・・に対し、上述の説明と同様に、リファレンス信号（リファレンスシンボル）を構成するものとする。
通信局＃２は、上述と同様の動作を行うことで、アンテナ部αを用いて送信されたアンテナ設定用のシンボル群５４１２＿１とアンテナ設定用シンボル群＜２＞（５４１２＿２）におけるリファレンス信号（リファレンスシンボル）４３０２−１、４３０２−２、４３０２−３、・・・、および、リファレンス信号（リファレンスシンボル）４３０３、４３０４、４３０５から、それぞれのリファレンス信号（リファレンスシンボル）における通信状態（通信品質）を推定する。
【０５９８】
そして、通信局＃２は、上述と同様の動作を行うことで、アンテナ部αを用いて送信されたアンテナ設定用のシンボル群５４１３＿１とアンテナ設定用シンボル群＜３＞（５４１３＿２）におけるリファレンス信号（リファレンスシンボル）４３０２−１、４３０２−２、４３０２−３、・・・、および、リファレンス信号（リファレンスシンボル）４３０３、４３０４、４３０５から、それぞれのリファレンス信号（リファレンスシンボル）における通信状態（通信品質）を推定する。
【０５９９】
通信局＃２は、上述と同様の動作を行うことで、アンテナ部αを用いて送信されたアンテナ設定用のシンボル群５４１３＿１とアンテナ設定用シンボル群＜４＞（５４１４＿２）におけるリファレンス信号（リファレンスシンボル）４３０２−１、４３０２−２、４３０２−３、・・・、および、リファレンス信号（リファレンスシンボル）４３０３、４３０４、４３０５から、それぞれのリファレンス信号（リファレンスシンボル）における通信状態（通信品質）を推定する。
【０６００】
通信局＃２は、上述と同様の動作を行うことで、アンテナ部αを用いて送信されたアンテナ設定用のシンボル群５４１３＿１とアンテナ設定用シンボル群＜５＞（５４１５＿２）におけるリファレンス信号（リファレンスシンボル）４３０２−１、４３０２−２、４３０２−３、・・・、および、リファレンス信号（リファレンスシンボル）４３０３、４３０４、４３０５から、それぞれのリファレンス信号（リファレンスシンボル）における通信状態（通信品質）を推定する。
【０６０１】
そして、通信局＃２、これらのリファレンス信号（リファレンスシンボル）の通信状態（通信品質）から、受信品質が良好となる、「通信局＃１のアンテナ部、および、乗算係数」を推定する。そして、通信局＃２は、受信品質が良好となる「通信局＃１の（新たな）アンテナ部（アンテナ部αでないアンテナ部）、および、（新たなアンテナ部の）乗算係数」に関する情報を通信局＃１に対し、送信することになる。（図３４の「送信＄３（３４５３）」）
図４５は、アンテナ設定用シンボル群セット５４１０の、図４３、図４４とは異なる構成の一例を示している（横軸は時間である。）。アンテナ部αからのアンテナ設定用のシンボル群５４１１＿１とアンテナ設定用シンボル群＜１＞（５４１１＿２）を送信しているとき、図４５（ａ）が、「アンテナ部αからのアンテナ設定用のシンボル群５４１１＿１」の構成を示しており、図４５（ｂ）が、「アンテナ設定用シンボル群＜１＞（５４１１＿２）」の構成を示している。
【０６０２】
図４５（ｂ）に示すように、「アンテナ設定用シンボル群＜１＞（５４１１＿２）」には、アンテナＩＤシンボル４５０１が含まれている。アンテナＩＤシンボル４５０１は上述の説明と同様、「アンテナ設定用シンボル群＜１＞（５４１１＿２）」を送信するのに使用したアンテナのＩＤの情報を含むシンボルであり、通信局＃２は、アンテナＩＤシンボル４５０１を受信することで、通信局＃１が、「アンテナ設定用シンボル群＜１＞（５４１１＿２）」を送信するのに使用したアンテナを識別することができる。
【０６０３】
図４５（ａ）の「アンテナ部αからのアンテナ設定用のシンボル群５４１１＿１」では、アンテナ部αのアンテナＩＤのシンボルを送信してもよいし、送信しなくてもよい。（すでに通信局＃１と通信局＃２ではアンテナ部αに関する情報を共有しているからである。）
そして、図４５（ａ）の「アンテナ部αからのアンテナ設定用のシンボル群５４１１＿１」では、時間＄２において、リファレンス信号（リファレンスシンボル）４５０２−１を配置し、図４５（ｂ）の「アンテナ設定用シンボル群＜１＞（５４１１＿２）」でも、時間＄１において、リファレンス信号（リファレンスシンボル）４５０３を配置する。このとき、リファレンス信号（リファレンスシンボル）４５０２−１とリファレンス信号（リファレンスシンボル）４５０３は、同一周波数（帯）を用いて送信される。
【０６０４】
このとき、リファレンス信号（リファレンスシンボル）４５０３を送信している際、アンテナ部αからは変調信号を送信せず、そして、リファレンス信号（リファレンスシンボル）４５０２−１を送信している際、図４５（ｂ）では変調信号が存在していないものとする。
なお、フレーム構成は、これに限ったものではない。変形例として、例えば、リファレンス信号（リファレンスシンボル）４５０２−１およびリファレンス信号（リファレンスシンボル）４５０３がそれぞれＮ個のシンボルで構成されているものとする。
【０６０５】
リファレンス信号（リファレンスシンボル）４５０２−１のＮ（Ｎは２以上の整数）個のシンボルの同相成分をＩαｖ（ｖは０以上Ｎ−１以下の整数）とあらわし、リファレンス信号（リファレンスシンボル）４５０２−１のＮ個のシンボルの直交成分をＱαｖ（ｖは０以上Ｎ−１以下の整数）とあらわすものとする。
そして、リファレンス信号（リファレンスシンボル）４５０３のＮ（Ｎは２以上の整数）個のシンボルの同相成分をＩｘｖ（ｖは０以上Ｎ−１以下の整数）とあらわし、リファレンス信号（リファレンスシンボル）４５０３のＮ個のシンボルの直交成分をＱｘｖ（ｖは０以上Ｎ−１以下の整数）とあらわすものとする。
【０６０６】
そして、以下の条件の＜条件＃３８＞または＜条件＃３９＞の少なくとも一方のいずれかを満たすことになる。
＜条件＃３８＞
式（５８）および式（５９）を満たす。そして、ｖは０以上Ｎ−１以下の整数とし、ｖでＩαｖ＝０を満たすｖが存在する。そして、ｖは０以上Ｎ−１以下の整数とし、ｖでＩｘｖ＝０を満たすｖが存在する。
【０６０７】
さらに、ｖは０以上Ｎ−１以下の整数とし、これを満たす、すべてのｖでＩαｖ＝０を満たすことはない。そして、ｖは０以上Ｎ−１以下の整数とし、これを満たす、すべてのｖでＩｘｖ＝０を満たすことはない。
＜条件＃３９＞
式（５８）および式（５９）を満たす。そして、ｖは０以上Ｎ−１以下の整数とし、ｖでＱαｖ＝０を満たすｖが存在する。そして、ｖは０以上Ｎ−１以下の整数とし、ｖでＱｘｖ＝０を満たすｖが存在する。
【０６０８】
さらに、ｖは０以上Ｎ−１以下の整数とし、これを満たす、すべてのｖでＱαｖ＝０を満たすことはない。そして、ｖは０以上Ｎ−１以下の整数とし、これを満たす、すべてのｖでＱｘｖ＝０を満たすことはない。
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０６０９】
なお、リファレンス信号（リファレンスシンボル）４５０３を送信する際、図３９に関する説明における、係数Ｗ１＝Ｓ１１、係数Ｗ２＝Ｓ２１、係数Ｗ３＝Ｓ３１、係数Ｗ４＝Ｓ４１と設定するものとする。
（このとき、リファレンス信号（リファレンスシンボル）４５０２−１を通信局＃１が送信するのに使用する係数は、アンテナ部αであることから、すでに決定している。）
図４５（ａ）の「アンテナ部αからのアンテナ設定用のシンボル群５４１１＿１」では、時間＄４において、リファレンス信号（リファレンスシンボル）４５０２−２を配置し、図４５（ｂ）の「アンテナ設定用シンボル群＜１＞（５４１１＿２）」でも、時間＄３において、リファレンス信号（リファレンスシンボル）４５０４を配置する。このとき、リファレンス信号（リファレンスシンボル）４５０２−２とリファレンス信号（リファレンスシンボル）４５０４は、同一周波数（帯）を用いて送信される。
【０６１０】
このとき、リファレンス信号（リファレンスシンボル）４５０４を送信している際、アンテナ部αからは変調信号を送信せず、そして、リファレンス信号（リファレンスシンボル）４５０２−２を送信している際、図４５（ｂ）では変調信号が存在していないものとする。
なお、フレーム構成は、これに限ったものではない。変形例として、例えば、リファレンス信号（リファレンスシンボル）４５０２−２およびリファレンス信号（リファレンスシンボル）４５０４がそれぞれＮ個のシンボルで構成されているものとする。
【０６１１】
リファレンス信号（リファレンスシンボル）４５０２−２のＮ（Ｎは２以上の整数）個のシンボルの同相成分をＩαｖ（ｖは０以上Ｎ−１以下の整数）とあらわし、リファレンス信号（リファレンスシンボル）４５０２−２のＮ個のシンボルの直交成分をＱαｖ（ｖは０以上Ｎ−１以下の整数）とあらわすものとする。
そして、リファレンス信号（リファレンスシンボル）４５０４のＮ（Ｎは２以上の整数）個のシンボルの同相成分をＩｘｖ（ｖは０以上Ｎ−１以下の整数）とあらわし、リファレンス信号（リファレンスシンボル）４５０４のＮ個のシンボルの直交成分をＱｘｖ（ｖは０以上Ｎ−１以下の整数）とあらわすものとする。
【０６１２】
そして、以下の条件の＜条件＃４０＞または＜条件＃４１＞の少なくとも一方のいずれかを満たすことになる。
＜条件＃４０＞
式（６０）および式（６１）を満たす。そして、ｖは０以上Ｎ−１以下の整数とし、ｖでＩαｖ＝０を満たすｖが存在する。そして、ｖは０以上Ｎ−１以下の整数とし、ｖでＩｘｖ＝０を満たすｖが存在する。
【０６１３】
さらに、ｖは０以上Ｎ−１以下の整数とし、これを満たす、すべてのｖでＩαｖ＝０を満たすことはない。そして、ｖは０以上Ｎ−１以下の整数とし、これを満たす、すべてのｖでＩｘｖ＝０を満たすことはない。
＜条件＃４１＞
式（６０）および式（６１）を満たす。そして、ｖは０以上Ｎ−１以下の整数とし、ｖでＱαｖ＝０を満たすｖが存在する。そして、ｖは０以上Ｎ−１以下の整数とし、ｖでＱｘｖ＝０を満たすｖが存在する。
【０６１４】
さらに、ｖは０以上Ｎ−１以下の整数とし、これを満たす、すべてのｖでＱαｖ＝０を満たすことはない。そして、ｖは０以上Ｎ−１以下の整数とし、これを満たす、すべてのｖでＱｘｖ＝０を満たすことはない。
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０６１５】
なお、リファレンス信号（リファレンスシンボル）４５０４を送信する際、図３９に関する説明における、係数Ｗ１＝Ｓ１２、係数Ｗ２＝Ｓ２２、係数Ｗ３＝Ｓ３２、係数Ｗ４＝Ｓ４２と設定するものとする。
（このとき、リファレンス信号（リファレンスシンボル）４５０２−２を通信局＃１が送信するのに使用する係数は、アンテナ部αであることから、すでに決定している。）
図４５（ａ）の「アンテナ部αからのアンテナ設定用のシンボル群５４１１＿１」では、時間＄６において、リファレンス信号（リファレンスシンボル）４５０２−３を配置し、図４５（ｂ）の「アンテナ設定用シンボル群＜１＞（５４１１＿２）」でも、時間＄５において、リファレンス信号（リファレンスシンボル）４５０５を配置する。このとき、リファレンス信号（リファレンスシンボル）４５０２−３とリファレンス信号（リファレンスシンボル）４５０５は、同一周波数（帯）を用いて送信される。
【０６１６】
このとき、リファレンス信号（リファレンスシンボル）４５０５を送信している際、アンテナ部αからは変調信号を送信せず、そして、リファレンス信号（リファレンスシンボル）４５０２−３を送信している際、図４５（ｂ）では変調信号が存在していないものとする。
なお、フレーム構成は、これに限ったものではない。変形例として、例えば、リファレンス信号（リファレンスシンボル）４５０２−３およびリファレンス信号（リファレンスシンボル）４５０５がそれぞれＮ個のシンボルで構成されているものとする。
【０６１７】
リファレンス信号（リファレンスシンボル）４５０２−３のＮ（Ｎは２以上の整数）個のシンボルの同相成分をＩαｖ（ｖは０以上Ｎ−１以下の整数）とあらわし、リファレンス信号（リファレンスシンボル）４５０２−３のＮ個のシンボルの直交成分をＱαｖ（ｖは０以上Ｎ−１以下の整数）とあらわすものとする。
そして、リファレンス信号（リファレンスシンボル）４５０５のＮ（Ｎは２以上の整数）個のシンボルの同相成分をＩｘｖ（ｖは０以上Ｎ−１以下の整数）とあらわし、リファレンス信号（リファレンスシンボル）４５０５のＮ個のシンボルの直交成分をＱｘｖ（ｖは０以上Ｎ−１以下の整数）とあらわすものとする。
【０６１８】
そして、以下の条件の＜条件＃４２＞または＜条件＃４３＞の少なくとも一方のいずれかを満たすことになる。
＜条件＃４２＞
式（６２）および式（６３）を満たす。そして、ｖは０以上Ｎ−１以下の整数とし、ｖでＩαｖ＝０を満たすｖが存在する。そして、ｖは０以上Ｎ−１以下の整数とし、ｖでＩｘｖ＝０を満たすｖが存在する。
さらに、ｖは０以上Ｎ−１以下の整数とし、これを満たす、すべてのｖでＩαｖ＝０を満たすことはない。そして、ｖは０以上Ｎ−１以下の整数とし、これを満たす、すべてのｖでＩｘｖ＝０を満たすことはない。
＜条件＃４３＞
式（６２）および式（６３）を満たす。そして、ｖは０以上Ｎ−１以下の整数とし、ｖでＱαｖ＝０を満たすｖが存在する。そして、ｖは０以上Ｎ−１以下の整数とし、ｖでＱｘｖ＝０を満たすｖが存在する。
【０６１９】
さらに、ｖは０以上Ｎ−１以下の整数とし、これを満たす、すべてのｖでＱαｖ＝０を満たすことはない。そして、ｖは０以上Ｎ−１以下の整数とし、これを満たす、すべてのｖでＱｘｖ＝０を満たすことはない。
このようにすることで、アンテナ部αで送信した変調信号のチャネル状態（伝搬環境）と「アンテナ設定用シンボル群＜１＞（５４１１＿２）」におけるチャネル状態（伝搬環境）を知ることができ、これにより、好適なアンテナ選択が可能となるという利点がある。
【０６２０】
なお、リファレンス信号（リファレンスシンボル）４５０５を送信する際、図３９に関する説明における、係数Ｗ１＝Ｓ１３、係数Ｗ２＝Ｓ２３、係数Ｗ３＝Ｓ３３、係数Ｗ４＝Ｓ４３と設定するものとする。
（このとき、リファレンス信号（リファレンスシンボル）４５０２−３を通信局＃１が送信するのに使用する係数は、アンテナ部αであることから、すでに決定している。）
上述において、同一時間に送信するリファレンス信号（リファレンスシンボル）のセットは３としているがこれに限ったものではなく、例えばＮセット（Ｎは２以上の整数）としてもよい。このとき、図４５（ｂ）において、リファレンス信号（リファレンスシンボル）を送信する際、図３９に関する説明における、係数Ｗ１＝Ｓ１ｉ、係数Ｗ２＝Ｓ２ｉ、係数Ｗ３＝Ｓ３ｉ、係数Ｗ４＝Ｓ４ｉと設定するものとする（ｉは１以上Ｎ以下の整数）。
【０６２１】
図４６は、アンテナ設定用シンボル群セット５４１０の、図４５とは異なる構成の一例を示している（横軸は時間である）。図４６において、図４４と同様に動作するものについては、同一番号を付与している。図４６が、図４４と異なる点は、常に、リファレンス信号（リファレンスシンボル）とアンテナＩＤシンボルがセットになり、送信されている点である。したがって、アンテナＩＤシンボル４５０１、４６０１、４６０２が存在している。そして、図４６において、リファレンス信号（リファレンスシンボル）４５０２−１、４５０２−２、４５０２−３、リファレンス信号（リファレンスシンボル）４５０３、４５０４、４５０６の構成方法については、図４５を用いて説明したとおりである。
【０６２２】
図４５、図４６いずれの場合も、上述で説明したようなリファレンス信号４５０３、４５０４、４５０５、・・・を送信する。このとき、以下の条件が成立するものとする。
＜条件＃４４＞
ｉは１以上Ｎ以下の整数とし（Ｎは２以上の整数）、ｊは１以上Ｎ以下の整数とし、ｉ≠ｊとし、これを満たす、すべてのｉ、すべてのｊで、｛Ｓ１ｉ≠Ｓ１ｊ、または、Ｓ２ｉ≠Ｓ２ｊ、または、Ｓ３ｉ≠Ｓ３ｊ、または、Ｓ４ｉ≠Ｓ４ｊ｝を満たすものとする。
【０６２３】
図５４のように、アンテナ部αを用いて送信されたアンテナ設定用のシンボル群５４１２＿１とアンテナ設定用シンボル群＜２＞（５４１２＿２）を送信しているとき、図４５（ａ）が、「アンテナ部αからのアンテナ設定用のシンボル群５４１２＿１」の構成、図４５（ｂ）が、「アンテナ設定用シンボル群＜２＞（５４１２＿２）」の構成となる。または、図４６（ａ）が、「アンテナ部αからのアンテナ設定用のシンボル群５４１２＿１」の構成、図４６（ｂ）が、「アンテナ設定用シンボル群＜２＞（５４１２＿２）」の構成となる。このようにし、上記で説明したリファレンス信号（リファレンスシンボル）４５０２−１、４５０２−２、４５０２−３、・・・、および、リファレンス信号（リファレンスシンボル）４５０３、４５０４、４５０５、・・・に対し、上述の説明と同様に、リファレンス信号（リファレンスシンボル）を構成するものとする。
【０６２４】
また、図５４のように、アンテナ部αを用いて送信されたアンテナ設定用のシンボル群５４１３＿１とアンテナ設定用シンボル群＜３＞（５４１３＿２）を送信しているとき、図４５（ａ）が、「アンテナ部αからのアンテナ設定用のシンボル群５４１３＿１」の構成、図４５（ｂ）が、「アンテナ設定用シンボル群＜３＞（５４１３＿２）」の構成となる。または、図４６（ａ）が、「アンテナ部αからのアンテナ設定用のシンボル群５４１３＿１」の構成、図４６（ｂ）が、「アンテナ設定用シンボル群＜３＞（５４１３＿２）」の構成となる。このようにし、上記で説明したリファレンス信号（リファレンスシンボル）４５０２−１、４５０２−２、４５０２−３、・・・、および、リファレンス信号（リファレンスシンボル）４５０３、４５０４、４５０５、・・・に対し、上述の説明と同様に、リファレンス信号（リファレンスシンボル）を構成するものとする。
【０６２５】
図５４のように、アンテナ部αを用いて送信されたアンテナ設定用のシンボル群５４１４＿１とアンテナ設定用シンボル群＜４＞（５４１４＿２）を送信しているとき、図４５（ａ）が、「アンテナ部αからのアンテナ設定用のシンボル群５４１４＿１」の構成、図４５（ｂ）が、「アンテナ設定用シンボル群＜４＞（５４１４＿２）」の構成となる。または、図４６（ａ）が、「アンテナ部αからのアンテナ設定用のシンボル群５４１４＿１」の構成、図４６（ｂ）が、「アンテナ設定用シンボル群＜４＞（５４１４＿２）」の構成となる。このようにし、上記で説明したリファレンス信号（リファレンスシンボル）４５０２−１、４５０２−２、４５０２−３、・・・、および、リファレンス信号（リファレンスシンボル）４５０３、４５０４、４５０５、・・・に対し、上述の説明と同様に、リファレンス信号（リファレンスシンボル）を構成するものとする。
【０６２６】
図５４のように、アンテナ部αを用いて送信されたアンテナ設定用のシンボル群５４１５＿１とアンテナ設定用シンボル群＜５＞（５４１５＿２）を送信しているとき、図４５（ａ）が、「アンテナ部αからのアンテナ設定用のシンボル群５４１５＿１」の構成、図４５（ｂ）が、「アンテナ設定用シンボル群＜５＞（５４１５＿２）」の構成となる。または、図４６（ａ）が、「アンテナ部αからのアンテナ設定用のシンボル群５４１５＿１」の構成、図４６（ｂ）が、「アンテナ設定用シンボル群＜５＞（５４１５＿２）」の構成となる。このようにし、上記で説明したリファレンス信号（リファレンスシンボル）４５０２−１、４５０２−２、４５０２−３、・・・、および、リファレンス信号（リファレンスシンボル）４５０３、４５０４、４５０５、・・・に対し、上述の説明と同様に、リファレンス信号（リファレンスシンボル）を構成するものとする。
【０６２７】
通信局＃２は、上述と同様の動作を行うことで、アンテナ部αを用いて送信されたアンテナ設定用のシンボル群５４１２＿１とアンテナ設定用シンボル群＜２＞（５４１２＿２）におけるリファレンス信号（リファレンスシンボル）４５０２−１、４５０２−２、４５０２−３、・・・、および、リファレンス信号（リファレンスシンボル）４５０３、４５０４、４５０５から、それぞれのリファレンス信号（リファレンスシンボル）における通信状態（通信品質）を推定する。
【０６２８】
そして、通信局＃２は、上述と同様の動作を行うことで、アンテナ部αからアンテナ設定用のシンボル群５４１３＿１とアンテナ設定用シンボル群＜３＞（５４１３＿２）におけるリファレンス信号（リファレンスシンボル）４５０２−１、４５０２−２、４５０２−３、・・・、および、リファレンス信号（リファレンスシンボル）４５０３、４５０４、４５０５から、それぞれのリファレンス信号（リファレンスシンボル）における通信状態（通信品質）を推定する。
【０６２９】
通信局＃２は、上述と同様の動作を行うことで、アンテナ部αを用いて送信されたアンテナ設定用のシンボル群５４１４＿１とアンテナ設定用シンボル群＜４＞（５４１４＿２）におけるリファレンス信号（リファレンスシンボル）４５０２−１、４５０２−２、４５０２−３、・・・、および、リファレンス信号（リファレンスシンボル）４５０３、４５０４、４５０５から、それぞれのリファレンス信号（リファレンスシンボル）における通信状態（通信品質）を推定する。
【０６３０】
通信局＃２は、上述と同様の動作を行うことで、アンテナ部αを用いて送信されたアンテナ設定用のシンボル群５４１５＿１とアンテナ設定用シンボル群＜５＞（５４１５＿２）におけるリファレンス信号（リファレンスシンボル）４５０２−１、４５０２−２、４５０２−３、・・・、および、リファレンス信号（リファレンスシンボル）４５０３、４５０４、４５０５から、それぞれのリファレンス信号（リファレンスシンボル）における通信状態（通信品質）を推定する。
【０６３１】
そして、通信局＃２は、これらのリファレンス信号（リファレンスシンボル）の通信状態（通信品質）から、受信品質が良好となる、「通信局＃１のアンテナ部、および、乗算係数」を推定する。そして、通信局＃２は、受信品質が良好となる「通信局＃１の（新たな）アンテナ部（アンテナ部αでないアンテナ部）、および、（新たなアンテナ部の）乗算係数」に関する情報を通信局＃１に対し、送信することになる。（図３４の「送信＄３（３４５３）」）
加えて、通信局＃２は、アンテナ部αからアンテナ設定用のシンボル群５４１２＿１とアンテナ設定用シンボル群＜２＞（５４１２＿２）におけるリファレンス信号（リファレンスシンボル）４５０２−１、４５０２−２、４５０２−３、・・・、および、リファレンス信号（リファレンスシンボル）４５０３、４５０４、４５０５を受信中に、通信局＃２の各受信アンテナ部は、図４０の構成を具備しており、好適な乗算係数についてもあわせて推定してもよい。よって、通信局＃２は、（新たな）アンテナ部（アンテナ部δ）が使用する好適な乗算係数を設定することになる。
【０６３２】
よって、通信局＃２が、図５４のアンテナ関連シンボル群＄３（３４５３）を送信し、このシンボル群を、通信局＃１が受信することで、通信局＃２のアンテナ部の設定（アンテナ部の決定、および、使用する乗算係数の決定）が完了したことを知ることになる。
以上のように、通信局＃１が、まず、送信に使用するアンテナ部を決定するために、各アンテナ部から、リファレンスシンボルを送信し、各リファレンスシンボルの通信状態を、通信局＃２から、得て、データシンボルを送信する一つのアンテナ部（アンテナ部α）を決定し、次に、通信局＃１は、アンテナ部αと各アンテナ部から、リファレンスシンボルを送信し、アンテナ部αから送信されたリファレンスシンボルの通信状態と各アンテナ部から送信されたリファレンスシンボルの通信状態を、通信局＃２から、得て、データシンボルを送信する、もう一つのアンテナ部（アンテナ部γ）を決定することで、通信局＃２は、高いデータの受信品質を得ることができるという効果を得ることができる。なお、その際、送受信アンテナで使用する乗算係数をあわせて決定してもよい。
【０６３３】
次に、「通信局＃１と通信局＃２の通信のやりとりの第２の例」に対する、通信局＃１および通信局＃２の時間軸における送信フレームの例について説明する。
図５５は、通信局＃１および通信局＃２の時間軸における送信フレームの図３４とは異なる例を示しており、図５５（ａ）は、通信局＃１の時間軸における送信フレーム、図５５（ｂ）は、通信局＃２の時間軸における送信フレームを示している。（なお、図５５（ａ）、図５５（ｂ）において、シンボルは、周波数軸にも存在していてもよい。）
図５５において、図３４、図４７、図５４で示したものと同様に動作するものについては、同一番号を付与している。
【０６３４】
図５５に示すように、まず、通信局＃１は、第１Ａアンテナ部５１０３＿１からアンテナ設定用シンボル群３４０１を送信し、その後、第２Ａアンテナ部５１０３＿２からアンテナ設定用シンボル群３４０２、第３Ａアンテナ部５１０３＿３からアンテナ設定用シンボル群３４０３、第４Ａアンテナ部５１０３＿４からアンテナ設定用シンボル群５４０１、第５Ａアンテナ部５１０３＿５からアンテナ設定用シンボル群５４０２、第６Ａアンテナ部５１０３＿６からアンテナ設定用シンボル群５４０３を送信する。なお、これらのシンボル群を、アンテナ設定用シンボル群３４８０と呼ぶことにする。
【０６３５】
通信局＃２は、通信局＃１が送信したアンテナ設定用シンボル群３４８０を受信する。そして、例えば、第１Ａアンテナ部５１０３＿１を用いて送信されたアンテナ設定用シンボル群３４０１の受信電界強度、第２Ａアンテナ部５１０３＿２を用いて送信されたアンテナ設定用シンボル群３４０２の受信電界強度、第３Ａアンテナ部５１０３＿３を用いて送信されたアンテナ設定用シンボル群３４０３の受信電界強度、第４Ａアンテナ部５１０３＿４を用いて送信されたアンテナ設定用シンボル群５４０１の受信電界強度、第５Ａアンテナ部５１０３＿５を用いて送信されたアンテナ設定用シンボル群５４０２の受信電界強度、第６Ａアンテナ部５１０３＿６を用いて送信されたアンテナ設定用シンボル群５４０３の受信電界強度を比較し、受信電界強度の大きくなる通信局＃１のアンテナ部を推定し、通信局＃１が変調信号を送信する際に使用して欲しいアンテナ部を選択する。そして、通信局＃２は、この選択したアンテナ部の情報を含むアンテナ関連シンボル群＄１（３４５１）を送信する。
【０６３６】
通信局＃１は、通信局＃２が送信したアンテナ関連シンボル群＄１（３４５１）を受信し、通信局＃２が送信したアンテナ関連シンボル群＄１（３４５１）に含まれる「選択されたアンテナ部の情報」に基づいて、変調信号を送信するために使用するアンテナ部（前にも説明したように、「アンテナ部α」と呼ぶ。）を決定し、アンテナ部αからアンテナ設定用シンボル群３４０７を送信する。
【０６３７】
通信局＃２は、通信局＃１が送信したアンテナ設定用シンボル群３４０７を、第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６を用いて受信し、受信に使用する受信アンテナ部を一つ決定する。（なお、前にも説明したように、ここで、決定した受信に使用するアンテナ部を「決定したアンテナ部β」と名付ける。）そして、通信局＃２は、使用する受信アンテナ部が一つ決定したことを通信局＃１に通知するために、アンテナ関連シンボル群＄２（３４５２）を送信する。（このとき、アンテナ関連シンボル群＄２（３４５２）は、決定した受信アンテナの情報を含んでいてもよい。）
通信局＃１は、通信局＃２が送信したアンテナ関連シンボル群＄２（３４５２）を受信し、通信局＃２が受信に使用するアンテナ部が一つ決定したことを知ることになる。これにより、通信局＃１が送信に使用するアンテナ部一つと通信局＃２が使用するアンテナ部一つが決定したことになる。
【０６３８】
通信局＃１が具備する各（送信）アンテナ部は、前にも説明したように、図３９のようなアンテナ構成であるものとし、通信局＃２が具備する各（受信）アンテナ部は、図４０のようなアンテナ構成であるものとする。
そこで、通信局＃１は、前に説明した図４１、図４２のようなフレーム構成で、乗算係数設定用シンボル群４７０１をアンテナ部αから送信する。このとき、図４１、図４２のフレーム構成については、前にも説明したので、詳細の説明は省略する。図４１、図４２におけるアンテナＩＤシンボル４１０１、４２０１、４２０２、・・・は、アンテナ部αに関するＩＤの情報が、例えば、含まれているものとする。そして、図３９のアンテナ部で使用する乗算係数セットを切り替えて、リファレンス信号（リファレンスシンボル）４１０２−１、４１０２−２、４１０２−３、・・・を送信する。なお、詳細については、上述したとおりである。
【０６３９】
そして、通信局＃２は、これらのリファレンス信号（リファレンスシンボル）の通信状態（通信品質）（乗算係数設定用シンボル群４７０１）から、受信品質が良好となる、「通信局＃１のアンテナ部αの乗算係数」を推定する。そして、通信局＃２は、受信品質が良好となる「通信局＃１のアンテナ部αの乗算係数」に関する情報を通信局＃１に対し、送信することになる。（図４７の「送信＆１（４７０２）」）
加えて、通信局＃２は、乗算係数設定用シンボル群４７０１を受信することで、図４０のようなアンテナ構成部における、使用する好適な乗算係数を推定することになる。そして、通信局＃２は、アンテナ部βで使用する乗算係数を設定することになる。
【０６４０】
通信局＃１は、以下のルールで、「アンテナ部αからアンテナ設定用のシンボル群５４１１＿１を送信、アンテナ設定用シンボル群＜１＞（５４１１＿２）を送信、アンテナ部αからアンテナ設定用のシンボル群５４１２＿１を送信、アンテナ設定用シンボル群＜２＞（５４１２＿２）を送信、アンテナ部αからアンテナ設定用のシンボル群５４１３＿１を送信、アンテナ設定用シンボル群＜３＞（５４１３＿２）を送信、アンテナ部αからアンテナ設定用のシンボル群５４１４＿１を送信、アンテナ設定用シンボル群＜４＞（５４１４＿２）を送信、アンテナ部αからアンテナ設定用のシンボル群５４１５＿１を送信、アンテナ設定用シンボル群＜５＞（５４１５＿２）を送信する。」なお、これらのシンボル群をアンテナ設定用シンボル群セット５４１０と呼ぶことにする。
・通信局＃１は「決定したアンテナ部αからアンテナ設定用のシンボル群５４１１＿１を、アンテナ部ｇ１からアンテナ設定用シンボル群＜１＞（５４１１＿２）を送信」。その後、「決定したアンテナ部αからアンテナ設定用のシンボル群５４１２＿１を、アンテナ部ｇ２からアンテナ設定用シンボル群＜２＞（５４１２＿２）を送信」、「決定したアンテナ部αからアンテナ設定用のシンボル群５４１３＿１を、アンテナ部ｇ３からアンテナ設定用シンボル群＜３＞（５４１３＿２）を送信」、「決定したアンテナ部αからアンテナ設定用のシンボル群５４１４＿１を、アンテナ部ｇ４からアンテナ設定用シンボル群＜４＞（５４１４＿２）を送信」。、「決定したアンテナ部αからアンテナ設定用のシンボル群５４１５＿１を、アンテナ部ｇ５からアンテナ設定用シンボル群＜５＞（５４１５＿２）を送信」（なお、決定したアンテナ部αからアンテナ設定用のシンボル群５４１１＿１を、アンテナ部ｇ１からアンテナ設定用シンボル群＜１＞（５４１１＿２）を送信、続いて、アンテナ部ｇ２からアンテナ設定用シンボル群＜２＞（５４１２＿２）を送信、アンテナ部ｇ３からアンテナ設定用シンボル群＜３＞（５４１３＿２）を送信、アンテナ部ｇ４からアンテナ設定用シンボル群＜４＞（５４１４＿２）を送信、アンテナ部ｇ５からアンテナ設定用シンボル群＜５＞（５４１５＿２）を送信、としてもよい。このとき、シンボルの送信する順番は、これに限ったものではない。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０６４１】
なお、アンテナ設定用シンボル群セット５４１０の構成方法については、図３５、図３６を用いて上述したとおりである。
通信局＃２は、通信局＃１が送信したアンテナ設定用シンボル群セット５４１０を受信する。そして、通信局＃２は、「通信局＃１がアンテナ部αと同時に使用する、変調信号を送信するアンテナ部を１つ決定する。」（なお、前にも説明したように、決定した送信に使用するアンテナ部を「決定したアンテナ部γ」と名付ける。）
また、通信局＃２は、使用する受信アンテナ部を新たに１つ決定する。
（なお、前にも説明したように、決定した受信に使用するアンテナ部を「アンテナ部δ」と名付ける。）
そして、通信局＃２は、「通信局＃１が変調信号を送信するためのアンテナ（決定したアンテナ部γ）の情報」を含むアンテナ関連シンボル群＄３（３４５３）を通信局＃１に送信する。（このとき、アンテナ関連シンボル群＄３（３４５３）は、決定した受信アンテナの情報を含んでいてもよい。）
なお、アンテナ部の決定方法については、図３５、図３６の説明とあわせて、説明したとおりである。
【０６４２】
通信局＃１は、アンテナ部αからの乗算係数設定用シンボル群４７０３＿１およびアンテナ部γからの乗算係数設定用シンボル群４７０３＿２を送信する。このとき、これらのシンボル群の構成は、例えば、図４３、図４４、図４５、図４６で示したとおりであり、詳細の動作については上述のとおりである。
通信局＃２は、図４３、図４４、図４５、図４６で記載したリファレンス信号（リファレンスシンボル）から、通信状態（通信品質）を推定し、良好となる、「通信局＃１のアンテナ部γの乗算係数」を推定する。そして、通信局＃２は、受信品質が良好となる「通信局＃１のアンテナ部γの乗算係数」に関する情報を通信局＃１に対し、送信することになる。（図４７の「送信＆２（４７０４）」）
加えて、通信局＃２は、アンテナ部αからの乗算係数設定用シンボル群４７０３＿１およびアンテナ部γからの乗算係数設定用シンボル群４７０３＿２を受信することで、図４０のようなアンテナ部における、アンテナ部δで使用する乗算係数を推定することになる。そして、通信局＃２は、アンテナ部δで使用する乗算係数を設定することになる。
【０６４３】
通信局＃１は、通信局＃２が送信した「送信＆２（４７０４）」を受信し、アンテナ設定が完了したと判断し、データシンボル群３４１１＿１およびデータシンボル群３４１１＿２を送信する。このとき、データシンボル群３４１１＿１とデータシンボル群３４１１＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群３４１１＿１およびデータシンボル群３４１１＿２では記載していないが、データシンボル群３４１１＿１およびデータシンボル群３４１１＿２にデータシンボル以外の制御情報を伝送するためのシンボル、プリアンブル、パイロットシンボル、リファレンスシンボルなどのシンボルが含まれていてもよい。
【０６４４】
次に、「通信局＃１と通信局＃２の通信のやりとりの第３の例」について説明する。
通信局＃１と通信局＃２の通信のやりとりの第３の例：
ステップＳＴ１：
通信局＃１は、図５１の第１Ａアンテナ部５１０３＿１から信号を送信する。その後、通信局＃１は、第２Ａアンテナ部５１０３＿２から信号を送信し、第３Ａアンテナ部５１０３＿３から信号を送信し、第４Ａアンテナ部５１０３＿４から信号を送信し、第５Ａアンテナ部５１０３＿５から信号を送信し、第６Ａアンテナ部５１０３＿６から信号を送信する。
【０６４５】
ステップＳＴ２：
通信局＃２は、ステップＳＴ１で送信した変調信号を受信し、「通信局＃１が変調信号を送信するためのアンテナを、第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６から１つのアンテナ部」を決定する。（なお、ここで、決定した送信に使用するアンテナ部を「決定したアンテナ部α」と名付ける。）
さらに、通信局＃２は、通信局＃１がアンテナ部αから送信した信号を受信しているので、このときに、図５２の第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６から、受信に使用する受信アンテナ部一つを決定する。（なお、ここで、決定した受信に使用するアンテナ部を「決定したアンテナ部β」と名付ける。）
ステップＳＴ３：
使用する受信アンテナ部が一つ決定したことを通信局＃１に通知する。（このとき、決定した受信アンテナの情報を通信局＃１に通知してもよい。）
ステップＳＴ４：
通信局＃１は、以下のルールで信号を送信する。
・通信局＃１は「決定したアンテナ部αとアンテナ部ｇ１から信号を送信」。その後、「決定したアンテナ部αとアンテナ部ｇ２から信号を送信」、「決定したアンテナ部αとアンテナ部ｇ３から信号を送信」、「決定したアンテナ部αとアンテナ部ｇ４から信号を送信」。、「決定したアンテナ部αとアンテナ部ｇ５から信号を送信」（なお、決定したアンテナ部αとアンテナ部ｇ１から信号を送信、続いて、アンテナ部ｇ２から信号を送信、アンテナ部ｇ３から信号を送信、アンテナ部ｇ４から信号を送信、アンテナ部ｇ５から信号を送信、としてもよい。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０６４６】
ステップＳＴ５：
通信局＃２は、
「通信局＃１がアンテナ部αと同時に使用する、変調信号を送信するアンテナ部を１つ決定する。」なお、決定した送信に使用するアンテナ部を「決定したアンテナ部γ」と名付ける。
通信局＃２は、アンテナ部βとは異なる受信アンテナ部を新たに１つ決定する。
なお、新たに決定した受信アンテナ部は、第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６のいずれかである。
【０６４７】
ステップＳＴ６：
通信局＃２は、「通信局＃１が変調信号を送信するためのアンテナ（決定したアンテナ部γ）の情報」を通信局＃１に送信する。
通信局＃２は、使用する受信アンテナ部があらたに１つ決定したことを通信局＃１に通知する。（決定した受信アンテナ部の情報を通信局＃１に通知してもよい。）なお、決定した受信に使用するアンテナ部を「アンテナ部δ」と名付ける。
【０６４８】
ステップＳＴ７：
通信局＃１は、アンテナ部αとアンテナ部γを使用し、データシンボルの送信を開始する。（アンテナ部αとアンテナ部γを使用し、２つの変調信号の送信を開始する。）
通信局＃１と通信局＃２の通信のやりとりの第３の例を、図５６を用いて説明したが、図５６の＜Ｐ＞に図３２の処理、図５６の＜Ｑ＞に図３３の処理を追加してもよい。そのとき、通信局＃１と通信局＃２の通信のやりとりの説明は、前に示したとおりである。
【０６４９】
図５７は、通信局＃１および通信局＃２の時間軸における送信フレームの図５６に基づく例を示しており、図５７（ａ）は、通信局＃１の時間軸における送信フレーム、図５７（ｂ）は、通信局＃２の時間軸における送信フレームを示している。（なお、図５７（ａ）、図５７（ｂ）において、シンボルは、周波数軸にも存在していてもよい。）
図５７に示すように、まず、通信局＃１は、第１Ａアンテナ部５１０３＿１からアンテナ設定用シンボル群４９０１を送信し、その後、第２Ａアンテナ部５１０３＿２からアンテナ設定用シンボル群４９０２、第３Ａアンテナ部５１０３＿３からアンテナ設定用シンボル群４９０３、第４Ａアンテナ部５１０３＿４からアンテナ設定用シンボル群５７０１、第５Ａアンテナ部５１０３＿５からアンテナ設定用シンボル群５７０２、第６Ａアンテナ部５１０３＿６からアンテナ設定用シンボル群５７０３を送信する。なお、これらのシンボル群を、アンテナ設定用シンボル群４９８０と呼ぶことにする。
【０６５０】
通信局＃２は、通信局＃１が送信したアンテナ設定用シンボル群４９８０を受信する。そして、例えば、第１Ａアンテナ部５１０３＿１を用いて送信されたアンテナ設定用シンボル群４９０１において、受信電界強度、第２Ａアンテナ部５１０３＿２を用いて送信されたアンテナ設定用シンボル群４９０２において、受信電界強度、第３Ａアンテナ部５１０３＿３を用いて送信されたアンテナ設定用シンボル群４９０３において、受信電界強度、第４Ａアンテナ部５１０３＿４を用いて送信されたアンテナ設定用シンボル群４９０４において、受信電界強度、第５Ａアンテナ部５１０３＿５を用いて送信されたアンテナ設定用シンボル群５７０１において、受信電界強度、第６Ａアンテナ部５１０３＿６を用いて送信されたアンテナ設定用シンボル群５７０３において、受信電界強度を比較し、受信電界強度の大きくなる通信局＃１のアンテナ部を推定し、通信局＃１が変調信号を送信する際に使用して欲しいアンテナ部を選択する。そして、通信局＃２は、この選択したアンテナ部の情報を含むアンテナ関連シンボル群＄１（４９５１）を送信する。
【０６５１】
また、通信局＃２は、通信局＃１が送信したアンテナ設定用シンボル群４９８０を第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６を用いて受信する。そして、通信局＃２は、受信に使用するアンテナ部を決定する。なお、決定したアンテナ部を、アンテナ部βと呼ぶことにする。
【０６５２】
通信局＃１は、通信局＃２が送信したアンテナ関連シンボル群＄１（４９５１）を受信し、通信局＃２が送信したアンテナ関連シンボル群＄１（４９５１）に含まれる「選択されたアンテナ部の情報」に基づいて、変調信号を送信するために使用するアンテナ部（前にも説明したように、「アンテナ部α」と呼ぶ。）を決定する。
これにより、通信局＃１が送信に使用するアンテナ部一つ、および、通信局＃２が使用するアンテナ部一つが決定したことになる。
【０６５３】
通信局＃１は、以下のルールで、「アンテナ部αからアンテナ設定用のシンボル群５４１１＿１を送信、アンテナ設定用シンボル群＜１＞（５４１１＿２）を送信、アンテナ部αからアンテナ設定用のシンボル群５４１２＿１を送信、アンテナ設定用シンボル群＜２＞（５４１２＿２）を送信、アンテナ部αからアンテナ設定用のシンボル群５４１３＿１を送信、アンテナ設定用シンボル群＜３＞（５４１３＿２）を送信、アンテナ部αからアンテナ設定用のシンボル群５４１４＿１を送信、アンテナ設定用シンボル群＜４＞（５４１４＿２）を送信、アンテナ部αからアンテナ設定用のシンボル群５４１５＿１を送信、アンテナ設定用シンボル群＜５＞（５４１５＿２）を送信する。」なお、これらのシンボル群をアンテナ設定用シンボル群セット５７１０と呼ぶことにする。
【０６５４】
・通信局＃１は「決定したアンテナ部αからアンテナ設定用のシンボル群５４１１＿１を、アンテナ部ｇ１からアンテナ設定用シンボル群＜１＞（５４１１＿２）を送信」。その後、「決定したアンテナ部αからアンテナ設定用のシンボル群５４１２＿１を、アンテナ部ｇ２からアンテナ設定用シンボル群＜２＞（５４１２＿２）を送信」、「決定したアンテナ部αからアンテナ設定用のシンボル群５４１３＿１を、アンテナ部ｇ３からアンテナ設定用シンボル群＜３＞（５４１３＿２）を送信」、「決定したアンテナ部αからアンテナ設定用のシンボル群５４１４＿１を、アンテナ部ｇ４からアンテナ設定用シンボル群＜４＞（５４１４＿２）を送信」。、「決定したアンテナ部αからアンテナ設定用のシンボル群５４１５＿１を、アンテナ部ｇ５からアンテナ設定用シンボル群＜５＞（５４１５＿２）を送信」（なお、決定したアンテナ部αからアンテナ設定用のシンボル群５４１１＿１を、アンテナ部ｇ１からアンテナ設定用シンボル群＜１＞（５４１１＿２）を送信、続いて、アンテナ部ｇ２からアンテナ設定用シンボル群＜２＞（５４１２＿２）を送信、アンテナ部ｇ３からアンテナ設定用シンボル群＜３＞（５４１３＿２）を送信、アンテナ部ｇ４からアンテナ設定用シンボル群＜４＞（５４１４＿２）を送信、アンテナ部ｇ５からアンテナ設定用シンボル群＜５＞（５４１５＿２）を送信、としてもよい。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０６５５】
なお、シンボルを送信する順番は、これに限ったものではない。
また、通信局＃１は、アンテナ部αからアンテナ設定用のシンボル群５７１１＿１を送信、アンテナ設定用シンボル群＜１＞（５７１１＿２）を送信する。このとき、これらのシンボル群の構成は、例えば、図３６、図３７で示したとおりであり、詳細の動作については上述のとおりである。
【０６５６】
同様に、通信局＃１は、アンテナ部αからアンテナ設定用のシンボル群５７１２＿１を送信、アンテナ設定用シンボル群＜２＞（５７１２＿２）を送信する。このとき、これらのシンボル群の構成は、例えば、図３６、図３７で示したとおりであり、詳細の動作については上述のとおりである。
通信局＃１は、アンテナ部αからアンテナ設定用のシンボル群５７１３＿１を送信、アンテナ設定用シンボル群＜３＞（５７１３＿２）を送信する。このとき、これらのシンボル群の構成は、例えば、図３６、図３７で示したとおりであり、詳細の動作については上述のとおりである。
【０６５７】
通信局＃１は、アンテナ部αからアンテナ設定用のシンボル群５７１４＿１を送信、アンテナ設定用シンボル群＜４＞（５７１４＿２）を送信する。このとき、これらのシンボル群の構成は、例えば、図３６、図３７で示したとおりであり、詳細の動作については上述のとおりである。
通信局＃１は、アンテナ部αからアンテナ設定用のシンボル群５７１５＿１を送信、アンテナ設定用シンボル群＜５＞（５７１５＿２）を送信する。このとき、これらのシンボル群の構成は、例えば、図３６、図３７で示したとおりであり、詳細の動作については上述のとおりである。
【０６５８】
通信局＃２は、図３６、図３７で記載したリファレンス信号（リファレンスシンボル）から、通信状態（通信品質）を推定し、良好となる、「通信局＃１のアンテナ部γ」を推定する。そして、通信局＃２は、受信品質が良好となる「通信局＃１のアンテナ部γ」に関する情報を通信局＃１に対し、送信することになる。（図５７の「送信＄２（４９５２）」）
また、通信局＃２は、通信局＃１が送信したアンテナ設定用シンボル群セット５７１０を受信する。そして、通信局＃２は、受信に使用する（新たな）アンテナ部を決定する。なお、決定したアンテナ部を、アンテナ部δと呼ぶことにする。
【０６５９】
通信局＃１は、通信局＃２が送信した「送信＄２（４９５２）」を受信し、通信局＃１が使用する送信アンテナ部γの情報を得る。加えて、通信局＃１は、アンテナ設定が完了したと判断し、データシンボル群４９１０＿１およびデータシンボル群４９１０＿２を送信する。このとき、データシンボル群４９１０＿１とデータシンボル群４９１０＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群４９１０＿１およびデータシンボル群４９１０＿２では記載していないが、データシンボル群４９１０＿１およびデータシンボル群４９１０＿２にデータシンボル以外の制御情報を伝送するためのシンボル、プリアンブル、パイロットシンボル、リファレンスシンボルなどのシンボルが含まれていてもよい。
【０６６０】
次に、図５７における、上述とは異なる動作について説明する。
図５７に示すように、まず、通信局＃１は、第１Ａアンテナ部５１０３＿１からアンテナ設定用シンボル群４９０１を送信し、その後、第２Ａアンテナ部５１０３＿２からアンテナ設定用シンボル群４９０２、第３Ａアンテナ部５１０３＿３からアンテナ設定用シンボル群４９０３、第４Ａアンテナ部５１０３＿４からアンテナ設定用シンボル群５７０１、第５Ａアンテナ部５１０３＿５からアンテナ設定用シンボル群５７０２、第６Ａアンテナ部５１０３＿６からアンテナ設定用シンボル群５７０３を送信する。なお、これらのシンボル群を、アンテナ設定用シンボル群４９８０と呼ぶことにする。
【０６６１】
通信局＃１が具備する各（送信）アンテナ部は、前にも説明したように、図３９のようなアンテナ構成であるものとし、通信局＃２が具備する各（受信）アンテナ部は、図４０のようなアンテナ構成であるものとする。
そこで、通信局＃１は、前に説明した図４１、図４２のようなフレーム構成で、アンテナ設定用シンボル群４９０１、アンテナ設定用シンボル群４９０２、アンテナ設定用シンボル群４９０３、アンテナ設定用シンボル群５７０１、アンテナ設定用シンボル群５７０２、アンテナ設定用シンボル群５７０３を送信する。このとき、図４１、図４２のフレーム構成については、前にも説明したので、詳細の説明は省略する。図４１、図４２におけるアンテナＩＤシンボル４１０１、４２０１、４２０２、・・・の送信方法、リファレンス信号（リファレンスシンボル）４１０２−１、４１０２−２、４１０２−３、・・・の送信方法については、上述で説明したとおりで、各アンテナ設定用シンボル群で、アンテナＩＤシンボル、および、リファレンスシンボルはそれぞれ構成されることになる。
【０６６２】
通信局＃２は、通信局＃１が送信したアンテナ設定用シンボル群４９８０を受信する。そして、例えば、第１Ａアンテナ部５１０３＿１を用いて送信されたアンテナ設定用シンボル群４９０１において、乗算係数適用ごとの受信電界強度（例えば、乗算係数セット＃Ａを適用したときの受信電界強度を推定し、乗算係数セット＃Ｂを適用したときの受信電界強度を推定し、というように、乗算係数セットごとに受信電界強度を推定することになる）、第２Ａアンテナ部５１０３＿２を用いて送信されたアンテナ設定用シンボル群４９０２において、乗算係数適用ごとの受信電界強度、第３Ａアンテナ部５１０３＿３を用いて送信されたアンテナ設定用シンボル群４９０３において、乗算係数適用ごとの受信電界強度、第４Ｘアンテナ部５１０３＿４を用いて送信されたアンテナ設定用シンボル群５７０１において、乗算係数適用ごとの受信電界強度、第５Ｘアンテナ部５１０３＿５を用いて送信されたアンテナ設定用シンボル群５７０２において、乗算係数適用ごとの受信電界強度、第６Ｘアンテナ部５１０３＿６を用いて送信されたアンテナ設定用シンボル群５７０３において、乗算係数適用ごとの受信電界強度を比較し、受信電界強度の大きくなる通信局＃１のアンテナ部および乗算係数セットを推定し、通信局＃１が変調信号を送信する際に使用して欲しいアンテナ部および乗算係数セットを選択する。そして、通信局＃２は、この選択したアンテナ部の情報および乗算係数セットの情報を含むアンテナ関連シンボル群＄１（４９５１）を送信する。
【０６６３】
また、通信局＃２は、通信局＃１が送信したアンテナ設定用シンボル群４９８０を第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６を用いて受信する。このとき、通信局＃２は、図４０に示したアンテナ部を具備しているため、各アンテナ部の係数の変更を行いながら、アンテナ設定用シンボル群を受信する。そして、通信局＃２は、受信に使用するアンテナ部を決定するとともに、決定したアンテナ部で使用する係数の決定を行う。なお、決定したアンテナ部を、アンテナ部βと呼ぶことにする。
【０６６４】
通信局＃１は、通信局＃２が送信したアンテナ関連シンボル群＄１（４９５１）を受信し、通信局＃２が送信したアンテナ関連シンボル群＄１（４９５１）に含まれる「選択されたアンテナ部の情報および乗算係数セットの情報」に基づいて、変調信号を送信するために使用するアンテナ部（前にも説明したように、「アンテナ部α」と呼ぶ。）を決定し、加えて、乗算係数を設定する。
【０６６５】
これにより、通信局＃１が送信に使用するアンテナ部一つとその乗算係数、および、通信局＃２が使用するアンテナ部一つと乗算係数が決定したことになる。
通信局＃１は、以下のルールで、「アンテナ部αからアンテナ設定用のシンボル群５７１１＿１を送信、アンテナ設定用シンボル群＜１＞（５７１１＿２）を送信、アンテナ部αからアンテナ設定用のシンボル群５７１２＿１を送信、アンテナ設定用シンボル群＜２＞（５７１２＿２）を送信、アンテナ部αからアンテナ設定用のシンボル群５７１３＿１を送信、アンテナ設定用シンボル群＜３＞（５７１３＿２）を送信、アンテナ部αからアンテナ設定用のシンボル群５７１４＿１を送信、アンテナ設定用シンボル群＜４＞（５７１４＿２）を送信、アンテナ部αからアンテナ設定用のシンボル群５７１５＿１を送信、アンテナ設定用シンボル群＜５＞（５７１５＿２）を送信する。」なお、これらのシンボル群をアンテナ設定用シンボル群セット５７１０と呼ぶことにする。
【０６６６】
・通信局＃１は「決定したアンテナ部αからアンテナ設定用のシンボル群５７１１＿１を、アンテナ部ｇ１からアンテナ設定用シンボル群＜１＞（５７１１＿２）を送信」。その後、「決定したアンテナ部αからアンテナ設定用のシンボル群５７１２＿１を、アンテナ部ｇ２からアンテナ設定用シンボル群＜２＞（５７１２＿２）を送信」、「決定したアンテナ部αからアンテナ設定用のシンボル群５７１３＿１を、アンテナ部ｇ３からアンテナ設定用シンボル群＜３＞（５７１３＿２）を送信」、「決定したアンテナ部αからアンテナ設定用のシンボル群５７１４＿１を、アンテナ部ｇ４からアンテナ設定用シンボル群＜４＞（５７１４＿２）を送信」。、「決定したアンテナ部αからアンテナ設定用のシンボル群５７１５＿１を、アンテナ部ｇ５からアンテナ設定用シンボル群＜５＞（５７１５＿２）を送信」（なお、決定したアンテナ部αからアンテナ設定用のシンボル群５７１１＿１を、アンテナ部ｇ１からアンテナ設定用シンボル群＜１＞（５７１１＿２）を送信、続いて、アンテナ部ｇ２からアンテナ設定用シンボル群＜２＞（５７１２＿２）を送信、アンテナ部ｇ３からアンテナ設定用シンボル群＜３＞（５７１３＿２）を送信、アンテナ部ｇ４からアンテナ設定用シンボル群＜４＞（５７１４＿２）を送信、アンテナ部ｇ５からアンテナ設定用シンボル群＜５＞（５７１５＿２）を送信、としてもよい。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０６６７】
なお、シンボルを送信する順番は、これに限ったものではない。
また、通信局＃１は、アンテナ部αからアンテナ設定用のシンボル群５７１１＿１を送信、アンテナ設定用シンボル群＜１＞（５７１１＿２）を送信する。このとき、これらのシンボル群の構成は、例えば、図４３、図４４、図４５、図４６で示したとおりであり、詳細の動作については上述のとおりである。
【０６６８】
同様に、通信局＃１は、アンテナ部αからアンテナ設定用のシンボル群５７１２＿１を送信、アンテナ設定用シンボル群＜２＞（５７１２＿２）を送信する。このとき、これらのシンボル群の構成は、例えば、図４３、図４４、図４５、図４６で示したとおりであり、詳細の動作については上述のとおりである。
同様に、通信局＃１は、アンテナ部αからアンテナ設定用のシンボル群５７１３＿１を送信、アンテナ設定用シンボル群＜３＞（５７１３＿２）を送信する。このとき、これらのシンボル群の構成は、例えば、図４３、図４４、図４５、図４６で示したとおりであり、詳細の動作については上述のとおりである。
【０６６９】
通信局＃１は、アンテナ部αからアンテナ設定用のシンボル群５７１４＿１を送信、アンテナ設定用シンボル群＜４＞（５７１４＿２）を送信する。このとき、これらのシンボル群の構成は、例えば、図４３、図４４、図４５、図４６で示したとおりであり、詳細の動作については上述のとおりである。
通信局＃１は、アンテナ部αからアンテナ設定用のシンボル群５７１５＿１を送信、アンテナ設定用シンボル群＜５＞（５７１５＿２）を送信する。このとき、これらのシンボル群の構成は、例えば、図４３、図４４、図４５、図４６で示したとおりであり、詳細の動作については上述のとおりである。
【０６７０】
通信局＃２は、図４３、図４４、図４５、図４６で記載したリファレンス信号（リファレンスシンボル）から、通信状態（通信品質）を推定し、良好となる、「通信局＃１のアンテナ部γの乗算係数」を推定する。そして、通信局＃２は、受信品質が良好となる「通信局＃１のアンテナ部γの乗算係数」に関する情報を通信局＃１に対し、送信することになる。（図５７の「送信＄２（４９５２）」）
また、通信局＃２は、通信局＃１が送信したアンテナ設定用シンボル群セット５７１０を受信する。このとき、通信局＃２は、図４０に示したアンテナ部を具備しているため、各アンテナ部の係数の変更を行いながら、アンテナ設定用シンボル群セット５７１０を受信する。そして、通信局＃２は、受信に使用する（新たな）アンテナ部を決定するとともに、決定したアンテナ部で使用する係数の決定を行う。なお、決定したアンテナ部を、アンテナ部δと呼ぶことにする。
【０６７１】
通信局＃１は、通信局＃２が送信した「送信＄２（４９５２）」を受信し、通信局＃１が使用する送信アンテナ部γの情報を得る。加えて、通信局＃１は、アンテナ設定が完了したと判断し、データシンボル群４９１０＿１およびデータシンボル群４９１０＿２を送信する。このとき、データシンボル群４９１０＿１とデータシンボル群４９１０＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群４９１０＿１およびデータシンボル群４９１０＿２では記載していないが、データシンボル群４９１０＿１およびデータシンボル群４９１０＿２にデータシンボル以外の制御情報を伝送するためのシンボル、プリアンブル、パイロットシンボル、リファレンスシンボルなどのシンボルが含まれていてもよい。
【０６７２】
図５８は、通信局＃１および通信局＃２の時間軸における送信フレームの構成を示しており、図５８（ａ）は、通信局＃１の時間軸における送信フレーム、図５８（ｂ）は、通信局＃２の時間軸における送信フレームを示している。（なお、図５８（ａ）、図５８（ｂ）において、シンボルは、周波数軸にも存在していてもよい。）
図５８において、図４９、図５０、図５７で示したものと同様に動作するものについては、同一番号を付している。
【０６７３】
図５８に示すように、まず、通信局＃１は、第１Ａアンテナ部５１０３＿１からアンテナ設定用シンボル群４９０１を送信し、その後、第２Ａアンテナ部５１０３＿２からアンテナ設定用シンボル群４９０２、第３Ａアンテナ部５１０３＿３からアンテナ設定用シンボル群４９０３、第４Ａアンテナ部５１０３＿４からアンテナ設定用シンボル群５７０１、第５Ａアンテナ部５１０３＿５からアンテナ設定用シンボル群５７０２、第６Ａアンテナ部５１０３＿６からアンテナ設定用シンボル群５７０３を送信する。なお、これらのシンボル群を、アンテナ設定用シンボル群４９８０と呼ぶことにする。
【０６７４】
通信局＃２は、通信局＃１が送信したアンテナ設定用シンボル群４９８０を受信する。そして、例えば、第１Ａアンテナ部５１０３＿１を用いて送信されたアンテナ設定用シンボル群４９０１において、受信電界強度、第２Ａアンテナ部５１０３＿２を用いて送信されたアンテナ設定用シンボル群４９０２において、受信電界強度、第３Ａアンテナ部５１０３＿３を用いて送信されたアンテナ設定用シンボル群４９０３において、受信電界強度、第４Ａアンテナ部５１０３＿４を用いて送信されたアンテナ設定用シンボル群４９０４において、受信電界強度、第５Ａアンテナ部５１０３＿５を用いて送信されたアンテナ設定用シンボル群５７０１において、受信電界強度、第６Ａアンテナ部５１０３＿６を用いて送信されたアンテナ設定用シンボル群５７０３において、受信電界強度を比較し、受信電界強度の大きくなる通信局＃１のアンテナ部を推定し、通信局＃１が変調信号を送信する際に使用して欲しいアンテナ部を選択する。そして、通信局＃２は、この選択したアンテナ部の情報を含むアンテナ関連シンボル群＄１（４９５１）を送信する。
【０６７５】
また、通信局＃２は、通信局＃１が送信したアンテナ設定用シンボル群４９８０を第１Ｘアンテナ部５２０１＿１、第２Ｘアンテナ部５２０１＿２、第３Ｘアンテナ部５２０１＿３、第４Ｘアンテナ部５２０１＿４、第５Ｘアンテナ部５２０１＿５、第６Ｘアンテナ部５２０１＿６を用いて受信する。そして、通信局＃２は、受信に使用するアンテナ部を決定する。なお、決定したアンテナ部を、アンテナ部βと呼ぶことにする。
【０６７６】
通信局＃１は、通信局＃２が送信したアンテナ関連シンボル群＄１（４９５１）を受信し、通信局＃２が受信に使用するアンテナ部が一つ決定したことを知ることになる。これにより、通信局＃１が送信に使用するアンテナ部一つと通信局＃２が使用するアンテナ部一つが決定したことになる。
通信局＃１が具備する各（送信）アンテナ部は、前にも説明したように、図３９のようなアンテナ構成であるものとし、通信局＃２が具備する各（受信）アンテナ部は、図４０のようなアンテナ構成であるものとする。
【０６７７】
そこで、通信局＃１は、前に説明した図４１、図４２のようなフレーム構成で、乗算係数設定用シンボル群５００１をアンテナ部αから送信する。このとき、図４１、図４２のフレーム構成については、前にも説明したので、詳細の説明は省略する。図４１、図４２におけるアンテナＩＤシンボル４１０１、４２０１、４２０２、・・・は、アンテナ部αに関するＩＤの情報が、例えば、含まれているものとする。そして、図３９のアンテナ部で使用する乗算係数セットを切り替えて、リファレンス信号（リファレンスシンボル）４１０２−１、４１０２−２、４１０２−３、・・・を送信する。なお、詳細については、上述したとおりである。
【０６７８】
そして、通信局＃２は、これらのリファレンス信号（リファレンスシンボル）の通信状態（通信品質）（乗算係数設定用シンボル群５００１）から、受信品質が良好となる、「通信局＃１のアンテナ部αの乗算係数」を推定する。そして、通信局＃２は、受信品質が良好となる「通信局＃１のアンテナ部αの乗算係数」に関する情報を通信局＃１に対し、送信することになる。（図５０の「送信＆１（５００２）」）
加えて、通信局＃２は、乗算係数設定用シンボル群５００１を受信することで、図４０のようなアンテナ構成部における、使用する好適な乗算係数を推定することになる。そして、通信局＃２は、アンテナ部βで使用する乗算係数を設定することになる。
【０６７９】
通信局＃１は、以下のルールで、「アンテナ部αからアンテナ設定用のシンボル群５７１１＿１を送信、アンテナ設定用シンボル群＜１＞（５７１１＿２）を送信、アンテナ部αからアンテナ設定用のシンボル群５７１２＿１を送信、アンテナ設定用シンボル群＜２＞（５７１２＿２）を送信、アンテナ部αからアンテナ設定用のシンボル群５７１３＿１を送信、アンテナ設定用シンボル群＜３＞（５７１３＿２）を送信、アンテナ部αからアンテナ設定用のシンボル群５７１４＿１を送信、アンテナ設定用シンボル群＜４＞（５７１４＿２）を送信、アンテナ部αからアンテナ設定用のシンボル群５７１５＿１を送信、アンテナ設定用シンボル群＜５＞（５７１５＿２）を送信する。」なお、これらのシンボル群をアンテナ設定用シンボル群セット５７１０と呼ぶことにする。
・通信局＃１は「決定したアンテナ部αからアンテナ設定用のシンボル群５７１１＿１を、アンテナ部ｇ１からアンテナ設定用シンボル群＜１＞（５７１１＿２）を送信」。その後、「決定したアンテナ部αからアンテナ設定用のシンボル群５７１２＿１を、アンテナ部ｇ２からアンテナ設定用シンボル群＜２＞（５７１２＿２）を送信」、「決定したアンテナ部αからアンテナ設定用のシンボル群５７１３＿１を、アンテナ部ｇ３からアンテナ設定用シンボル群＜３＞（５７１３＿２）を送信」、「決定したアンテナ部αからアンテナ設定用のシンボル群５７１４＿１を、アンテナ部ｇ４からアンテナ設定用シンボル群＜４＞（５７１４＿２）を送信」。、「決定したアンテナ部αからアンテナ設定用のシンボル群５７１５＿１を、アンテナ部ｇ５からアンテナ設定用シンボル群＜５＞（５７１５＿２）を送信」（なお、決定したアンテナ部αからアンテナ設定用のシンボル群５７１１＿１を、アンテナ部ｇ１からアンテナ設定用シンボル群＜１＞（５７１１＿２）を送信、続いて、アンテナ部ｇ２からアンテナ設定用シンボル群＜２＞（５７１２＿２）を送信、アンテナ部ｇ３からアンテナ設定用シンボル群＜３＞（５７１３＿２）を送信、アンテナ部ｇ４からアンテナ設定用シンボル群＜４＞（５７１４＿２）を送信、アンテナ部ｇ５からアンテナ設定用シンボル群＜５＞（５７１５＿２）を送信、としてもよい。）
なお、アンテナ部α、アンテナ部ｇ１、アンテナ部ｇ２、アンテナ部ｇ３、アンテナ部ｇ４、アンテナ部ｇ５いずれも第１Ａアンテナ部５１０３＿１、第２Ａアンテナ部５１０３＿２、第３Ａアンテナ部５１０３＿３、第４Ａアンテナ部５１０３＿４、第５Ａアンテナ部５１０３＿５、第６Ａアンテナ部５１０３＿６のいずれかであり、アンテナ部ｇ１とアンテナ部αは異なるアンテナであり、かつ、アンテナ部ｇ２とアンテナ部αは異なるアンテナであり、かつ、アンテナ部ｇ３とアンテナ部αは異なるアンテナであり、かつ、アンテナ部ｇ４とアンテナ部αは異なるアンテナであり、かつ、アンテナ部ｇ５とアンテナ部αは異なるアンテナである。そして、ｉは１以上５以下の整数であり。ｊは１以上５以下の整数であり、ｉ≠ｊが成立し、これを満たす、すべてのｉ、すべてのｊにおいて、アンテナｇｉとアンテナｇｊは異なる、を満たすものとする。
【０６８０】
なお、シンボルを送信する順番は、これに限ったものではない。
また、通信局＃１は、アンテナ部αからアンテナ設定用のシンボル群５７１１＿１を送信、アンテナ設定用シンボル群＜１＞（５７１１＿２）を送信する。このとき、これらのシンボル群の構成は、例えば、図３６、図３７で示したとおりであり、詳細の動作については上述のとおりである。
【０６８１】
同様に、通信局＃１は、アンテナ部αからアンテナ設定用のシンボル群５７１２＿１を送信、アンテナ設定用シンボル群＜２＞（５７１２＿２）を送信する。このとき、これらのシンボル群の構成は、例えば、図３６、図３７で示したとおりであり、詳細の動作については上述のとおりである。
通信局＃１は、アンテナ部αからアンテナ設定用のシンボル群５７１３＿１を送信、アンテナ設定用シンボル群＜３＞（５７１３＿２）を送信する。このとき、これらのシンボル群の構成は、例えば、図３６、図３７で示したとおりであり、詳細の動作については上述のとおりである。
【０６８２】
通信局＃１は、アンテナ部αからアンテナ設定用のシンボル群５７１４＿１を送信、アンテナ設定用シンボル群＜４＞（５７１４＿２）を送信する。このとき、これらのシンボル群の構成は、例えば、図３６、図３７で示したとおりであり、詳細の動作については上述のとおりである。
通信局＃１は、アンテナ部αからアンテナ設定用のシンボル群５７１５＿１を送信、アンテナ設定用シンボル群＜５＞（５７１５＿２）を送信する。このとき、これらのシンボル群の構成は、例えば、図３６、図３７で示したとおりであり、詳細の動作については上述のとおりである。
【０６８３】
通信局＃２は、図３６、図３７で記載したリファレンス信号（リファレンスシンボル）から、通信状態（通信品質）を推定し、良好となる、「通信局＃１のアンテナ部γ」を推定する。そして、通信局＃２は、受信品質が良好となる「通信局＃１のアンテナ部γ」に関する情報を通信局＃１に対し、送信することになる。（図５７の「送信＄２（４９５２）」）
通信局＃１は、アンテナ部αからの乗算係数設定用シンボル群５００３＿１およびアンテナ部γからの乗算係数設定用シンボル群５００３＿２を送信する。このとき、これらのシンボル群の構成は、例えば、図４３、図４４、図４５、図４６で示したとおりであり、詳細の動作については上述のとおりである。
【０６８４】
通信局＃２は、図４３、図４４、図４５、図４６で記載したリファレンス信号（リファレンスシンボル）から、通信状態（通信品質）を推定し、良好となる、「通信局＃１のアンテナ部γの乗算係数」を推定する。そして、通信局＃２は、受信品質が良好となる「通信局＃１のアンテナ部γの乗算係数」に関する情報を通信局＃１に対し、送信することになる。（図５０の「送信＆２（５００４）」）
加えて、通信局＃２は、アンテナ部αからの乗算係数設定用シンボル群５００３＿１およびアンテナ部γからの乗算係数設定用シンボル群５００３＿２を受信することで、図４０のようなアンテナ部における、アンテナ部δで使用する乗算係数を推定することになる。そして、通信局＃２は、アンテナ部δで使用する乗算係数を設定することになる。
【０６８５】
通信局＃１は、通信局＃２が送信した「送信＆２（５００４）」を受信し、通信局＃１が使用する送信アンテナ部γの情報を得る。加えて、通信局＃１は、アンテナ設定が完了したと判断し、データシンボル群４９１０＿１およびデータシンボル群４９１０＿２を送信する。このとき、データシンボル群４９１０＿１とデータシンボル群４９１０＿２は、同一周波数（帯）、同一時間に送信されることになる、つまり、実施の形態１の説明を例とするＭＩＭＯ伝送方式を用いて送信されることになる。そして、通信局＃１が変調信号を送信するために使用するアンテナは、アンテナ部αおよびアンテナ部γとなる。なお、データシンボル群４９１０＿１およびデータシンボル群４９１０＿２では記載していないが、データシンボル群４９１０＿１およびデータシンボル群４９１０＿２にデータシンボル以外の制御情報を伝送するためのシンボル、プリアンブル、パイロットシンボル、リファレンスシンボルなどのシンボルが含まれていてもよい。
【０６８６】
以上のように、通信局＃１が、まず、送信に使用するアンテナ部を決定するために、各アンテナ部から、リファレンスシンボルを送信し、各リファレンスシンボルの通信状態を、通信局＃２から、得て、データシンボルを送信する一つのアンテナ部（アンテナ部α）を決定し、次に、通信局＃１は、アンテナ部αと各アンテナ部から、リファレンスシンボルを送信し、アンテナ部αから送信されたリファレンスシンボルの通信状態と各アンテナ部から送信されたリファレンスシンボルの通信状態を、通信局＃２から、得て、データシンボルを送信する、もう一つのアンテナ部（アンテナ部γ）を決定することで、通信局＃２は、高いデータの受信品質を得ることができるという効果を得ることができる。なお、その際、送受信アンテナで使用する乗算係数をあわせて決定してもよい。また、本発明のポイントの一つは、「単独送信のあとに複数送信を行い、アンテナ選択を行うこと」である。そして、本実施の形態で、いくつかのフレーム構成を説明したが、それらのフレーム構成において、周波数軸上にもシンボルが存在してもよい。
【０６８７】
なお、図５４、図５５のデータシンボル群３４１１＿１、３４１１＿２、および、図５７、図５８のデータシンボル群４９１０＿１、４９１０＿２において、通信局＃１は、送信に使用するアンテナ部αの（ＩＤ）情報、送信に使用するアンテナγの（ＩＤ）情報、アンテナ部αの係数に関する情報、アンテナ部γの係数に関する情報をあわせて送信してもよい。
【０６８８】
また、図４１、図４２、図４３、図４４、図４５、図４６のように、送信局＃１が送信アンテナ部の乗算係数を変更してリファレンス信号（リファレンスシンボル）を送信する場合、図４１から図４６に記載されているアンテナＩＤシンボルは、アンテナＩＤに関する情報に加えて、乗算係数に関する情報を含んでいてもよい。このとき、乗算係数に関する情報は、乗算した係数の情報そのものであってもよいし、乗算係数に関するＩＤの情報であってもよい。
【０６８９】
例えば、第１の乗算係数セットに対し、乗算係数に関するＩＤとして「＃１」を割り当て、第２の乗算係数セットに対し、乗算係数に関するＩＤとして「＃２」を割り当て、・・・というようにする。
そして、例えば、リファレンス信号（リファレンスシンボル）を生成する際、第１の乗算係数セットを用いた場合、「＃１」のＩＤに対応する情報をアンテナＩＤシンボルに含め、通信局＃１は、このアンテナＩＤシンボルを送信することになる。
【０６９０】
このとき、通信局＃２は、通信局＃１が送信に使用するアンテナおよび乗算係数を決定し（通信局＃２は、アンテナの識別と乗算係数の識別を、例えば、通信局＃１が送信したアンテナＩＤの情報と乗算係数の（ＩＤの）情報によって、行うことになる。）、通信局＃２は、通信局＃１に対し、「通信局＃１が送信に使用するアンテナの情報」を送信することになるが、あわせて「乗算係数のＩＤの情報」を送信することになる。
【０６９１】
（実施の形態４）
本実施の形態では、実施の形態１の誤り訂正符号の符号長（ブロック長）に加え、実施の形態１の誤り訂正符号の符号長より長い符号長（ブロック長）を持つ誤り訂正符号を用いることが可能な場合の実施方法について説明する。
【０６９２】
本実施の形態では、一例として、符号長（ブロック長）６７２ビットの誤り訂正符号と符号長（ブロック長）１３４４（＝６７２×２）ビットの誤り訂正符号を用いたときの実施方法について説明する
符号長（ブロック長）６７２ビットの誤り訂正符号を用いたときの実施方法については、図１から図２８を用いて実施の形態１で説明したとおりであり、詳細の説明は、実施の形態１で説明したため、説明を省略する。以下では、実施の形態１で説明していない部分の説明を行う。
【０６９３】
図１は、本実施の形態における送信装置の構成を示している。なお、図１における基本的な動作については、実施の形態１で説明したとおりである。図１における符号化器１５１は、データ１５０、および、フレーム構成信号１１３を入力とする。このとき、フレーム構成信号１１３には、使用する誤り訂正符号の情報が含まれているものとし、特に、使用する誤り訂正符号の符号長（ブロック長）（本実施の形態では、ブロック長６７２ビット、または、符号長１３４４ビット）の情報を含んでいるものとする。
【０６９４】
したがって、符号化器１５１は、フレーム構成１１３に基づき、使用する誤り訂正符号の符号長（ブロック長）を含む誤り訂正符号の選択を行い（例えば、誤り訂正符号の符号化率も設定する。）、データ１５０に対して、誤り訂正符号化を行い、符号化データ１５２を出力する。
また、図１の送信装置がＭＩＭＯ伝送方式を選択し、変調信号を送信する際の実施方法については、実施の形態１で説明したとおりであり、その説明については省略する。
【０６９５】
次に、実施の形態１同様、例えば、ＯＦＤＭのようなマルチキャリアの伝送方法を用いたときの図１の送信装置が送信する変調信号のフレーム構成の一例を図６に示す。
図６は、横軸周波数におけるシンボルの配置の例を示しており、上述で示した異なるアンテナから送信する２つの変調信号のシンボル配置を示している。例えば、図６では、データキャリア（データシンボル）とパイロットシンボル（リファレンスシンボル）「図６では「Ｐ」と記載している。」で構成されている場合を示している（なお、図６は、あくまでも例であり、他のシンボルが存在していてもよい。）。このとき、データキャリアは、ＭＩＭＯ伝送により、（通信）相手にデータを伝送するためのシンボルであり、パイロットシンボルは、（通信）相手が、伝播変動の推定（チャネル推定）を行うためのシンボルである。
【０６９６】
図６では、一例として、１ＯＦＤＭシンボル中に存在するデータキャリア（周波数軸に存在するデータキャリア）の数を３３６とし（したがって、データキャリア＄１〜データキャリア＄３３６が各時刻に存在する）、データキャリアとデータキャリアの間にパイロットシンボルが挿入されていてもよい。なお、図６では、時刻＆１と時刻＆２で、パイロットキャリアの挿入されている周波数的な位置が異なっているが、このような構成に限ったものではない。
【０６９７】
図６において、データキャリアは、周波数軸方向に、「データキャリア＄１」、「データキャリア＄２」、「データキャリア＄３」、「データキャリア＄４」、「データキャリア＄５」、「データキャリア＄６」、「データキャリア＄７」、「データキャリア＄８」、「データキャリア＄９」、「データキャリア＄１０」、「データキャリア＄１１」、「データキャリア＄１２」、「データキャリア＄１３」、・・・、「データキャリア＄３３０」、「データキャリア＄３３１」、「データキャリア＄３３２」、「データキャリア＄３３３」、「データキャリア＄３３４」、「データキャリア＄３３５」、「データキャリア＄３３６」の順に並んでいるものとする。つまり、周波数軸方向に対し、データキャリアは昇順に番号を付している。
【０６９８】
図５９に、ストリームｓ１（ｉ）の変調方式を同相Ｉ−直交Ｑ平面において１６個の信号点がある変調方式（シンボル当たり４ビット伝送の変調方式）の例である１６ＱＡＭ、ストリームｓ２（ｉ）の変調方式を同相Ｉ−直交Ｑ平面において１６個の信号点がある変調方式（シンボル当たり４ビット伝送の変調方式）の例である１６ＱＡＭとしたときのデータキャリアへの配置例を示している。ここでは、一例として、誤り訂正符号のブロック長（符号長）を１３４４ビットとする。そして、誤り訂正符号化された１３４４ビットで構成された第１のブロックに対しブロック＃１と名付け「＃１」と記載する。したがって、誤り訂正符号化された１３４４ビットで構成された第Ｎ（Ｎは１以上の整数とする。）のブロックに対しブロック＃Ｎと名付け「＃Ｎ」と記載する。
【０６９９】
１６ＱＡＭを適用したとき、ブロック＃Ｎから３３６のシンボルが生成される。図５９では、ブロック＃１から生成された３３６のシンボルを「＃１−１」、「＃１−２」、「＃１−３」、「＃１−４」、・・・、「＃１−３３４」、「＃１−３３５」、「＃１−３３６」と示している。したがって、ブロック＃Ｎから生成された３３６のシンボルを「＃Ｎ−１」、「＃Ｎ−２」、「＃Ｎ−３」、「＃Ｎ−４」、・・・、「＃Ｎ−３３４」、「＃Ｎ−３３５」、「＃Ｎ−３３６」とあらわすことになる。
【０７００】
また、図５９に、横軸周波数とし、データキャリアを並べたときを示している。ストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在している。
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０７０１】
そして、図５９に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃１−３」のシンボルを割り当て、ストリーム２（ｓ２（ｉ））のデータキャリア＄２に「＃１−４」のシンボルを割り当て、ストリーム１（ｓ１（ｉ））のデータキャリア＄３に「＃１−５」のシンボルを割り当て、ストリーム２（ｓ２（ｉ））のデータキャリア＄３に「＃１−６」のシンボルを割り当てるという規則にしたがい、シンボルの割り当てるとする。すると、ブロック＃１のデータは、ストリーム１（ｓ１（ｉ））のデータキャリア＄１から＄１６７、および、ストリーム２（ｓ２（ｉ））のデータキャリア＄１から＄１６７を用いて、送信装置が送信することになる。
【０７０２】
同様の規則にしたがい、ブロック＃２のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信することになる。
以上が、時刻＆１のシンボルの配置とする。同様に、シンボル配置を行うと、時刻＆２では、以下のような配置を行うことになる。
【０７０３】
・ブロック＃３のデータは、ストリーム１（ｓ１（ｉ））のデータキャリア＄１から＄１６７、および、ストリーム２（ｓ２（ｉ））のデータキャリア＄１から＄１６７を用いて、送信装置が送信する。
・ブロック＃４のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信する。
【０７０４】
したがって、時刻＆Ｍでは（Ｍは１以上の整数とする）、以下のような配置を行うことになる。
・ブロック＃（２Ｍ−１）のデータは、ストリーム１（ｓ１（ｉ））のデータキャリア＄１から＄１６７、および、ストリーム２（ｓ２（ｉ））のデータキャリア＄１から＄１６７を用いて、送信装置が送信する。
・ブロック＃（２Ｍ）のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信する。
【０７０５】
図５９のようなフレーム構成で送信装置が、変調信号を送信する場合を考える。図１の送信装置の（通信）相手である受信装置における受信電界強度のイメージ図を図８に示す。
図８において、横軸を周波数、縦軸を受信電界強度とする。このとき、マルチパスの影響により、受信電界強度の低い図８の８０１のようなところが存在することになる。そして、図７のようなフレーム構成で送信装置が変調信号を送信すると、マルチパスの影響（例えば、図８の８０１）により、誤り訂正符号の同一ブロックのシンボルに受信品質の悪いシンボルが多く存在するような現象を招く可能性が高い。これにより、高い誤り訂正能力を得ることができず、データの受信品質が低下する可能性が高い。
【０７０６】
別の例として、図９のようなフレーム構成を考える。図９に示すように、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃１−２」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃１−３３４」のシンボルを割り当て、
ストリーム２（ｓ２（ｉ））のデータキャリア＄３３４に「＃２−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃１−３３６」のシンボルを割り当て、
ストリーム２（ｓ２（ｉ））のデータキャリア＄３３６に「＃２−３３６」のシンボルを割り当てるとする。
【０７０７】
以上が、時刻＆１のシンボル配置となる。したがって、データキャリアの番号が奇数のシンボルは、ブロック＃１のデータを伝送しており、データキャリアの番号が偶数のシンボルは、ブロック＃２のデータを伝送する。
時刻＆２では、以下のような配置を行うことになる。
・ストリーム１（ｓ１（ｉ））は、ブロック＃３のデータを伝送し、ストリーム２（ｓ２（ｉ））は、ブロック＃４のデータを伝送する。
【０７０８】
よって、時刻＆Ｍでは（Ｍは１以上の整数とする）、以下のような配置を行うことになる。
・ストリーム１（ｓ１（ｉ））は、ブロック＃（２Ｍ−１）のデータを伝送し、ストリーム２（ｓ２（ｉ））は、ブロック＃（２Ｍ）のデータを伝送する。
【０７０９】
図９のようなフレーム構成の場合、図８で説明したような課題は発生する可能性は低い。
ところで、プリコーディング行列が式（４）のようにあらわされ、［１］「ｂがゼロ、かつ、ｃがゼロ」、または、［２］「ａがゼロ、かつ、ｄがゼロ」、または、［３］「ｂの絶対値およびｃの絶対値が、ａの絶対値およびｄの絶対値に比べ極端に小さい」、［４］「ａの絶対値およびｄの絶対値が、ｂの絶対値およびｃの絶対値に比べ極端に小さい」を考える。このようなケースの場合、（通信）相手のストリーム１（ｓ１（ｉ））の受信電界強度が低下したとき、または、（通信）相手のストリーム２（ｓ２（ｉ））の受信電界強度が低下したとき、例えば、時刻＆１において、ブロック＃１の受信品質、または、ブロック＃２の受信品質が低下するという現象が発生する可能性が高い
図８を用いて説明した課題、および、図９のようなフレーム構成により発生する課題を解決するために、例えば、図１０のようなフレーム構成を考える。図１０に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃２−１」のシンボルを割り当て、ストリーム２（ｓ２（ｉ））のデータキャリア＄２に「＃２−２」のシンボルを割り当て、ストリーム１（ｓ１（ｉ））のデータキャリア＄３に「＃１−３」のシンボルを割り当て、ストリーム２（ｓ２（ｉ））のデータキャリア＄３に「＃１−４」のシンボルを割り当て、ストリーム１（ｓ１（ｉ））のデータキャリア＄４に「＃２−３」のシンボルを割り当て、ストリーム２（ｓ２（ｉ））のデータキャリア＄４に「＃２−４」のシンボルを割り当て、
・・・
ストリーム１（ｓ１（ｉ））のデータキャリア＄３３３に「＃１−３３３」のシンボルを割り当て、ストリーム２（ｓ２（ｉ））のデータキャリア＄３３３に「＃１−３３４」のシンボルを割り当て、ストリーム１（ｓ１（ｉ））のデータキャリア＄３３４に「＃２−３３３」のシンボルを割り当て、ストリーム２（ｓ２（ｉ））のデータキャリア＄３３４に「＃２−３３４」のシンボルを割り当て、ストリーム１（ｓ１（ｉ））のデータキャリア＄３３５に「＃１−３３５」のシンボルを割り当て、ストリーム２（ｓ２（ｉ））のデータキャリア＄３３５に「＃１−３３６」のシンボルを割り当て、ストリーム１（ｓ１（ｉ））のデータキャリア＄３３６に「＃２−３３５」のシンボルを割り当て、ストリーム２（ｓ２（ｉ））のデータキャリア＄３３６に「＃２−３３６」のシンボルを割り当てるとする。
【０７１０】
以上が、時刻＆１のシンボル配置となる。したがって、データキャリアの番号が奇数のシンボルは、ブロック＃１のデータを伝送しており、データキャリアの番号が偶数のシンボルは、ブロック＃２のデータを伝送する。
時刻＆２では、以下のような配置を行うことになる。
・データキャリアの番号が奇数のシンボルは、ブロック＃３のデータを伝送しており、データキャリアの番号が偶数のシンボルは、ブロック＃４のデータを伝送する。
【０７１１】
よって、時刻＆Ｍでは（Ｍは１以上の整数とする）、以下のような配置を行うことになる。
・データキャリア番号が奇数のシンボルは、ブロック＃（２Ｍ−１）のデータを伝送しており、データキャリア番号が偶数のシンボルは、ブロック＃（２Ｍ）のデータを伝送する。
【０７１２】
図１０のようなフレーム構成で送信装置が、変調信号を送信する場合、図８を用いてマルチパスによる受信電界強度の低い部分図８の８０１の悪影響を、図５９のフレーム構成のときより、受けづらい。また、図９を用いて説明したようなデータの受信品質の低下を抑えることができる可能性が高い。したがって、データの受信品質が向上するという効果を得ることができる可能性が高い。
【０７１３】
図８を用いて説明した課題、および、図９のようなフレーム構成により発生する課題を解決するために、例えば、図１１のようなフレーム構成を考える。
図１１に示すように、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃２−２」のシンボルを割り当て、
ストリーム２（ｓ２（ｉ））のデータキャリア＄２に「＃１−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
ストリーム１（ｓ１（ｉ））のデータキャリア＄４に「＃２−４」のシンボルを割り当て、
ストリーム２（ｓ２（ｉ））のデータキャリア＄４に「＃１−４」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃２−３３４」のシンボルを割り当て、
ストリーム２（ｓ２（ｉ））のデータキャリア＄３３４に「＃１−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃２−３３６」のシンボルを割り当て、
ストリーム２（ｓ２（ｉ））のデータキャリア＄３３６に「＃１−３３６」のシンボルを割り当てるとする。
【０７１４】
以上が、時刻＆１のシンボル配置となる。したがって、データキャリアの番号が奇数のシンボル、かつ、ストリーム１（ｓ１（ｉ））は、ブロック＃１のデータを伝送しており、
データキャリアの番号が奇数のシンボル、かつ、ストリーム２（ｓ２（ｉ））は、ブロック＃２のデータを伝送しており、
データキャリアの番号が偶数のシンボル、かつ、ストリーム１（ｓ１（ｉ））は、ブロック＃２のデータを伝送しており、
データキャリアの番号が偶数のシンボル、かつ、ストリーム２（ｓ２（ｉ））は、ブロック＃１のデータを伝送する。
【０７１５】
時刻＆２では、以下のような配置を行うことになる。
・データキャリアの番号が奇数のシンボル、かつ、ストリーム１（ｓ１（ｉ））は、ブロック＃３のデータを伝送しており、
データキャリアの番号が奇数のシンボル、かつ、ストリーム２（ｓ２（ｉ））は、ブロック＃４のデータを伝送しており、
データキャリアの番号が偶数のシンボル、かつ、ストリーム１（ｓ１（ｉ））は、ブロック＃４のデータを伝送しており、
データキャリアの番号が偶数のシンボル、かつ、ストリーム２（ｓ２（ｉ））は、ブロック＃３のデータを伝送する。
【０７１６】
よって、時刻＆Ｍでは（Ｍは１以上の整数とする）、以下のような配置を行うことになる。
・データキャリアの番号が奇数のシンボル、かつ、ストリーム１（ｓ１（ｉ））は、ブロック＃（２Ｍ−１）のデータを伝送しており、
データキャリアの番号が奇数のシンボル、かつ、ストリーム２（ｓ２（ｉ））は、ブロック＃（２Ｍ）のデータを伝送しており、
データキャリアの番号が偶数のシンボル、かつ、ストリーム１（ｓ１（ｉ））は、ブロック＃（２Ｍ）のデータを伝送しており、
データキャリアの番号が偶数のシンボル、かつ、ストリーム２（ｓ２（ｉ））は、ブロック＃（２Ｍ−１）のデータを伝送する。
【０７１７】
図１１のようなフレーム構成で送信装置が、変調信号を送信する場合、図８を用いてマルチパスによる受信電界強度の低い部分図８の８０１の悪影響を、図５９のフレーム構成のときより、受けづらい。また、図９を用いて説明したようなデータの受信品質の低下を抑えることができる可能性が高い。したがって、データの受信品質が向上するという効果を得ることができる可能性が高い。
【０７１８】
次に、ストリームｓ１（ｉ）の変調方式を同相Ｉ−直交Ｑ平面において６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとしたときのデータキャリアの構成について説明する。
ここでは、一例として、誤り訂正符号のブロック長（符号長）を１３４４ビットとする。そして、誤り訂正符号化された１３４４ビットで構成された第１のブロックに対しブロック＃１と名付け「＃１」と記載する。したがって、誤り訂正符号化された１３４４ビットで構成された第Ｎ（Ｎは１以上の整数とする。）のブロックに対しブロック＃Ｎと名付け「＃Ｎ」と記載する。
【０７１９】
６４ＱＡＭ変調を適用したとき、ブロック＃Ｎから２２４のシンボルが生成される。図６０では、ブロック＃１から生成された２２４のシンボルを「＃１−１」、「＃１−２」、「＃１−３」、「＃１−４」、・・・、「＃１−２２２」、「＃１−２２３」、「＃１−２２４」と示している。したがって、ブロック＃Ｎから生成された１６８のシンボルを「＃Ｎ−１」、「＃Ｎ−２」、「＃Ｎ−３」、「＃Ｎ−４」、・・・、「＃Ｎ−２２２」、「＃Ｎ−２２３」、「＃Ｎ−２２４」とあらわすことになる。
【０７２０】
また、図５９と同様に、横軸周波数とし、データキャリアを並べたときストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在しているものとする。
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０７２１】
図８を用いて説明した課題、および、図９のようなフレーム構成により発生する課題を解決するために、例えば、図６１のようなフレーム構成を考える。
図６１に示すように、
ストリーム１（ｓ１（ｉ））のデータキャリア＄１に「＃１−１」のシンボルを割り当て、
ストリーム２（ｓ２（ｉ））のデータキャリア＄１に「＃１−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃３−２」のシンボルを割り当て、
ストリーム１（ｓ１（ｉ））のデータキャリア＄４に「＃１−３」のシンボルを割り当て、
ストリーム２（ｓ２（ｉ））のデータキャリア＄４に「＃１−４」のシンボルを割り当て、
ストリーム１（ｓ１（ｉ））のデータキャリア＄５に「＃２−３」のシンボルを割り当て、
ストリーム２（ｓ２（ｉ））のデータキャリア＄５に「＃２−４」のシンボルを割り当て、
ストリーム１（ｓ１（ｉ））のデータキャリア＄６に「＃３−３」のシンボルを割り当て、
ストリーム２（ｓ２（ｉ））のデータキャリア＄６に「＃３−４」のシンボルを割り当て、
・・・
ストリーム１（ｓ１（ｉ））のデータキャリア＄３３４に「＃１−２２３」のシンボルを割り当て、
ストリーム２（ｓ２（ｉ））のデータキャリア＄３３４に「＃１−２２４」のシンボルを割り当て、
ストリーム１（ｓ１（ｉ））のデータキャリア＄３３５に「＃２−２２３」のシンボルを割り当て、
ストリーム２（ｓ２（ｉ））のデータキャリア＄３３５に「＃２−２２４」のシンボルを割り当て、
ストリーム１（ｓ１（ｉ））のデータキャリア＄３３６に「＃３−２２３」のシンボルを割り当て、
ストリーム２（ｓ２（ｉ））のデータキャリア＄３３６に「＃３−２２４」のシンボルを割り当てるとする。
【０７２２】
以上が、時刻＆１のシンボル配置となる。したがって、データキャリアの番号を３で除算したときの余りが１のときのシンボルは、ブロック＃１のデータを伝送しており、
データキャリアの番号を３で除算したときの余りが２のときのシンボルは、ブロック＃２のデータを伝送しており、
データキャリアの番号を３で除算したときの余りが０のときのシンボルは、ブロック＃３のデータを伝送する。
【０７２３】
時刻＆２では、以下のような配置を行うことになる。
・データキャリアの番号を３で除算したときの余りが１のときのシンボルは、ブロック＃４のデータを伝送しており、
データキャリアの番号を３で除算したときの余りが２のときのシンボルは、ブロック＃５のデータを伝送しており、
データキャリアの番号を３で除算したときの余りが０のときのシンボルは、ブロック＃６のデータを伝送する。
【０７２４】
よって、時刻＆Ｍでは（Ｍは１以上の整数とする）、以下のような配置を行うことになる。
・データキャリアの番号を３で除算したときの余りが１のときのシンボルは、ブロック＃（３Ｍ−２）のデータを伝送しており、
データキャリアの番号を３で除算したときの余りが２のときのシンボルは、ブロック＃（３Ｍ−１）のデータを伝送しており、
データキャリアの番号を３で除算したときの余りが０のときのシンボルは、ブロック＃（３Ｍ）のデータを伝送する。
【０７２５】
図６１のようなフレーム構成で送信装置が、変調信号を送信する場合、図８を用いてマルチパスによる受信電界強度の低い部分図８の８０１の悪影響を、受けづらい。また、図９を用いて説明したようなデータの受信品質の低下を抑えることができる可能性が高い。したがって、データの受信品質が向上するという効果を得ることができる可能性が高い。
【０７２６】
図８を用いて説明した課題、および、図９のようなフレーム構成により発生する課題を解決するために、例えば、図６２のようなフレーム構成を考える。
図６２に示すように、
ストリーム１（ｓ１（ｉ））のデータキャリア＄１に「＃１−１」のシンボルを割り当て、
ストリーム２（ｓ２（ｉ））のデータキャリア＄１に「＃２−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃３−２」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃１−２」のシンボルを割り当て、
ストリーム１（ｓ１（ｉ））のデータキャリア＄４に「＃１−３」のシンボルを割り当て、
ストリーム２（ｓ２（ｉ））のデータキャリア＄４に「＃２−４」のシンボルを割り当て、
ストリーム１（ｓ１（ｉ））のデータキャリア＄５に「＃２−３」のシンボルを割り当て、
ストリーム２（ｓ２（ｉ））のデータキャリア＄５に「＃３−４」のシンボルを割り当て、
ストリーム１（ｓ１（ｉ））のデータキャリア＄６に「＃３−３」のシンボルを割り当て、
ストリーム２（ｓ２（ｉ））のデータキャリア＄６に「＃１−４」のシンボルを割り当て、
・・・
ストリーム１（ｓ１（ｉ））のデータキャリア＄３３４に「＃１−２２３」のシンボルを割り当て、
ストリーム２（ｓ２（ｉ））のデータキャリア＄３３４に「＃２−２２４」のシンボルを割り当て、
ストリーム１（ｓ１（ｉ））のデータキャリア＄３３５に「＃２−２２３」のシンボルを割り当て、
ストリーム２（ｓ２（ｉ））のデータキャリア＄３３５に「＃３−２２４」のシンボルを割り当て、
ストリーム１（ｓ１（ｉ））のデータキャリア＄３３６に「＃３−２２３」のシンボルを割り当て、
ストリーム２（ｓ２（ｉ））のデータキャリア＄３３６に「＃１−２２４」のシンボルを割り当てるとする。
【０７２７】
以上が、時刻＆１のシンボル配置となる。したがって、データキャリアの番号を３で除算したときの余りが１、かつ、ストリーム１（ｓ１（ｉ））のシンボルは、ブロック＃１のデータを伝送しており、
データキャリアの番号を３で除算したときの余りが２、かつ、ストリーム１（ｓ１（ｉ））のシンボルは、ブロック＃２のデータを伝送しており、
データキャリアの番号を３で除算したときの余りが０、かつ、ストリーム１（ｓ１（ｉ））のシンボルは、ブロック＃３のデータを伝送する。
【０７２８】
そして、
データキャリアの番号を３で除算したときの余りが１、かつ、ストリーム２（ｓ１（ｉ））のシンボルは、ブロック＃２のデータを伝送しており、
データキャリアの番号を３で除算したときの余りが２、かつ、ストリーム２（ｓ１（ｉ））のシンボルは、ブロック＃３のデータを伝送しており、
データキャリアの番号を３で除算したときの余りが０、かつ、ストリーム２（ｓ１（ｉ））のシンボルは、ブロック＃１のデータを伝送する。
【０７２９】
時刻＆２では、以下のような配置を行うことになる。
データキャリアの番号を３で除算したときの余りが１、かつ、ストリーム１（ｓ１（ｉ））のシンボルは、ブロック＃４のデータを伝送しており、
データキャリアの番号を３で除算したときの余りが２、かつ、ストリーム１（ｓ１（ｉ））のシンボルは、ブロック＃５のデータを伝送しており、
データキャリアの番号を３で除算したときの余りが０、かつ、ストリーム１（ｓ１（ｉ））のシンボルは、ブロック＃６のデータを伝送する。
【０７３０】
そして、
データキャリアの番号を３で除算したときの余りが１、かつ、ストリーム２（ｓ１（ｉ））のシンボルは、ブロック＃５のデータを伝送しており、
データキャリアの番号を３で除算したときの余りが２、かつ、ストリーム２（ｓ１（ｉ））のシンボルは、ブロック＃６のデータを伝送しており、
データキャリアの番号を３で除算したときの余りが０、かつ、ストリーム２（ｓ１（ｉ））のシンボルは、ブロック＃４のデータを伝送する。
【０７３１】
よって、時刻＆Ｍでは（Ｍは１以上の整数とする）、以下のような配置を行うことになる。
データキャリアの番号を３で除算したときの余りが１、かつ、ストリーム１（ｓ１（ｉ））のシンボルは、ブロック＃（３Ｍ−２）のデータを伝送しており、
データキャリアの番号を３で除算したときの余りが２、かつ、ストリーム１（ｓ１（ｉ））のシンボルは、ブロック＃（３Ｍ−１）のデータを伝送しており、
データキャリアの番号を３で除算したときの余りが０、かつ、ストリーム１（ｓ１（ｉ））のシンボルは、ブロック＃（３Ｍ）のデータを伝送する。
【０７３２】
そして、
データキャリアの番号を３で除算したときの余りが１、かつ、ストリーム２（ｓ１（ｉ））のシンボルは、ブロック＃（３Ｍ−１）のデータを伝送しており、
データキャリアの番号を３で除算したときの余りが２、かつ、ストリーム２（ｓ１（ｉ））のシンボルは、ブロック＃（３Ｍ）のデータを伝送しており、
データキャリアの番号を３で除算したときの余りが０、かつ、ストリーム２（ｓ１（ｉ））のシンボルは、ブロック＃（３Ｍ−２）のデータを伝送する。
【０７３３】
図８を用いて説明した課題、および、図９のようなフレーム構成により発生する課題を解決するために、例えば、図６３のようなフレーム構成を考える。
図６３に示すように、
ストリーム１（ｓ１（ｉ））のデータキャリア＄１に「＃１−１」のシンボルを割り当て、
ストリーム２（ｓ２（ｉ））のデータキャリア＄１に「＃３−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃１−２」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃２−２」のシンボルを割り当て、
ストリーム１（ｓ１（ｉ））のデータキャリア＄４に「＃１−３」のシンボルを割り当て、
ストリーム２（ｓ２（ｉ））のデータキャリア＄４に「＃３−４」のシンボルを割り当て、
ストリーム１（ｓ１（ｉ））のデータキャリア＄５に「＃２−３」のシンボルを割り当て、
ストリーム２（ｓ２（ｉ））のデータキャリア＄５に「＃１−４」のシンボルを割り当て、
ストリーム１（ｓ１（ｉ））のデータキャリア＄６に「＃３−３」のシンボルを割り当て、
ストリーム２（ｓ２（ｉ））のデータキャリア＄６に「＃２−４」のシンボルを割り当て、
・・・
ストリーム１（ｓ１（ｉ））のデータキャリア＄３３４に「＃１−２２３」のシンボルを割り当て、
ストリーム２（ｓ２（ｉ））のデータキャリア＄３３４に「＃３−２２４」のシンボルを割り当て、
ストリーム１（ｓ１（ｉ））のデータキャリア＄３３５に「＃２−２２３」のシンボルを割り当て、
ストリーム２（ｓ２（ｉ））のデータキャリア＄３３５に「＃１−２２４」のシンボルを割り当て、
ストリーム１（ｓ１（ｉ））のデータキャリア＄３３６に「＃３−２２３」のシンボルを割り当て、
ストリーム２（ｓ２（ｉ））のデータキャリア＄３３６に「＃２−２２４」のシンボルを割り当てるとする。
【０７３４】
以上が、時刻＆１のシンボル配置となる。したがって、データキャリアの番号を３で除算したときの余りが１、かつ、ストリーム１（ｓ１（ｉ））のシンボルは、ブロック＃１のデータを伝送しており、
データキャリアの番号を３で除算したときの余りが２、かつ、ストリーム１（ｓ１（ｉ））のシンボルは、ブロック＃２のデータを伝送しており、
データキャリアの番号を３で除算したときの余りが０、かつ、ストリーム１（ｓ１（ｉ））のシンボルは、ブロック＃３のデータを伝送する。
【０７３５】
そして、
データキャリアの番号を３で除算したときの余りが１、かつ、ストリーム２（ｓ１（ｉ））のシンボルは、ブロック＃３のデータを伝送しており、
データキャリアの番号を３で除算したときの余りが２、かつ、ストリーム２（ｓ１（ｉ））のシンボルは、ブロック＃１のデータを伝送しており、
データキャリアの番号を３で除算したときの余りが０、かつ、ストリーム２（ｓ１（ｉ））のシンボルは、ブロック＃２のデータを伝送する。
【０７３６】
時刻＆２では、以下のような配置を行うことになる。
データキャリアの番号を３で除算したときの余りが１、かつ、ストリーム１（ｓ１（ｉ））のシンボルは、ブロック＃４のデータを伝送しており、
データキャリアの番号を３で除算したときの余りが２、かつ、ストリーム１（ｓ１（ｉ））のシンボルは、ブロック＃５のデータを伝送しており、
データキャリアの番号を３で除算したときの余りが０、かつ、ストリーム１（ｓ１（ｉ））のシンボルは、ブロック＃６のデータを伝送する。
【０７３７】
そして、
データキャリアの番号を３で除算したときの余りが１、かつ、ストリーム２（ｓ１（ｉ））のシンボルは、ブロック＃６のデータを伝送しており、
データキャリアの番号を３で除算したときの余りが２、かつ、ストリーム２（ｓ１（ｉ））のシンボルは、ブロック＃４のデータを伝送しており、
データキャリアの番号を３で除算したときの余りが０、かつ、ストリーム２（ｓ１（ｉ））のシンボルは、ブロック＃５のデータを伝送する。
【０７３８】
よって、時刻＆Ｍでは（Ｍは１以上の整数とする）、以下のような配置を行うことになる。
データキャリアの番号を３で除算したときの余りが１、かつ、ストリーム１（ｓ１（ｉ））のシンボルは、ブロック＃（３Ｍ−２）のデータを伝送しており、
データキャリアの番号を３で除算したときの余りが２、かつ、ストリーム１（ｓ１（ｉ））のシンボルは、ブロック＃（３Ｍ−１）のデータを伝送しており、
データキャリアの番号を３で除算したときの余りが０、かつ、ストリーム１（ｓ１（ｉ））のシンボルは、ブロック＃（３Ｍ）のデータを伝送する。
【０７３９】
そして、
データキャリアの番号を３で除算したときの余りが１、かつ、ストリーム２（ｓ１（ｉ））のシンボルは、ブロック＃（３Ｍ）のデータを伝送しており、
データキャリアの番号を３で除算したときの余りが２、かつ、ストリーム２（ｓ１（ｉ））のシンボルは、ブロック＃（３Ｍ−２）のデータを伝送しており、
データキャリアの番号を３で除算したときの余りが０、かつ、ストリーム２（ｓ１（ｉ））のシンボルは、ブロック＃（３Ｍ−１）のデータを伝送する。
【０７４０】
以上のように、誤り訂正符号の符号長（ブロック長）が１３４４ビットの際、ストリームｓ１（ｉ）の変調方式およびストリームｓ２（ｉ）の変調方式が、１６ＱＡＭ（または、同相Ｉ−直交Ｑ平面において信号点が１６個存在する変調方式）、６４ＱＡＭ（または、同相Ｉ−直交Ｑ平面において信号点が６４個存在する変調方式）のときのフレームの構成方法について説明した。図１の送信装置が、ストリームｓ１（ｉ）の変調方式およびストリームｓ２（ｉ）の変調方式を、１６ＱＡＭ（または、同相Ｉ−直交Ｑ平面において信号点が１６個存在する変調方式）、６４ＱＡＭ（または、同相Ｉ−直交Ｑ平面において信号点が６４個存在する変調方式）に切り替えたとき、それぞれの変調方式の際、上述で説明したフレーム構成を満たすと、いずれの変調方式が選択されたときも、（通信）相手の受信装置は良好なデータの受信品質を得ることができるという効果を得ることができる。（なお、図１の送信装置において、位相変更を実施してもよいし、実施しなくてもよい。）
なお、上述で述べたようなフレーム構成を実施する部分が、図１の無線部１１０Ａおよび１１０Ｂとすることができる（実施の形態１でも同様である。）。無線部１１０Ａおよび１１０Ｂの構成の例を図６４に示す。
【０７４１】
図６４において、変調信号６４０１は、図１の１０９Ａまたは１０９Ｂに相当する。フレーム構成信号６４００が図１のフレーム構成１１３に相当し、制御情報信号６４１０が図１の制御情報信号１１７Ｚに相当し、送信信号６４０９が図１の送信信号１１１Ａまたは１１１Ｂに相当する。
シリアルパラレル変換部６４０２は、変調信号６４０１、フレーム構成信号６４００を入力とし、フレーム構成信号６４００に基づいて、変調信号６４０１に対し、シリアルパラレル変換を施し、シリアルパラレル変換後の信号６４０３を出力する。
【０７４２】
並び替え部６４０４は、シリアルパラレル変換後の信号６４０３、制御情報信号６４１０、フレーム構成信号６４００を入力とし、フレーム構成信号６４００に基づき、シリアルパラレル変換後の信号６４０３、制御情報信号６４１０に対し、並べ替えを行い、並び替え後の信号６４０５を出力する。このとき、特に、フレーム構成信号６４００に含まれる、誤り訂正符号の符号長（ブロック長）の情報、変調方式の情報、伝送方式の情報に基づいて、並び替え部６４０４は、シリアルパラレル変換後の信号６４０３（データシンボル）の並び替え方法を、上述で説明した方法に基づいて、切り替えることになる。
【０７４３】
特徴的な点は、「ＭＩＭＯ伝送方式を適用しており、ｓ１（ｉ）の変調方式を１６ＱＡＭ（１６個の信号点がある変調方式）、ｓ２（ｉ）の変調方式を１６ＱＡＭ（１６個の信号点がある変調方式）と指定しているとき、誤り訂正符号の符号長（ブロック長）が６７２ビットを指定したときと１３４４ビットを指定したときでは、並び替えの方法が異なる」、そして、「ＭＩＭＯ伝送方式を適用しており、ｓ１（ｉ）の変調方式を６４ＱＡＭ（６４個の信号点がある変調方式）、ｓ２（ｉ）の変調方式を６４ＱＡＭ（６４個の信号点がある変調方式）と指定しているとき、誤り訂正符号の符号長（ブロック長）が６７２ビットを指定したときと１３４４ビットを指定したときでは、並び替えの方法が異なる」、という点である。
【０７４４】
逆（高速）フーリエ変換部６４０６（Ｉ（Ｆ）ＦＴ：Inverse （Fast） Fourier Transform）は、並び替え後の信号６４０５、フレーム構成信号６４００を入力とし、並び替え後の信号６４０５に対し、逆（高速）フーリエ変換を施し、逆（高速）フーリエ変換後の信号６４０７を出力する。
ＲＦ部６４０８は、逆（高速）フーリエ変換後の信号６４０７、フレーム構成信号を入力とし、直交変調、周波数変換、帯域制限、信号の増幅等の処理を施し、送信信号６４０９を出力する。
【０７４５】
前で述べたようなフレーム構成を実現する、別の方法として、図１のインタリーバ１５３により実現する方法がある。
例えば、ＭＩＭＯ伝送方式を適用しており、誤り訂正符号の符号長（ブロック長）が６７２ビットと設定したとき、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき「ｓ１（ｉ）の変調方式を１６ＱＡＭ（１６個の信号点がある変調方式）、ｓ２（ｉ）の変調方式を１６ＱＡＭ（１６個の信号点がある変調方式）」と設定したときと「ｓ１（ｉ）の変調方式を６４ＱＡＭ（６４個の信号点がある変調方式）、ｓ２（ｉ）の変調方式を６４ＱＡＭ（６４個の信号点がある変調方式）」と設定したときとでは、必要となるインタリーバのメモリ量が異なる。
【０７４６】
ＭＩＭＯ伝送方式を適用しており、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき、必要となるメモリ量は、２符号化ブロック分の１３４４ビットとなる。一方、「ｓ１（ｉ）の変調方式を１６ＱＡＭ（１６個の信号点がある変調方式）、ｓ２（ｉ）の変調方式を１６ＱＡＭ（１６個の信号点がある変調方式）」と指定したとき、必要となるメモリ量は、４符号化ブロック分の２６８８ビットとなる。そして、「ｓ１（ｉ）の変調方式を６４ＱＡＭ（６４個の信号点がある変調方式）、ｓ２（ｉ）の変調方式を６４ＱＡＭ（６４個の信号点がある変調方式）」と指定したとき、必要となるメモリ量は、６符号化ブロック分の４０３２ビットとなる。
【０７４７】
また、ＭＩＭＯ伝送方式を適用しており、誤り訂正符号の符号長（ブロック長）が１３４４ビットと設定したとき、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき「ｓ１（ｉ）の変調方式を１６ＱＡＭ（１６個の信号点がある変調方式）、ｓ２（ｉ）の変調方式を１６ＱＡＭ（１６個の信号点がある変調方式）」と設定したときと「ｓ１（ｉ）の変調方式を６４ＱＡＭ（６４個の信号点がある変調方式）、ｓ２（ｉ）の変調方式を６４ＱＡＭ（６４個の信号点がある変調方式）」と設定したときとでは、必要となるインタリーバのメモリ量が異なる。
【０７４８】
ＭＩＭＯ伝送方式を適用しており、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき、必要となるメモリ量は、１符号化ブロック分の１３４４ビットとなる。一方、「ｓ１（ｉ）の変調方式を１６ＱＡＭ（１６個の信号点がある変調方式）、ｓ２（ｉ）の変調方式を１６ＱＡＭ（１６個の信号点がある変調方式）」と指定したとき、必要となるメモリ量は、２符号化ブロック分の２６８８ビットとなる。そして、「ｓ１（ｉ）の変調方式を６４ＱＡＭ（６４個の信号点がある変調方式）、ｓ２（ｉ）の変調方式を６４ＱＡＭ（６４個の信号点がある変調方式）」と指定したとき、必要となるメモリ量は、３符号化ブロック分の４０３２ビットとなる。
【０７４９】
この点が特徴的な点となる。なお、このとき、並び替え部６４０４が必ず必要とは限らない。
次に、図１の送信装置において、複数の変調信号を複数のアンテナから送信する際、位相変更を行う場合の位相変更方法について説明する。
【０７５０】
プリコーディングおよび位相変更を行う送信方法については、上述で説明したとおりであり、式（３）、式（３７）、式（３８）、式（３９）などで示したとおりである。以下では、式（３）、式（３７）、式（３８）、式（３９）で示した位相変更の具体的な適用例について説明する。つまり、式（３）、式（３７）、式（３８）、式（３９）のｙ（ｉ）の変更方法について説明する。
【０７５１】
図１０に、ストリームｓ１（ｉ）の変調方式を同相Ｉ−直交Ｑ平面において１６個の信号点がある変調方式（シンボル当たり４ビット伝送の変調方式）の例である１６ＱＡＭ、ストリームｓ２（ｉ）の変調方式を同相Ｉ−直交Ｑ平面において１６個の信号点がある変調方式（シンボル当たり４ビット伝送の変調方式）の例である１６ＱＡＭとしたときのデータキャリアへの配置例を示している。ここでは、一例として、誤り訂正符号のブロック長（符号長）を１３４４ビットとする。そして、誤り訂正符号化された１３４４ビットで構成された第１のブロックに対しブロック＃１と名付け「＃１」と記載している。したがって、誤り訂正符号化された１３４４ビットで構成された第Ｎ（Ｎは１以上の整数とする。）のブロックに対しブロック＃Ｎと名付け「＃Ｎ」と記載している。
【０７５２】
図１８に、図１０のようにデータキャリアにデータの配置を行ったときの位相変更値ｙ（ｉ）の割り当ての例を示している。図１８に示すように、データキャリア＄１ではｙ（０）を用いて位相変更を行った場合、データキャリア＄２でもｙ（０）を用いて位相変更を行う。
同様に、データキャリア＄３で、ｙ（１）を用いて位相変更を行った場合、データキャリア＄４でもｙ（１）を用いて位相変更を行う。
・・・
データキャリア＄３３３で、ｙ（１６６）を用いて位相変更を行った場合、データキャリア＄３３４でもｙ（１６６）を用いて位相変更を行う。
【０７５３】
そして、データキャリア＄３３５で、ｙ（１６７）を用いて位相変更を行った場合、データキャリア＄３３６でもｙ（１６７）を用いて位相変更を行う。
つまり、データキャリア＄（２×ｋ＋１）とデータキャリア＄（２ｋ＋２）では、同一の位相変更値（図１８の場合、ｙ（ｋ））を用いて位相変更を行う（ｋは０以上の整数とする）。
【０７５４】
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
図１１に、図１０とは異なる、ストリームｓ１（ｉ）の変調方式を同相Ｉ−直交Ｑ平面において１６個の信号点がある変調方式（シンボル当たり４ビット伝送の変調方式）の例である１６ＱＡＭ、ストリームｓ２（ｉ）の変調方式を同相Ｉ−直交Ｑ平面において１６個の信号点がある変調方式（シンボル当たり４ビット伝送の変調方式）の例である１６ＱＡＭとしたときのデータキャリアへの配置例を示している。ここでは、一例として、誤り訂正符号のブロック長（符号長）を１３４４ビットとする。そして、誤り訂正符号化された１３４４ビットで構成された第１のブロックに対しブロック＃１と名付け「＃１」と記載している。したがって、誤り訂正符号化された１３４４ビットで構成された第Ｎ（Ｎは１以上の整数とする。）のブロックに対しブロック＃Ｎと名付け「＃Ｎ」と記載している。
【０７５５】
図１９に、図１１のようにデータキャリアにデータの配置を行ったときの位相変更値ｙ（ｉ）の割り当ての例を示している。図１９に示すように、データキャリア＄１ではｙ（０）を用いて位相変更を行った場合、データキャリア＄２でもｙ（０）を用いて位相変更を行う。
同様に、データキャリア＄３で、ｙ（１）を用いて位相変更を行った場合、データキャリア＄４でもｙ（１）を用いて位相変更を行う。
・・・
データキャリア＄３３３で、ｙ（１６６）を用いて位相変更を行った場合、データキャリア＄３３４でもｙ（１６６）を用いて位相変更を行う。
【０７５６】
そして、データキャリア＄３３５で、ｙ（１６７）を用いて位相変更を行った場合、データキャリア＄３３６でもｙ（１６７）を用いて位相変更を行う。
つまり、データキャリア＄（２×ｋ＋１）とデータキャリア＄（２ｋ＋２）では、同一の位相変更値（図１８の場合、ｙ（ｋ））を用いて位相変更を行う（ｋは０以上の整数とする）。
【０７５７】
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
図２０に、図１９とは異なる、「図１１のようにデータキャリアにデータの配置を行ったとき」の位相変更値ｙ（ｉ）の割り当ての例を示している。図２０に示すように、データキャリア＄１ではｙ（０）を用いて位相変更を行い、データキャリア＄２ではｙ（１）を用いて位相変更を行い、データキャリア＄３ではｙ（２）を用いて位相変更を行い、データキャリア＄４ではｙ（３）を用いて位相変更を行い、・・・、データキャリア＄３３３ではｙ（３３２）を用いて位相変更を行い、データキャリア＄３３４ではｙ（３３３）を用いて位相変更を行い、データキャリア＄３３５ではｙ（３３４）を用いて位相変更を行い、データキャリア＄３３６ではｙ（３３５）を用いて位相変更を行う。
つまり、データキャリア＄（ｋ＋１）では位相変更値ｙ（ｋ）を用いて位相変更を行う、つまり、データキャリア単位で位相変更を行うことになる（ｋは０以上の整数とする）。
【０７５８】
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
図６２に、ストリームｓ１（ｉ）の変調方式を同相Ｉ−直交Ｑ平面において６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとしたときのデータキャリアへの配置例を示している。
【０７５９】
ここでは、一例として、誤り訂正符号のブロック長（符号長）を１３４４ビットとする。そして、誤り訂正符号化された１３４４ビットで構成された第１のブロックに対しブロック＃１と名付け「＃１」と記載している。したがって、誤り訂正符号化された１３４４ビットで構成された第Ｎ（Ｎは１以上の整数とする。）のブロックに対しブロック＃Ｎと名付け「＃Ｎ」と記載している。
【０７６０】
図６５に、図６２のようにデータキャリアにデータの配置を行ったときの位相変更値ｙ（ｉ）の割り当ての例を示している。図６５に示すように、
データキャリア＄１ではｙ（０）を用いて位相変更を行った場合、データキャリア＄２でｙ（０）を用いて位相変更を行い、データキャリア＄３でｙ（０）を用いて位相変更を行う。
【０７６１】
同様に、データキャリア＄４で、ｙ（１）を用いて位相変更を行った場合、データキャリア＄５でｙ（１）を用いて位相変更を行い、データキャリア＄６でｙ（１）を用いて位相変更を行う。
・・・
データキャリア＄３３４で、ｙ（１１２）を用いて位相変更を行い、データキャリア＄３３５で、ｙ（１１２）を用いて位相変更を行い、データキャリア＄３３６で、ｙ（１１２）を用いて位相変更を行う。
【０７６２】
つまり、データキャリア＄（３×ｋ＋１）、データキャリア＄（３×ｋ＋２）、データキャリア＄（３×ｋ＋３）では同一の位相変更値（図６５の場合、ｙ（ｋ））を用いて位相変更を行う（ｋは０以上の整数とする）。
このようにすることで、ブロック＃１に対して、位相は偏りなく変更されており、また、ブロック＃２、ブロック＃３、ブロック＃４についても、位相は偏りなく変更されており、したがって、ブロック＃１、ブロック＃２、ブロック＃３およびブロック＃４ともに、位相変更による効果を十分に得ることができるため、（通信）相手の受信装置のデータ品質が向上するという効果を得ることができる。
【０７６３】
図６６に、図６５とは異なる、「図６２のようにデータキャリアにデータの配置を行ったとき」の位相変更値ｙ（ｉ）の割り当ての例を示している。図６６に示すように、図６６に示すように、データキャリア＄１ではｙ（０）を用いて位相変更を行い、データキャリア＄２ではｙ（１）を用いて位相変更を行い、データキャリア＄３ではｙ（２）を用いて位相変更を行い、データキャリア＄４ではｙ（３）を用いて位相変更を行い、・・・、データキャリア＄３３３ではｙ（３３２）を用いて位相変更を行い、データキャリア＄３３４ではｙ（３３３）を用いて位相変更を行い、データキャリア＄３３５ではｙ（３３４）を用いて位相変更を行い、データキャリア＄３３６ではｙ（３３５）を用いて位相変更を行う。
【０７６４】
つまり、データキャリア＄（ｋ＋１）では位相変更値ｙ（ｋ）を用いて位相変更を行う、つまり、データキャリア単位で位相変更を行うことになる（ｋは０以上の整数とする）。
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
【０７６５】
図６３に、ストリームｓ１（ｉ）の変調方式を同相Ｉ−直交Ｑ平面において６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとしたときのデータキャリアへの配置例を示している。
【０７６６】
ここでは、一例として、誤り訂正符号のブロック長（符号長）を１３４４ビットとする。そして、誤り訂正符号化された１３４４ビットで構成された第１のブロックに対しブロック＃１と名付け「＃１」と記載している。したがって、誤り訂正符号化された１３４４ビットで構成された第Ｎ（Ｎは１以上の整数とする。）のブロックに対しブロック＃Ｎと名付け「＃Ｎ」と記載している。
【０７６７】
図６７に、図６３のようにデータキャリアにデータの配置を行ったときの位相変更値ｙ（ｉ）の割り当ての例を示している。図６７に示すように、
データキャリア＄１ではｙ（０）を用いて位相変更を行った場合、データキャリア＄２でｙ（０）を用いて位相変更を行い、データキャリア＄３でｙ（０）を用いて位相変更を行う。
【０７６８】
同様に、データキャリア＄４で、ｙ（１）を用いて位相変更を行った場合、データキャリア＄５でｙ（１）を用いて位相変更を行い、データキャリア＄６でｙ（１）を用いて位相変更を行う。
・・・
データキャリア＄３３４で、ｙ（１１２）を用いて位相変更を行い、データキャリア＄３３５で、ｙ（１１２）を用いて位相変更を行い、データキャリア＄３３６で、ｙ（１１２）を用いて位相変更を行う。
【０７６９】
つまり、データキャリア＄（３×ｋ＋１）、データキャリア＄（３×ｋ＋２）、データキャリア＄（３×ｋ＋３）では同一の位相変更値（図６５の場合、ｙ（ｋ））を用いて位相変更を行う（ｋは０以上の整数とする）。
このようにすることで、ブロック＃１に対して、位相は偏りなく変更されており、また、ブロック＃２、ブロック＃３、ブロック＃４についても、位相は偏りなく変更されており、したがって、ブロック＃１、ブロック＃２、ブロック＃３およびブロック＃４ともに、位相変更による効果を十分に得ることができるため、（通信）相手の受信装置のデータ品質が向上するという効果を得ることができる。
【０７７０】
図６８に、図６７とは異なる、「図６３のようにデータキャリアにデータの配置を行ったとき」の位相変更値ｙ（ｉ）の割り当ての例を示している。図６８に示すように、図６８に示すように、データキャリア＄１ではｙ（０）を用いて位相変更を行い、データキャリア＄２ではｙ（１）を用いて位相変更を行い、データキャリア＄３ではｙ（２）を用いて位相変更を行い、データキャリア＄４ではｙ（３）を用いて位相変更を行い、・・・、データキャリア＄３３３ではｙ（３３２）を用いて位相変更を行い、データキャリア＄３３４ではｙ（３３３）を用いて位相変更を行い、データキャリア＄３３５ではｙ（３３４）を用いて位相変更を行い、データキャリア＄３３６ではｙ（３３５）を用いて位相変更を行う。
【０７７１】
つまり、データキャリア＄（ｋ＋１）では位相変更値ｙ（ｋ）を用いて位相変更を行う、つまり、データキャリア単位で位相変更を行うことになる（ｋは０以上の整数とする）。
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
【０７７２】
なお、位相変更値ｙ（ｉ）の与え方については、実施の形態１で説明したとおりである。
上述と別の例として、シングルストリームを送信する場合について説明する。
【０７７３】
図１の送信装置を用いて、シングルストリームを送信する場合、例えば、マッピング部１０６Ａで生成した変調信号をアンテナ１１２Ａで送信する（マッピング部１０６Ｂは動作させず、アンテナ１１２Ｂからは変調信号を送信しない。）場合について説明する。（なお、シングルストリームを送信する場合、例えば、マッピング部１０６Ａで生成した変調信号を、複数のアンテナを用いて送信してもよい。）
図６９に、一つストリームにおける変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として誤り訂正符号のブロック長（符号長）を６７２ビットとする。そして、誤り訂正符号化された６７２ビットで構成された第１のブロックに対しブロック＃１と名付け「＃１」と記載する。したがって、誤り訂正符号化された６７２ビットで構成された第Ｎ（Ｎは１以上の整数とする。）のブロックに対しブロック＃Ｎと名付け「＃Ｎ」と記載する。
【０７７４】
６４ＱＡＭを適用したとき、ブロック＃Ｎから１１２シンボルが生成される。したがって、ブロック＃１から生成された１１２シンボルを「＃１−１」、「＃１−２」、「＃１−３」、「＃１−４」、・・・、「＃１−１１０」、「＃１−１１１」、「＃１−１１２」と示す。よって、ブロック＃Ｎから生成された１１２シンボルを「＃Ｎ−１」、「＃Ｎ−２」、「＃Ｎ−３」、「＃Ｎ−４」、・・・、「＃Ｎ−１１０」、「＃Ｎ−１１１」、「＃Ｎ−１１２」とあらわす。
【０７７５】
図６９は、横軸周波数とし、データキャリアを並べたときを示している。このとき、データキャリアは上述と同様に、データキャリア＄１からデータキャリア＄３３６が存在している。
そして、図６９に示すように、
データキャリア＄１に「＃１−１」のシンボルを割り当て、
データキャリア＄２に「＃２−１」のシンボルを割り当て、
データキャリア＄３に「＃３−１」のシンボルを割り当て、
データキャリア＄４に「＃１−２」のシンボルを割り当て、
データキャリア＄５に「＃２−２」のシンボルを割り当て、
データキャリア＄６に「＃３−２」のシンボルを割り当て、
・・・
データキャリア＄３３４に「＃１−１１２」のシンボルを割り当て、
データキャリア＄３３５に「＃２−１１２」のシンボルを割り当て、
データキャリア＄３３６に「＃３−１１２」のシンボルを割り当てるものとする。
【０７７６】
以上が、時刻＆１のシンボル配置となる。したがって、データキャリアの番号を３で除算したときのあまりが１のときのシンボルは、ブロック＃１のデータを伝送しており、
データキャリアの番号を３で除算したときの余りが２のときのシンボルは、ブロック＃２のデータを伝送しており、
データキャリアの番号を３で除算したときの余りが０のときのシンボルは、ブロック＃３のデータを伝送する。
【０７７７】
時刻＆２では、以下のような配置を行うことになる。
データキャリアの番号を３で除算したときの余りが１のときのシンボルは、ブロック＃４のデータを伝送しており、
データキャリアの番号を３で除算したときの余りが２のときのシンボルは、ブロック＃５のデータを伝送しており、
データキャリアの番号を３で除算したときの余りが０のときのシンボルは、ブロック＃６のデータを伝送する。
【０７７８】
よって、時刻＆Ｍでは（Ｍは１以上の整数とする）、以下のような配置を行うことになる。
データキャリアの番号を３で除算したときの余りが１のときのシンボルは、ブロック＃（３Ｍ−２）のデータを伝送しており、
データキャリアの番号を３で除算したときの余りが２のときのシンボルは、ブロック＃（３Ｍ−１）のデータを伝送しており、
データキャリアの番号を３で除算したときの余りが０のときのシンボルは、ブロック＃（３Ｍ）のデータを伝送する。
【０７７９】
図６９のようなフレーム構成で送信装置が、変調信号を送信する場合、図８を用いてマルチパスによる受信電界強度の低い部分図８の８０１の悪影響を、受けづらい。したがって、データの受信品質が向上するという効果を得ることができる可能性が高い。
図７０に、一つストリームにおける変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として誤り訂正符号のブロック長（符号長）を１３４４ビットとする。そして、誤り訂正符号化された１３４４ビットで構成された第１のブロックに対しブロック＃１と名付け「＃１」と記載する。したがって、誤り訂正符号化された１３４４ビットで構成された第Ｎ（Ｎは１以上の整数とする。）のブロックに対しブロック＃Ｎと名付け「＃Ｎ」と記載する。
【０７８０】
６４ＱＡＭを適用したとき、ブロック＃Ｎから２２４シンボルが生成される。したがって、ブロック＃１から生成された２２４シンボルを「＃１−１」、「＃１−２」、「＃１−３」、「＃１−４」、・・・、「＃１−２２２」、「＃１−２２３」、「＃１−２２４」と示す。よって、ブロック＃Ｎから生成された２２４シンボルを「＃Ｎ−１」、「＃Ｎ−２」、「＃Ｎ−３」、「＃Ｎ−４」、・・・、「＃Ｎ−２２２」、「＃Ｎ−２２３」、「＃Ｎ−２２４」とあらわす。
【０７８１】
図７０は、横軸周波数、縦軸時間とし、データキャリアを並べたときを示している。このとき、データキャリアは上述と同様に、データキャリア＄１からデータキャリア＄３３６が存在している。
そして、図７０に示すように、
時刻＆１、データキャリア＄１に「＃１−１」のシンボルを割り当て、
時刻＆１、データキャリア＄２に「＃２−１」のシンボルを割り当て、
時刻＆１、データキャリア＄３に「＃３−１」のシンボルを割り当て、
時刻＆１、データキャリア＄４に「＃１−２」のシンボルを割り当て、
時刻＆１、データキャリア＄５に「＃２−２」のシンボルを割り当て、
時刻＆１、データキャリア＄６に「＃３−２」のシンボルを割り当て、
・・・
時刻＆１、データキャリア＄３３４に「＃１−１１２」のシンボルを割り当て、
時刻＆１、データキャリア＄３３５に「＃２−１１２」のシンボルを割り当て、
時刻＆１、データキャリア＄３３６に「＃３−１１２」のシンボルを割り当てるものとする。
【０７８２】
そして、
時刻＆２、データキャリア＄１に「＃１−１１３」のシンボルを割り当て、
時刻＆２、データキャリア＄２に「＃２−１１３」のシンボルを割り当て、
時刻＆２、データキャリア＄３に「＃３−１１３」のシンボルを割り当て、
時刻＆２、データキャリア＄４に「＃１−１１４」のシンボルを割り当て、
時刻＆２、データキャリア＄５に「＃２−１１４」のシンボルを割り当て、
時刻＆２、データキャリア＄６に「＃３−１１４」のシンボルを割り当て、
・・・
時刻＆２、データキャリア＄３３４に「＃１−１１４」のシンボルを割り当て、
時刻＆２、データキャリア＄３３５に「＃２−１１４」のシンボルを割り当て、
時刻＆２、データキャリア＄３３６に「＃３−１１４」のシンボルを割り当てるものとする。
【０７８３】
したがって、時刻＆１、時刻＆２において、データキャリアの番号を３で除算したときの余りが１のときのシンボルは、ブロック＃１のデータを伝送しており、
データキャリアの番号を３で除算したときの余りが２のときのシンボルは、ブロック＃２のデータを伝送しており、
データキャリアの番号を３で除算したときの余りが０のときのシンボルは、ブロック＃３のデータを伝送する。
【０７８４】
時刻＆３、時刻＆４では、以下のような配置を行うことになる。
データキャリアの番号を３で除算したときの余りが１のときのシンボルは、ブロック＃４のデータを伝送しており、
データキャリアの番号を３で除算したときの余りが２のときのシンボルは、ブロック＃５のデータを伝送しており、
データキャリアの番号を３で除算したときの余りが０のときのシンボルは、ブロック＃６のデータを伝送する。
【０７８５】
よって、時刻＆（２Ｍ−１）、時刻＆２Ｍでは（Ｍは１以上の整数とする）、以下のような配置を行うことになる。
データキャリアの番号を３で除算したときの余りが１のときのシンボルは、ブロック＃（３Ｍ−２）のデータを伝送しており、
データキャリアの番号を３で除算したときの余りが２のときのシンボルは、ブロック＃（３Ｍ−１）のデータを伝送しており、
データキャリアの番号を３で除算したときの余りが０のときのシンボルは、ブロック＃（３Ｍ）のデータを伝送する。
【０７８６】
図７０のようなフレーム構成で送信装置が、変調信号を送信する場合、図８を用いてマルチパスによる受信電界強度の低い部分図８の８０１の悪影響を、受けづらい。したがって、データの受信品質が向上するという効果を得ることができる可能性が高い。
図７１に、図７０とは異なる一つストリームにおける変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として誤り訂正符号のブロック長（符号長）を１３４４ビットとする。そして、誤り訂正符号化された１３４４ビットで構成された第１のブロックに対しブロック＃１と名付け「＃１」と記載する。したがって、誤り訂正符号化された１３４４ビットで構成された第Ｎ（Ｎは１以上の整数とする。）のブロックに対しブロック＃Ｎと名付け「＃Ｎ」と記載する。
【０７８７】
６４ＱＡＭを適用したとき、ブロック＃Ｎから２２４シンボルが生成される。したがって、ブロック＃１から生成された２２４シンボルを「＃１−１」、「＃１−２」、「＃１−３」、「＃１−４」、・・・、「＃１−２２２」、「＃１−２２３」、「＃１−２２４」と示す。よって、ブロック＃Ｎから生成された２２４シンボルを「＃Ｎ−１」、「＃Ｎ−２」、「＃Ｎ−３」、「＃Ｎ−４」、・・・、「＃Ｎ−２２２」、「＃Ｎ−２２３」、「＃Ｎ−２２４」とあらわす。
【０７８８】
図７１は、横軸周波数、縦軸時間とし、データキャリアを並べたときを示している。このとき、データキャリアは上述と同様に、データキャリア＄１からデータキャリア＄３３６が存在している。
そして、図７１に示すように、
時刻＆１、データキャリア＄１に「＃１−１」のシンボルを割り当て、
時刻＆１、データキャリア＄２に「＃２−１」のシンボルを割り当て、
時刻＆１、データキャリア＄３に「＃３−１」のシンボルを割り当て、
時刻＆１、データキャリア＄４に「＃１−２」のシンボルを割り当て、
時刻＆１、データキャリア＄５に「＃２−２」のシンボルを割り当て、
時刻＆１、データキャリア＄６に「＃３−２」のシンボルを割り当て、
・・・
時刻＆１、データキャリア＄３３４に「＃１−１１２」のシンボルを割り当て、
時刻＆１、データキャリア＄３３５に「＃２−１１２」のシンボルを割り当て、
時刻＆１、データキャリア＄３３６に「＃３−１１２」のシンボルを割り当てるものとする。
【０７８９】
そして、
時刻＆２、データキャリア＄１に「＃２−１１３」のシンボルを割り当て、
時刻＆２、データキャリア＄２に「＃３−１１３」のシンボルを割り当て、
時刻＆２、データキャリア＄３に「＃１−１１３」のシンボルを割り当て、
時刻＆２、データキャリア＄４に「＃２−１１４」のシンボルを割り当て、
時刻＆２、データキャリア＄５に「＃３−１１４」のシンボルを割り当て、
時刻＆２、データキャリア＄６に「＃１−１１４」のシンボルを割り当て、
・・・
時刻＆２、データキャリア＄３３４に「＃２−１１４」のシンボルを割り当て、
時刻＆２、データキャリア＄３３５に「＃３−１１４」のシンボルを割り当て、
時刻＆２、データキャリア＄３３６に「＃１−１１４」のシンボルを割り当てるものとする。
【０７９０】
したがって、時刻＆１において、データキャリアの番号を３で除算したときの余りが１のときのシンボルは、ブロック＃１のデータを伝送しており、
データキャリアの番号を３で除算したときの余りが２のときのシンボルは、ブロック＃２のデータを伝送しており、
データキャリアの番号を３で除算したときの余りが０のときのシンボルは、ブロック＃３のデータを伝送する。
【０７９１】
そして、時刻＆２において、データキャリアの番号を３で除算したときの余りが１のときのシンボルは、ブロック＃２のデータを伝送しており、
データキャリアの番号を３で除算したときの余りが２のときのシンボルは、ブロック＃３のデータを伝送しており、
データキャリアの番号を３で除算したときの余りが０のときのシンボルは、ブロック＃１のデータを伝送する。
【０７９２】
時刻＆３では、以下のような配置を行うことになる。
データキャリアの番号を３で除算したときの余りが１のときのシンボルは、ブロック＃４のデータを伝送しており、
データキャリアの番号を３で除算したときの余りが２のときのシンボルは、ブロック＃５のデータを伝送しており、
データキャリアの番号を３で除算したときの余りが０のときのシンボルは、ブロック＃６のデータを伝送する。
【０７９３】
そして、時刻＆４では、以下のような配置を行うことになる。
データキャリアの番号を３で除算したときの余りが１のときのシンボルは、ブロック＃５のデータを伝送しており、
データキャリアの番号を３で除算したときの余りが２のときのシンボルは、ブロック＃６のデータを伝送しており、
データキャリアの番号を３で除算したときの余りが０のときのシンボルは、ブロック＃４のデータを伝送する。
【０７９４】
よって、時刻＆（２Ｍ−１）では（Ｍは１以上の整数とする）、以下のような配置を行うことになる。
データキャリアの番号を３で除算したときの余りが１のときのシンボルは、ブロック＃（３Ｍ−２）のデータを伝送しており、
データキャリアの番号を３で除算したときの余りが２のときのシンボルは、ブロック＃（３Ｍ−１）のデータを伝送しており、
データキャリアの番号を３で除算したときの余りが０のときのシンボルは、ブロック＃（３Ｍ）のデータを伝送する。
【０７９５】
そして、時刻＆（２Ｍ）では（Ｍは１以上の整数とする）、以下のような配置を行うことになる。
データキャリアの番号を３で除算したときの余りが１のときのシンボルは、ブロック＃（３Ｍ−１）のデータを伝送しており、
データキャリアの番号を３で除算したときの余りが２のときのシンボルは、ブロック＃（３Ｍ）のデータを伝送しており、
データキャリアの番号を３で除算したときの余りが０のときのシンボルは、ブロック＃（３Ｍ−２）のデータを伝送する。
【０７９６】
図７１のようなフレーム構成で送信装置が、変調信号を送信する場合、図８を用いてマルチパスによる受信電界強度の低い部分図８の８０１の悪影響を、受けづらい。したがって、データの受信品質が向上するという効果を得ることができる可能性が高い。
図７２に、図７０、図７１とは異なる一つストリームにおける変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として誤り訂正符号のブロック長（符号長）を１３４４ビットとする。そして、誤り訂正符号化された１３４４ビットで構成された第１のブロックに対しブロック＃１と名付け「＃１」と記載する。したがって、誤り訂正符号化された１３４４ビットで構成された第Ｎ（Ｎは１以上の整数とする。）のブロックに対しブロック＃Ｎと名付け「＃Ｎ」と記載する。
【０７９７】
６４ＱＡＭを適用したとき、ブロック＃Ｎから２２４シンボルが生成される。したがって、ブロック＃１から生成された２２４シンボルを「＃１−１」、「＃１−２」、「＃１−３」、「＃１−４」、・・・、「＃１−２２２」、「＃１−２２３」、「＃１−２２４」と示す。よって、ブロック＃Ｎから生成された２２４シンボルを「＃Ｎ−１」、「＃Ｎ−２」、「＃Ｎ−３」、「＃Ｎ−４」、・・・、「＃Ｎ−２２２」、「＃Ｎ−２２３」、「＃Ｎ−２２４」とあらわす。
【０７９８】
図７２は、横軸周波数、縦軸時間とし、データキャリアを並べたときを示している。このとき、データキャリアは上述と同様に、データキャリア＄１からデータキャリア＄３３６が存在している。
そして、図７２に示すように、
時刻＆１、データキャリア＄１に「＃１−１」のシンボルを割り当て、
時刻＆１、データキャリア＄２に「＃２−１」のシンボルを割り当て、
時刻＆１、データキャリア＄３に「＃３−１」のシンボルを割り当て、
時刻＆１、データキャリア＄４に「＃１−２」のシンボルを割り当て、
時刻＆１、データキャリア＄５に「＃２−２」のシンボルを割り当て、
時刻＆１、データキャリア＄６に「＃３−２」のシンボルを割り当て、
・・・
時刻＆１、データキャリア＄３３４に「＃１−１１２」のシンボルを割り当て、
時刻＆１、データキャリア＄３３５に「＃２−１１２」のシンボルを割り当て、
時刻＆１、データキャリア＄３３６に「＃３−１１２」のシンボルを割り当てるものとする。
【０７９９】
そして、
時刻＆２、データキャリア＄１に「＃３−１１３」のシンボルを割り当て、
時刻＆２、データキャリア＄２に「＃１−１１３」のシンボルを割り当て、
時刻＆２、データキャリア＄３に「＃２−１１３」のシンボルを割り当て、
時刻＆２、データキャリア＄４に「＃３−１１４」のシンボルを割り当て、
時刻＆２、データキャリア＄５に「＃１−１１４」のシンボルを割り当て、
時刻＆２、データキャリア＄６に「＃２−１１４」のシンボルを割り当て、
・・・
時刻＆２、データキャリア＄３３４に「＃３−１１４」のシンボルを割り当て、
時刻＆２、データキャリア＄３３５に「＃１−１１４」のシンボルを割り当て、
時刻＆２、データキャリア＄３３６に「＃２−１１４」のシンボルを割り当てるものとする。
【０８００】
したがって、時刻＆１において、データキャリアの番号を３で除算したときの余りが１のときのシンボルは、ブロック＃１のデータを伝送しており、
データキャリアの番号を３で除算したときの余りが２のときのシンボルは、ブロック＃２のデータを伝送しており、
データキャリアの番号を３で除算したときの余りが０のときのシンボルは、ブロック＃３のデータを伝送する。
【０８０１】
そして、時刻＆２において、データキャリアの番号を３で除算したときの余りが１のときのシンボルは、ブロック＃３のデータを伝送しており、
データキャリアの番号を３で除算したときの余りが２のときのシンボルは、ブロック＃１のデータを伝送しており、
データキャリアの番号を３で除算したときの余りが０のときのシンボルは、ブロック＃２のデータを伝送する。
【０８０２】
時刻＆３では、以下のような配置を行うことになる。
データキャリアの番号を３で除算したときの余りが１のときのシンボルは、ブロック＃４のデータを伝送しており、
データキャリアの番号を３で除算したときの余りが２のときのシンボルは、ブロック＃５のデータを伝送しており、
データキャリアの番号を３で除算したときの余りが０のときのシンボルは、ブロック＃６のデータを伝送する。
【０８０３】
そして、時刻＆４では、以下のような配置を行うことになる。
データキャリアの番号を３で除算したときの余りが１のときのシンボルは、ブロック＃６のデータを伝送しており、
データキャリアの番号を３で除算したときの余りが２のときのシンボルは、ブロック＃４のデータを伝送しており、
データキャリアの番号を３で除算したときの余りが０のときのシンボルは、ブロック＃５のデータを伝送する。
【０８０４】
よって、時刻＆（２Ｍ−１）では（Ｍは１以上の整数とする）、以下のような配置を行うことになる。
データキャリアの番号を３で除算したときの余りが１のときのシンボルは、ブロック＃（３Ｍ−２）のデータを伝送しており、
データキャリアの番号を３で除算したときの余りが２のときのシンボルは、ブロック＃（３Ｍ−１）のデータを伝送しており、
データキャリアの番号を３で除算したときの余りが０のときのシンボルは、ブロック＃（３Ｍ）のデータを伝送する。
【０８０５】
そして、時刻＆（２Ｍ）では（Ｍは１以上の整数とする）、以下のような配置を行うことになる。
データキャリアの番号を３で除算したときの余りが１のときのシンボルは、ブロック＃（３Ｍ）のデータを伝送しており、
データキャリアの番号を３で除算したときの余りが２のときのシンボルは、ブロック＃（３Ｍ−２）のデータを伝送しており、
データキャリアの番号を３で除算したときの余りが０のときのシンボルは、ブロック＃（３Ｍ−１）のデータを伝送する。
【０８０６】
図７２のようなフレーム構成で送信装置が、変調信号を送信する場合、図８を用いてマルチパスによる受信電界強度の低い部分図８の８０１の悪影響を、受けづらい。したがって、データの受信品質が向上するという効果を得ることができる可能性が高い。
図１の送信装置において、一つのストリームの変調信号を送信する際、変調方式として、同相Ｉ−直交Ｑ平面において６４個の信号点がある変調方式（シンボル当たり６ビット伝送の変調方式）の例である６４ＱＡＭを設定でき、誤り訂正符号の符号長（ブロック長）として、６７２ビットと１３４４ビットを選択できるものとする。
【０８０７】
このとき、特徴的な点は、「誤り訂正符号の符号長（ブロック長）として、６７２ビットを指定したときと１３４４ビットを指定したときとでは、例えば、図６４の並び替え部６４０４における並び替え方法が異なる」という点である。なお、図６４の並び替え部６４０４の動作については、前に説明したとおりである。そして、誤り訂正符号の符号長（ブロック長）として、６７２ビットが指定されたとき、例えば、図６９となるような並び替えが行われ、誤り訂正符号の符号長（ブロック長）として、１３４４ビットが指定されたとき、例えば、図７０、図７１、図７２のいずれかとなるような並び替えが行われることになる。
【０８０８】
前で述べたようなフレーム構成を実現する、別の方法として、図１のインタリーバ１５３により実現する方法がある。
例えば、一つのストリームの変調信号を送信する際、「ｓ１（ｉ）の変調方式を６４ＱＡＭ（６４個の信号点がある変調方式）、ｓ２（ｉ）の変調方式を６４ＱＡＭ（６４個の信号点がある変調方式）」とし、「誤り訂正符号の符号長（ブロック長）を６７２ビット」と設定したときと「誤り訂正符号の符号長（ブロック長）を１３４４ビット」と設定したときでは、必要となるインタリーバのメモリ量が異なる。
【０８０９】
一つのストリームの変調信号を送信する際、「誤り訂正符号の符号長（ブロック長）を６７２ビット」と設定したとき、必要となるメモリ量は２０１６ビットである。一方、「誤り訂正符号の符号長（ブロック長）を１３４４ビット」と設定したとき、必要となるメモリ量は４０３２ビットである。
この点が特徴的な点となる。なお、このとき、並び替え部６４０４が必ず必要とは限らない。
【０８１０】
次に、（通信）相手の受信装置の動作について説明する。一例として、送信装置のフレーム構成を図２７に示す。
図２７（ａ）は、図１のアンテナ１１２Ａから送信される変調信号のフレーム構成、図２７（ｂ）は、図１のアンテナ１１２Ｂから送信される変調信号のフレーム構成を示している。図２７（ａ）、図２７（ｂ）において、横軸時間、縦軸周波数（キャリア）を示している。
【０８１１】
図２７（ａ）において、時間＄１ではプリアンブル２７０１Ａが送信される。そして、図２７（ｂ）においても、時間＄１ではプリアンブル２７０１Ｂが送信される。このとき、プリアンブル２７０１Ａおよびプリアンブル２７０１Ｂには、送信装置が送信する変調信号における送信方法、変調方式、誤り訂正符号の方式（符号化率・符号長など）などの情報が含まれており、受信装置は、この情報を得ることで、データシンボルの復調・復号が可能となる。なお、図２７では、プリアンブル２７０１Ａとプリアンブル２７０１Ｂが存在するようなプリアンブルの構成としているが、プリアンブル２７０１Ａ、プリアンブル２７０１Ｂのいずれか一方を送信するというような構成でもよい。また、プリアンブル２７０１Ａ、２７０１Ｂには、受信装置が信号を検出するためのシンボル、受信装置は周波数・時間同期を行うための信号、受信装置がＡＧＣ（Automatic Gain Control）を行うためのシンボル、受信装置が、伝搬路変動の推定を行うためのシンボルなどが含まれていてもよい。
【０８１２】
そして、図２７（ａ）において、時間＄１ではデータシンボル群２７０２Ａが送信される。そして、図２７（ｂ）においても、時間＄２ではデータシンボル群２７０２Ｂが送信される。なお、データシンボル群２７０２Ａおよびデータシンボル群２７０２Ｂはデータシンボル以外のシンボル、例えば、（チャネル推定を行うための）パイロットシンボルなどが含まれていてもよい。また、データシンボル群２７０２Ａと２７０２Ｂは、同一時間、同一周波数（帯）を用いて送信される。そして、データシンボル群２７０２Ａと２７０２Ｂは、呪術で説明したようなデータシンボルの配置、データの配置を満たしているものとする。さらに、位相変更を行う場合、上述で説明したような位相変更を行ってもよい。
【０８１３】
図２７（ａ）において、時間＄３ではプリアンブル２７０３Ａが送信される。そして、時間＄４ではデータシンボル群２７０４Ａが送信される。なお、プリアンブル、データシンボル群の構成については、上述で説明したとおりである。なお、時間＄３、時間＄４において、図２７（ｂ）では、シンボルを配置していないが、プリアンブル２７０３Ａに相当するシンボルを図１のアンテナ１１２Ｂから送信してもよいし、データシンボル群２７０４Ａに相当するシンボルを図１のアンテナ１１２Ｂから送信してもよい。
【０８１４】
図２８は、（通信）相手の受信装置の構成の一例を示している。
無線部２８０３Ｘは、アンテナ２８０１Ｘで受信した受信信号２８０２Ｘを入力とし、周波数変換等の処理を行い、受信ベースバンド信号２８０４Ｘを出力する。
無線部２８０３Ｙは、アンテナ２８０１Ｙで受信した受信信号２８０２Ｙを入力とし、周波数変換等の処理を行い、受信ベースバンド信号２８０４Ｙを出力する。
【０８１５】
変調信号ｚ１（ｕ１）のチャネル変動推定部２８０５＿１は、受信ベースバンド信号２８０４Ｘを入力とし、例えば、受信ベースバンド信号２８０４Ｘに含まれるパイロットシンボルを用いて、上述で説明した変調信号ｚ１（ｉ）（または、変調信号ｕ１（ｉ））のチャネル変動を推定し、チャネル推定信号２８０６＿１を出力する。
変調信号ｚ２（ｕ２）のチャネル変動推定部２８０５＿２は、受信ベースバンド信号２８０４Ｘを入力とし、例えば、受信ベースバンド信号２８０４Ｘに含まれるパイロットシンボルを用いて、上述で説明した変調信号ｚ２（ｉ）（または、変調信号ｕ２（ｉ））のチャネル変動を推定し、チャネル推定信号２８０６＿２を出力する。
【０８１６】
変調信号ｚ１（ｕ１）のチャネル変動推定部２８０７＿１は、受信ベースバンド信号２８０４Ｙを入力とし、例えば、受信ベースバンド信号２８０４Ｘに含まれるパイロットシンボルを用いて、上述で説明した変調信号ｚ１（ｉ）（または、変調信号ｕ１（ｉ））のチャネル変動を推定し、チャネル推定信号２８０８＿１を出力する。
変調信号ｚ２（ｕ２）のチャネル変動推定部２８０７＿２は、受信ベースバンド信号２８０４Ｙを入力とし、例えば、受信ベースバンド信号２８０４Ｘに含まれるパイロットシンボルを用いて、上述で説明した変調信号ｚ２（ｉ）（または、変調信号ｕ２（ｉ））のチャネル変動を推定し、チャネル推定信号２８０８＿２を出力する。
【０８１７】
制御情報復号部２８０９は、受信ベースバンド信号２８０４Ｘ、および、受信ベースバンド信号２８０４Ｙを入力とし、図２７におけるプリアンブルの復調・復号を行い、制御情報信号２８１０を出力する。
信号処理部２８１１は、チャネル推定信号２８０６＿１、２８０６＿２、２８０８＿１、２８０８＿２、受信ベースバンド信号２８０４Ｘ、２８０４Ｙ、制御情報信号２８１０を入力とし、制御情報信号２８１０に基づいて、上述で説明したデータシンボルの配置に基づき、データの並び替え（データシンボルの並び替え）を行い、また、制御情報信号２８１０に含まれる、送信パラメータ（送信方法、変調方式、誤り訂正符号の方法など）の情報に基づいて、復調、復号を行い、データ２８１２を得、出力する。
【０８１８】
なお、制御情報信号２８１０に含まれる、送信パラメータ（送信方法、変調方式、誤り訂正符号の方法など）の情報に基づいて、信号処理部２８１１に含まれるでインターリーバのメモリ量を切り替える機能があることになる。
以上のように、本実施の形態のようにデータキャリアにデータを配置することで、（通信）相手である受信装置におけるデータの受信品質が向上するという効果を得ることができ、また、位相変更を上述で説明したように位相変更を行うことで、（通信）相手である受信装置におけるデータの受信品質が向上するという効果を得ることができる。
【０８１９】
（補足１）
当然であるが、本明細書において説明した実施の形態、その他の内容を複数組み合わせて、実施してもよい。
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０８２０】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。
【０８２１】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
したがって、複数のビットに基づき同相成分と直交成分を出力するという機能がマッピング部での機能となる。その後、プリコーディングおよび位相変更を施してもよい。
【０８２２】
そして、本明細書において、「∀」「∃」が存在する場合、「∀」は全称記号（universal quantifier）をあらわしており、「∃」は存在記号（existential quantifier）をあらわしている。
また、本明細書において、複素平面がある場合、例えば、偏角のような、位相の単位は、「ラジアン（radian）」としている。
【０８２３】
複素平面を利用すると、複素数の極座標による表示として極形式で表示できる。複素数z = a + ｊb （ａ、ｂはともに実数であり、ｊは虚数単位である）に、複素平面上の点(ａ, ｂ) を対応させたとき、この点が極座標で[r, θ] とあらわされるなら、ａ＝ｒ×ｃｏｓθ、ｂ＝ｒ×ｓｉｎθ
【０８２４】
【数６４】
2017112589.tif 000066
【０８２５】
が成り立ち、r は z の絶対値 (r = |z|) であり、θ が偏角 (argument)となる。そして、z = a + ｊbは、ｒ×ｅｊθとあらわされる。
実施の形態において、時間軸におけるプリコーディングウェイトの変更、位相変更について主に説明したが、ＯＦＤＭ伝送等のマルチキャリア伝送方式を用いたときでも同様に実施することができ、また、周波数軸に対し、プリコーディングウェイトの変更、位相変更を行ってもよいし、時間および周波数軸に対し、プリコーディングウェイトの変更、位相変更を行ってもよい。
【０８２６】
本明細書において、端末の受信装置とアンテナが別々となっている構成であってもよい。例えば、アンテナで受信した信号、または、アンテナで受信した信号に対し、周波数変換を施した信号を、ケーブルを通して、入力するインターフェースを受信装置が具備し、受信装置はその後の処理を行うことになる。  また、受信装置が得たデータ・情報は、その後、映像や音に変換され、ディスプレイ（モニタ）に表示されたり、スピーカから音が出力されたりする。さらに、受信装置が得たデータ・情報は、映像や音に関する信号処理が施され（信号処理を施さなくてもよい）、受信装置が具備するＲＣＡ端子（映像端子、音用端子）、ＵＳＢ（Universal Serial Bus）、ＨＤＭＩ（High-Definition Multimedia Interface）、デジタル用端子等から出力されてもよい。
【０８２７】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０８２８】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０８２９】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０８３０】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
【０８３１】
また、上記では、２つの変調信号を２つのアンテナから送信する方法におけるプリコーディング切り替え方法について説明したが、これに限ったものではなく、４つのマッピング後の信号に対し、プリコーディングを行い、４つの変調信号を生成し、４つのアンテナから送信する方法、つまり、Ｎ個のマッピング後の信号に対し、プリコーディングを行い、Ｎ個の変調信号を生成し、Ｎ個のアンテナから送信する方法においても同様にプリコーディングウェイト（行列）を変更する、プリコーディング切り替え方法としても同様に実施することができる。
【０８３２】
本明細書では、「プリコーディング」「プリコーディングウェイト」等の用語を用いているが、呼び方自身は、どのようなものでもよく、本発明では、その信号処理自身が重要となる。
ストリームｓ１（ｔ）、ｓ２（ｔ）により、異なるデータを伝送してもよいし、同一のデータを伝送してもよい。
【０８３３】
送信装置の送信アンテナ、受信装置の受信アンテナ、共に、図面で記載されている１つのアンテナは、複数のアンテナにより構成されていても良い。
送信装置  受信装置に対し、送信方法（ＭＩＭＯ、ＳＩＳＯ、時空間ブロック符号、インタリーブ方式）、変調方式、誤り訂正符号化方式を通知することもあり得る。これらに点については、実施の形態によっっては省略されていることもある。
送信装置が送信するフレームにこれらの情報を伝送するシンボルが存在することになる。そして、受信装置はこのシンボルを得ることで、動作を変更することになる。
【０８３４】
なお、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
【０８３５】
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成または一部の構成を含むように１チップ化されてもよい。  ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０８３６】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
本発明は、複数のアンテナからそれぞれ異なる変調信号を送信する無線システムに広く適用できる。また、複数の送信箇所を持つ有線通信システム（例えば、ＰＬＣ（Ｐｏｗｅｒ  Ｌｉｎｅ  Ｃｏｍｍｕｎｉｃａｔｉｏｎ）システム、光通信システム、ＤＳＬ（Ｄｉｇｉｔａｌ  Ｓｕｂｓｃｒｉｂｅｒ  Ｌｉｎｅ：デジタル加入者線）システム）において、ＭＩＭＯ伝送を行う場合についても適用することができる。
【０８３７】
（実施の形態５）
本実施の形態では、実施の形態４において、送信装置が、変調方式として６４ＱＡＭを選択した場合、実施の形態４とは異なる実施方法について説明する。なお、実施の形態４と同様に動作するものについては、説明を省略する。
【０８３８】
実施の形態４と同様に、本実施の形態では、実施の形態１の誤り訂正符号の符号長（ブロック長）に加え、実施の形態１の誤り訂正符号の符号長より長い符号長（ブロック長）を持つ誤り訂正符号を用いることが可能な場合の実施方法について説明する。
実施の形態４と同様に、本実施の形態では、一例として、符号長（ブロック長）６７２ビットの誤り訂正符号と符号長（ブロック長）１３４４（＝６７２×２）ビットの誤り訂正符号を用いたときの実施方法について説明する。
【０８３９】
符号長（ブロック長）６７２ビットの誤り訂正符号を用いたときの実施方法については、図１から図２８を用いて実施の形態１で説明したとおりであり、詳細の説明は、実施の形態１で説明したため、説明を省略する。以下では、実施の形態１で説明していない部分の説明を行う。
図１は、本実施の形態における送信装置の構成を示している。なお、図１における基本的な動作については、実施の形態１で説明したとおりである。図１における符号化器１５１は、データ１５０、および、フレーム構成信号１１３を入力とする。このとき、フレーム構成信号１１３には、使用する誤り訂正符号の情報が含まれているものとし、特に、使用する誤り訂正符号の符号長（ブロック長）（本実施の形態では、ブロック長６７２ビット、または、符号長１３４４ビット）の情報を含んでいるものとする。
【０８４０】
したがって、符号化器１５１は、フレーム構成１１３に基づき、使用する誤り訂正符号の符号長（ブロック長）を含む誤り訂正符号の選択を行い（例えば、誤り訂正符号の符号化率も設定する。）、データ１５０に対して、誤り訂正符号化を行い、符号化データ１５２を出力する。
また、図１の送信装置がＭＩＭＯ伝送方式を選択し、変調信号を送信する際の実施方法については、実施の形態１で説明したとおりであり、その説明については省略する。
【０８４１】
次に、実施の形態１同様、例えば、ＯＦＤＭのようなマルチキャリアの伝送方法を用いたときの図１の送信装置が送信する変調信号のフレーム構成の一例を図６に示す。
図６は、横軸周波数におけるシンボルの配置の例を示しており、上述で示した異なるアンテナから送信する２つの変調信号のシンボル配置を示している。例えば、図６では、データキャリア（データシンボル）とパイロットシンボル（リファレンスシンボル）「図６では「Ｐ」と記載している。」で構成されている場合を示している（なお、図６は、あくまでも例であり、他のシンボルが存在していてもよい。）。このとき、データキャリアは、ＭＩＭＯ伝送により、（通信）相手にデータを伝送するためのシンボルであり、パイロットシンボルは、（通信）相手が、伝播変動の推定（チャネル推定）を行うためのシンボルである。
【０８４２】
図６では、一例として、１ＯＦＤＭシンボル中に存在するデータキャリア（周波数軸に存在するデータキャリア）の数を３３６とし（したがって、データキャリア＄１〜データキャリア＄３３６が各時刻に存在する）、データキャリアとデータキャリアの間にパイロットシンボルが挿入されていてもよい。なお、図６では、時刻＆１と時刻＆２で、パイロットキャリアの挿入されている周波数的な位置が異なっているが、このような構成に限ったものではない。
【０８４３】
図６において、データキャリアは、周波数軸方向に、「データキャリア＄１」、「データキャリア＄２」、「データキャリア＄３」、「データキャリア＄４」、「データキャリア＄５」、「データキャリア＄６」、「データキャリア＄７」、「データキャリア＄８」、「データキャリア＄９」、「データキャリア＄１０」、「データキャリア＄１１」、「データキャリア＄１２」、「データキャリア＄１３」、・・・、「データキャリア＄３３０」、「データキャリア＄３３１」、「データキャリア＄３３２」、「データキャリア＄３３３」、「データキャリア＄３３４」、「データキャリア＄３３５」、「データキャリア＄３３６」の順に並んでいるものとする。つまり、周波数軸方向に対し、データキャリアは昇順に番号を付している。
【０８４４】
図７４に、ストリームｓ１（ｉ）の変調方式を同相Ｉ−直交Ｑ平面において６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として、誤り訂正符号のブロック長（符号長）を１３４４ビットとする。
【０８４５】
図７４に示すように、まず、送信装置は、誤り訂正符号化された１３４４ビットで構成された第１のブロックに６７２ビットの既知ビット（送信装置および、送信装置の通信相手の受信装置において、既知となるビット）（例えば、６７２ビットがすべてゼロ）を付加し、２０１６ビットのデータを作成する。（なお、既知ビットの構成方法については、これに限ったものではない。）
そして、誤り訂正符号化された１３４４ビットで構成された第１のブロックと既知ビット６７２ビットを付加したデータ２０１６ビットに対しブロック＃１と名付け「＃１」と記載する。したがって、２０１６ビットで構成されたデータの第Ｎ（Ｎは１以上の整数とする。）のブロックに対しブロック＃Ｎと名付け「＃Ｎ」と記載する。
【０８４６】
図７４では、ブロック＃１から生成された３３６のシンボルを「＃１−１」、「＃１−２」、「＃１−３」、「＃１−４」、・・・、「＃１−３３４」、「＃１−３３５」、「＃１−３３６」と示している。したがって、ブロック＃Ｎから生成された３３６のシンボルを「＃Ｎ−１」、「＃Ｎ−２」、「＃Ｎ−３」、「＃Ｎ−４」、・・・、「＃Ｎ−３３４」、「＃Ｎ−３３５」、「＃Ｎ−３３６」とあらわすことになる。
【０８４７】
また、図７４に、横軸周波数とし、データキャリアを並べたときを示している。ストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在している。
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０８４８】
そして、図７４に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃１−３」のシンボルを割り当て、ストリーム２（ｓ２（ｉ））のデータキャリア＄２に「＃１−４」のシンボルを割り当て、ストリーム１（ｓ１（ｉ））のデータキャリア＄３に「＃１−５」のシンボルを割り当て、ストリーム２（ｓ２（ｉ））のデータキャリア＄３に「＃１−６」のシンボルを割り当てるという規則にしたがい、シンボルの割り当てるとする。すると、ブロック＃１のデータは、ストリーム１（ｓ１（ｉ））のデータキャリア＄１から＄１６７、および、ストリーム２（ｓ２（ｉ））のデータキャリア＄１から＄１６７を用いて、送信装置が送信することになる。
【０８４９】
同様の規則にしたがい、ブロック＃２のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信することになる。
以上が、時刻＆１のシンボルの配置とする。同様に、シンボル配置を行うと、時刻＆２では、以下のような配置を行うことになる。
【０８５０】
・ブロック＃３のデータは、ストリーム１（ｓ１（ｉ））のデータキャリア＄１から＄１６７、および、ストリーム２（ｓ２（ｉ））のデータキャリア＄１から＄１６７を用いて、送信装置が送信する。
・ブロック＃４のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信する。
【０８５１】
したがって、時刻＆Ｍでは（Ｍは１以上の整数とする）、以下のような配置を行うことになる。
・ブロック＃（２Ｍ−１）のデータは、ストリーム１（ｓ１（ｉ））のデータキャリア＄１から＄１６７、および、ストリーム２（ｓ２（ｉ））のデータキャリア＄１から＄１６７を用いて、送信装置が送信する。
・ブロック＃（２Ｍ）のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信する。
【０８５２】
既知ビットを挿入する場合を例について説明したが、別の方法で、ブロック＃ｋ（ｋは１以上の整数）の３３６のシンボルを生成してもよい。例えば、ブロック＃ｋを生成するための誤り訂正符号化後のデータ（誤り訂正符号化後の符号語）１３４４ビットに対し、６４ＱＡＭのマッピングを行い、２２４シンボルを生成し、さらに、３３６−２２４＝１１２シンボルのヌルシンボル（同相成分Ｉ＝０（ゼロ）、かつ、直交成分Ｑ＝０（ゼロ））を生成することにより、計３３６シンボルを生成してもよい。（なお、１１２シンボルは、ヌルシンボルでなくてもよく、同相成分Ｉ、および、直交成分Ｑが何等かの値を持ってもよい。）
図７４のようなフレーム構成で送信装置が、変調信号を送信する場合を考える。図１の送信装置の（通信）相手である受信装置における受信電界強度のイメージ図を図８に示す。
【０８５３】
図８において、横軸を周波数、縦軸を受信電界強度とする。このとき、マルチパスの影響により、受信電界強度の低い図８の８０１のようなところが存在することになる。そして、図７のようなフレーム構成で送信装置が変調信号を送信すると、マルチパスの影響（例えば、図８の８０１）により、誤り訂正符号の同一ブロックのシンボルに受信品質の悪いシンボルが多く存在するような現象を招く可能性が高い。これにより、高い誤り訂正能力を得ることができず、データの受信品質が低下する可能性が高い。
【０８５４】
別の例として、図９のようなフレーム構成を考える。図９に示すように、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃１−２」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃１−３３４」のシンボルを割り当て、
ストリーム２（ｓ２（ｉ））のデータキャリア＄３３４に「＃２−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃１−３３６」のシンボルを割り当て、
ストリーム２（ｓ２（ｉ））のデータキャリア＄３３６に「＃２−３３６」のシンボルを割り当てるとする。
【０８５５】
以上が、時刻＆１のシンボル配置となる。したがって、データキャリアの番号が奇数のシンボルは、ブロック＃１のデータを伝送しており、データキャリアの番号が偶数のシンボルは、ブロック＃２のデータを伝送する。
時刻＆２では、以下のような配置を行うことになる。
・ストリーム１（ｓ１（ｉ））は、ブロック＃３のデータを伝送し、ストリーム２（ｓ２（ｉ））は、ブロック＃４のデータを伝送する。
【０８５６】
よって、時刻＆Ｍでは（Ｍは１以上の整数とする）、以下のような配置を行うことになる。
・ストリーム１（ｓ１（ｉ））は、ブロック＃（２Ｍ−１）のデータを伝送し、ストリーム２（ｓ２（ｉ））は、ブロック＃（２Ｍ）のデータを伝送する。
【０８５７】
図９のようなフレーム構成の場合、図８で説明したような課題は発生する可能性は低い。
ところで、プリコーディング行列が式（４）のようにあらわされ、［１］「ｂがゼロ、かつ、ｃがゼロ」、または、［２］「ａがゼロ、かつ、ｄがゼロ」、または、［３］「ｂの絶対値およびｃの絶対値が、ａの絶対値およびｄの絶対値に比べ極端に小さい」、［４］「ａの絶対値およびｄの絶対値が、ｂの絶対値およびｃの絶対値に比べ極端に小さい」を考える。このようなケースの場合、（通信）相手のストリーム１（ｓ１（ｉ））の受信電界強度が低下したとき、または、（通信）相手のストリーム２（ｓ２（ｉ））の受信電界強度が低下したとき、例えば、時刻＆１において、ブロック＃１の受信品質、または、ブロック＃２の受信品質が低下するという現象が発生する可能性が高い。
【０８５８】
図８を用いて説明した課題、および、図９のようなフレーム構成により発生する課題を解決するために、例えば、図１０のようなフレーム構成を考える。図１０に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃２−１」のシンボルを割り当て、ストリーム２（ｓ２（ｉ））のデータキャリア＄２に「＃２−２」のシンボルを割り当て、ストリーム１（ｓ１（ｉ））のデータキャリア＄３に「＃１−３」のシンボルを割り当て、ストリーム２（ｓ２（ｉ））のデータキャリア＄３に「＃１−４」のシンボルを割り当て、ストリーム１（ｓ１（ｉ））のデータキャリア＄４に「＃２−３」のシンボルを割り当て、ストリーム２（ｓ２（ｉ））のデータキャリア＄４に「＃２−４」のシンボルを割り当て、
・・・
ストリーム１（ｓ１（ｉ））のデータキャリア＄３３３に「＃１−３３３」のシンボルを割り当て、ストリーム２（ｓ２（ｉ））のデータキャリア＄３３３に「＃１−３３４」のシンボルを割り当て、ストリーム１（ｓ１（ｉ））のデータキャリア＄３３４に「＃２−３３３」のシンボルを割り当て、ストリーム２（ｓ２（ｉ））のデータキャリア＄３３４に「＃２−３３４」のシンボルを割り当て、ストリーム１（ｓ１（ｉ））のデータキャリア＄３３５に「＃１−３３５」のシンボルを割り当て、ストリーム２（ｓ２（ｉ））のデータキャリア＄３３５に「＃１−３３６」のシンボルを割り当て、ストリーム１（ｓ１（ｉ））のデータキャリア＄３３６に「＃２−３３５」のシンボルを割り当て、ストリーム２（ｓ２（ｉ））のデータキャリア＄３３６に「＃２−３３６」のシンボルを割り当てるとする。
【０８５９】
以上が、時刻＆１のシンボル配置となる。したがって、データキャリアの番号が奇数のシンボルは、ブロック＃１のデータを伝送しており、データキャリアの番号が偶数のシンボルは、ブロック＃２のデータを伝送する。
時刻＆２では、以下のような配置を行うことになる。
・データキャリアの番号が奇数のシンボルは、ブロック＃３のデータを伝送しており、データキャリアの番号が偶数のシンボルは、ブロック＃４のデータを伝送する。
【０８６０】
よって、時刻＆Ｍでは（Ｍは１以上の整数とする）、以下のような配置を行うことになる。
・データキャリア番号が奇数のシンボルは、ブロック＃（２Ｍ−１）のデータを伝送しており、データキャリア番号が偶数のシンボルは、ブロック＃（２Ｍ）のデータを伝送する。
【０８６１】
図１０のようなフレーム構成で送信装置が、変調信号を送信する場合、図８を用いてマルチパスによる受信電界強度の低い部分図８の８０１の悪影響を、図５９のフレーム構成のときより、受けづらい。また、図９を用いて説明したようなデータの受信品質の低下を抑えることができる可能性が高い。したがって、データの受信品質が向上するという効果を得ることができる可能性が高い。
【０８６２】
図８を用いて説明した課題、および、図９のようなフレーム構成により発生する課題を解決するために、例えば、図１１のようなフレーム構成を考える。
図１１に示すように、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃２−２」のシンボルを割り当て、
ストリーム２（ｓ２（ｉ））のデータキャリア＄２に「＃１−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
ストリーム１（ｓ１（ｉ））のデータキャリア＄４に「＃２−４」のシンボルを割り当て、
ストリーム２（ｓ２（ｉ））のデータキャリア＄４に「＃１−４」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃２−３３４」のシンボルを割り当て、
ストリーム２（ｓ２（ｉ））のデータキャリア＄３３４に「＃１−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃２−３３６」のシンボルを割り当て、
ストリーム２（ｓ２（ｉ））のデータキャリア＄３３６に「＃１−３３６」のシンボルを割り当てるとする。
【０８６３】
以上が、時刻＆１のシンボル配置となる。したがって、データキャリアの番号が奇数のシンボル、かつ、ストリーム１（ｓ１（ｉ））は、ブロック＃１のデータを伝送しており、
データキャリアの番号が奇数のシンボル、かつ、ストリーム２（ｓ２（ｉ））は、ブロック＃２のデータを伝送しており、
データキャリアの番号が偶数のシンボル、かつ、ストリーム１（ｓ１（ｉ））は、ブロック＃２のデータを伝送しており、
データキャリアの番号が偶数のシンボル、かつ、ストリーム２（ｓ２（ｉ））は、ブロック＃１のデータを伝送する。
【０８６４】
時刻＆２では、以下のような配置を行うことになる。
・データキャリアの番号が奇数のシンボル、かつ、ストリーム１（ｓ１（ｉ））は、ブロック＃３のデータを伝送しており、
データキャリアの番号が奇数のシンボル、かつ、ストリーム２（ｓ２（ｉ））は、ブロック＃４のデータを伝送しており、
データキャリアの番号が偶数のシンボル、かつ、ストリーム１（ｓ１（ｉ））は、ブロック＃４のデータを伝送しており、
データキャリアの番号が偶数のシンボル、かつ、ストリーム２（ｓ２（ｉ））は、ブロック＃３のデータを伝送する。
【０８６５】
よって、時刻＆Ｍでは（Ｍは１以上の整数とする）、以下のような配置を行うことになる。
・データキャリアの番号が奇数のシンボル、かつ、ストリーム１（ｓ１（ｉ））は、ブロック＃（２Ｍ−１）のデータを伝送しており、
データキャリアの番号が奇数のシンボル、かつ、ストリーム２（ｓ２（ｉ））は、ブロック＃（２Ｍ）のデータを伝送しており、
データキャリアの番号が偶数のシンボル、かつ、ストリーム１（ｓ１（ｉ））は、ブロック＃（２Ｍ）のデータを伝送しており、
データキャリアの番号が偶数のシンボル、かつ、ストリーム２（ｓ２（ｉ））は、ブロック＃（２Ｍ−１）のデータを伝送する。
【０８６６】
図１１のようなフレーム構成で送信装置が、変調信号を送信する場合、図８を用いてマルチパスによる受信電界強度の低い部分図８の８０１の悪影響を、図７４のフレーム構成のときより、受けづらい。また、図９を用いて説明したようなデータの受信品質の低下を抑えることができる可能性が高い。したがって、データの受信品質が向上するという効果を得ることができる可能性が高い。
【０８６７】
なお、上述で述べたようなフレーム構成を実施する部分が、図１の無線部１１０Ａおよび１１０Ｂとすることができる（実施の形態１でも同様である。）。無線部１１０Ａおよび１１０Ｂの構成の例を図６４に示す。
図６４において、変調信号６４０１は、図１の１０９Ａまたは１０９Ｂに相当する。フレーム構成信号６４００が図１のフレーム構成１１３に相当し、制御情報信号６４１０が図１の制御情報信号１１７Ｚに相当し、送信信号６４０９が図１の送信信号１１１Ａまたは１１１Ｂに相当する。
【０８６８】
シリアルパラレル変換部６４０２は、変調信号６４０１、フレーム構成信号６４００を入力とし、フレーム構成信号６４００に基づいて、変調信号６４０１に対し、シリアルパラレル変換を施し、シリアルパラレル変換後の信号６４０３を出力する。
並び替え部６４０４は、シリアルパラレル変換後の信号６４０３、制御情報信号６４１０、フレーム構成信号６４００を入力とし、フレーム構成信号６４００に基づき、シリアルパラレル変換後の信号６４０３、制御情報信号６４１０に対し、並べ替えを行い、並び替え後の信号６４０５を出力する。このとき、特に、フレーム構成信号６４００に含まれる、誤り訂正符号の符号長（ブロック長）の情報、変調方式の情報、伝送方式の情報に基づいて、並び替え部６４０４は、シリアルパラレル変換後の信号６４０３（データシンボル）の並び替え方法を、上述で説明した方法に基づいて、切り替えることになる。
【０８６９】
特徴的な点は、「ＭＩＭＯ伝送方式を適用しており、ｓ１（ｉ）の変調方式を１６ＱＡＭ（１６個の信号点がある変調方式）、ｓ２（ｉ）の変調方式を１６ＱＡＭ（１６個の信号点がある変調方式）と指定しているとき、誤り訂正符号の符号長（ブロック長）が６７２ビットを指定したときと１３４４ビットを指定したときでは、並び替えの方法が異なる」、そして、「ＭＩＭＯ伝送方式を適用しており、ｓ１（ｉ）の変調方式を６４ＱＡＭ（６４個の信号点がある変調方式）、ｓ２（ｉ）の変調方式を６４ＱＡＭ（６４個の信号点がある変調方式）と指定しているとき、誤り訂正符号の符号長（ブロック長）が６７２ビットを指定したときと１３４４ビットを指定したときでは、並び替えの方法が異なる」、という点である。
【０８７０】
なお、変調方式として１６ＱＡＭ（１６個の信号点がある変調方式）とし、誤り訂正符号の符号長を６７２ビットと指定したときの並び替えの動作については、実施の形態１で説明したとおりであり、また、変調方式として１６ＱＡＭ（１６個の信号点がある変調方式）とし、誤り訂正符号の符号長を１３４４ビットと指定したときの並び替えの動作については、実施の形態４で説明したとおりである。そして、変調方式として６４ＱＡＭ（６４個の信号点がある変調方式）とし、誤り訂正符号の符号長を６７２ビットと指定したときの並び替え方法の動作については、実施の形態１で説明したとおりである。変調方式として６４ＱＡＭ（６４個の信号点がある変調方式）とし、誤り訂正符号の符号長を１３４４ビットと指定したときの並び替えの動作については、本実施の形態で説明したとおりである。
【０８７１】
逆（高速）フーリエ変換部６４０６（Ｉ（Ｆ）ＦＴ：Inverse （Fast） Fourier Transform）は、並び替え後の信号６４０５、フレーム構成信号６４００を入力とし、並び替え後の信号６４０５に対し、逆（高速）フーリエ変換を施し、逆（高速）フーリエ変換後の信号６４０７を出力する。
【０８７２】
ＲＦ部６４０８は、逆（高速）フーリエ変換後の信号６４０７、フレーム構成信号を入力とし、直交変調、周波数変換、帯域制限、信号の増幅等の処理を施し、送信信号６４０９を出力する。
前で述べたようなフレーム構成を実現する、別の方法として、図１のインタリーバ１５３により実現する方法がある。
【０８７３】
例えば、ＭＩＭＯ伝送方式を適用しており、誤り訂正符号の符号長（ブロック長）が６７２ビットと設定したとき、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき「ｓ１（ｉ）の変調方式を１６ＱＡＭ（１６個の信号点がある変調方式）、ｓ２（ｉ）の変調方式を１６ＱＡＭ（１６個の信号点がある変調方式）」と設定したときと「ｓ１（ｉ）の変調方式を６４ＱＡＭ（６４個の信号点がある変調方式）、ｓ２（ｉ）の変調方式を６４ＱＡＭ（６４個の信号点がある変調方式）」と設定したときとでは、必要となるインタリーバのメモリ量が異なる。
【０８７４】
ＭＩＭＯ伝送方式を適用しており、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき、必要となるメモリ量は、２符号化ブロック分の１３４４ビットとなる。一方、「ｓ１（ｉ）の変調方式を１６ＱＡＭ（１６個の信号点がある変調方式）、ｓ２（ｉ）の変調方式を１６ＱＡＭ（１６個の信号点がある変調方式）」と指定したとき、必要となるメモリ量は、４符号化ブロック分の２６８８ビットとなる。そして、「ｓ１（ｉ）の変調方式を６４ＱＡＭ（６４個の信号点がある変調方式）、ｓ２（ｉ）の変調方式を６４ＱＡＭ（６４個の信号点がある変調方式）」と指定したとき、必要となるメモリ量は、６符号化ブロック分の４０３２ビットとなる。
【０８７５】
また、ＭＩＭＯ伝送方式を適用しており、誤り訂正符号の符号長（ブロック長）が１３４４ビットと設定したとき、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき「ｓ１（ｉ）の変調方式を１６ＱＡＭ（１６個の信号点がある変調方式）、ｓ２（ｉ）の変調方式を１６ＱＡＭ（１６個の信号点がある変調方式）」と設定したときと「ｓ１（ｉ）の変調方式を６４ＱＡＭ（６４個の信号点がある変調方式）、ｓ２（ｉ）の変調方式を６４ＱＡＭ（６４個の信号点がある変調方式）」と設定したときとでは、必要となるインタリーバのメモリ量が異なる。
【０８７６】
ＭＩＭＯ伝送方式を適用しており、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき、必要となるメモリ量は、１符号化ブロック分の１３４４ビットとなる。一方、「ｓ１（ｉ）の変調方式を１６ＱＡＭ（１６個の信号点がある変調方式）、ｓ２（ｉ）の変調方式を１６ＱＡＭ（１６個の信号点がある変調方式）」と指定したとき、必要となるメモリ量は、２符号化ブロック分の２６８８ビットとなる。そして、「ｓ１（ｉ）の変調方式を６４ＱＡＭ（６４個の信号点がある変調方式）、ｓ２（ｉ）の変調方式を６４ＱＡＭ（６４個の信号点がある変調方式）」と指定したとき、必要となるメモリ量は、２符号化ブロック分の２６８８ビットとなる。
【０８７７】
この点が特徴的な点となる。なお、このとき、並び替え部６４０４が必ず必要とは限らない。
図７５は、前に説明した、例えば、既知ビット挿入、または、ヌルシンボル（これに限ったものではない）挿入を実現するための、送信装置の構成の一例を示している。なお、図７５において、図１と同様に動作するものについては、同一番号を付しており、説明は省略する。
【０８７８】
マッピングを含む信号処理部７５０１Ａは、ストリーム＃１のデータ１０５Ａ、および、フレーム構成信号１１３を入力とし、フレーム構成信号１１３に含まれる「変調方式の情報」「誤り訂正符号に関する情報（符号長の情報を含む）」「伝送方法に関する情報」に基づき、前で説明した、例えば、既知ビットの挿入、または、ヌルシンボル（これに限ったものではない）の挿入が必要であるか、の判断を行う。
【０８７９】
既知ビットの挿入、または、ヌルシンボル（これに限ったものではない）の挿入が必要であると、マッピングを含む信号処理部７５０１Ａが判断した場合、マッピングを含む信号処理部７５０１Ａは、既知ビットの挿入、または、ヌルシンボル（これに限ったものではない）の挿入を行うとともに、ストリーム＃１のデータ１０５Ａに対し、マッピングを施し、マッピング後のベースバンド信号１０７Ａを出力する。既知ビットの挿入、または、ヌルシンボル（これに限ったものではない）の挿入が不要であると、マッピングを含む信号処理部７５０１Ａが判断した場合、マッピングを含む信号処理部７５０１Ａは、ストリーム＃１のデータ１０５Ａに対し、マッピングを施し、マッピング後のベースバンド信号１０７Ａを出力する。
【０８８０】
同様に、マッピング部を含む信号処理部７５０１Ｂは、ストリーム＃２のデータ１０５Ｂ、および、フレーム構成信号１１３を入力とし、フレーム構成信号１１３に含まれる「変調方式の情報」「誤り訂正符号に関する情報（符号長の情報を含む）」「伝送方法に関する情報」に基づき、前に説明した、例えば、既知ビットの挿入、または、ヌルシンボル（これに限ったものではない）の挿入が必要であるか、の判断を行う。
【０８８１】
既知ビットの挿入、または、ヌルシンボル（これに限ったものではない）の挿入が必要であると、マッピングを含む信号処理部７５０１Ｂが判断した場合、マッピングを含む信号処理部７５０１Ｂは、既知ビットの挿入、または、ヌルシンボル（これに限ったものではない）の挿入を行うとともにストリーム＃２のデータ１０５Ｂに対し、マッピングを施し、マッピング後のベースバンド信号１０７Ｂを出力する。既知ビットの挿入、または、ヌルシンボル（これに限ったものではない）の挿入が不要であると、マッピングを含む信号処理部７５０１Ｂが判断した場合、マッピングを含む信号処理部７５０１Ｂは、ストリーム＃２のデータ１０５Ｂに対し、マッピングを施し、マッピング後のベースバンド信号１０７Ｂを出力する。
【０８８２】
次に、図１の送信装置において、複数の変調信号を複数のアンテナから送信する際、位相変更を行う場合の位相変更方法について説明する。
プリコーディングおよび位相変更を行う送信方法については、上述で説明したとおりであり、式（３）、式（３７）、式（３８）、式（３９）などで示したとおりである。以下では、式（３）、式（３７）、式（３８）、式（３９）で示した位相変更の具体的な適用例について説明する。つまり、式（３）、式（３７）、式（３８）、式（３９）のｙ（ｉ）の変更方法について説明する。
【０８８３】
図１０に、ストリームｓ１（ｉ）の変調方式を同相Ｉ−直交Ｑ平面において６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとし、前に述べた、例えば、既知ビットの挿入、または、ヌルシンボル（これに限ったものではない）の挿入を行ったときのデータキャリアへの配置例を示している。ここでは、一例として、誤り訂正符号のブロック長（符号長）を１３４４ビットとし、前に述べたように、既知データの挿入、または、ヌルシンボル（これに限ったものではない）の挿入を行うことで、ブロックに対し、３３６シンボルを生成するものとする。
【０８８４】
図１８に、図１０のようにデータキャリアにデータの配置を行ったときの位相変更値ｙ（ｉ）の割り当ての例を示している。図１８に示すように、データキャリア＄１ではｙ（０）を用いて位相変更を行った場合、データキャリア＄２でもｙ（０）を用いて位相変更を行う。
同様に、データキャリア＄３で、ｙ（１）を用いて位相変更を行った場合、データキャリア＄４でもｙ（１）を用いて位相変更を行う。
・・・
データキャリア＄３３３で、ｙ（１６６）を用いて位相変更を行った場合、データキャリア＄３３４でもｙ（１６６）を用いて位相変更を行う。
【０８８５】
そして、データキャリア＄３３５で、ｙ（１６７）を用いて位相変更を行った場合、データキャリア＄３３６でもｙ（１６７）を用いて位相変更を行う。
つまり、データキャリア＄（２×ｋ＋１）とデータキャリア＄（２ｋ＋２）では、同一の位相変更値（図１８の場合、ｙ（ｋ））を用いて位相変更を行う（ｋは０以上の整数とする）。
【０８８６】
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
図１１に、図１０とは異なる、ストリームｓ１（ｉ）の変調方式を同相Ｉ−直交Ｑ平面において６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとし、前に述べた、例えば、既知ビットの挿入、または、ヌルシンボル（これに限ったものではない）の挿入を行ったときのデータキャリアへの配置例を示している。ここでは、一例として、誤り訂正符号のブロック長（符号長）を１３４４ビットとし、前に述べたように、既知データの挿入、または、ヌルシンボル（これに限ったものではない）の挿入を行うことで、ブロックに対し、３３６シンボルを生成するものとする。
【０８８７】
図１９に、図１１のようにデータキャリアにデータの配置を行ったときの位相変更値ｙ（ｉ）の割り当ての例を示している。図１９に示すように、データキャリア＄１ではｙ（０）を用いて位相変更を行った場合、データキャリア＄２でもｙ（０）を用いて位相変更を行う。
同様に、データキャリア＄３で、ｙ（１）を用いて位相変更を行った場合、データキャリア＄４でもｙ（１）を用いて位相変更を行う。
・・・
データキャリア＄３３３で、ｙ（１６６）を用いて位相変更を行った場合、データキャリア＄３３４でもｙ（１６６）を用いて位相変更を行う。
【０８８８】
そして、データキャリア＄３３５で、ｙ（１６７）を用いて位相変更を行った場合、データキャリア＄３３６でもｙ（１６７）を用いて位相変更を行う。
つまり、データキャリア＄（２×ｋ＋１）とデータキャリア＄（２ｋ＋２）では、同一の位相変更値（図１８の場合、ｙ（ｋ））を用いて位相変更を行う（ｋは０以上の整数とする）。
【０８８９】
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
図２０に、図１９とは異なる、「図１１のようにデータキャリアにデータの配置を行ったとき」の位相変更値ｙ（ｉ）の割り当ての例を示している。図２０に示すように、データキャリア＄１ではｙ（０）を用いて位相変更を行い、データキャリア＄２ではｙ（１）を用いて位相変更を行い、データキャリア＄３ではｙ（２）を用いて位相変更を行い、データキャリア＄４ではｙ（３）を用いて位相変更を行い、・・・、データキャリア＄３３３ではｙ（３３２）を用いて位相変更を行い、データキャリア＄３３４ではｙ（３３３）を用いて位相変更を行い、データキャリア＄３３５ではｙ（３３４）を用いて位相変更を行い、データキャリア＄３３６ではｙ（３３５）を用いて位相変更を行う。
つまり、データキャリア＄（ｋ＋１）では位相変更値ｙ（ｋ）を用いて位相変更を行う、つまり、データキャリア単位で位相変更を行うことになる（ｋは０以上の整数とする）。
【０８９０】
このようにすることで、ブロック＃１に対して、位相は偏りなく変更されており、また、ブロック＃２についても、位相は偏りなく変更されており、したがって、ブロック＃１およびブロック＃２ともに、位相変更による効果を十分に得ることができるため、（通信）相手の受信装置のデータ品質が向上するという効果を得ることができる。
ストリームｓ１（ｉ）の変調方式を同相Ｉ−直交Ｑ平面において１６個の信号点がある変調方式（シンボル当たり４ビット伝送の変調方式）の例である１６ＱＡＭ、ストリームｓ２（ｉ）の変調方式を同相Ｉ−直交Ｑ平面において１６個の信号点がある変調方式（シンボル当たり４ビット伝送の変調方式）の例である１６ＱＡＭとし、誤り訂正符号のブロック長（符号長）を１３４４ビットとしたときの、データキャリアへの配置方法、位相変更値ｙ（ｉ）の割り当てについては、実施の形態４において、図５９、および、図８から図１１を用いて説明したとおりであり、説明は省略する。
【０８９１】
上述と別の例として、シングルストリームを送信する場合について説明する。
図１の送信装置を用いて、シングルストリームを送信する場合、例えば、マッピング部１０６Ａで生成した変調信号をアンテナ１１２Ａで送信する（マッピング部１０６Ｂは動作させず、アンテナ１１２Ｂからは変調信号を送信しない。）場合について説明する。（なお、シングルストリームを送信する場合、例えば、マッピング部１０６Ａで生成した変調信号を、複数のアンテナを用いて送信してもよい。）
図６９に、一つストリームにおける変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として誤り訂正符号のブロック長（符号長）を６７２ビットとする。そして、誤り訂正符号化された６７２ビットで構成された第１のブロックに対しブロック＃１と名付け「＃１」と記載する。したがって、誤り訂正符号化された６７２ビットで構成された第Ｎ（Ｎは１以上の整数とする。）のブロックに対しブロック＃Ｎと名付け「＃Ｎ」と記載する。
【０８９２】
なお、シンボルの配置方法については、実施の形態４で説明を行っているので、ここでは、説明を省略する。
図６９のようなフレーム構成で送信装置が、変調信号を送信する場合、図８を用いてマルチパスによる受信電界強度の低い部分図８の８０１の悪影響を、受けづらい。したがって、データの受信品質が向上するという効果を得ることができる可能性が高い。
【０８９３】
図７６に、一つストリームにおける変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として、誤り訂正符号のブロック長（符号長）を１３４４ビットとする。
【０８９４】
図７６に示すように、まず、送信装置は、誤り訂正符号化された１３４４ビットで構成された第１のブロックに６７２ビットの既知ビット（送信装置および、送信装置の通信相手の受信装置において、既知となるビット）（例えば、６７２ビットがすべてゼロ）を付加し、２０１６ビットのデータを作成する。（なお、既知ビットの構成方法については、これに限ったものではない。）
そして、誤り訂正符号化された１３４４ビットで構成された第１のブロックと既知ビット６７２ビットを付加したデータ２０１６ビットに対しブロック＃１と名付け「＃１」と記載する。したがって、２０１６ビットで構成されたデータの第Ｎ（Ｎは１以上の整数とする。）のブロックに対しブロック＃Ｎと名付け「＃Ｎ」と記載する。
【０８９５】
６４ＱＡＭを適用したとき、ブロック＃Ｎから３３６シンボルが生成される。したがって、ブロック＃１から生成された３３６シンボルを「＃１−１」、「＃１−２」、「＃１−３」、「＃１−４」、・・・、「＃１−３３４」、「＃１−３３５」、「＃１−３３６」と示す。よって、ブロック＃Ｎから生成された３３６シンボルを「＃Ｎ−１」、「＃Ｎ−２」、「＃Ｎ−３」、「＃Ｎ−４」、・・・、「＃Ｎ−３３４」、「＃Ｎ−３３５」、「＃Ｎ−３３６」とあらわす。
【０８９６】
図７６は、横軸周波数、縦軸時間とし、データキャリアを並べたときを示している。このとき、データキャリアは上述と同様に、データキャリア＄１からデータキャリア＄３３６が存在している。
そして、図７６に示すように、
時刻＆１、データキャリア＄１に「＃１−１」のシンボルを割り当て、
時刻＆１、データキャリア＄２に「＃１−２」のシンボルを割り当て、
時刻＆１、データキャリア＄３に「＃１−３」のシンボルを割り当て、
時刻＆１、データキャリア＄４に「＃１−４」のシンボルを割り当て、
時刻＆１、データキャリア＄５に「＃１−５」のシンボルを割り当て、
時刻＆１、データキャリア＄６に「＃１−６」のシンボルを割り当て、
・・・
時刻＆１、データキャリア＄３３４に「＃１−３３４」のシンボルを割り当て、
時刻＆１、データキャリア＄３３５に「＃２−３３５」のシンボルを割り当て、
時刻＆１、データキャリア＄３３６に「＃３−３３６」のシンボルを割り当てるものとする。
そして、
時刻＆２、データキャリア＄１に「＃２−１」のシンボルを割り当て、
時刻＆２、データキャリア＄２に「＃２−２」のシンボルを割り当て、
時刻＆２、データキャリア＄３に「＃２−３」のシンボルを割り当て、
時刻＆２、データキャリア＄４に「＃２−４」のシンボルを割り当て、
時刻＆２、データキャリア＄５に「＃２−５」のシンボルを割り当て、
時刻＆２、データキャリア＄６に「＃２−６」のシンボルを割り当て、
・・・
時刻＆２、データキャリア＄３３４に「＃２−３３４」のシンボルを割り当て、
時刻＆２、データキャリア＄３３５に「＃２−３３５」のシンボルを割り当て、
時刻＆２、データキャリア＄３３６に「＃２−３３６」のシンボルを割り当てるものとする。
【０８９７】
よって、時刻＆Ｍでは（Ｍは１以上の整数とする）、ブロック＃Ｍのデータを伝送する。
図１の送信装置において、一つのストリームの変調信号を送信する際、変調方式として、同相Ｉ−直交Ｑ平面において６４個の信号点がある変調方式（シンボル当たり６ビット伝送の変調方式）の例である６４ＱＡＭを設定でき、誤り訂正符号の符号長（ブロック長）として、６７２ビットと１３４４ビットを選択できるものとする。
【０８９８】
このとき、特徴的な点は、「誤り訂正符号の符号長（ブロック長）として、６７２ビットを指定したときと１３４４ビットを指定したときとでは、例えば、図６４の並び替え部６４０４における並び替え方法が異なる」という点である。なお、図６４の並び替え部６４０４の動作については、前に説明したとおりである。そして、誤り訂正符号の符号長（ブロック長）として、６７２ビットが指定されたとき、例えば、図６９となるような並び替えが行われ、誤り訂正符号の符号長（ブロック長）として、１３４４ビットが指定されたとき、例えば、図７６となるような並び替えが行われることになる。
【０８９９】
前で述べたようなフレーム構成を実現する、別の方法として、図１のインタリーバ１５３により実現する方法がある。
例えば、一つのストリームの変調信号を送信する際、「ｓ１（ｉ）の変調方式を６４ＱＡＭ（６４個の信号点がある変調方式）、ｓ２（ｉ）の変調方式を６４ＱＡＭ（６４個の信号点がある変調方式）」とし、「誤り訂正符号の符号長（ブロック長）を６７２ビット」と設定したときと「誤り訂正符号の符号長（ブロック長）を１３４４ビット」と設定したときでは、必要となるインタリーバのメモリ量が異なる。
【０９００】
一つのストリームの変調信号を送信する際、「誤り訂正符号の符号長（ブロック長）を６７２ビット」と設定したとき、必要となるメモリ量は２０１６ビットである。一方、「誤り訂正符号の符号長（ブロック長）を１３４４ビット」と設定したとき、必要となるメモリ量は１３４４ビット、あるいは、２０１６ビットである。
この点が特徴的な点となる。なお、このとき、並び替え部６４０４が必ず必要とは限らない。
【０９０１】
次に、（通信）相手の受信装置の動作について説明する。一例として、送信装置のフレーム構成を図２７に示す。
図２７（ａ）は、図１のアンテナ１１２Ａから送信される変調信号のフレーム構成、図２７（ｂ）は、図１のアンテナ１１２Ｂから送信される変調信号のフレーム構成を示している。図２７（ａ）、図２７（ｂ）において、横軸時間、縦軸周波数（キャリア）を示している。
【０９０２】
図２７（ａ）において、時間＄１ではプリアンブル２７０１Ａが送信される。そして、図２７（ｂ）においても、時間＄１ではプリアンブル２７０１Ｂが送信される。このとき、プリアンブル２７０１Ａおよびプリアンブル２７０１Ｂには、送信装置が送信する変調信号における送信方法、変調方式、誤り訂正符号の方式（符号化率・符号長など）などの情報が含まれており、受信装置は、この情報を得ることで、データシンボルの復調・復号が可能となる。なお、図２７では、プリアンブル２７０１Ａとプリアンブル２７０１Ｂが存在するようなプリアンブルの構成としているが、プリアンブル２７０１Ａ、プリアンブル２７０１Ｂのいずれか一方を送信するというような構成でもよい。また、プリアンブル２７０１Ａ、２７０１Ｂには、受信装置が信号を検出するためのシンボル、受信装置は周波数・時間同期を行うための信号、受信装置がＡＧＣ（Automatic Gain Control）を行うためのシンボル、受信装置が、伝搬路変動の推定を行うためのシンボルなどが含まれていてもよい。
【０９０３】
そして、図２７（ａ）において、時間＄１ではデータシンボル群２７０２Ａが送信される。そして、図２７（ｂ）においても、時間＄２ではデータシンボル群２７０２Ｂが送信される。なお、データシンボル群２７０２Ａおよびデータシンボル群２７０２Ｂはデータシンボル以外のシンボル、例えば、（チャネル推定を行うための）パイロットシンボルなどが含まれていてもよい。また、データシンボル群２７０２Ａと２７０２Ｂは、同一時間、同一周波数（帯）を用いて送信される。そして、データシンボル群２７０２Ａと２７０２Ｂは、呪術で説明したようなデータシンボルの配置、データの配置を満たしているものとする。さらに、位相変更を行う場合、上述で説明したような位相変更を行ってもよい。
【０９０４】
図２７（ａ）において、時間＄３ではプリアンブル２７０３Ａが送信される。そして、時間＄４ではデータシンボル群２７０４Ａが送信される。なお、プリアンブル、データシンボル群の構成については、上述で説明したとおりである。なお、時間＄３、時間＄４において、図２７（ｂ）では、シンボルを配置していないが、プリアンブル２７０３Ａに相当するシンボルを図１のアンテナ１１２Ｂから送信してもよいし、データシンボル群２７０４Ａに相当するシンボルを図１のアンテナ１１２Ｂから送信してもよい。
【０９０５】
図２８は、（通信）相手の受信装置の構成の一例を示している。
無線部２８０３Ｘは、アンテナ２８０１Ｘで受信した受信信号２８０２Ｘを入力とし、周波数変換等の処理を行い、受信ベースバンド信号２８０４Ｘを出力する。
無線部２８０３Ｙは、アンテナ２８０１Ｙで受信した受信信号２８０２Ｙを入力とし、周波数変換等の処理を行い、受信ベースバンド信号２８０４Ｙを出力する。
【０９０６】
変調信号ｚ１（ｕ１）のチャネル変動推定部２８０５＿１は、受信ベースバンド信号２８０４Ｘを入力とし、例えば、受信ベースバンド信号２８０４Ｘに含まれるパイロットシンボルを用いて、上述で説明した変調信号ｚ１（ｉ）（または、変調信号ｕ１（ｉ））のチャネル変動を推定し、チャネル推定信号２８０６＿１を出力する。
変調信号ｚ２（ｕ２）のチャネル変動推定部２８０５＿２は、受信ベースバンド信号２８０４Ｘを入力とし、例えば、受信ベースバンド信号２８０４Ｘに含まれるパイロットシンボルを用いて、上述で説明した変調信号ｚ２（ｉ）（または、変調信号ｕ２（ｉ））のチャネル変動を推定し、チャネル推定信号２８０６＿２を出力する。
【０９０７】
変調信号ｚ１（ｕ１）のチャネル変動推定部２８０７＿１は、受信ベースバンド信号２８０４Ｙを入力とし、例えば、受信ベースバンド信号２８０４Ｘに含まれるパイロットシンボルを用いて、上述で説明した変調信号ｚ１（ｉ）（または、変調信号ｕ１（ｉ））のチャネル変動を推定し、チャネル推定信号２８０８＿１を出力する。
変調信号ｚ２（ｕ２）のチャネル変動推定部２８０７＿２は、受信ベースバンド信号２８０４Ｙを入力とし、例えば、受信ベースバンド信号２８０４Ｘに含まれるパイロットシンボルを用いて、上述で説明した変調信号ｚ２（ｉ）（または、変調信号ｕ２（ｉ））のチャネル変動を推定し、チャネル推定信号２８０８＿２を出力する。
【０９０８】
制御情報復号部２８０９は、受信ベースバンド信号２８０４Ｘ、および、受信ベースバンド信号２８０４Ｙを入力とし、図２７におけるプリアンブルの復調・復号を行い、制御情報信号２８１０を出力する。
信号処理部２８１１は、チャネル推定信号２８０６＿１、２８０６＿２、２８０８＿１、２８０８＿２、受信ベースバンド信号２８０４Ｘ、２８０４Ｙ、制御情報信号２８１０を入力とし、制御情報信号２８１０に基づいて、上述で説明したデータシンボルの配置に基づき、データの並び替え（データシンボルの並び替え）を行い、また、制御情報信号２８１０に含まれる、送信パラメータ（送信方法、変調方式、誤り訂正符号の方法など）の情報に基づいて、復調、復号を行い、データ２８１２を得、出力する。
【０９０９】
なお、制御情報信号２８１０に含まれる、送信パラメータ（送信方法、変調方式、誤り訂正符号の方法など）の情報に基づいて、信号処理部２８１１に含まれるでインターリーバのメモリ量を切り替える機能があることになる。
以上のように、本実施の形態のようにデータキャリアにデータを配置することで、（通信）相手である受信装置におけるデータの受信品質が向上するという効果を得ることができ、また、位相変更を上述で説明したように位相変更を行うことで、（通信）相手である受信装置におけるデータの受信品質が向上するという効果を得ることができる。
【０９１０】
なお、実施の形態１、実施の形態４、本実施の形態において、１６ＱＡＭを適用して説明した内容については、１６ＱＡＭの代わりに１６ＡＰＳＫ（Amplitude Phase Shift Keying）や同相Ｉ−直交Ｑ平面において信号点が１６個存在する変調方式（シンボルあたり４ビット伝送の変調方式）を用いても同様に実施することができる。
【０９１１】
同様に、実施の形態１、実施の形態４、本実施の形態において、６４ＱＡＭを適用して説明した内容については、６４ＱＡＭの代わりに６４ＡＰＳＫや同相Ｉ−直交Ｑ平面において信号点が６４個存在する変調方式（シンボルあたり６ビット伝送の変調方式）を用いても同様に実施することができる。
（実施の形態６）
本実施の形態では、まず、実施の形態１、実施の形態４、実施の形態５で説明していない、
・変調方式をＱＰＳＫ、誤り訂正符号の符号長（ブロック長）を６７２ビット、シングルストリームによる伝送を行うときのシンボルの配置方法
・変調方式を１６ＱＡＭ、誤り訂正符号の符号長（ブロック長）を６７２ビット、シングルストリームによる伝送を行うときのシンボル配置方法
・変調方式をＱＰＳＫ、誤り訂正符号の符号長（ブロック長）を１３４４ビット、シングルストリームによる伝送を行うときのシンボル配置方法
・変調方式を１６ＱＡＭ、誤り訂正符号の符号長（ブロック長）を１３４４ビット、シングルストリームによる伝送を行うときのシンボル配置方法
について説明を行う。
・変調方式をＱＰＳＫ、誤り訂正符号の符号長（ブロック長）を１３４４ビット、ＭＩＭＯ伝送を行うときのシンボル配置方法
について説明を行う。
【０９１２】
＜変調方式をＱＰＳＫ、誤り訂正符号の符号長（ブロック長）を６７２ビット、シングルストリームによる伝送を行うときのシンボルの配置方法＞
図７７に、一つストリームにおける変調方式を同相Ｉ−直交Ｑ平面において４個の信号点がある変調方式（シンボル当たり２ビット伝送の変調方式）の例であるＱＰＳＫとしたときのデータキャリアへの配置例を示している。ここでは、一例として誤り訂正符号のブロック長（符号長）を６７２ビットとする。そして、誤り訂正符号化された６７２ビットで構成された第１のブロックに対しブロック＃１と名付け「＃１」と記載する。したがって、誤り訂正符号化された６７２ビットで構成された第Ｎ（Ｎは１以上の整数とする。）のブロックに対しブロック＃Ｎと名付け「＃Ｎ」と記載する。
【０９１３】
ＱＰＳＫを適用したとき、ブロック＃Ｎから３３６シンボルが生成される。したがって、ブロック＃１から生成された３３６シンボルを「＃１−１」、「＃１−２」、「＃１−３」、「＃１−４」、・・・、「＃１−３３４」、「＃１−３３５」、「＃１−３３６」と示す。よって、ブロック＃Ｎから生成された３３６シンボルを「＃Ｎ−１」、「＃Ｎ−２」、「＃Ｎ−３」、「＃Ｎ−４」、・・・、「＃Ｎ−３３４」、「＃Ｎ−３３５」、「＃Ｎ−３３６」とあらわす。
【０９１４】
図７７は、横軸周波数、縦軸時間とし、データキャリアを並べたときを示している。このとき、データキャリアは上述と同様に、データキャリア＄１からデータキャリア＄３３６が存在している。
そして、図７６に示すように、
時刻＆１、データキャリア＄１に「＃１−１」のシンボルを割り当て、
時刻＆１、データキャリア＄２に「＃１−２」のシンボルを割り当て、
時刻＆１、データキャリア＄３に「＃１−３」のシンボルを割り当て、
時刻＆１、データキャリア＄４に「＃１−４」のシンボルを割り当て、
時刻＆１、データキャリア＄５に「＃１−５」のシンボルを割り当て、
時刻＆１、データキャリア＄６に「＃１−６」のシンボルを割り当て、
・・・
時刻＆１、データキャリア＄３３４に「＃１−３３４」のシンボルを割り当て、
時刻＆１、データキャリア＄３３５に「＃２−３３５」のシンボルを割り当て、
時刻＆１、データキャリア＄３３６に「＃３−３３６」のシンボルを割り当てるものとする。
そして、
時刻＆２、データキャリア＄１に「＃２−１」のシンボルを割り当て、
時刻＆２、データキャリア＄２に「＃２−２」のシンボルを割り当て、
時刻＆２、データキャリア＄３に「＃２−３」のシンボルを割り当て、
時刻＆２、データキャリア＄４に「＃２−４」のシンボルを割り当て、
時刻＆２、データキャリア＄５に「＃２−５」のシンボルを割り当て、
時刻＆２、データキャリア＄６に「＃２−６」のシンボルを割り当て、
・・・
時刻＆２、データキャリア＄３３４に「＃２−３３４」のシンボルを割り当て、
時刻＆２、データキャリア＄３３５に「＃２−３３５」のシンボルを割り当て、
時刻＆２、データキャリア＄３３６に「＃２−３３６」のシンボルを割り当てるものとする。
【０９１５】
よって、時刻＆Ｍでは（Ｍは１以上の整数とする）、ブロック＃Ｍのデータを伝送する。
＜変調方式を１６ＱＡＭ、誤り訂正符号の符号長（ブロック長）を６７２ビット、シングルストリームによる伝送を行うときのシンボル配置方法＞
図７８に、一つストリームにおける変調方式を同相Ｉ−直交Ｑ平面において１６個の信号点がある変調方式（シンボル当たり４ビット伝送の変調方式）の例である１６ＱＡＭとしたときのデータキャリアへの配置例を示している。ここでは、一例として誤り訂正符号のブロック長（符号長）を６７２ビットとする。そして、誤り訂正符号化された６７２ビットで構成された第１のブロックに対しブロック＃１と名付け「＃１」と記載する。したがって、誤り訂正符号化された６７２ビットで構成された第Ｎ（Ｎは１以上の整数とする。）のブロックに対しブロック＃Ｎと名付け「＃Ｎ」と記載する。
【０９１６】
１６ＱＡＭを適用したとき、ブロック＃Ｎから１６８シンボルが生成される。したがって、ブロック＃１から生成された１６８シンボルを「＃１−１」、「＃１−２」、「＃１−３」、「＃１−４」、・・・、「＃１−１６６」、「＃１−１６７」、「＃１−１６８」と示す。よって、ブロック＃Ｎから生成された１６８シンボルを「＃Ｎ−１」、「＃Ｎ−２」、「＃Ｎ−３」、「＃Ｎ−４」、・・・、「＃Ｎ−１６６」、「＃Ｎ−１６７」、「＃Ｎ−１６８」とあらわす。
【０９１７】
図７８は、横軸周波数とし、データキャリアを並べたときを示している。このとき、データキャリアは上述と同様に、データキャリア＄１からデータキャリア＄３３６が存在している。
そして、図７８に示すように、
データキャリア＄１に「＃１−１」のシンボルを割り当て、
データキャリア＄２に「＃２−１」のシンボルを割り当て、
データキャリア＄３に「＃１−２」のシンボルを割り当て、
データキャリア＄４に「＃２−２」のシンボルを割り当て、
データキャリア＄５に「＃１−３」のシンボルを割り当て、
データキャリア＄６に「＃２−３」のシンボルを割り当て、
・・・
データキャリア＄３３３に「＃１−１６７」のシンボルを割り当て、
データキャリア＄３３４に「＃２−１６７」のシンボルを割り当て、
データキャリア＄３３５に「＃１−１６８」のシンボルを割り当て、
データキャリア＄３３６に「＃２−１６８」のシンボルを割り当てるものとする。
【０９１８】
以上が、時刻＆１のシンボル配置となる。したがって、データキャリアの番号を２で除算したときのあまりが１のときのシンボルは、ブロック＃１のデータを伝送しており、
データキャリアの番号を２で除算したときの余りが０のときのシンボルは、ブロック＃２のデータを伝送する。
時刻＆２では、以下のような配置を行うことになる。
【０９１９】
データキャリアの番号を２で除算したときの余りが１のときのシンボルは、ブロック＃３のデータを伝送しており、
データキャリアの番号を２で除算したときの余りが０のときのシンボルは、ブロック＃４のデータを伝送する。
【０９２０】
よって、時刻＆Ｍでは（Ｍは１以上の整数とする）、以下のような配置を行うことになる。
データキャリアの番号を２で除算したときの余りが１のときのシンボルは、ブロック＃（２Ｍ−１）のデータを伝送しており、
データキャリアの番号を２で除算したときの余りが０のときのシンボルは、ブロック＃（２Ｍ）のデータを伝送する。
【０９２１】
図７８のようなフレーム構成で送信装置が、変調信号を送信する場合、図８を用いてマルチパスによる受信電界強度の低い部分図８の８０１の悪影響を、受けづらい。したがって、データの受信品質が向上するという効果を得ることができる可能性が高い。
＜変調方式をＱＰＳＫ、誤り訂正符号の符号長（ブロック長）を１３４４ビット、シングルストリームによる伝送を行うときのシンボル配置方法＞
図７９に、一つストリームにおける変調方式を同相Ｉ−直交Ｑ平面において４個の信号点がある変調方式（シンボル当たり２ビット伝送の変調方式）の例であるＱＰＳＫとしたときのデータキャリアへの配置例を示している。ここでは、一例として誤り訂正符号のブロック長（符号長）を１３４４ビットとする。そして、誤り訂正符号化された１３４４ビットで構成された第１のブロックに対しブロック＃１と名付け「＃１」と記載する。したがって、誤り訂正符号化された１３４４ビットで構成された第Ｎ（Ｎは１以上の整数とする。）のブロックに対しブロック＃Ｎと名付け「＃Ｎ」と記載する。
【０９２２】
ＱＰＳＫを適用したとき、ブロック＃Ｎから６７２シンボルが生成される。したがって、ブロック＃１から生成された６７２シンボルを「＃１−１」、「＃１−２」、「＃１−３」、「＃１−４」、・・・、「＃１−６７０」、「＃１−６７１」、「＃１−６７２」と示す。よって、ブロック＃Ｎから生成された６７２シンボルを「＃Ｎ−１」、「＃Ｎ−２」、「＃Ｎ−３」、「＃Ｎ−４」、・・・、「＃Ｎ−６７０」、「＃Ｎ−６７１」、「＃Ｎ−６７２」とあらわす。
【０９２３】
図７９は、横軸周波数、縦軸時間とし、データキャリアを並べたときを示している。このとき、データキャリアは上述と同様に、データキャリア＄１からデータキャリア＄３３６が存在している。
そして、図７９に示すように、
時刻＆１、データキャリア＄１に「＃１−１」のシンボルを割り当て、
時刻＆１、データキャリア＄２に「＃１−２」のシンボルを割り当て、
時刻＆１、データキャリア＄３に「＃１−３」のシンボルを割り当て、
時刻＆１、データキャリア＄４に「＃１−４」のシンボルを割り当て、
時刻＆１、データキャリア＄５に「＃１−５」のシンボルを割り当て、
時刻＆１、データキャリア＄６に「＃１−６」のシンボルを割り当て、
・・・
時刻＆１、データキャリア＄３３４に「＃１−３３４」のシンボルを割り当て、
時刻＆１、データキャリア＄３３５に「＃１−３３５」のシンボルを割り当て、
時刻＆１、データキャリア＄３３６に「＃１−３３６」のシンボルを割り当てるものとする。
そして、
時刻＆２、データキャリア＄１に「＃１−３３７」のシンボルを割り当て、
時刻＆２、データキャリア＄２に「＃１−３３８」のシンボルを割り当て、
時刻＆２、データキャリア＄３に「＃１−３３９」のシンボルを割り当て、
時刻＆２、データキャリア＄４に「＃１−３４０」のシンボルを割り当て、
時刻＆２、データキャリア＄５に「＃１−３４１」のシンボルを割り当て、
時刻＆２、データキャリア＄６に「＃１−３４２」のシンボルを割り当て、
・・・
時刻＆２、データキャリア＄３３４に「＃１−６７０」のシンボルを割り当て、
時刻＆２、データキャリア＄３３５に「＃１−６７１」のシンボルを割り当て、
時刻＆２、データキャリア＄３３６に「＃１−６７２」のシンボルを割り当てるものとする。
【０９２４】
したがって、時刻＆１、時刻＆２において、ブロック＃１のデータを伝送する。
よって、時刻＆（２Ｍ−１）、時刻＆２Ｍでは（Ｍは１以上の整数とする）、ブロック＃Ｍのデータを伝送する。
【０９２５】
＜変調方式を１６ＱＡＭ、誤り訂正符号の符号長（ブロック長）を１３４４ビット、シングルストリームによる伝送を行うときのシンボル配置方法＞
図８０に、一つストリームにおける変調方式を同相Ｉ−直交Ｑ平面において１６個の信号点がある変調方式（シンボル当たり４ビット伝送の変調方式）の例である１６ＱＡＭとしたときのデータキャリアへの配置例を示している。ここでは、一例として誤り訂正符号のブロック長（符号長）を１３４４ビットとする。そして、誤り訂正符号化された１３４４ビットで構成された第１のブロックに対しブロック＃１と名付け「＃１」と記載する。したがって、誤り訂正符号化された１３４４ビットで構成された第Ｎ（Ｎは１以上の整数とする。）のブロックに対しブロック＃Ｎと名付け「＃Ｎ」と記載する。
【０９２６】
１６ＱＡＭを適用したとき、ブロック＃Ｎから３３６シンボルが生成される。したがって、ブロック＃１から生成された３３６シンボルを「＃１−１」、「＃１−２」、「＃１−３」、「＃１−４」、・・・、「＃１−３３４」、「＃１−３３５」、「＃１−３３６」と示す。よって、ブロック＃Ｎから生成された３３６シンボルを「＃Ｎ−１」、「＃Ｎ−２」、「＃Ｎ−３」、「＃Ｎ−４」、・・・、「＃Ｎ−３３４」、「＃Ｎ−３３５」、「＃Ｎ−３３６」とあらわす。
【０９２７】
図８０は、横軸周波数、縦軸時間とし、データキャリアを並べたときを示している。このとき、データキャリアは上述と同様に、データキャリア＄１からデータキャリア＄３３６が存在している。
そして、図８０に示すように、
時刻＆１、データキャリア＄１に「＃１−１」のシンボルを割り当て、
時刻＆１、データキャリア＄２に「＃１−２」のシンボルを割り当て、
時刻＆１、データキャリア＄３に「＃１−３」のシンボルを割り当て、
時刻＆１、データキャリア＄４に「＃１−４」のシンボルを割り当て、
時刻＆１、データキャリア＄５に「＃１−５」のシンボルを割り当て、
時刻＆１、データキャリア＄６に「＃１−６」のシンボルを割り当て、
・・・
時刻＆１、データキャリア＄３３４に「＃１−３３４」のシンボルを割り当て、
時刻＆１、データキャリア＄３３５に「＃２−３３５」のシンボルを割り当て、
時刻＆１、データキャリア＄３３６に「＃３−３３６」のシンボルを割り当てるものとする。
そして、
時刻＆２、データキャリア＄１に「＃２−１」のシンボルを割り当て、
時刻＆２、データキャリア＄２に「＃２−２」のシンボルを割り当て、
時刻＆２、データキャリア＄３に「＃２−３」のシンボルを割り当て、
時刻＆２、データキャリア＄４に「＃２−４」のシンボルを割り当て、
時刻＆２、データキャリア＄５に「＃２−５」のシンボルを割り当て、
時刻＆２、データキャリア＄６に「＃２−６」のシンボルを割り当て、
・・・
時刻＆２、データキャリア＄３３４に「＃２−３３４」のシンボルを割り当て、
時刻＆２、データキャリア＄３３５に「＃２−３３５」のシンボルを割り当て、
時刻＆２、データキャリア＄３３６に「＃２−３３６」のシンボルを割り当てるものとする。
【０９２８】
よって、時刻＆Ｍでは（Ｍは１以上の整数とする）、ブロック＃Ｍのデータを伝送する。

＜変調方式をＱＰＳＫ、誤り訂正符号の符号長（ブロック長）を１３４４ビット、ＭＩＭＯ伝送を行うときのシンボル配置方法＞
図８１に、ストリームｓ１（ｉ）の変調方式を同相Ｉ−直交Ｑ平面において４個の信号点がある変調方式（シンボル当たり２ビット伝送の変調方式）の例であるＱＰＳＫ、ストリームｓ２（ｉ）の変調方式を同相Ｉ−直交Ｑ平面において４個の信号点がある変調方式（シンボル当たり２ビット伝送の変調方式）の例であるＱＰＳＫとしたときのデータキャリアへの配置例を示している。ここでは、一例として、誤り訂正符号のブロック長（符号長）を１３４４ビットとする。そして、誤り訂正符号化された１３４４ビットで構成された第１のブロックに対しブロック＃１と名付け「＃１」と記載する。したがって、誤り訂正符号化された１３４４ビットで構成された第Ｎ（Ｎは１以上の整数とする。）のブロックに対しブロック＃Ｎと名付け「＃Ｎ」と記載する。
【０９２９】
ＱＰＳＫを適用したとき、ブロック＃Ｎから６７２のシンボルが生成される。図８１では、ブロック＃１から生成された６７２のシンボルを「＃１−１」、「＃１−２」、「＃１−３」、「＃１−４」、・・・、「＃１−６７０」、「＃１−６７１」、「＃１−６７２」と示している。したがって、ブロック＃Ｎから生成された３３６のシンボルを「＃Ｎ−１」、「＃Ｎ−２」、「＃Ｎ−３」、「＃Ｎ−４」、・・・、「＃Ｎ−６７０」、「＃Ｎ−６７１」、「＃Ｎ−６７２」とあらわすことになる。
【０９３０】
また、図８１に、横軸周波数とし、データキャリアを並べたときを示している。ストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在している。
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０９３１】
そして、図８１に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃１−３」のシンボルを割り当て、ストリーム２（ｓ２（ｉ））のデータキャリア＄２に「＃１−４」のシンボルを割り当て、ストリーム１（ｓ１（ｉ））のデータキャリア＄３に「＃１−５」のシンボルを割り当て、ストリーム２（ｓ２（ｉ））のデータキャリア＄３に「＃１−６」のシンボルを割り当てるという規則にしたがい、シンボルの割り当てるとする。すると、ブロック＃１のデータは、ストリーム１（ｓ１（ｉ））のデータキャリア＄１から＄３３６、および、ストリーム２（ｓ２（ｉ））のデータキャリア＄１から＄３３６を用いて、送信装置が送信することになる。
【０９３２】
以上が、時刻＆１のシンボルの配置とする。同様に、シンボル配置を行うと、時刻＆２では、以下のような配置を行うことになる。
・ブロック＃２のデータは、ストリーム１（ｓ１（ｉ））のデータキャリア＄１から＄３３６、および、ストリーム２（ｓ２（ｉ））のデータキャリア＄１から＄３３６を用いて、送信装置が送信する。
【０９３３】
したがって、時刻＆Ｍでは（Ｍは１以上の整数とする）、以下のような配置を行うことになる。
・ブロック＃Ｍのデータは、ストリーム１（ｓ１（ｉ））のデータキャリア＄１から＄３３６、および、ストリーム２（ｓ２（ｉ））のデータキャリア＄１から＄３３６を用いて、送信装置が送信する。
【０９３４】

次に、図１の送信装置が、図２７のフレーム構成で変調信号を送信し、図１の送信装置の通信相手である図２８の受信装置が受信する場合のシステムの具体的な動作例について説明する。
＜送信方法１＞
実施の形態１、実施の形態４、本実施の形態で説明した、以下のモードを図１の送信装置が選択し、変調信号を送信するものとする。
【０９３５】
モード＃１：
ＯＦＤＭなどのマルチキャリア方式を使用し、変調方式ＱＰＳＫ、誤り訂正符号の符号長（ブロック長）６７２ビット、シングルストリームによる伝送
モード＃２：
ＯＦＤＭなどのマルチキャリア方式を使用し、変調方式１６ＱＡＭ、誤り訂正符号の符号長（ブロック長）６７２ビット、シングルストリームによる伝送
モード＃３：
ＯＦＤＭなどのマルチキャリア方式を使用し、変調方式６４ＱＡＭ、誤り訂正符号の符号長（ブロック長）６７２ビット、シングルストリームによる伝送
モード＃４：
ＯＦＤＭなどのマルチキャリア方式を使用し、変調方式ＱＰＳＫ、誤り訂正符号の符号長（ブロック長）１３４４ビット、シングルストリームによる伝送
モード＃５：
ＯＦＤＭなどのマルチキャリア方式を使用し、変調方式１６ＱＡＭ、誤り訂正符号の符号長（ブロック長）１３４４ビット、シングルストリームによる伝送
モード＃６：
ＯＦＤＭなどのマルチキャリア方式を使用し、変調方式６４ＱＡＭ、誤り訂正符号の符号長（ブロック長）１３４４ビット、シングルストリームによる伝送
モード＃７：
ＯＦＤＭなどのマルチキャリア方式を使用し、変調方式ＱＰＳＫ、誤り訂正符号の符号長（ブロック長）６７２ビット、ＭＩＭＯ方式による伝送
モード＃８：
ＯＦＤＭなどのマルチキャリア方式を使用し、変調方式１６ＱＡＭ、誤り訂正符号の符号長（ブロック長）６７２ビット、ＭＩＭＯ方式による伝送
モード＃９：
ＯＦＤＭなどのマルチキャリア方式を使用し、変調方式６４ＱＡＭ、誤り訂正符号の符号長（ブロック長）６７２ビット、ＭＩＭＯ方式による伝送
モード＃１０：
ＯＦＤＭなどのマルチキャリア方式を使用し、変調方式ＱＰＳＫ、誤り訂正符号の符号長（ブロック長）１３４４ビット、ＭＩＭＯ方式による伝送
モード＃１１：
ＯＦＤＭなどのマルチキャリア方式を使用し、変調方式１６ＱＡＭ、誤り訂正符号の符号長（ブロック長）１３４４ビット、ＭＩＭＯ方式による伝送
モード＃１２：
ＯＦＤＭなどのマルチキャリア方式を使用し、変調方式６４ＱＡＭ、誤り訂正符号の符号長（ブロック長）１３４４ビット、ＭＩＭＯ方式による伝送
ただし、図１の送信装置を用いて、シングルストリームを送信する場合、例えば、マッピング部１０６Ａで生成した変調信号をアンテナ１１２Ａで送信するものとする。（マッピング部１０６Ｂは動作せず、アンテナ１１２Ｂからは変調信号を送信しない。）（なお、シングルストリームを送信する場合、例えば、マッピング部１０６Ａで生成した変調信号を、複数アンテナを用いて送信してもよい。（アンテナ１１２Ｂを使用してもよい））
前にも記載したように、図２７は、図１の送信装置が送信する変調信号のフレーム構成の一例である。このとき、プリアンブル２７０１Ａ、２７０１Ｂ、２７０３Ａには、通信相手の図２８の受信装置に伝送するための制御情報シンボルを含んでいるものとする。
【０９３６】
そして、プリアンブル２７０１Ａ、２７０１Ｂ、２７０３Ａに含まれている制御情報シンボルには、制御情報として、以下のシンボルが含まれているものとする。
変調方式に関するシンボル：
図２７におけるデータシンボル群を生成するために使用した変調信号の情報を伝送するためのシンボル。
【０９３７】
誤り訂正符号に関するシンボル：
図２７におけるデータシンボル群を生成するために使用した誤り訂正符号に関する情報を伝送するためのシンボル。例えば、使用する誤り訂正符号の情報、符号化率の情報、ブロック長（符号長）などの情報を含んでいるものとする。
【０９３８】
送信方法に関するシンボル：
図２７におけるデータシンボル群を生成するために使用した送信方法に関する情報を伝送するためのシンボル。例えば、「シングルストリーム伝送を用いたか、あるいは、ＭＩＭＯ伝送方式を用いたか、の情報」、「送信するストリーム数に関する情報」などを含んでいるものとする。
【０９３９】
図１の制御情報信号生成部１１６Ｚは、フレーム構成信号１１３、送信方法に関する情報の信号１１５を入力とし、「変調方式に関するシンボル」、「誤り訂正符号に関するシンボル」、「送信方法に関するシンボル」などを生成し、制御情報信号１１７Ｚを出力する。なお、制御情報信号１１７Ｚは、上で説明した制御情報シンボルに相当する信号となる。
【０９４０】
図２８の通信相手の受信装置の制御情報復号部２８０９は、受信ベースバンド信号２８０４Ｘ、２８０４Ｙを入力とし、図２７におけるプリアンブル（例えば、２７０１Ａ、２７０１Ｂ、２７０３Ａ）に含まれる制御情報シンボルの復調・復号を行い、例えば、「変調方式に関するシンボル」、「誤り訂正符号に関するシンボル」、「送信方法に関するシンボル」を得る。
【０９４１】
そして、制御情報復号部２８０９は、「変調方式に関するシンボル」、「誤り訂正符号に関するシンボル」、「送信方法に関するシンボル」から、図２７におけるデータシンボル群（例えば、２７０２Ａ、２７０２Ｂ、２７０４Ａ）が上で説明した「モード＃１からモード＃１２」のいずれのモードのデータシンボル群であるか、を推定する。
制御情報復号部２８０９は、モードを推定することで、データシンボル群において、データシンボルが、周波数軸、時間軸において、どのような配置となっているかを知り、シンボルの配置の情報を含む制御情報信号２８１０を出力する。なお、周波数軸、時間軸におけるシンボルの配置については、実施の形態１、実施の形態４、本実施の形態で説明したとおりである。また、制御情報信号２８１０は、「変調方式に関するシンボル」に含まれている情報、「誤り訂正符号に関するシンボル」に含まれている情報、「送信方法に関するシンボル」に含まれている情報を含んでいるものとする。
【０９４２】
図２８の信号処理部２８１１は、制御情報信号２８１０を入力とし、制御情報信号２８１０に含まれる情報に基づいて、データシンボルの復調・復号を行い、データ２８１２を出力することになる。
また、図１の送信装置は、ＯＦＤＭの変調信号を送信するだけでなく、シングルキャリア方式の変調信号を送信することも可能であり、「ＯＦＤＭの変調信号の送信」と「シングルキャリア方式の変調信号の送信」の切り替えが可能であるものとする。（無線部１１０Ａ、１１０Ｂは、ＯＦＤＭ用の動作、シングルキャリア方式用の動作の両者に対応していることになる。）
そして、図２７において、例えば、プリアンブル２７０１Ａ、２７０１Ｂの（時間的）前に、シングルキャリア方式により形成された制御情報シンボルを配置し、この制御情報シンボルには、「プリアンブル２７０１Ａ、２７０１Ｂ、および、データシンボル群２７０２Ａ、２７０２Ｂが、シングルキャリア方式のシンボルであるか、ＯＦＤＭのシンボルであるのかを示す制御情報」が含まれているものとする。
【０９４３】
また、プリアンブル２７０３Ａの（時間的）前に、シングルキャリア方式により形成された制御情報シンボルを配置し、この制御情報シンボルには、「プリアンブル２７０３Ａ、および、データシンボル群２７０４Ａが、シングルキャリア方式のシンボルであるか、ＯＦＤＭのシンボルであるかを示す制御情報」が含まれているものとする。
なお、データシンボル群が、ＯＦＤＭのシンボルであるとき、モード＃１からモード＃１２のいずれかのシンボルであり、このときの実施方法については、実施の形態１、実施の形態４、本実施の形態で説明したとおりである。
【０９４４】
このとき、通信相手の図２８の受信装置の制御情報復号部２８０９は、「シンボルキャリア方式のシンボルであるか、ＯＦＤＭのシンボルであるのかを示す制御情報」を、復調・復号することにより得、出力するものとする。（したがって、制御情報信号２８１０には、「シンボルキャリア方式のシンボルであるか、ＯＦＤＭのシンボルであるのかを示す制御情報」が含まれていることになる。）
そして、信号処理部２８１１は、制御情報信号２８１０に含まれる「シンボルキャリア方式のシンボルであるか、ＯＦＤＭのシンボルであるのかを示す制御情報」に基づいて、データシンボルの復調・復号を行うことになる。なお、「シンボルキャリア方式のシンボルであるか、ＯＦＤＭのシンボルであるのかを示す制御情報」が、「ＯＦＤＭ」と示している場合の動作については、前に説明したとおりである。
【０９４５】
以上の説明のように、モード＃１からモード＃１２いずれかで図１の送信装置が変調信号を送信することで、各モードにおいて、送受信装置ともに、記憶部の容量を少なくすることができるという効果を得ることができるとともに、各モードで、高いデータの受信品質を得ることができるという効果を得ることができる。なお、各モードにおいて、符号化ブロックとキャリアの関係は、実施の形態１、実施の形態４、本実施の形態で説明したものに限ったものではなく、別の割り当てを行ってもよい。（ただし、ある時間（例えば、図７０の時刻＆１）に存在する符号化ブロックについては、これまでの説明どおり変わらないものとする。（つまり、符号化ブロックのキャリアへの割り当ては、実施の形態１、実施の形態４、本実施の形態で説明と異なっていてもよい。）
また、図１の送信装置は、モード＃１からモード＃１２のうちで選択可能な変調方式のうち、いずれか２つ以上の変調方式を選択することができる場合についても、同様の効果を得ることが可能である。
【０９４６】
＜送信方法２＞
実施の形態１、実施の形態５、本実施の形態で説明した、以下のモードを図１の送信装置が選択し、変調信号を送信するものとする。
【０９４７】
モード＄１：
ＯＦＤＭなどのマルチキャリア方式を使用し、変調方式ＱＰＳＫ、誤り訂正符号の符号長（ブロック長）６７２ビット、シングルストリームによる伝送
モード＄２：
ＯＦＤＭなどのマルチキャリア方式を使用し、変調方式１６ＱＡＭ、誤り訂正符号の符号長（ブロック長）６７２ビット、シングルストリームによる伝送
モード＄３：
ＯＦＤＭなどのマルチキャリア方式を使用し、変調方式６４ＱＡＭ、誤り訂正符号の符号長（ブロック長）６７２ビット、シングルストリームによる伝送
モード＄４：
ＯＦＤＭなどのマルチキャリア方式を使用し、変調方式ＱＰＳＫ、誤り訂正符号の符号長（ブロック長）１３４４ビット、シングルストリームによる伝送
モード＄５：
ＯＦＤＭなどのマルチキャリア方式を使用し、変調方式１６ＱＡＭ、誤り訂正符号の符号長（ブロック長）１３４４ビット、シングルストリームによる伝送
モード＄６：
ＯＦＤＭなどのマルチキャリア方式を使用し、変調方式６４ＱＡＭ、誤り訂正符号の符号長（ブロック長）１３４４ビット、シングルストリームによる伝送
モード＄７：
ＯＦＤＭなどのマルチキャリア方式を使用し、変調方式ＱＰＳＫ、誤り訂正符号の符号長（ブロック長）６７２ビット、ＭＩＭＯ方式による伝送
モード＄８：
ＯＦＤＭなどのマルチキャリア方式を使用し、変調方式１６ＱＡＭ、誤り訂正符号の符号長（ブロック長）６７２ビット、ＭＩＭＯ方式による伝送
モード＄９：
ＯＦＤＭなどのマルチキャリア方式を使用し、変調方式６４ＱＡＭ、誤り訂正符号の符号長（ブロック長）６７２ビット、ＭＩＭＯ方式による伝送
モード＄１０：
ＯＦＤＭなどのマルチキャリア方式を使用し、変調方式ＱＰＳＫ、誤り訂正符号の符号長（ブロック長）１３４４ビット、ＭＩＭＯ方式による伝送
モード＄１１：
ＯＦＤＭなどのマルチキャリア方式を使用し、変調方式１６ＱＡＭ、誤り訂正符号の符号長（ブロック長）１３４４ビット、ＭＩＭＯ方式による伝送
モード＄１２：
ＯＦＤＭなどのマルチキャリア方式を使用し、変調方式６４ＱＡＭ、誤り訂正符号の符号長（ブロック長）１３４４ビット、ＭＩＭＯ方式による伝送
ただし、図１の送信装置を用いて、シングルストリームを送信する場合、例えば、マッピング部１０６Ａで生成した変調信号をアンテナ１１２Ａで送信するものとする。（マッピング部１０６Ｂは動作せず、アンテナ１１２Ｂからは変調信号を送信しない。）（なお、シングルストリームを送信する場合、例えば、マッピング部１０６Ａで生成した変調信号を、複数アンテナを用いて送信してもよい（アンテナ１１２Ｂを使用してもよい））
前にも記載したように、図２７は、図１の送信装置が送信する変調信号のフレーム構成の一例である。このとき、プリアンブル２７０１Ａ、２７０１Ｂ、２７０３Ａには、通信相手の図２８の受信装置に伝送するための制御情報シンボルを含んでいるものとする。
【０９４８】
そして、プリアンブル２７０１Ａ、２７０１Ｂ、２７０３Ａに含まれている制御情報シンボルには、制御情報として、以下のシンボルが含まれているものとする。
変調方式に関するシンボル：
図２７におけるデータシンボル群を生成するために使用した変調信号の情報を伝送するためのシンボル。
【０９４９】
誤り訂正符号に関するシンボル：
図２７におけるデータシンボル群を生成するために使用した誤り訂正符号に関する情報を伝送するためのシンボル。例えば、使用する誤り訂正符号の情報、符号化率の情報、ブロック長（符号長）などの情報を含んでいるものとする。
【０９５０】
送信方法に関するシンボル：
図２７におけるデータシンボル群を生成するために使用した送信方法に関する情報を伝送するためのシンボル。例えば、「シングルストリーム伝送を用いたか、あるいは、ＭＩＭＯ伝送方式を用いたか、の情報」、「送信するストリーム数に関する情報」などを含んでいるものとする。
【０９５１】
図１の制御情報信号生成部１１６Ｚは、フレーム構成信号１１３、送信方法に関する情報の信号１１５を入力とし、「変調方式に関するシンボル」、「誤り訂正符号に関するシンボル」、「送信方法に関するシンボル」などを生成し、制御情報信号１１７Ｚを出力する。なお、制御情報信号１１７Ｚは、上で説明した制御情報シンボルに相当する信号となる。
【０９５２】
図２８の通信相手の受信装置の制御情報復号部２８０９は、受信ベースバンド信号２８０４Ｘ、２８０４Ｙを入力とし、図２７におけるプリアンブル（例えば、２７０１Ａ、２７０１Ｂ、２７０３Ａ）に含まれる制御情報シンボルの復調・復号を行い、例えば、「変調方式に関するシンボル」、「誤り訂正符号に関するシンボル」、「送信方法に関するシンボル」を得る。
【０９５３】
そして、制御情報復号部２８０９は、「変調方式に関するシンボル」、「誤り訂正符号に関するシンボル」、「送信方法に関するシンボル」から、図２７におけるデータシンボル群（例えば、２７０２Ａ、２７０２Ｂ、２７０４Ａ）が上で説明した「モード＄１からモード＄１２」のいずれのモードのデータシンボル群であるか、を推定する。
制御情報復号部２８０９は、モードを推定することで、データシンボル群において、データシンボルが、周波数軸、時間軸において、どのような配置となっているか、また、既知データの挿入、または、ヌルシンボルの挿入が行われているか、を知り、シンボルの配置の情報、既知データの挿入、または、ヌルシンボルの挿入の情報を含む制御情報信号２８１０を出力する。なお、周波数軸、時間軸におけるシンボルの配置、既知データの挿入、または、ヌルシンボルの挿入の方法については、実施の形態１、実施の形態５、本実施の形態で説明したとおりである。また、制御情報信号２８１０は、「変調方式に関するシンボル」に含まれている情報、「誤り訂正符号に関するシンボル」に含まれている情報、「送信方法に関するシンボル」に含まれている情報を含んでいるものとする。
【０９５４】
図２８の信号処理部２８１１は、制御情報信号２８１０を入力とし、制御情報信号２８１０に含まれる情報に基づいて、データシンボルの復調・復号を行い、データ２８１２を出力することになる。
また、図１の送信装置は、ＯＦＤＭの変調信号を送信するだけでなく、シングルキャリア方式の変調信号を送信することも可能であり、「ＯＦＤＭの変調信号の送信」と「シングルキャリア方式の変調信号の送信」の切り替えが可能であるものとする。（無線部１１０Ａ、１１０Ｂは、ＯＦＤＭ用の動作、シングルキャリア方式用の動作の両者に対応していることになる。）
そして、図２７において、例えば、プリアンブル２７０１Ａ、２７０１Ｂの（時間的）前に、シングルキャリア方式により形成された制御情報シンボルを配置し、この制御情報シンボルには、「プリアンブル２７０１Ａ、２７０１Ｂ、および、データシンボル群２７０２Ａ、２７０２Ｂが、シングルキャリア方式のシンボルであるか、ＯＦＤＭのシンボルであるのかを示す制御情報」が含まれているものとする。
【０９５５】
また、プリアンブル２７０３Ａの（時間的）前に、シングルキャリア方式により形成された制御情報シンボルを配置し、この制御情報シンボルには、「プリアンブル２７０３Ａ、および、データシンボル群２７０４Ａが、シングルキャリア方式のシンボルであるか、ＯＦＤＭのシンボルであるかを示す制御情報」が含まれているものとする。
なお、データシンボル群が、ＯＦＤＭのシンボルであるとき、モード＄１からモード＄１２のいずれかのシンボルであり、このときの実施方法については、実施の形態１、実施の形態５、本実施の形態で説明したとおりである。
【０９５６】
このとき、通信相手の図２８の受信装置の制御情報復号部２８０９は、「シンボルキャリア方式のシンボルであるか、ＯＦＤＭのシンボルであるのかを示す制御情報」を、復調・復号することにより得、出力するものとする。（したがって、制御情報信号２８１０には、「シンボルキャリア方式のシンボルであるか、ＯＦＤＭのシンボルであるのかを示す制御情報」が含まれていることになる。）
そして、信号処理部２８１１は、制御情報信号２８１０に含まれる「シンボルキャリア方式のシンボルであるか、ＯＦＤＭのシンボルであるのかを示す制御情報」に基づいて、データシンボルの復調・復号を行うことになる。なお、「シンボルキャリア方式のシンボルであるか、ＯＦＤＭのシンボルであるのかを示す制御情報」が、「ＯＦＤＭ」と示している場合の動作については、前に説明したとおりである。
【０９５７】
以上の説明のように、モード＄１からモード＄１２いずれかで図１の送信装置が変調信号を送信することで、各モードにおいて、送受信装置ともに、記憶部の容量を少なくすることができるという効果を得ることができるとともに、各モードで、高いデータの受信品質を得ることができるという効果を得ることができる。なお、各モードにおいて、符号化ブロックとキャリアの関係は、実施の形態１、実施の形態５、本実施の形態で説明したものに限ったものではなく、別の割り当てを行ってもよい。（ただし、ある時間（例えば、図７０の時刻＆１）に存在する符号化ブロックについては、これまでの説明どおり変わらないものとする。（つまり、符号化ブロックのキャリアへの割り当ては、実施の形態１、実施の形態５、本実施の形態で説明と異なっていてもよい。）
また、図１の送信装置は、モード＄１からモード＄１２のうちで選択可能な変調方式のうち、いずれか２つ以上の変調方式を選択することができる場合についても、同様の効果を得ることが可能である。
【０９５８】
なお、実施の形態１、実施の形態４、実施の形態５、本実施の形態において、１６ＱＡＭを適用して説明した内容については、１６ＱＡＭの代わりに１６ＡＰＳＫや同相Ｉ−直交Ｑ平面において信号点が１６個存在する変調方式（シンボルあたり４ビット伝送の変調方式）を用いても同様に実施することができる。
同様に、実施の形態１、実施の形態４、実施の形態５、本実施の形態において、６４ＱＡＭを適用して説明した内容については、６４ＱＡＭの代わりに６４ＡＰＳＫや同相Ｉ−直交Ｑ平面において信号点が６４個存在する変調方式（シンボルあたり６ビット伝送の変調方式）を用いても同様に実施することができる。
【０９５９】
そして、実施の形態１、実施の形態４、実施の形態５、本実施の形態において、ＱＰＳＫを適用して説明した内容については、ＱＰＳＫの代わりに同相Ｉ−直交Ｑ平面において信号点が４個存在する変調方式（シンボルあたり２ビット伝送の変調方式）を用いても同様に実施することができる。
（実施の形態７）
本実施の形態では、実施の形態１の誤り訂正符号の符号長（ブロック長）に加え（さらに実施の形態４の誤り訂正符号の符号長（ブロック長）が追加されてもよい）、実施の形態１の誤り訂正符号の符号長より長い符号長（ブロック長）を持つ誤り訂正符号を用いることが可能な場合の実施方法について説明する。
【０９６０】
本実施の形態では、一例として、符号長（ブロック長）６７２ビットの誤り訂正符号と符号長（ブロック長）２０１６（＝６７２×３）ビットの誤り訂正符号を用いたときの実施方法について説明する。
符号長（ブロック長）６７２ビットの誤り訂正符号を用いたときの実施方法については、図１から図２８を用いて実施の形態１で説明したとおりであり、詳細の説明は、実施の形態１で説明したため、説明を省略する。以下では、実施の形態１で説明していない部分の説明を行う。
【０９６１】
図１は、本実施の形態における送信装置の構成を示している。なお、図１における基本的な動作については、実施の形態１で説明したとおりである。図１における符号化器１５１は、データ１５０、および、フレーム構成信号１１３を入力とする。このとき、フレーム構成信号１１３には、使用する誤り訂正符号の情報が含まれているものとし、特に、使用する誤り訂正符号の符号長（ブロック長）（本実施の形態では、ブロック長６７２ビット、または、符号長１３４４ビット）の情報を含んでいるものとする。
【０９６２】
したがって、符号化器１５１は、フレーム構成１１３に基づき、使用する誤り訂正符号の符号長（ブロック長）を含む誤り訂正符号の選択を行い（例えば、誤り訂正符号の符号化率も設定する。）、データ１５０に対して、誤り訂正符号化を行い、符号化データ１５２を出力する。
また、図１の送信装置がＭＩＭＯ伝送方式を選択し、変調信号を送信する際の実施方法については、実施の形態１で説明したとおりであり、その説明については省略する。
【０９６３】
次に、実施の形態１同様、例えば、ＯＦＤＭのようなマルチキャリアの伝送方法を用いたときの図１の送信装置が送信する変調信号のフレーム構成の一例を図６に示す。
図６は、横軸周波数におけるシンボルの配置の例を示しており、上述で示した異なるアンテナから送信する２つの変調信号のシンボル配置を示している。例えば、図６では、データキャリア（データシンボル）とパイロットシンボル（リファレンスシンボル）「図６では「Ｐ」と記載している。」で構成されている場合を示している（なお、図６は、あくまでも例であり、他のシンボルが存在していてもよい。）。このとき、データキャリアは、ＭＩＭＯ伝送により、（通信）相手にデータを伝送するためのシンボルであり、パイロットシンボルは、（通信）相手が、伝播変動の推定（チャネル推定）を行うためのシンボルである。
【０９６４】
図６では、一例として、１ＯＦＤＭシンボル中に存在するデータキャリア（周波数軸に存在するデータキャリア）の数を３３６とし（したがって、データキャリア＄１〜データキャリア＄３３６が各時刻に存在する）、データキャリアとデータキャリアの間にパイロットシンボルが挿入されていてもよい。なお、図６では、時刻＆１と時刻＆２で、パイロットキャリアの挿入されている周波数的な位置が異なっているが、このような構成に限ったものではない。
【０９６５】
図６において、データキャリアは、周波数軸方向に、「データキャリア＄１」、「データキャリア＄２」、「データキャリア＄３」、「データキャリア＄４」、「データキャリア＄５」、「データキャリア＄６」、「データキャリア＄７」、「データキャリア＄８」、「データキャリア＄９」、「データキャリア＄１０」、「データキャリア＄１１」、「データキャリア＄１２」、「データキャリア＄１３」、・・・、「データキャリア＄３３０」、「データキャリア＄３３１」、「データキャリア＄３３２」、「データキャリア＄３３３」、「データキャリア＄３３４」、「データキャリア＄３３５」、「データキャリア＄３３６」の順に並んでいるものとする。つまり、周波数軸方向に対し、データキャリアは昇順に番号を付している。
【０９６６】
図８１は、同相Ｉ−直交Ｑ平面において、４個の信号点がある変調方式（シンボル当たり２ビット伝送の変調方式）を用いて、誤り訂正符号のブロック長（符号長）を２０１６ビットに対しマッピングを行ったときのシンボルの構成について示しており、誤り訂正符号化された２０１６ビットで構成された第１のブロックに対しブロック＃１と名付け「＃１」と記載する。したがって、誤り訂正符号化された２０１６ビットで構成された第Ｎ（Ｎは１以上の整数とする。）のブロックに対しブロック＃Ｎと名付け「＃Ｎ」と記載する。
【０９６７】
ＱＰＳＫを適用したとき、ブロック＃Ｎから１００８のシンボルが生成される。図８１では、ブロック＃１から生成された１００８のシンボルを「＃１−１」、「＃１−２」、「＃１−３」、「＃１−４」、・・・、「＃１−１００６」、「＃１−１００７」、「＃１−１００８」と示している。したがって、ブロック＃Ｎから生成された１００８のシンボルを「＃Ｎ−１」、「＃Ｎ−２」、「＃Ｎ−３」、「＃Ｎ−４」、・・・、「＃Ｎ−１００６」、「＃Ｎ−１００７」、「＃Ｎ−１００８」とあらわすことになる。
【０９６８】
また、図８２に、横軸周波数とし、データキャリアを並べたときを示している。ストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在している。
【０９６９】
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０９７０】
そして、図８２に示すように、時刻＆１のストリーム１（ｓ１（ｉ））のデータキャリア＄１に「＃１−１」のシンボルを割り当て、時刻＆１のストリーム２（ｓ２（ｉ））のデータキャリア＄１に「＃１−２」のシンボルを割り当て、時刻＆１のストリーム１（ｓ１（ｉ））のデータキャリア＄２に「＃１−３」のシンボルを割り当て、時刻＆１のストリーム２（ｓ２（ｉ））のデータキャリア＄２に「＃１−４」のシンボルを割り当て、時刻＆１のストリーム１（ｓ１（ｉ））のデータキャリア＄３に「＃１−５」のシンボルを割り当て、時刻＆１のストリーム２（ｓ２（ｉ））のデータキャリア＄３に「＃１−６」のシンボルを割り当てるという規則にしたがい、シンボルの割り当てるとする。
【０９７１】
すると、ブロック＃１のデータは、時刻＆１のストリーム１（ｓ１（ｉ））のデータキャリア＄１から＄３３６、および、時刻＆１のストリーム２（ｓ２（ｉ））のデータキャリア＄１から＄３３６、
および、
時刻＆２のストリーム１（ｓ１（ｉ））のデータキャリア＄１から＄１６８、および、時刻＆２のストリーム２（ｓ２（ｉ））のデータキャリア＄１から＄１６８を用いて、送信装置が送信することになる。
【０９７２】
そして、ブロック＃２のデータは、時刻＆２のストリーム１（ｓ１（ｉ））のデータキャリア＄１６９から＄３３６、および、時刻＆２のストリーム２（ｓ２（ｉ））のデータキャリア＄１６９から＄３３６、
および、
時刻＆３のストリーム１（ｓ１（ｉ））のデータキャリア＄１から＄３３６、および、時刻＆３のストリーム２（ｓ２（ｉ））のデータキャリア＄１から＄３３６を用いて、送信装置が送信することになる。
【０９７３】
したがって、時刻＆（３Ｍ−２）、時刻＆（３Ｍ−１）、時刻＆（３Ｍ）では（Ｍは１以上の整数とする）、以下のような配置を行うことになる。
ブロック＃（２Ｍ−１）のデータは、時刻＆（３Ｍ−２）のストリーム１（ｓ１（ｉ））のデータキャリア＄１から＄３３６、および、時刻＆（３Ｍ−２）のストリーム２（ｓ２（ｉ））のデータキャリア＄１から＄３３６、
および、
時刻＆（３Ｍ−１）のストリーム１（ｓ１（ｉ））のデータキャリア＄１から＄１６８、および、時刻＆（３Ｍ−１）のストリーム２（ｓ２（ｉ））のデータキャリア＄１から＄１６８を用いて、送信装置が送信することになる。
【０９７４】
そして、ブロック＃（２Ｍ）のデータは、時刻＆（３Ｍ−１）のストリーム１（ｓ１（ｉ））のデータキャリア＄１６９から＄３３６、および、時刻＆（３Ｍ−１）のストリーム２（ｓ２（ｉ））のデータキャリア＄１６９から＄３３６、
および、
時刻＆（３Ｍ）のストリーム１（ｓ１（ｉ））のデータキャリア＄１から＄３３６、および、時刻＆（３Ｍ）のストリーム２（ｓ２（ｉ））のデータキャリア＄１から＄３３６を用いて、送信装置が送信することになる。
【０９７５】
図８２のようなフレーム構成で送信装置が、変調信号を送信する場合を考える。図１の送信装置の（通信）相手である受信装置における受信電界強度のイメージ図を図８に示す。
図８において、横軸を周波数、縦軸を受信電界強度とする。このとき、マルチパスの影響により、受信電界強度の低い図８の８０１のようなところが存在することになる。そして、図８２のようなフレーム構成で送信装置が変調信号を送信すると、マルチパスの影響（例えば、図８の８０１）により、誤り訂正符号の同一ブロックのシンボルに受信品質の悪いシンボルが多く存在するような現象を招く可能性が若干ある。これにより、高い誤り訂正能力を得ることができず、データの受信品質が低下することもあり得る。（ただし、図８２のようなフレーム構成の場合、受信品質が低下しない可能性もある。）
別の例として、図８３のようなフレーム構成を考える。図８３に示すように、時刻＆１において、
ストリーム１（ｓ１（ｉ））のデータキャリア＄１に「＃１−１」のシンボルを割り当て、
ストリーム２（ｓ２（ｉ））のデータキャリア＄１に「＃１−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃１−４」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃１−３３４」のシンボルを割り当て、
ストリーム１（ｓ１（ｉ））のデータキャリア＄３３４に「＃２−３３３」のシンボルを割り当て、
ストリーム２（ｓ２（ｉ））のデータキャリア＄３３４に「＃２−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃１−３３６」のシンボルを割り当て、
ストリーム１（ｓ１（ｉ））のデータキャリア＄３３６に「＃２−３３５」のシンボルを割り当て、
ストリーム２（ｓ２（ｉ））のデータキャリア＄３３６に「＃２−３３６」のシンボルを割り当てるとする。
【０９７６】
時刻＆２において、
ストリーム１（ｓ１（ｉ））のデータキャリア＄１に「＃１−３３７」のシンボルを割り当て、
ストリーム２（ｓ２（ｉ））のデータキャリア＄１に「＃１−３３８」のシンボルを割り当て、
ストリーム１（ｓ１（ｉ））のデータキャリア＄２に「＃２−３３７」のシンボルを割り当て、
ストリーム２（ｓ２（ｉ））のデータキャリア＄２に「＃２−３３８」のシンボルを割り当て、
ストリーム１（ｓ１（ｉ））のデータキャリア＄３に「＃１−３３９」のシンボルを割り当て、
ストリーム２（ｓ２（ｉ））のデータキャリア＄３に「＃１−３４０」のシンボルを割り当て、
・・・
ストリーム１（ｓ１（ｉ））のデータキャリア＄３３３に「＃１−６６９」のシンボルを割り当て、
ストリーム２（ｓ２（ｉ））のデータキャリア＄３３３に「＃１−６７０」のシンボルを割り当て、
ストリーム１（ｓ１（ｉ））のデータキャリア＄３３４に「＃２−６６９」のシンボルを割り当て、
ストリーム２（ｓ２（ｉ））のデータキャリア＄３３４に「＃２−６７０」のシンボルを割り当て、
ストリーム１（ｓ１（ｉ））のデータキャリア＄３３５に「＃１−６７１」のシンボルを割り当て、
ストリーム２（ｓ２（ｉ））のデータキャリア＄３３５に「＃１−６７２」のシンボルを割り当て、
ストリーム１（ｓ１（ｉ））のデータキャリア＄３３６に「＃２−６７１」のシンボルを割り当て、
ストリーム２（ｓ２（ｉ））のデータキャリア＄３３６に「＃２−６７２」のシンボルを割り当てるとする。
【０９７７】
時刻＆３において、
ストリーム１（ｓ１（ｉ））のデータキャリア＄１に「＃１−３３７」のシンボルを割り当て、
ストリーム２（ｓ２（ｉ））のデータキャリア＄１に「＃１−３３８」のシンボルを割り当て、
ストリーム１（ｓ１（ｉ））のデータキャリア＄２に「＃２−３３７」のシンボルを割り当て、
ストリーム２（ｓ２（ｉ））のデータキャリア＄２に「＃２−３３８」のシンボルを割り当て、
ストリーム１（ｓ１（ｉ））のデータキャリア＄３に「＃１−３３９」のシンボルを割り当て、
ストリーム２（ｓ２（ｉ））のデータキャリア＄３に「＃１−３４０」のシンボルを割り当て、
・・・
ストリーム１（ｓ１（ｉ））のデータキャリア＄３３３に「＃１−１００５」のシンボルを割り当て、
ストリーム２（ｓ２（ｉ））のデータキャリア＄３３３に「＃１−１００６」のシンボルを割り当て、
ストリーム１（ｓ１（ｉ））のデータキャリア＄３３４に「＃２−１００５」のシンボルを割り当て、
ストリーム２（ｓ２（ｉ））のデータキャリア＄３３４に「＃２−１００６」のシンボルを割り当て、
ストリーム１（ｓ１（ｉ））のデータキャリア＄３３５に「＃１−１００７」のシンボルを割り当て、
ストリーム２（ｓ２（ｉ））のデータキャリア＄３３５に「＃１−１００８」のシンボルを割り当て、
ストリーム１（ｓ１（ｉ））のデータキャリア＄３３６に「＃２−１００７」のシンボルを割り当て、
ストリーム２（ｓ２（ｉ））のデータキャリア＄３３６に「＃２−１００８」のシンボルを割り当てるとする。
【０９７８】
したがって、時刻＆（３Ｍ−２）、時刻＆（３Ｍ−１）、時刻＆（３Ｍ）では（Ｍは１以上の整数とする）、以下のような配置を行うことになる。
ブロック＃（２Ｍ−１）のデータは、時刻＆（３Ｍ−２）、時刻＆（３Ｍ−１）、時刻＆（３Ｍ）、のストリーム１（ｓ１（ｉ））のデータキャリア＄Ｋ（Ｋは奇数）、
および、
時刻＆（３Ｍ−２）、時刻＆（３Ｍ−１）、時刻＆（３Ｍ）、のストリーム２（ｓ２（ｉ））のデータキャリア＄Ｋ（Ｋは奇数）を用いて、送信装置が送信することになる。
【０９７９】
そして、ブロック＃（２Ｍ）のデータは、時刻＆（３Ｍ−２）、時刻＆（３Ｍ−１）、時刻＆（３Ｍ）、のストリーム１（ｓ１（ｉ））のデータキャリア＄Ｌ（Ｌは偶数）、
および、
時刻＆（３Ｍ−２）、時刻＆（３Ｍ−１）、時刻＆（３Ｍ）、のストリーム２（ｓ２（ｉ））のデータキャリア＄Ｌ（Ｌは偶数）を用いて、送信装置が送信することになる。
【０９８０】
図８３のようなフレーム構成の場合、図８で説明したような課題は発生する可能性をさらに低減することができる可能性がある。
図８を用いて説明した課題を解決するために、別の例として、図８４のようなフレーム構成を考える。
【０９８１】
図８４に示すように、
時刻＆１において、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃２−２」のシンボルを割り当て、
ストリーム２（ｓ２（ｉ））のデータキャリア＄２に「＃１−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
ストリーム１（ｓ１（ｉ））のデータキャリア＄４に「＃２−４」のシンボルを割り当て、
ストリーム２（ｓ２（ｉ））のデータキャリア＄４に「＃１−４」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃２−３３４」のシンボルを割り当て、
ストリーム２（ｓ２（ｉ））のデータキャリア＄３３４に「＃１−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃２−３３６」のシンボルを割り当て、
ストリーム２（ｓ２（ｉ））のデータキャリア＄３３６に「＃１−３３６」のシンボルを割り当てるとする。
【０９８２】
時刻＆２において、
ストリーム１（ｓ１（ｉ））のデータキャリア＄１に「＃１−３３７」のシンボルを割り当て、
ストリーム２（ｓ２（ｉ））のデータキャリア＄１に「＃２−３３７」のシンボルを割り当て、
ストリーム１（ｓ１（ｉ））のデータキャリア＄２に「＃２−３３８」のシンボルを割り当て、
ストリーム２（ｓ２（ｉ））のデータキャリア＄２に「＃１−３３８」のシンボルを割り当て、
ストリーム１（ｓ１（ｉ））のデータキャリア＄３に「＃１−３３９」のシンボルを割り当て、
ストリーム２（ｓ２（ｉ））のデータキャリア＄３に「＃２−３３９」のシンボルを割り当て、
ストリーム１（ｓ１（ｉ））のデータキャリア＄４に「＃２−３４０」のシンボルを割り当て、
ストリーム２（ｓ２（ｉ））のデータキャリア＄４に「＃１−３４０」のシンボルを割り当て、
・・・
ストリーム１（ｓ１（ｉ））のデータキャリア＄３３３に「＃１−６６９」のシンボルを割り当て、
ストリーム２（ｓ２（ｉ））のデータキャリア＄３３３に「＃２−６６９」のシンボルを割り当て、
ストリーム１（ｓ１（ｉ））のデータキャリア＄３３４に「＃２−６７０」のシンボルを割り当て、
ストリーム２（ｓ２（ｉ））のデータキャリア＄３３４に「＃１−６７０」のシンボルを割り当て、
ストリーム１（ｓ１（ｉ））のデータキャリア＄３３５に「＃１−６７１」のシンボルを割り当て、
ストリーム２（ｓ２（ｉ））のデータキャリア＄３３５に「＃２−６７１」のシンボルを割り当て、
ストリーム１（ｓ１（ｉ））のデータキャリア＄３３６に「＃２−６７２」のシンボルを割り当て、
ストリーム２（ｓ２（ｉ））のデータキャリア＄３３６に「＃１−６７２」のシンボルを割り当てるとする。
【０９８３】
時刻＆３において、
ストリーム１（ｓ１（ｉ））のデータキャリア＄１に「＃１−６７３」のシンボルを割り当て、
ストリーム２（ｓ２（ｉ））のデータキャリア＄１に「＃２−６７３」のシンボルを割り当て、
ストリーム１（ｓ１（ｉ））のデータキャリア＄２に「＃２−６７４」のシンボルを割り当て、
ストリーム２（ｓ２（ｉ））のデータキャリア＄２に「＃１−６７４」のシンボルを割り当て、
ストリーム１（ｓ１（ｉ））のデータキャリア＄３に「＃１−６７５」のシンボルを割り当て、
ストリーム２（ｓ２（ｉ））のデータキャリア＄３に「＃２−６７５」のシンボルを割り当て、
ストリーム１（ｓ１（ｉ））のデータキャリア＄４に「＃２−６７６」のシンボルを割り当て、
ストリーム２（ｓ２（ｉ））のデータキャリア＄４に「＃１−６７６」のシンボルを割り当て、
・・・
ストリーム１（ｓ１（ｉ））のデータキャリア＄３３３に「＃１−１００５」のシンボルを割り当て、
ストリーム２（ｓ２（ｉ））のデータキャリア＄３３３に「＃２−１００５」のシンボルを割り当て、
ストリーム１（ｓ１（ｉ））のデータキャリア＄３３４に「＃２−１００６」のシンボルを割り当て、
ストリーム２（ｓ２（ｉ））のデータキャリア＄３３４に「＃１−１００６」のシンボルを割り当て、
ストリーム１（ｓ１（ｉ））のデータキャリア＄３３５に「＃１−１００７」のシンボルを割り当て、
ストリーム２（ｓ２（ｉ））のデータキャリア＄３３５に「＃２−１００７」のシンボルを割り当て、
ストリーム１（ｓ１（ｉ））のデータキャリア＄３３６に「＃２−１００８」のシンボルを割り当て、
ストリーム２（ｓ２（ｉ））のデータキャリア＄３３６に「＃１−１００８」のシンボルを割り当てるとする。
【０９８４】
したがって、時刻＆（３Ｍ−２）、時刻＆（３Ｍ−１）、時刻＆（３Ｍ）では（Ｍは１以上の整数とする）、以下のような配置を行うことになる。
ブロック＃（２Ｍ−１）のデータは、時刻＆（３Ｍ−２）、時刻＆（３Ｍ−１）、時刻＆（３Ｍ）、のストリーム１（ｓ１（ｉ））のデータキャリア＄Ｋ（Ｋは奇数）、
および、
時刻＆（３Ｍ−２）、時刻＆（３Ｍ−１）、時刻＆（３Ｍ）、のストリーム２（ｓ２（ｉ））のデータキャリア＄Ｌ（Ｌは偶数）を用いて、送信装置が送信することになる。
【０９８５】
そして、ブロック＃（２Ｍ）のデータは、時刻＆（３Ｍ−２）、時刻＆（３Ｍ−１）、時刻＆（３Ｍ）、のストリーム１（ｓ１（ｉ））のデータキャリア＄Ｌ（Ｌは偶数）、
および、
時刻＆（３Ｍ−２）、時刻＆（３Ｍ−１）、時刻＆（３Ｍ）、のストリーム２（ｓ２（ｉ））のデータキャリア＄Ｋ（Ｋは奇数）を用いて、送信装置が送信することになる。
【０９８６】
図８４のようなフレーム構成の場合、図８で説明したような課題は発生する可能性をさらに低減することができる可能性がある。
図８を用いて説明した課題を解決するために、別の例として、図８５のようなフレーム構成を考える。
【０９８７】
図８５に示すように、
時刻＆１において、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃１−２」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
ストリーム１（ｓ１（ｉ））のデータキャリア＄４に「＃１−４」のシンボルを割り当て、
ストリーム２（ｓ２（ｉ））のデータキャリア＄４に「＃２−４」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃１−３３４」のシンボルを割り当て、
ストリーム２（ｓ２（ｉ））のデータキャリア＄３３４に「＃２−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃１−３３６」のシンボルを割り当て、
ストリーム２（ｓ２（ｉ））のデータキャリア＄３３６に「＃２−３３６」のシンボルを割り当てるとする。
【０９８８】
時刻＆２において、
ストリーム１（ｓ１（ｉ））のデータキャリア＄１に「＃１−３３７」のシンボルを割り当て、
ストリーム２（ｓ２（ｉ））のデータキャリア＄１に「＃２−３３７」のシンボルを割り当て、
ストリーム１（ｓ１（ｉ））のデータキャリア＄２に「＃１−３３８」のシンボルを割り当て、
ストリーム２（ｓ２（ｉ））のデータキャリア＄２に「＃２−３３８」のシンボルを割り当て、
ストリーム１（ｓ１（ｉ））のデータキャリア＄３に「＃１−３３９」のシンボルを割り当て、
ストリーム２（ｓ２（ｉ））のデータキャリア＄３に「＃２−３３９」のシンボルを割り当て、
ストリーム１（ｓ１（ｉ））のデータキャリア＄４に「＃１−３４０」のシンボルを割り当て、
ストリーム２（ｓ２（ｉ））のデータキャリア＄４に「＃２−３４０」のシンボルを割り当て、
・・・
ストリーム１（ｓ１（ｉ））のデータキャリア＄３３３に「＃１−６６９」のシンボルを割り当て、
ストリーム２（ｓ２（ｉ））のデータキャリア＄３３３に「＃２−６６９」のシンボルを割り当て、
ストリーム１（ｓ１（ｉ））のデータキャリア＄３３４に「＃１−６７０」のシンボルを割り当て、
ストリーム２（ｓ２（ｉ））のデータキャリア＄３３４に「＃２−６７０」のシンボルを割り当て、
ストリーム１（ｓ１（ｉ））のデータキャリア＄３３５に「＃１−６７１」のシンボルを割り当て、
ストリーム２（ｓ２（ｉ））のデータキャリア＄３３５に「＃２−６７１」のシンボルを割り当て、
ストリーム１（ｓ１（ｉ））のデータキャリア＄３３６に「＃１−６７２」のシンボルを割り当て、
ストリーム２（ｓ２（ｉ））のデータキャリア＄３３６に「＃２−６７２」のシンボルを割り当てるとする。
【０９８９】
時刻＆３において、
ストリーム１（ｓ１（ｉ））のデータキャリア＄１に「＃１−６７３」のシンボルを割り当て、
ストリーム２（ｓ２（ｉ））のデータキャリア＄１に「＃２−６７３」のシンボルを割り当て、
ストリーム１（ｓ１（ｉ））のデータキャリア＄２に「＃１−６７４」のシンボルを割り当て、
ストリーム２（ｓ２（ｉ））のデータキャリア＄２に「＃２−６７４」のシンボルを割り当て、
ストリーム１（ｓ１（ｉ））のデータキャリア＄３に「＃１−６７５」のシンボルを割り当て、
ストリーム２（ｓ２（ｉ））のデータキャリア＄３に「＃２−６７５」のシンボルを割り当て、
ストリーム１（ｓ１（ｉ））のデータキャリア＄４に「＃１−６７６」のシンボルを割り当て、
ストリーム２（ｓ２（ｉ））のデータキャリア＄４に「＃２−６７６」のシンボルを割り当て、
・・・
ストリーム１（ｓ１（ｉ））のデータキャリア＄３３３に「＃１−１００５」のシンボルを割り当て、
ストリーム２（ｓ２（ｉ））のデータキャリア＄３３３に「＃２−１００５」のシンボルを割り当て、
ストリーム１（ｓ１（ｉ））のデータキャリア＄３３４に「＃１−１００６」のシンボルを割り当て、
ストリーム２（ｓ２（ｉ））のデータキャリア＄３３４に「＃２−１００６」のシンボルを割り当て、
ストリーム１（ｓ１（ｉ））のデータキャリア＄３３５に「＃１−１００７」のシンボルを割り当て、
ストリーム２（ｓ２（ｉ））のデータキャリア＄３３５に「＃２−１００７」のシンボルを割り当て、
ストリーム１（ｓ１（ｉ））のデータキャリア＄３３６に「＃１−１００８」のシンボルを割り当て、
ストリーム２（ｓ２（ｉ））のデータキャリア＄３３６に「＃２−１００８」のシンボルを割り当てるとする。
【０９９０】
したがって、時刻＆（３Ｍ−２）、時刻＆（３Ｍ−１）、時刻＆（３Ｍ）では（Ｍは１以上の整数とする）、以下のような配置を行うことになる。
ブロック＃（２Ｍ−１）のデータは、時刻＆（３Ｍ−２）、時刻＆（３Ｍ−１）、時刻＆（３Ｍ）、のストリーム１（ｓ１（ｉ））のデータキャリアを用いて、送信装置が送信することになる。
【０９９１】
そして、ブロック＃（２Ｍ）のデータは、時刻＆（３Ｍ−２）、時刻＆（３Ｍ−１）、時刻＆（３Ｍ）、のストリーム２（ｓ２（ｉ））のデータキャリアを用いて、送信装置が送信することになる。
図８５のようなフレーム構成の場合、図８で説明したような課題は発生する可能性をさらに低減することができる可能性がある。
【０９９２】
図８６は、同相Ｉ−直交Ｑ平面において、１６個の信号点がある変調方式（シンボル当たり４ビット伝送の変調方式）を用いて、誤り訂正符号のブロック長（符号長）を２０１６ビットに対しマッピングを行ったときのシンボルの構成について示しており、誤り訂正符号化された２０１６ビットで構成された第１のブロックに対しブロック＃１と名付け「＃１」と記載する。したがって、誤り訂正符号化された２０１６ビットで構成された第Ｎ（Ｎは１以上の整数とする。）のブロックに対しブロック＃Ｎと名付け「＃Ｎ」と記載する。
【０９９３】
１６ＱＡＭを適用したとき、ブロック＃Ｎから５０４のシンボルが生成される。図８６では、ブロック＃１から生成された５０４のシンボルを「＃１−１」、「＃１−２」、「＃１−３」、「＃１−４」、・・・、「＃１−５０２」、「＃１−５０３」、「＃１−５０４」と示している。したがって、ブロック＃Ｎから生成された５０４のシンボルを「＃Ｎ−１」、「＃Ｎ−２」、「＃Ｎ−３」、「＃Ｎ−４」、・・・、「＃Ｎ−５０２」、「＃Ｎ−５０３」、「＃Ｎ−５０４」とあらわすことになる。
【０９９４】
また、図８７Ａ、図８７Ｂ、図８７Ｃに、横軸周波数とし、データキャリアを並べたときの状態を示しており、図８７Ａは、時刻＆１の具体的な状態を示しており、図８７Ｂは、時刻＆２の具体的な状態を示しており、図８７Ｃは、時刻＆３の具体的な状態を示している。なお、ストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在している。
【０９９５】
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【０９９６】
そして、図８７Ａに示すように、時刻＆１のストリーム１（ｓ１（ｉ））のデータキャリア＄１に「＃１−１」のシンボルを割り当て、時刻＆１のストリーム２（ｓ２（ｉ））のデータキャリア＄１に「＃１−２」のシンボルを割り当て、時刻＆１のストリーム１（ｓ１（ｉ））のデータキャリア＄２に「＃１−３」のシンボルを割り当て、時刻＆１のストリーム２（ｓ２（ｉ））のデータキャリア＄２に「＃１−４」のシンボルを割り当て、時刻＆１のストリーム１（ｓ１（ｉ））のデータキャリア＄３に「＃１−５」のシンボルを割り当て、時刻＆１のストリーム２（ｓ２（ｉ））のデータキャリア＄３に「＃１−６」のシンボルを割り当てるという規則にしたがい、シンボルの割り当てるとする。
【０９９７】
すると、ブロック＃１のデータは、時刻＆１のストリーム１（ｓ１（ｉ））のデータキャリア＄１から＄２５２、および、時刻＆１のストリーム２（ｓ２（ｉ））のデータキャリア＄１から＄２５２を用いて、送信装置が送信することになる。
また、図８７Ａに示すように、時刻＆１のストリーム１（ｓ１（ｉ））のデータキャリア＄２５３から＄３３６、および、時刻＆１のストリーム２（ｓ２（ｉ））のデータキャリア＄２５３から＄３３６を用いて、送信装置は、ブロック＃２のデータを送信する。そして、図８７Ｂに示すように、時刻＆２のストリーム１（ｓ１（ｉ））のデータキャリア＄１から＄２５６、および、時刻＆２のストリーム２（ｓ２（ｉ））のデータキャリア＄１から＄２５６を用いて、送信装置は、ブロック＃２のデータを送信する。
【０９９８】
また、図８７Ｂに示すように、時刻＆２のストリーム１（ｓ１（ｉ））のデータキャリア＄１６９から＄３３６、および、ストリーム２（ｓ２（ｉ））のデータキャリア＄１６９から＄３３６を用いて、送信装置は、ブロック＃３のデータを送信する。そして、図８７Ｃに示すように、時刻＆３のストリーム１（ｓ１（ｉ））のデータキャリア＄１から＄３３６、および、ストリーム２（ｓ２（ｉ））のデータキャリア＄１から＄３３６を用いて、送信装置は、ブロック＃３のデータを送信する。
【０９９９】
したがって、時刻＆（３Ｍ−２）、時刻＆（３Ｍ−１）、時刻＆（３Ｍ）では（Ｍは１以上の整数とする）、以下のような配置を行うことになる。
ブロック＃（４Ｍ−３）のデータは、時刻＆（３Ｍ−２）のストリーム１（ｓ１（ｉ））のデータキャリア＄１から＄２５２、および、時刻＆（３Ｍ−２）のストリーム２（ｓ２（ｉ））のデータキャリア＄１から＄２５２を用いて、送信装置が送信することになる。
【１０００】
ブロック＃（４Ｍ−２）のデータは、時刻＆（３Ｍ−２）のストリーム１（ｓ１（ｉ））のデータキャリア＄２５３から＄３３６、および、時刻＆（３Ｍ−２）のストリーム２（ｓ２（ｉ））のデータキャリア＄２５３から＄３３６、
および、
時刻＆（３Ｍ−１）のストリーム１（ｓ１（ｉ））のデータキャリア＄１から＄１６８、および、時刻＆（３Ｍ−１）のストリーム２（ｓ２（ｉ））のデータキャリア＄１から＄１６８を用いて、送信装置が送信することになる。
【１００１】
ブロック＃（４Ｍ−１）のデータは、時刻＆（３Ｍ−１）のストリーム１（ｓ１（ｉ））のデータキャリア＄１６９から＄３３６、および、時刻＆（３Ｍ−１）のストリーム２（ｓ２（ｉ））のデータキャリア＄１６９から＄３３６、
および、
時刻＆（３Ｍ）のストリーム１（ｓ１（ｉ））のデータキャリア＄１から＄８４、および、時刻＆（３Ｍ）のストリーム２（ｓ２（ｉ））のデータキャリア＄１から＄８４を用いて、送信装置が送信することになる。
【１００２】
ブロック＃（４Ｍ）のデータは、時刻＆（３Ｍ）のストリーム１（ｓ１（ｉ））のデータキャリア＄８５から＄３３６、および、時刻＆（３Ｍ）のストリーム２（ｓ２（ｉ））のデータキャリア＄８５から＄３３６を用いて、送信装置が送信することになる。
図８において、横軸を周波数、縦軸を受信電界強度とする。このとき、マルチパスの影響により、受信電界強度の低い図８の８０１のようなところが存在することになる。そして、図８７Ａ、図８７Ｂ、図８７Ｃのようなフレーム構成で送信装置が変調信号を送信すると、マルチパスの影響（例えば、図８の８０１）により、誤り訂正符号の同一ブロックのシンボルに受信品質の悪いシンボルが多く存在するような現象を招く可能性が若干ある。これにより、高い誤り訂正能力を得ることができず、データの受信品質が低下することもあり得る。（ただし、図８７Ａ、図８７Ｂ、図８７Ｃのようなフレーム構成の場合、受信品質が低下しない可能性もある。）
図８を用いて説明した課題を解決するために、別の例として、図８８のようなフレーム構成を考える。
【１００３】
図８８に示すように、
時刻＆１において、
ストリーム１（ｓ１（ｉ））のデータキャリア＄１に「＃１−１」のシンボルを割り当て、
ストリーム２（ｓ２（ｉ））のデータキャリア＄１に「＃２−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃３−２」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃４−２」のシンボルを割り当て、
ストリーム１（ｓ１（ｉ））のデータキャリア＄４に「＃４−１」のシンボルを割り当て、
ストリーム２（ｓ２（ｉ））のデータキャリア＄４に「＃１−２」のシンボルを割り当て、
・・・
ストリーム１（ｓ１（ｉ））のデータキャリア＄３３３に「＃１−１６７」のシンボルを割り当て、
ストリーム２（ｓ２（ｉ））のデータキャリア＄３３３に「＃２−１６８」のシンボルを割り当て、
ストリーム１（ｓ１（ｉ））のデータキャリア＄３３４に「＃２−１６７」のシンボルを割り当て、
ストリーム２（ｓ２（ｉ））のデータキャリア＄３３４に「＃３−１６８」のシンボルを割り当て、
ストリーム１（ｓ１（ｉ））のデータキャリア＄３３５に「＃３−１６７」のシンボルを割り当て、
ストリーム２（ｓ２（ｉ））のデータキャリア＄３３５に「＃４−１６８」のシンボルを割り当て、
ストリーム１（ｓ１（ｉ））のデータキャリア＄３３６に「＃４−１６７」のシンボルを割り当て、
ストリーム２（ｓ２（ｉ））のデータキャリア＄３３６に「＃１−１６８」のシンボルを割り当てるとする。
【１００４】
時刻＆２において、
ストリーム１（ｓ１（ｉ））のデータキャリア＄１に「＃１−１６９」のシンボルを割り当て、
ストリーム２（ｓ２（ｉ））のデータキャリア＄１に「＃２−１７０」のシンボルを割り当て、
ストリーム１（ｓ１（ｉ））のデータキャリア＄２に「＃２−１６９」のシンボルを割り当て、
ストリーム２（ｓ２（ｉ））のデータキャリア＄２に「＃３−１７０」のシンボルを割り当て、
ストリーム１（ｓ１（ｉ））のデータキャリア＄３に「＃３−１６９」のシンボルを割り当て、
ストリーム２（ｓ２（ｉ））のデータキャリア＄３に「＃４−１７０」のシンボルを割り当て、
ストリーム１（ｓ１（ｉ））のデータキャリア＄４に「＃４−１６９」のシンボルを割り当て、
ストリーム２（ｓ２（ｉ））のデータキャリア＄４に「＃１−１７０」のシンボルを割り当て、
・・・
ストリーム１（ｓ１（ｉ））のデータキャリア＄３３３に「＃１−３３５」のシンボルを割り当て、
ストリーム２（ｓ２（ｉ））のデータキャリア＄３３３に「＃２−３３６」のシンボルを割り当て、
ストリーム１（ｓ１（ｉ））のデータキャリア＄３３４に「＃２−３３５」のシンボルを割り当て、
ストリーム２（ｓ２（ｉ））のデータキャリア＄３３４に「＃３−３３６」のシンボルを割り当て、
ストリーム１（ｓ１（ｉ））のデータキャリア＄３３５に「＃３−３３５」のシンボルを割り当て、
ストリーム２（ｓ２（ｉ））のデータキャリア＄３３５に「＃４−３３６」のシンボルを割り当て、
ストリーム１（ｓ１（ｉ））のデータキャリア＄３３６に「＃４−３３５」のシンボルを割り当て、
ストリーム２（ｓ２（ｉ））のデータキャリア＄３３６に「＃１−３３６」のシンボルを割り当てるとする。
時刻＆３において、
ストリーム１（ｓ１（ｉ））のデータキャリア＄１に「＃１−３３７」のシンボルを割り当て、
ストリーム２（ｓ２（ｉ））のデータキャリア＄１に「＃２−３３８」のシンボルを割り当て、
ストリーム１（ｓ１（ｉ））のデータキャリア＄２に「＃２−３３７」のシンボルを割り当て、
ストリーム２（ｓ２（ｉ））のデータキャリア＄２に「＃３−３３８」のシンボルを割り当て、
ストリーム１（ｓ１（ｉ））のデータキャリア＄３に「＃３−３３７」のシンボルを割り当て、
ストリーム２（ｓ２（ｉ））のデータキャリア＄３に「＃４−３３８」のシンボルを割り当て、
ストリーム１（ｓ１（ｉ））のデータキャリア＄４に「＃４−３３７」のシンボルを割り当て、
ストリーム２（ｓ２（ｉ））のデータキャリア＄４に「＃１−３３８」のシンボルを割り当て、
・・・
ストリーム１（ｓ１（ｉ））のデータキャリア＄３３３に「＃１−５０３」のシンボルを割り当て、
ストリーム２（ｓ２（ｉ））のデータキャリア＄３３３に「＃２−５０４」のシンボルを割り当て、
ストリーム１（ｓ１（ｉ））のデータキャリア＄３３４に「＃２−５０３」のシンボルを割り当て、
ストリーム２（ｓ２（ｉ））のデータキャリア＄３３４に「＃３−５０４」のシンボルを割り当て、
ストリーム１（ｓ１（ｉ））のデータキャリア＄３３５に「＃３−５０３」のシンボルを割り当て、
ストリーム２（ｓ２（ｉ））のデータキャリア＄３３５に「＃４−５０４」のシンボルを割り当て、
ストリーム１（ｓ１（ｉ））のデータキャリア＄３３６に「＃４−５０３」のシンボルを割り当て、
ストリーム２（ｓ２（ｉ））のデータキャリア＄３３６に「＃１−５０４」のシンボルを割り当てるとする。
【１００５】
したがって、時刻＆（３Ｍ−２）、時刻＆（３Ｍ−１）、時刻＆（３Ｍ）では（Ｍは１以上の整数とする）、以下のような配置を行うことになる。
ブロック＃（４Ｍ−３）のデータは、時刻＆（３Ｍ−２）、時刻＆（３Ｍ−１）、時刻＆（３Ｍ）、のストリーム１（ｓ１（ｉ））のデータキャリア＄（４Ｋ−３）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ）（Ｌは１以上８４以下の整数）を用いて、送信装置が送信することになる。
【１００６】
ブロック＃（４Ｍ−２）のデータは、時刻＆（３Ｍ−２）、時刻＆（３Ｍ−１）、時刻＆（３Ｍ）、のストリーム１（ｓ１（ｉ））のデータキャリア＄（４Ｋ−２）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−３）（Ｌは１以上８４以下の整数）を用いて、送信装置が送信することになる。
【１００７】
ブロック＃（４Ｍ−１）のデータは、時刻＆（３Ｍ−２）、時刻＆（３Ｍ−１）、時刻＆（３Ｍ）、のストリーム１（ｓ１（ｉ））のデータキャリア＄（４Ｋ−１）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−２）（Ｌは１以上８４以下の整数）を用いて、送信装置が送信することになる。
【１００８】
ブロック＃（４Ｍ）のデータは、時刻＆（３Ｍ−２）、時刻＆（３Ｍ−１）、時刻＆（３Ｍ）、のストリーム１（ｓ１（ｉ））のデータキャリア＄（４Ｋ）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−１）（Ｌは１以上８４以下の整数）を用いて、送信装置が送信することになる。
【１００９】
図８８のようなフレーム構成の場合、図８で説明したような課題は発生する可能性をさらに低減することができる可能性がある。
図８を用いて説明した課題を解決するために、別の例として、図８９のようなフレーム構成を考える。
【１０１０】
図８９に示すように、
時刻＆１において、
ストリーム１（ｓ１（ｉ））のデータキャリア＄１に「＃１−１」のシンボルを割り当て、
ストリーム２（ｓ２（ｉ））のデータキャリア＄１に「＃３−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃４−２」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃１−２」のシンボルを割り当て、
ストリーム１（ｓ１（ｉ））のデータキャリア＄４に「＃４−１」のシンボルを割り当て、
ストリーム２（ｓ２（ｉ））のデータキャリア＄４に「＃２−２」のシンボルを割り当て、
・・・
ストリーム１（ｓ１（ｉ））のデータキャリア＄３３３に「＃１−１６７」のシンボルを割り当て、
ストリーム２（ｓ２（ｉ））のデータキャリア＄３３３に「＃３−１６８」のシンボルを割り当て、
ストリーム１（ｓ１（ｉ））のデータキャリア＄３３４に「＃２−１６７」のシンボルを割り当て、
ストリーム２（ｓ２（ｉ））のデータキャリア＄３３４に「＃４−１６８」のシンボルを割り当て、
ストリーム１（ｓ１（ｉ））のデータキャリア＄３３５に「＃３−１６７」のシンボルを割り当て、
ストリーム２（ｓ２（ｉ））のデータキャリア＄３３５に「＃１−１６８」のシンボルを割り当て、
ストリーム１（ｓ１（ｉ））のデータキャリア＄３３６に「＃４−１６７」のシンボルを割り当て、
ストリーム２（ｓ２（ｉ））のデータキャリア＄３３６に「＃２−１６８」のシンボルを割り当てるとする。
【１０１１】
時刻＆２において、
ストリーム１（ｓ１（ｉ））のデータキャリア＄１に「＃１−１６９」のシンボルを割り当て、
ストリーム２（ｓ２（ｉ））のデータキャリア＄１に「＃３−１７０」のシンボルを割り当て、
ストリーム１（ｓ１（ｉ））のデータキャリア＄２に「＃２−１６９」のシンボルを割り当て、
ストリーム２（ｓ２（ｉ））のデータキャリア＄２に「＃４−１７０」のシンボルを割り当て、
ストリーム１（ｓ１（ｉ））のデータキャリア＄３に「＃３−１６９」のシンボルを割り当て、
ストリーム２（ｓ２（ｉ））のデータキャリア＄３に「＃１−１７０」のシンボルを割り当て、
ストリーム１（ｓ１（ｉ））のデータキャリア＄４に「＃４−１６９」のシンボルを割り当て、
ストリーム２（ｓ２（ｉ））のデータキャリア＄４に「＃２−１７０」のシンボルを割り当て、
・・・
ストリーム１（ｓ１（ｉ））のデータキャリア＄３３３に「＃１−３３５」のシンボルを割り当て、
ストリーム２（ｓ２（ｉ））のデータキャリア＄３３３に「＃３−３３６」のシンボルを割り当て、
ストリーム１（ｓ１（ｉ））のデータキャリア＄３３４に「＃２−３３５」のシンボルを割り当て、
ストリーム２（ｓ２（ｉ））のデータキャリア＄３３４に「＃４−３３６」のシンボルを割り当て、
ストリーム１（ｓ１（ｉ））のデータキャリア＄３３５に「＃３−３３５」のシンボルを割り当て、
ストリーム２（ｓ２（ｉ））のデータキャリア＄３３５に「＃１−３３６」のシンボルを割り当て、
ストリーム１（ｓ１（ｉ））のデータキャリア＄３３６に「＃４−３３５」のシンボルを割り当て、
ストリーム２（ｓ２（ｉ））のデータキャリア＄３３６に「＃２−３３６」のシンボルを割り当てるとする。
【１０１２】
時刻＆３において、
ストリーム１（ｓ１（ｉ））のデータキャリア＄１に「＃１−３３７」のシンボルを割り当て、
ストリーム２（ｓ２（ｉ））のデータキャリア＄１に「＃３−３３８」のシンボルを割り当て、
ストリーム１（ｓ１（ｉ））のデータキャリア＄２に「＃２−３３７」のシンボルを割り当て、
ストリーム２（ｓ２（ｉ））のデータキャリア＄２に「＃４−３３８」のシンボルを割り当て、
ストリーム１（ｓ１（ｉ））のデータキャリア＄３に「＃３−３３７」のシンボルを割り当て、
ストリーム２（ｓ２（ｉ））のデータキャリア＄３に「＃１−３３８」のシンボルを割り当て、
ストリーム１（ｓ１（ｉ））のデータキャリア＄４に「＃４−３３７」のシンボルを割り当て、
ストリーム２（ｓ２（ｉ））のデータキャリア＄４に「＃２−３３８」のシンボルを割り当て、
・・・
ストリーム１（ｓ１（ｉ））のデータキャリア＄３３３に「＃１−５０３」のシンボルを割り当て、
ストリーム２（ｓ２（ｉ））のデータキャリア＄３３３に「＃３−５０４」のシンボルを割り当て、
ストリーム１（ｓ１（ｉ））のデータキャリア＄３３４に「＃２−５０３」のシンボルを割り当て、
ストリーム２（ｓ２（ｉ））のデータキャリア＄３３４に「＃４−５０４」のシンボルを割り当て、
ストリーム１（ｓ１（ｉ））のデータキャリア＄３３５に「＃３−５０３」のシンボルを割り当て、
ストリーム２（ｓ２（ｉ））のデータキャリア＄３３５に「＃１−５０４」のシンボルを割り当て、
ストリーム１（ｓ１（ｉ））のデータキャリア＄３３６に「＃４−５０３」のシンボルを割り当て、
ストリーム２（ｓ２（ｉ））のデータキャリア＄３３６に「＃２−５０４」のシンボルを割り当てるとする。
【１０１３】
したがって、時刻＆（３Ｍ−２）、時刻＆（３Ｍ−１）、時刻＆（３Ｍ）では（Ｍは１以上の整数とする）、以下のような配置を行うことになる。
ブロック＃（４Ｍ−３）のデータは、時刻＆（３Ｍ−２）、時刻＆（３Ｍ−１）、時刻＆（３Ｍ）、のストリーム１（ｓ１（ｉ））のデータキャリア＄（４Ｋ−３）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−１）（Ｌは１以上８４以下の整数）を用いて、送信装置が送信することになる。
【１０１４】
ブロック＃（４Ｍ−２）のデータは、時刻＆（３Ｍ−２）、時刻＆（３Ｍ−１）、時刻＆（３Ｍ）、のストリーム１（ｓ１（ｉ））のデータキャリア＄（４Ｋ−２）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ）（Ｌは１以上８４以下の整数）を用いて、送信装置が送信することになる。
【１０１５】
ブロック＃（４Ｍ−１）のデータは、時刻＆（３Ｍ−２）、時刻＆（３Ｍ−１）、時刻＆（３Ｍ）、のストリーム１（ｓ１（ｉ））のデータキャリア＄（４Ｋ−１）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−３）（Ｌは１以上８４以下の整数）を用いて、送信装置が送信することになる。
【１０１６】
ブロック＃（４Ｍ）のデータは、時刻＆（３Ｍ−２）、時刻＆（３Ｍ−１）、時刻＆（３Ｍ）、のストリーム１（ｓ１（ｉ））のデータキャリア＄（４Ｋ）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−２）（Ｌは１以上８４以下の整数）を用いて、送信装置が送信することになる。
【１０１７】
図８を用いて説明した課題を解決するために、別の例として、図９０のようなフレーム構成を考える。
図９０に示すように、
時刻＆１において、
ストリーム１（ｓ１（ｉ））のデータキャリア＄１に「＃１−１」のシンボルを割り当て、
ストリーム２（ｓ２（ｉ））のデータキャリア＄１に「＃４−２」のシンボルを割り当て、
ストリーム１（ｓ１（ｉ））のデータキャリア＄２に「＃２−１」のシンボルを割り当て、
ストリーム２（ｓ２（ｉ））のデータキャリア＄２に「＃１−２」のシンボルを割り当て、
ストリーム１（ｓ１（ｉ））のデータキャリア＄３に「＃３−１」のシンボルを割り当て、
ストリーム２（ｓ２（ｉ））のデータキャリア＄３に「＃２−２」のシンボルを割り当て、
ストリーム１（ｓ１（ｉ））のデータキャリア＄４に「＃４−１」のシンボルを割り当て、
ストリーム２（ｓ２（ｉ））のデータキャリア＄４に「＃３−２」のシンボルを割り当て、
・・・
ストリーム１（ｓ１（ｉ））のデータキャリア＄３３３に「＃１−１６７」のシンボルを割り当て、
ストリーム２（ｓ２（ｉ））のデータキャリア＄３３３に「＃４−１６８」のシンボルを割り当て、
ストリーム１（ｓ１（ｉ））のデータキャリア＄３３４に「＃２−１６７」のシンボルを割り当て、
ストリーム２（ｓ２（ｉ））のデータキャリア＄３３４に「＃１−１６８」のシンボルを割り当て、
ストリーム１（ｓ１（ｉ））のデータキャリア＄３３５に「＃３−１６７」のシンボルを割り当て、
ストリーム２（ｓ２（ｉ））のデータキャリア＄３３５に「＃２−１６８」のシンボルを割り当て、
ストリーム１（ｓ１（ｉ））のデータキャリア＄３３６に「＃４−１６７」のシンボルを割り当て、
ストリーム２（ｓ２（ｉ））のデータキャリア＄３３６に「＃３−１６８」のシンボルを割り当てるとする。
【１０１８】
時刻＆２において、
ストリーム１（ｓ１（ｉ））のデータキャリア＄１に「＃１−１６９」のシンボルを割り当て、
ストリーム２（ｓ２（ｉ））のデータキャリア＄１に「＃４−１７０」のシンボルを割り当て、
ストリーム１（ｓ１（ｉ））のデータキャリア＄２に「＃２−１６９」のシンボルを割り当て、
ストリーム２（ｓ２（ｉ））のデータキャリア＄２に「＃１−１７０」のシンボルを割り当て、
ストリーム１（ｓ１（ｉ））のデータキャリア＄３に「＃３−１６９」のシンボルを割り当て、
ストリーム２（ｓ２（ｉ））のデータキャリア＄３に「＃２−１７０」のシンボルを割り当て、
ストリーム１（ｓ１（ｉ））のデータキャリア＄４に「＃４−１６９」のシンボルを割り当て、
ストリーム２（ｓ２（ｉ））のデータキャリア＄４に「＃３−１７０」のシンボルを割り当て、
・・・
ストリーム１（ｓ１（ｉ））のデータキャリア＄３３３に「＃１−３３５」のシンボルを割り当て、
ストリーム２（ｓ２（ｉ））のデータキャリア＄３３３に「＃４−３３６」のシンボルを割り当て、
ストリーム１（ｓ１（ｉ））のデータキャリア＄３３４に「＃２−３３５」のシンボルを割り当て、
ストリーム２（ｓ２（ｉ））のデータキャリア＄３３４に「＃１−３３６」のシンボルを割り当て、
ストリーム１（ｓ１（ｉ））のデータキャリア＄３３５に「＃３−３３５」のシンボルを割り当て、
ストリーム２（ｓ２（ｉ））のデータキャリア＄３３５に「＃２−３３６」のシンボルを割り当て、
ストリーム１（ｓ１（ｉ））のデータキャリア＄３３６に「＃４−３３５」のシンボルを割り当て、
ストリーム２（ｓ２（ｉ））のデータキャリア＄３３６に「＃３−３３６」のシンボルを割り当てるとする。
【１０１９】
時刻＆３において、
ストリーム１（ｓ１（ｉ））のデータキャリア＄１に「＃１−３３７」のシンボルを割り当て、
ストリーム２（ｓ２（ｉ））のデータキャリア＄１に「＃４−３３８」のシンボルを割り当て、
ストリーム１（ｓ１（ｉ））のデータキャリア＄２に「＃２−３３７」のシンボルを割り当て、
ストリーム２（ｓ２（ｉ））のデータキャリア＄２に「＃１−３３８」のシンボルを割り当て、
ストリーム１（ｓ１（ｉ））のデータキャリア＄３に「＃３−３３７」のシンボルを割り当て、
ストリーム２（ｓ２（ｉ））のデータキャリア＄３に「＃２−３３８」のシンボルを割り当て、
ストリーム１（ｓ１（ｉ））のデータキャリア＄４に「＃４−３３７」のシンボルを割り当て、
ストリーム２（ｓ２（ｉ））のデータキャリア＄４に「＃３−３３８」のシンボルを割り当て、
・・・
ストリーム１（ｓ１（ｉ））のデータキャリア＄３３３に「＃１−５０３」のシンボルを割り当て、
ストリーム２（ｓ２（ｉ））のデータキャリア＄３３３に「＃４−５０４」のシンボルを割り当て、
ストリーム１（ｓ１（ｉ））のデータキャリア＄３３４に「＃２−５０３」のシンボルを割り当て、
ストリーム２（ｓ２（ｉ））のデータキャリア＄３３４に「＃１−５０４」のシンボルを割り当て、
ストリーム１（ｓ１（ｉ））のデータキャリア＄３３５に「＃３−５０３」のシンボルを割り当て、
ストリーム２（ｓ２（ｉ））のデータキャリア＄３３５に「＃２−５０４」のシンボルを割り当て、
ストリーム１（ｓ１（ｉ））のデータキャリア＄３３６に「＃４−５０３」のシンボルを割り当て、
ストリーム２（ｓ２（ｉ））のデータキャリア＄３３６に「＃３−５０４」のシンボルを割り当てるとする。
【１０２０】
したがって、時刻＆（３Ｍ−２）、時刻＆（３Ｍ−１）、時刻＆（３Ｍ）では（Ｍは１以上の整数とする）、以下のような配置を行うことになる。
ブロック＃（４Ｍ−３）のデータは、時刻＆（３Ｍ−２）、時刻＆（３Ｍ−１）、時刻＆（３Ｍ）、のストリーム１（ｓ１（ｉ））のデータキャリア＄（４Ｋ−３）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−２）（Ｌは１以上８４以下の整数）を用いて、送信装置が送信することになる。
【１０２１】
ブロック＃（４Ｍ−２）のデータは、時刻＆（３Ｍ−２）、時刻＆（３Ｍ−１）、時刻＆（３Ｍ）、のストリーム１（ｓ１（ｉ））のデータキャリア＄（４Ｋ−２）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−１）（Ｌは１以上８４以下の整数）を用いて、送信装置が送信することになる。
【１０２２】
ブロック＃（４Ｍ−１）のデータは、時刻＆（３Ｍ−２）、時刻＆（３Ｍ−１）、時刻＆（３Ｍ）、のストリーム１（ｓ１（ｉ））のデータキャリア＄（４Ｋ−１）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ）（Ｌは１以上８４以下の整数）を用いて、送信装置が送信することになる。
【１０２３】
ブロック＃（４Ｍ）のデータは、時刻＆（３Ｍ−２）、時刻＆（３Ｍ−１）、時刻＆（３Ｍ）、のストリーム１（ｓ１（ｉ））のデータキャリア＄（４Ｋ）（Ｋは１以上８４以下の整数）、
および、
時刻＆（３Ｍ−２）、時刻＆（３Ｍ−１）、時刻＆（３Ｍ）、のストリーム２（ｓ２（ｉ））のデータキャリア＄（４Ｌ−３）（Ｌは１以上８４以下の整数）を用いて、送信装置が送信することになる。
【１０２４】
図８を用いて説明した課題を解決するために、別の例として、図９１のようなフレーム構成を考える。
図９１に示すように、
時刻＆１において、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃１−２」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
ストリーム１（ｓ１（ｉ））のデータキャリア＄４に「＃１−４」のシンボルを割り当て、
ストリーム２（ｓ２（ｉ））のデータキャリア＄４に「＃２−４」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃１−３３４」のシンボルを割り当て、
ストリーム２（ｓ２（ｉ））のデータキャリア＄３３４に「＃２−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃１−３３６」のシンボルを割り当て、
ストリーム２（ｓ２（ｉ））のデータキャリア＄３３６に「＃２−３３６」のシンボルを割り当てるとする。
【１０２５】
時刻＆２において、
ストリーム１（ｓ１（ｉ））のデータキャリア＄１に「＃１−３３７」のシンボルを割り当て、
ストリーム２（ｓ２（ｉ））のデータキャリア＄１に「＃２−３３７」のシンボルを割り当て、
ストリーム１（ｓ１（ｉ））のデータキャリア＄２に「＃１−３３８」のシンボルを割り当て、
ストリーム２（ｓ２（ｉ））のデータキャリア＄２に「＃２−３３８」のシンボルを割り当て、
ストリーム１（ｓ１（ｉ））のデータキャリア＄３に「＃１−３３９」のシンボルを割り当て、
ストリーム２（ｓ２（ｉ））のデータキャリア＄３に「＃２−３３９」のシンボルを割り当て、
ストリーム１（ｓ１（ｉ））のデータキャリア＄４に「＃１−３４０」のシンボルを割り当て、
ストリーム２（ｓ２（ｉ））のデータキャリア＄４に「＃２−３４０」のシンボルを割り当て、
・・・
ストリーム１（ｓ１（ｉ））のデータキャリア＄１６７に「＃１−５０３」のシンボルを割り当て、
ストリーム２（ｓ２（ｉ））のデータキャリア＄１６７に「＃２−５０３」のシンボルを割り当て、
ストリーム１（ｓ１（ｉ））のデータキャリア＄１６８に「＃１−５０４」のシンボルを割り当て、
ストリーム２（ｓ２（ｉ））のデータキャリア＄１６８に「＃２−５０４」のシンボルを割り当て、
ストリーム１（ｓ１（ｉ））のデータキャリア＄１６９に「＃３−１」のシンボルを割り当て、
ストリーム２（ｓ２（ｉ））のデータキャリア＄１６９に「＃４−１」のシンボルを割り当て、
ストリーム１（ｓ１（ｉ））のデータキャリア＄１７０に「＃３−２」のシンボルを割り当て、
ストリーム２（ｓ２（ｉ））のデータキャリア＄１７０に「＃４−２」のシンボルを割り当て、
・・・
ストリーム１（ｓ１（ｉ））のデータキャリア＄３３３に「＃３−１６５」のシンボルを割り当て、
ストリーム２（ｓ２（ｉ））のデータキャリア＄３３３に「＃４−１６５」のシンボルを割り当て、
ストリーム１（ｓ１（ｉ））のデータキャリア＄３３４に「＃３−１６６」のシンボルを割り当て、
ストリーム２（ｓ２（ｉ））のデータキャリア＄３３４に「＃４−１６６」のシンボルを割り当て、
ストリーム１（ｓ１（ｉ））のデータキャリア＄３３５に「＃３−１６７」のシンボルを割り当て、
ストリーム２（ｓ２（ｉ））のデータキャリア＄３３５に「＃４−１６７」のシンボルを割り当て、
ストリーム１（ｓ１（ｉ））のデータキャリア＄３３６に「＃３−１６８」のシンボルを割り当て、
ストリーム２（ｓ２（ｉ））のデータキャリア＄３３６に「＃４−１６８」のシンボルを割り当てるとする。
【１０２６】
時刻＆３において、
ストリーム１（ｓ１（ｉ））のデータキャリア＄１に「＃３−１６９」のシンボルを割り当て、
ストリーム２（ｓ２（ｉ））のデータキャリア＄１に「＃４−１６９」のシンボルを割り当て、
ストリーム１（ｓ１（ｉ））のデータキャリア＄２に「＃３−１７０」のシンボルを割り当て、
ストリーム２（ｓ２（ｉ））のデータキャリア＄２に「＃４−１７０」のシンボルを割り当て、
ストリーム１（ｓ１（ｉ））のデータキャリア＄３に「＃３−１７１」のシンボルを割り当て、
ストリーム２（ｓ２（ｉ））のデータキャリア＄３に「＃４−１７１」のシンボルを割り当て、
ストリーム１（ｓ１（ｉ））のデータキャリア＄４に「＃３−１７２」のシンボルを割り当て、
ストリーム２（ｓ２（ｉ））のデータキャリア＄４に「＃４−１７２」のシンボルを割り当て、
・・・
ストリーム１（ｓ１（ｉ））のデータキャリア＄３３３に「＃３−５０１」のシンボルを割り当て、
ストリーム２（ｓ２（ｉ））のデータキャリア＄３３３に「＃４−５０１」のシンボルを割り当て、
ストリーム１（ｓ１（ｉ））のデータキャリア＄３３４に「＃３−５０２」のシンボルを割り当て、
ストリーム２（ｓ２（ｉ））のデータキャリア＄３３４に「＃４−５０２」のシンボルを割り当て、
ストリーム１（ｓ１（ｉ））のデータキャリア＄３３５に「＃３−５０３」のシンボルを割り当て、
ストリーム２（ｓ２（ｉ））のデータキャリア＄３３５に「＃４−５０３」のシンボルを割り当て、
ストリーム１（ｓ１（ｉ））のデータキャリア＄３３６に「＃３−５０４」のシンボルを割り当て、
ストリーム２（ｓ２（ｉ））のデータキャリア＄３３６に「＃４−５０４」のシンボルを割り当てるとする。
【１０２７】
したがって、時刻＆（３Ｍ−２）、時刻＆（３Ｍ−１）、時刻＆（３Ｍ）では（Ｍは１以上の整数とする）、以下のような配置を行うことになる。
ブロック＃（４Ｍ−３）のデータは、時刻＆（３Ｍ−２）のストリーム１（ｓ１（ｉ））のデータキャリア＄１から＄３３６、および、時刻＆（３Ｍ−１）のストリーム１（ｓ１（ｉ））のデータキャリア＄１から＄１６８
を用いて、送信装置が送信することになる。
ブロック＃（４Ｍ−２）のデータは、時刻＆（３Ｍ−２）のストリーム２（ｓ２（ｉ））のデータキャリア＄１から＄３３６、および、時刻＆（３Ｍ−１）のストリーム２（ｓ２（ｉ））のデータキャリア＄１から＄１６８
を用いて、送信装置が送信することになる。
【１０２８】
ブロック＃（４Ｍ−１）のデータは、時刻＆（３Ｍ−１）のストリーム１（ｓ１（ｉ））のデータキャリア＄１６９から＄３３６、および、時刻＆（３Ｍ）のストリーム１（ｓ１（ｉ））のデータキャリア＄１から＄３３６
を用いて、送信装置が送信することになる。
ブロック＃（４Ｍ）のデータは、時刻＆（３Ｍ−１）のストリーム２（ｓ２（ｉ））のデータキャリア＄１６９から＄３３６、および、時刻＆（３Ｍ）のストリーム２（ｓ２（ｉ））のデータキャリア＄１から＄３３６
を用いて、送信装置が送信することになる。
【１０２９】
図８５のようなフレーム構成の場合、図８で説明したような課題は発生する可能性をさらに低減することができる可能性がある。
図９２に、ストリームｓ１（ｉ）の変調方式を同相Ｉ−直交Ｑ平面において６４個の信号点がある変調方式（シンボル当たり６ビット伝送の変調方式）の例である６４ＱＡＭ、ストリームｓ２（ｉ）の変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として、誤り訂正符号のブロック長（符号長）を２０１６ビットとする。そして、誤り訂正符号化された２０１６ビットで構成された第１のブロックに対しブロック＃１と名付け「＃１」と記載する。したがって、誤り訂正符号化された２０１６ビットで構成された第Ｎ（Ｎは１以上の整数とする。）のブロックに対しブロック＃Ｎと名付け「＃Ｎ」と記載する。
【１０３０】
６４ＱＡＭを適用したとき、ブロック＃Ｎから３３６のシンボルが生成される。図９２では、ブロック＃１から生成された３３６のシンボルを「＃１−１」、「＃１−２」、「＃１−３」、「＃１−４」、・・・、「＃１−３３４」、「＃１−３３５」、「＃１−３３６」と示している。したがって、ブロック＃Ｎから生成された３３６のシンボルを「＃Ｎ−１」、「＃Ｎ−２」、「＃Ｎ−３」、「＃Ｎ−４」、・・・、「＃Ｎ−３３４」、「＃Ｎ−３３５」、「＃Ｎ−３３６」とあらわすことになる。
【１０３１】
また、図９２に、横軸周波数とし、データキャリアを並べたときを示している。ストリーム１（ｓ１（ｉ））では、データキャリア＄１からデータキャリア＄３３６が存在し、同様に、ストリーム２（ｓ２（ｉ））でも、データキャリア＄１からデータキャリア＄３３６が存在している。
そして、ストリーム１（ｓ１（ｉ））のデータキャリア＄１とストリーム２（ｓ２（ｉ））のデータキャリア＄１は同一周波数、同一時刻を用いて（異なるアンテナから）送信され、ストリーム１（ｓ１（ｉ））のデータキャリア＄２とストリーム２（ｓ２（ｉ））のデータキャリア＄２は同一周波数、同一時刻を用いて（異なるアンテナから）送信される。つまり、ストリーム１（ｓ１（ｉ））のデータキャリア＄Ｌとストリーム２（ｓ２（ｉ））のデータキャリア＄Ｌは同一周波数、同一時刻を用いて（異なるアンテナから）送信される（Ｌは１以上３３６以下の整数とする。）。
【１０３２】
そして、図９２に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃１−３」のシンボルを割り当て、ストリーム２（ｓ２（ｉ））のデータキャリア＄２に「＃１−４」のシンボルを割り当て、ストリーム１（ｓ１（ｉ））のデータキャリア＄３に「＃１−５」のシンボルを割り当て、ストリーム２（ｓ２（ｉ））のデータキャリア＄３に「＃１−６」のシンボルを割り当てるという規則にしたがい、シンボルの割り当てるとする。すると、ブロック＃１のデータは、ストリーム１（ｓ１（ｉ））のデータキャリア＄１から＄１６７、および、ストリーム２（ｓ２（ｉ））のデータキャリア＄１から＄１６７を用いて、送信装置が送信することになる。
【１０３３】
同様の規則にしたがい、ブロック＃２のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信することになる。
以上が、時刻＆１のシンボルの配置とする。同様に、シンボル配置を行うと、時刻＆２では、以下のような配置を行うことになる。
【１０３４】
・ブロック＃３のデータは、ストリーム１（ｓ１（ｉ））のデータキャリア＄１から＄１６７、および、ストリーム２（ｓ２（ｉ））のデータキャリア＄１から＄１６７を用いて、送信装置が送信する。
・ブロック＃４のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信する。
【１０３５】
したがって、時刻＆Ｍでは（Ｍは１以上の整数とする）、以下のような配置を行うことになる。
・ブロック＃（２Ｍ−１）のデータは、ストリーム１（ｓ１（ｉ））のデータキャリア＄１から＄１６７、および、ストリーム２（ｓ２（ｉ））のデータキャリア＄１から＄１６７を用いて、送信装置が送信する。
・ブロック＃（２Ｍ）のデータは、ストリーム１（ｓ１（ｉ））のデータキャリア＄１６９から＄３３６、および、ストリーム２（ｓ２（ｉ））のデータキャリア＄１６９から＄３３６を用いて、送信装置が送信する。
【１０３６】
図９２のようなフレーム構成で送信装置が、変調信号を送信する場合を考える。図１の送信装置の（通信）相手である受信装置における受信電界強度のイメージ図を図８に示す。
図８において、横軸を周波数、縦軸を受信電界強度とする。このとき、マルチパスの影響により、受信電界強度の低い図８の８０１のようなところが存在することになる。そして、図７のようなフレーム構成で送信装置が変調信号を送信すると、マルチパスの影響（例えば、図８の８０１）により、誤り訂正符号の同一ブロックのシンボルに受信品質の悪いシンボルが多く存在するような現象を招く可能性が高い。これにより、高い誤り訂正能力を得ることができず、データの受信品質が低下する可能性が高い。
【１０３７】
別の例として、図９のようなフレーム構成を考える。図９に示すように、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃１−２」のシンボルを割り当て、
ストリーム２（ｓ２（ｉ））のデータキャリア＄２に「＃２−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃１−３３４」のシンボルを割り当て、
ストリーム２（ｓ２（ｉ））のデータキャリア＄３３４に「＃２−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃１−３３６」のシンボルを割り当て、
ストリーム２（ｓ２（ｉ））のデータキャリア＄３３６に「＃２−３３６」のシンボルを割り当てるとする。
【１０３８】
以上が、時刻＆１のシンボル配置となる。したがって、データキャリアの番号が奇数のシンボルは、ブロック＃１のデータを伝送しており、データキャリアの番号が偶数のシンボルは、ブロック＃２のデータを伝送する。
時刻＆２では、以下のような配置を行うことになる。
・ストリーム１（ｓ１（ｉ））は、ブロック＃３のデータを伝送し、ストリーム２（ｓ２（ｉ））は、ブロック＃４のデータを伝送する。
【１０３９】
よって、時刻＆Ｍでは（Ｍは１以上の整数とする）、以下のような配置を行うことになる。
・ストリーム１（ｓ１（ｉ））は、ブロック＃（２Ｍ−１）のデータを伝送し、ストリーム２（ｓ２（ｉ））は、ブロック＃（２Ｍ）のデータを伝送する。
【１０４０】
図９のようなフレーム構成の場合、図８で説明したような課題は発生する可能性は低い。
ところで、プリコーディング行列が式（４）のようにあらわされ、［１］「ｂがゼロ、かつ、ｃがゼロ」、または、［２］「ａがゼロ、かつ、ｄがゼロ」、または、［３］「ｂの絶対値およびｃの絶対値が、ａの絶対値およびｄの絶対値に比べ極端に小さい」、［４］「ａの絶対値およびｄの絶対値が、ｂの絶対値およびｃの絶対値に比べ極端に小さい」を考える。このようなケースの場合、（通信）相手のストリーム１（ｓ１（ｉ））の受信電界強度が低下したとき、または、（通信）相手のストリーム２（ｓ２（ｉ））の受信電界強度が低下したとき、例えば、時刻＆１において、ブロック＃１の受信品質、または、ブロック＃２の受信品質が低下するという現象が発生する可能性が高い。
【１０４１】
図８を用いて説明した課題、および、図９のようなフレーム構成により発生する課題を解決するために、例えば、図１０のようなフレーム構成を考える。図１０に示すように、ストリーム１（ｓ１（ｉ））のデータキャリア＄１に「＃１−１」のシンボルを割り当て、ストリーム２（ｓ２（ｉ））のデータキャリア＄１に「＃１−２」のシンボルを割り当て、ストリーム１（ｓ１（ｉ））のデータキャリア＄２に「＃２−１」のシンボルを割り当て、ストリーム２（ｓ２（ｉ））のデータキャリア＄２に「＃２−２」のシンボルを割り当て、ストリーム１（ｓ１（ｉ））のデータキャリア＄３に「＃１−３」のシンボルを割り当て、ストリーム２（ｓ２（ｉ））のデータキャリア＄３に「＃１−４」のシンボルを割り当て、ストリーム１（ｓ１（ｉ））のデータキャリア＄４に「＃２−３」のシンボルを割り当て、ストリーム２（ｓ２（ｉ））のデータキャリア＄４に「＃２−４」のシンボルを割り当て、
・・・
ストリーム１（ｓ１（ｉ））のデータキャリア＄３３３に「＃１−３３３」のシンボルを割り当て、ストリーム２（ｓ２（ｉ））のデータキャリア＄３３３に「＃１−３３４」のシンボルを割り当て、ストリーム１（ｓ１（ｉ））のデータキャリア＄３３４に「＃２−３３３」のシンボルを割り当て、ストリーム２（ｓ２（ｉ））のデータキャリア＄３３４に「＃２−３３４」のシンボルを割り当て、ストリーム１（ｓ１（ｉ））のデータキャリア＄３３５に「＃１−３３５」のシンボルを割り当て、ストリーム２（ｓ２（ｉ））のデータキャリア＄３３５に「＃１−３３６」のシンボルを割り当て、ストリーム１（ｓ１（ｉ））のデータキャリア＄３３６に「＃２−３３５」のシンボルを割り当て、ストリーム２（ｓ２（ｉ））のデータキャリア＄３３６に「＃２−３３６」のシンボルを割り当てるとする。
【１０４２】
以上が、時刻＆１のシンボル配置となる。したがって、データキャリアの番号が奇数のシンボルは、ブロック＃１のデータを伝送しており、データキャリアの番号が偶数のシンボルは、ブロック＃２のデータを伝送する。
時刻＆２では、以下のような配置を行うことになる。
・データキャリアの番号が奇数のシンボルは、ブロック＃３のデータを伝送しており、データキャリアの番号が偶数のシンボルは、ブロック＃４のデータを伝送する。
【１０４３】
よって、時刻＆Ｍでは（Ｍは１以上の整数とする）、以下のような配置を行うことになる。
・データキャリア番号が奇数のシンボルは、ブロック＃（２Ｍ−１）のデータを伝送しており、データキャリア番号が偶数のシンボルは、ブロック＃（２Ｍ）のデータを伝送する。
【１０４４】
図１０のようなフレーム構成で送信装置が、変調信号を送信する場合、図８を用いてマルチパスによる受信電界強度の低い部分図８の８０１の悪影響を、図９２のフレーム構成のときより、受けづらい。また、図９を用いて説明したようなデータの受信品質の低下を抑えることができる可能性が高い。したがって、データの受信品質が向上するという効果を得ることができる可能性が高い。
【１０４５】
図８を用いて説明した課題、および、図９のようなフレーム構成により発生する課題を解決するために、例えば、図１１のようなフレーム構成を考える。
図１１に示すように、
ストリーム１（ｓ１（ｉ））のデータキャリア＄１に「＃１−１」のシンボルを割り当て、
ストリーム２（ｓ２（ｉ））のデータキャリア＄１に「＃２−１」のシンボルを割り当て、
ストリーム１（ｓ１（ｉ））のデータキャリア＄２に「＃２−２」のシンボルを割り当て、
ストリーム２（ｓ２（ｉ））のデータキャリア＄２に「＃１−２」のシンボルを割り当て、
ストリーム１（ｓ１（ｉ））のデータキャリア＄３に「＃１−３」のシンボルを割り当て、
ストリーム２（ｓ２（ｉ））のデータキャリア＄３に「＃２−３」のシンボルを割り当て、
ストリーム１（ｓ１（ｉ））のデータキャリア＄４に「＃２−４」のシンボルを割り当て、
ストリーム２（ｓ２（ｉ））のデータキャリア＄４に「＃１−４」のシンボルを割り当て、
・・・
ストリーム１（ｓ１（ｉ））のデータキャリア＄３３３に「＃１−３３３」のシンボルを割り当て、
ストリーム２（ｓ２（ｉ））のデータキャリア＄３３３に「＃２−３３３」のシンボルを割り当て、
ストリーム１（ｓ１（ｉ））のデータキャリア＄３３４に「＃２−３３４」のシンボルを割り当て、
ストリーム２（ｓ２（ｉ））のデータキャリア＄３３４に「＃１−３３４」のシンボルを割り当て、
ストリーム１（ｓ１（ｉ））のデータキャリア＄３３５に「＃１−３３５」のシンボルを割り当て、
ストリーム２（ｓ２（ｉ））のデータキャリア＄３３５に「＃２−３３５」のシンボルを割り当て、
ストリーム１（ｓ１（ｉ））のデータキャリア＄３３６に「＃２−３３６」のシンボルを割り当て、
ストリーム２（ｓ２（ｉ））のデータキャリア＄３３６に「＃１−３３６」のシンボルを割り当てるとする。
【１０４６】
以上が、時刻＆１のシンボル配置となる。したがって、データキャリアの番号が奇数のシンボル、かつ、ストリーム１（ｓ１（ｉ））は、ブロック＃１のデータを伝送しており、
データキャリアの番号が奇数のシンボル、かつ、ストリーム２（ｓ２（ｉ））は、ブロック＃２のデータを伝送しており、
データキャリアの番号が偶数のシンボル、かつ、ストリーム１（ｓ１（ｉ））は、ブロック＃２のデータを伝送しており、
データキャリアの番号が偶数のシンボル、かつ、ストリーム２（ｓ２（ｉ））は、ブロック＃１のデータを伝送する。
【１０４７】
時刻＆２では、以下のような配置を行うことになる。
・データキャリアの番号が奇数のシンボル、かつ、ストリーム１（ｓ１（ｉ））は、ブロック＃３のデータを伝送しており、
データキャリアの番号が奇数のシンボル、かつ、ストリーム２（ｓ２（ｉ））は、ブロック＃４のデータを伝送しており、
データキャリアの番号が偶数のシンボル、かつ、ストリーム１（ｓ１（ｉ））は、ブロック＃４のデータを伝送しており、
データキャリアの番号が偶数のシンボル、かつ、ストリーム２（ｓ２（ｉ））は、ブロック＃３のデータを伝送する。
【１０４８】
よって、時刻＆Ｍでは（Ｍは１以上の整数とする）、以下のような配置を行うことになる。
・データキャリアの番号が奇数のシンボル、かつ、ストリーム１（ｓ１（ｉ））は、ブロック＃（２Ｍ−１）のデータを伝送しており、
データキャリアの番号が奇数のシンボル、かつ、ストリーム２（ｓ２（ｉ））は、ブロック＃（２Ｍ）のデータを伝送しており、
データキャリアの番号が偶数のシンボル、かつ、ストリーム１（ｓ１（ｉ））は、ブロック＃（２Ｍ）のデータを伝送しており、
データキャリアの番号が偶数のシンボル、かつ、ストリーム２（ｓ２（ｉ））は、ブロック＃（２Ｍ−１）のデータを伝送する。
【１０４９】
図１１のようなフレーム構成で送信装置が、変調信号を送信する場合、図８を用いてマルチパスによる受信電界強度の低い部分図８の８０１の悪影響を、図９２のフレーム構成のときより、受けづらい。また、図９を用いて説明したようなデータの受信品質の低下を抑えることができる可能性が高い。したがって、データの受信品質が向上するという効果を得ることができる可能性が高い。
【１０５０】
図９３に、一つストリームにおける変調方式を同相Ｉ−直交Ｑ平面において４個の信号点がある変調方式（シンボル当たり２ビット伝送の変調方式）の例であるＱＰＳＫとしたときのデータキャリアへの配置例を示している。ここでは、一例として誤り訂正符号のブロック長（符号長）を２０１６ビットとする。そして、誤り訂正符号化された２０１６ビットで構成された第１のブロックに対しブロック＃１と名付け「＃１」と記載する。したがって、誤り訂正符号化された２０１６ビットで構成された第Ｎ（Ｎは１以上の整数とする。）のブロックに対しブロック＃Ｎと名付け「＃Ｎ」と記載する。
【１０５１】
ＱＰＳＫを適用したとき、ブロック＃Ｎから１００８シンボルが生成される。したがって、ブロック＃１から生成された１００８シンボルを「＃１−１」、「＃１−２」、「＃１−３」、「＃１−４」、・・・、「＃１−１００６」、「＃１−１００７」、「＃１−１００８」と示す。よって、ブロック＃Ｎから生成された６７２シンボルを「＃Ｎ−１」、「＃Ｎ−２」、「＃Ｎ−３」、「＃Ｎ−４」、・・・、「＃Ｎ−１００６」、「＃Ｎ−１００７」、「＃Ｎ−１００８」とあらわす。
【１０５２】
図９３は、横軸周波数、縦軸時間とし、データキャリアを並べたときを示している。このとき、データキャリアは上述と同様に、データキャリア＄１からデータキャリア＄３３６が存在している。
そして、図９３に示すように、
時刻＆１、データキャリア＄１に「＃１−１」のシンボルを割り当て、
時刻＆１、データキャリア＄２に「＃１−２」のシンボルを割り当て、
時刻＆１、データキャリア＄３に「＃１−３」のシンボルを割り当て、
時刻＆１、データキャリア＄４に「＃１−４」のシンボルを割り当て、
時刻＆１、データキャリア＄５に「＃１−５」のシンボルを割り当て、
時刻＆１、データキャリア＄６に「＃１−６」のシンボルを割り当て、
・・・
時刻＆１、データキャリア＄３３４に「＃１−３３４」のシンボルを割り当て、
時刻＆１、データキャリア＄３３５に「＃１−３３５」のシンボルを割り当て、
時刻＆１、データキャリア＄３３６に「＃１−３３６」のシンボルを割り当てるものとする。
そして、
時刻＆２、データキャリア＄１に「＃１−３３７」のシンボルを割り当て、
時刻＆２、データキャリア＄２に「＃１−３３８」のシンボルを割り当て、
時刻＆２、データキャリア＄３に「＃１−３３９」のシンボルを割り当て、
時刻＆２、データキャリア＄４に「＃１−３４０」のシンボルを割り当て、
時刻＆２、データキャリア＄５に「＃１−３４１」のシンボルを割り当て、
時刻＆２、データキャリア＄６に「＃１−３４２」のシンボルを割り当て、
・・・
時刻＆２、データキャリア＄３３４に「＃１−６７０」のシンボルを割り当て、
時刻＆２、データキャリア＄３３５に「＃１−６７１」のシンボルを割り当て、
時刻＆２、データキャリア＄３３６に「＃１−６７２」のシンボルを割り当てるものとする。
時刻＆３、データキャリア＄１に「＃１−６７３」のシンボルを割り当て、
時刻＆３、データキャリア＄２に「＃１−６７４」のシンボルを割り当て、
時刻＆３、データキャリア＄３に「＃１−６７５」のシンボルを割り当て、
時刻＆３、データキャリア＄４に「＃１−６７６」のシンボルを割り当て、
時刻＆３、データキャリア＄５に「＃１−６７７」のシンボルを割り当て、
時刻＆３、データキャリア＄６に「＃１−６７８」のシンボルを割り当て、
・・・
時刻＆３、データキャリア＄３３４に「＃１−１００６」のシンボルを割り当て、
時刻＆３、データキャリア＄３３５に「＃１−１００７」のシンボルを割り当て、
時刻＆３、データキャリア＄３３６に「＃１−１００８」のシンボルを割り当てるものとする。
【１０５３】
したがって、時刻＆１、時刻＆２、時刻＆３において、ブロック＃１のデータを伝送する。
よって、時刻＆（３Ｍ−２）、時刻＆（３Ｍ−１）、時刻＆３Ｍでは（Ｍは１以上の整数とする）、ブロック＃Ｍのデータを伝送する。
【１０５４】
図９４に、一つストリームにおける変調方式を同相Ｉ−直交Ｑ平面において１６個の信号点がある変調方式（シンボル当たり４ビット伝送の変調方式）の例である１６ＱＡＭとしたときのデータキャリアへの配置例を示している。ここでは、一例として誤り訂正符号のブロック長（符号長）を２０１６ビットとする。そして、誤り訂正符号化された２０１６ビットで構成された第１のブロックに対しブロック＃１と名付け「＃１」と記載する。したがって、誤り訂正符号化された２０１６ビットで構成された第Ｎ（Ｎは１以上の整数とする。）のブロックに対しブロック＃Ｎと名付け「＃Ｎ」と記載する。
【１０５５】
ＱＰＳＫを適用したとき、ブロック＃Ｎから５０４シンボルが生成される。したがって、ブロック＃１から生成された５０４シンボルを「＃１−１」、「＃１−２」、「＃１−３」、「＃１−４」、・・・、「＃１−５０２」、「＃１−５０３」、「＃１−５０４」と示す。よって、ブロック＃Ｎから生成された６７２シンボルを「＃Ｎ−１」、「＃Ｎ−２」、「＃Ｎ−３」、「＃Ｎ−４」、・・・、「＃Ｎ−５０２」、「＃Ｎ−５０３」、「＃Ｎ−５０４」とあらわす。
【１０５６】
図９４は、横軸周波数、縦軸時間とし、データキャリアを並べたときを示している。このとき、データキャリアは上述と同様に、データキャリア＄１からデータキャリア＄３３６が存在している。
そして、図９４に示すように、
時刻＆１、データキャリア＄１に「＃１−１」のシンボルを割り当て、
時刻＆１、データキャリア＄２に「＃２−１」のシンボルを割り当て、
時刻＆１、データキャリア＄３に「＃１−２」のシンボルを割り当て、
時刻＆１、データキャリア＄４に「＃２−２」のシンボルを割り当て、
時刻＆１、データキャリア＄５に「＃１−３」のシンボルを割り当て、
時刻＆１、データキャリア＄６に「＃２−３」のシンボルを割り当て、
・・・
時刻＆１、データキャリア＄３３４に「＃２−１６７」のシンボルを割り当て、
時刻＆１、データキャリア＄３３５に「＃１−１６８」のシンボルを割り当て、
時刻＆１、データキャリア＄３３６に「＃２−１６８」のシンボルを割り当てるものとする。
そして、
時刻＆２、データキャリア＄１に「＃１−１６９」のシンボルを割り当て、
時刻＆２、データキャリア＄２に「＃２−１６９」のシンボルを割り当て、
時刻＆２、データキャリア＄３に「＃１−１７０」のシンボルを割り当て、
時刻＆２、データキャリア＄４に「＃２−１７０」のシンボルを割り当て、
時刻＆２、データキャリア＄５に「＃１−１７１」のシンボルを割り当て、
時刻＆２、データキャリア＄６に「＃２−１７１」のシンボルを割り当て、
・・・
時刻＆２、データキャリア＄３３４に「＃２−３３５」のシンボルを割り当て、
時刻＆２、データキャリア＄３３５に「＃１−３３６」のシンボルを割り当て、
時刻＆２、データキャリア＄３３６に「＃２−３３６」のシンボルを割り当てるものとする。
時刻＆３、データキャリア＄１に「＃１−３３７」のシンボルを割り当て、
時刻＆３、データキャリア＄２に「＃２−３３７」のシンボルを割り当て、
時刻＆３、データキャリア＄３に「＃１−３３８」のシンボルを割り当て、
時刻＆３、データキャリア＄４に「＃２−３３８」のシンボルを割り当て、
時刻＆３、データキャリア＄５に「＃１−３３９」のシンボルを割り当て、
時刻＆３、データキャリア＄６に「＃２−３３９」のシンボルを割り当て、
・・・
時刻＆３、データキャリア＄３３４に「＃２−５０３」のシンボルを割り当て、
時刻＆３、データキャリア＄３３５に「＃１−５０４」のシンボルを割り当て、
時刻＆３、データキャリア＄３３６に「＃２−５０４」のシンボルを割り当てるものとする。
【１０５７】
したがって、時刻＆１、時刻＆２、時刻＆３において、ブロック＃１のデータ、ブロック＃２のデータを伝送する。
よって、時刻＆（３Ｍ−２）、時刻＆（３Ｍ−１）、時刻＆３Ｍでは（Ｍは１以上の整数とする）、ブロック＃（２Ｍ−１）のデータ、ブロック＃（２Ｍ）を伝送する。
【１０５８】
図９５に、一つストリームにおける変調方式を同相Ｉ−直交Ｑ平面において６４個の信号点がある変調方式（シンボル当たり６ビット伝送の変調方式）の例である６４ＱＡＭとしたときのデータキャリアへの配置例を示している。ここでは、一例として誤り訂正符号のブロック長（符号長）を２０１６ビットとする。そして、誤り訂正符号化された２０１６ビットで構成された第１のブロックに対しブロック＃１と名付け「＃１」と記載する。したがって、誤り訂正符号化された２０１６ビットで構成された第Ｎ（Ｎは１以上の整数とする。）のブロックに対しブロック＃Ｎと名付け「＃Ｎ」と記載する。
【１０５９】
ＱＰＳＫを適用したとき、ブロック＃Ｎから３３６シンボルが生成される。したがって、ブロック＃１から生成された３３６シンボルを「＃１−１」、「＃１−２」、「＃１−３」、「＃１−４」、・・・、「＃１−３３４」、「＃１−３３５」、「＃１−３３６」と示す。よって、ブロック＃Ｎから生成された６７２シンボルを「＃Ｎ−１」、「＃Ｎ−２」、「＃Ｎ−３」、「＃Ｎ−４」、・・・、「＃Ｎ−３３４」、「＃Ｎ−３３５」、「＃Ｎ−３３６」とあらわす。
【１０６０】
図９５は、横軸周波数、縦軸時間とし、データキャリアを並べたときを示している。このとき、データキャリアは上述と同様に、データキャリア＄１からデータキャリア＄３３６が存在している。
そして、図９５に示すように、
時刻＆１、データキャリア＄１に「＃１−１」のシンボルを割り当て、
時刻＆１、データキャリア＄２に「＃１−２」のシンボルを割り当て、
時刻＆１、データキャリア＄３に「＃１−３」のシンボルを割り当て、
時刻＆１、データキャリア＄４に「＃１−４」のシンボルを割り当て、
時刻＆１、データキャリア＄５に「＃１−５」のシンボルを割り当て、
時刻＆１、データキャリア＄６に「＃１−６」のシンボルを割り当て、
・・・
時刻＆１、データキャリア＄３３４に「＃１−３３４」のシンボルを割り当て、
時刻＆１、データキャリア＄３３５に「＃１−３３５」のシンボルを割り当て、
時刻＆１、データキャリア＄３３６に「＃１−３３６」のシンボルを割り当てるものとする。
【１０６１】
したがって、時刻＆１、時刻＆２、時刻＆３において、ブロック＃１のデータ、ブロック＃２のデータを伝送する。
よって、時刻＆（Ｍ）では（Ｍは１以上の整数とする）、ブロック＃（Ｍ）を伝送する。
【１０６２】
そして、実施の形態１、実施の形態４、本実施の形態で説明した、以下のモードを図１の送信装置が選択し、変調信号を送信するものとする。
モード♭１：
ＯＦＤＭなどのマルチキャリア方式を使用し、変調方式ＱＰＳＫ、誤り訂正符号の符号長（ブロック長）６７２ビット、シングルストリームによる伝送
モード♭２：
ＯＦＤＭなどのマルチキャリア方式を使用し、変調方式１６ＱＡＭ、誤り訂正符号の符号長（ブロック長）６７２ビット、シングルストリームによる伝送
モード♭３：
ＯＦＤＭなどのマルチキャリア方式を使用し、変調方式６４ＱＡＭ、誤り訂正符号の符号長（ブロック長）６７２ビット、シングルストリームによる伝送
モード♭４：
ＯＦＤＭなどのマルチキャリア方式を使用し、変調方式ＱＰＳＫ、誤り訂正符号の符号長（ブロック長）２０１６ビット、シングルストリームによる伝送
モード♭５：
ＯＦＤＭなどのマルチキャリア方式を使用し、変調方式１６ＱＡＭ、誤り訂正符号の符号長（ブロック長）２０１６ビット、シングルストリームによる伝送
モード♭６：
ＯＦＤＭなどのマルチキャリア方式を使用し、変調方式６４ＱＡＭ、誤り訂正符号の符号長（ブロック長）２０１６ビット、シングルストリームによる伝送
モード♭７：
ＯＦＤＭなどのマルチキャリア方式を使用し、変調方式ＱＰＳＫ、誤り訂正符号の符号長（ブロック長）６７２ビット、ＭＩＭＯ方式による伝送
モード♭８：
ＯＦＤＭなどのマルチキャリア方式を使用し、変調方式１６ＱＡＭ、誤り訂正符号の符号長（ブロック長）６７２ビット、ＭＩＭＯ方式による伝送
モード♭９：
ＯＦＤＭなどのマルチキャリア方式を使用し、変調方式６４ＱＡＭ、誤り訂正符号の符号長（ブロック長）６７２ビット、ＭＩＭＯ方式による伝送
モード♭１０：
ＯＦＤＭなどのマルチキャリア方式を使用し、変調方式ＱＰＳＫ、誤り訂正符号の符号長（ブロック長）２０１６ビット、ＭＩＭＯ方式による伝送
モード♭１１：
ＯＦＤＭなどのマルチキャリア方式を使用し、変調方式１６ＱＡＭ、誤り訂正符号の符号長（ブロック長）２０１６ビット、ＭＩＭＯ方式による伝送
モード♭１２：
ＯＦＤＭなどのマルチキャリア方式を使用し、変調方式６４ＱＡＭ、誤り訂正符号の符号長（ブロック長）２０１６ビット、ＭＩＭＯ方式による伝送
ただし、図１の送信装置を用いて、シングルストリームを送信する場合、例えば、マッピング部１０６Ａで生成した変調信号をアンテナ１１２Ａで送信するものとする。（マッピング部１０６Ｂは動作せず、アンテナ１１２Ｂからは変調信号を送信しない。）（なお、シングルストリームを送信する場合、例えば、マッピング部１０６Ａで生成した変調信号を、複数アンテナを用いて送信してもよい（アンテナ１１２Ｂを使用してもよい））
前にも記載したように、図２７は、図１の送信装置が送信する変調信号のフレーム構成の一例である。このとき、プリアンブル２７０１Ａ、２７０１Ｂ、２７０３Ａには、通信相手の図２８の受信装置に伝送するための制御情報シンボルを含んでいるものとする。
【１０６３】
そして、プリアンブル２７０１Ａ、２７０１Ｂ、２７０３Ａに含まれている制御情報シンボルには、制御情報として、以下のシンボルが含まれているものとする。
変調方式に関するシンボル：
図２７におけるデータシンボル群を生成するために使用した変調信号の情報を伝送するためのシンボル。
【１０６４】
誤り訂正符号に関するシンボル：
図２７におけるデータシンボル群を生成するために使用した誤り訂正符号に関する情報を伝送するためのシンボル。例えば、使用する誤り訂正符号の情報、符号化率の情報、ブロック長（符号長）などの情報を含んでいるものとする。
【１０６５】
送信方法に関するシンボル：
図２７におけるデータシンボル群を生成するために使用した送信方法に関する情報を伝送するためのシンボル。例えば、「シングルストリーム伝送を用いたか、あるいは、ＭＩＭＯ伝送方式を用いたか、の情報」、「送信するストリーム数に関する情報」などを含んでいるものとする。
【１０６６】
図１の制御情報信号生成部１１６Ｚは、フレーム構成信号１１３、送信方法に関する情報の信号１１５を入力とし、「変調方式に関するシンボル」、「誤り訂正符号に関するシンボル」、「送信方法に関するシンボル」などを生成し、制御情報信号１１７Ｚを出力する。なお、制御情報信号１１７Ｚは、上で説明した制御情報シンボルに相当する信号となる。
【１０６７】
図２８の通信相手の受信装置の制御情報復号部２８０９は、受信ベースバンド信号２８０４Ｘ、２８０４Ｙを入力とし、図２７におけるプリアンブル（例えば、２７０１Ａ、２７０１Ｂ、２７０３Ａ）に含まれる制御情報シンボルの復調・復号を行い、例えば、「変調方式に関するシンボル」、「誤り訂正符号に関するシンボル」、「送信方法に関するシンボル」を得る。
【１０６８】
そして、制御情報復号部２８０９は、「変調方式に関するシンボル」、「誤り訂正符号に関するシンボル」、「送信方法に関するシンボル」から、図２７におけるデータシンボル群（例えば、２７０２Ａ、２７０２Ｂ、２７０４Ａ）が上で説明した「モード♭１からモード♭１２」のいずれのモードのデータシンボル群であるか、を推定する。
制御情報復号部２８０９は、モードを推定することで、データシンボル群において、データシンボルが、周波数軸、時間軸において、どのような配置となっているかを知り、シンボルの配置の情報を含む制御情報信号２８１０を出力する。なお、周波数軸、時間軸におけるシンボルの配置については、実施の形態１、実施の形態４、本実施の形態で説明したとおりである。また、制御情報信号２８１０は、「変調方式に関するシンボル」に含まれている情報、「誤り訂正符号に関するシンボル」に含まれている情報、「送信方法に関するシンボル」に含まれている情報を含んでいるものとする。
【１０６９】
図２８の信号処理部２８１１は、制御情報信号２８１０を入力とし、制御情報信号２８１０に含まれる情報に基づいて、データシンボルの復調・復号を行い、データ２８１２を出力することになる。
上述で述べたようなフレーム構成を実施する部分が、図１の無線部１１０Ａおよび１１０Ｂとすることができる。無線部１１０Ａおよび１１０Ｂの構成の例を図６４に示す。
【１０７０】
図６４において、変調信号６４０１は、図１の１０９Ａまたは１０９Ｂに相当する。フレーム構成信号６４００が図１のフレーム構成１１３に相当し、制御情報信号６４１０が図１の制御情報信号１１７Ｚに相当し、送信信号６４０９が図１の送信信号１１１Ａまたは１１１Ｂに相当する。
シリアルパラレル変換部６４０２は、変調信号６４０１、フレーム構成信号６４００を入力とし、フレーム構成信号６４００に基づいて、変調信号６４０１に対し、シリアルパラレル変換を施し、シリアルパラレル変換後の信号６４０３を出力する。
【１０７１】
並び替え部６４０４は、シリアルパラレル変換後の信号６４０３、制御情報信号６４１０、フレーム構成信号６４００を入力とし、フレーム構成信号６４００に基づき、シリアルパラレル変換後の信号６４０３、制御情報信号６４１０に対し、並べ替えを行い、並び替え後の信号６４０５を出力する。このとき、特に、フレーム構成信号６４００に含まれる、誤り訂正符号の符号長（ブロック長）の情報、変調方式の情報、伝送方式の情報に基づいて、並び替え部６４０４は、シリアルパラレル変換後の信号６４０３（データシンボル）の並び替え方法を、上述で説明した方法に基づいて、切り替えることになる。
【１０７２】
特徴的な点は、「ＭＩＭＯ伝送方式を適用しており、ｓ１（ｉ）の変調方式を１６ＱＡＭ（１６個の信号点がある変調方式）、ｓ２（ｉ）の変調方式をＱＰＳＫ（４個の信号点がある変調方式）と指定しているとき、誤り訂正符号の符号長（ブロック長）が６７２ビットを指定したときと２０１６ビットを指定したときでは、並び替えの方法が異なる」、そして、「ＭＩＭＯ伝送方式を適用しており、ｓ１（ｉ）の変調方式を１６ＱＡＭ（１６個の信号点がある変調方式）、ｓ２（ｉ）の変調方式を１６ＱＡＭ（１６個の信号点がある変調方式）と指定しているとき、誤り訂正符号の符号長（ブロック長）が６７２ビットを指定したときと２０１６ビットを指定したときでは、並び替えの方法が異なる」、また、「ＭＩＭＯ伝送方式を適用しており、ｓ１（ｉ）の変調方式を６４ＱＡＭ（６４個の信号点がある変調方式）、ｓ２（ｉ）の変調方式を６４ＱＡＭ（６４個の信号点がある変調方式）と指定しているとき、誤り訂正符号の符号長（ブロック長）が６７２ビットを指定したときと２０１６ビットを指定したときでは、並び替えの方法が異なる」、という点である。
【１０７３】
逆（高速）フーリエ変換部６４０６（Ｉ（Ｆ）ＦＴ：Inverse （Fast） Fourier Transform）は、並び替え後の信号６４０５、フレーム構成信号６４００を入力とし、並び替え後の信号６４０５に対し、逆（高速）フーリエ変換を施し、逆（高速）フーリエ変換後の信号６４０７を出力する。
ＲＦ部６４０８は、逆（高速）フーリエ変換後の信号６４０７、フレーム構成信号を入力とし、直交変調、周波数変換、帯域制限、信号の増幅等の処理を施し、送信信号６４０９を出力する。
【１０７４】
前で述べたようなフレーム構成を実現する、別の方法として、図１のインタリーバ１５３により実現する方法がある。
例えば、ＭＩＭＯ伝送方式を適用しており、誤り訂正符号の符号長（ブロック長）が６７２ビットと設定したとき、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき「ｓ１（ｉ）の変調方式を１６ＱＡＭ（１６個の信号点がある変調方式）、ｓ２（ｉ）の変調方式を１６ＱＡＭ（１６個の信号点がある変調方式）」と設定したときと「ｓ１（ｉ）の変調方式を６４ＱＡＭ（６４個の信号点がある変調方式）、ｓ２（ｉ）の変調方式を６４ＱＡＭ（６４個の信号点がある変調方式）」と設定したときとでは、必要となるインタリーバのメモリ量が異なる。
【１０７５】
ＭＩＭＯ伝送方式を適用しており、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき、必要となるメモリ量は、２符号化ブロック分の１３４４ビットとなる。一方、「ｓ１（ｉ）の変調方式を１６ＱＡＭ（１６個の信号点がある変調方式）、ｓ２（ｉ）の変調方式を１６ＱＡＭ（１６個の信号点がある変調方式）」と指定したとき、必要となるメモリ量は、４符号化ブロック分の２６８８ビットとなる。そして、「ｓ１（ｉ）の変調方式を６４ＱＡＭ（６４個の信号点がある変調方式）、ｓ２（ｉ）の変調方式を６４ＱＡＭ（６４個の信号点がある変調方式）」と指定したとき、必要となるメモリ量は、６符号化ブロック分の４０３２ビットとなる。
【１０７６】
また、ＭＩＭＯ伝送方式を適用しており、誤り訂正符号の符号長（ブロック長）が２０１６ビットと設定したとき、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき「ｓ１（ｉ）の変調方式を１６ＱＡＭ（１６個の信号点がある変調方式）、ｓ２（ｉ）の変調方式を１６ＱＡＭ（１６個の信号点がある変調方式）」と設定したときと「ｓ１（ｉ）の変調方式を６４ＱＡＭ（６４個の信号点がある変調方式）、ｓ２（ｉ）の変調方式を６４ＱＡＭ（６４個の信号点がある変調方式）」と設定したときとでは、必要となるインタリーバのメモリ量が異なる。
【１０７７】
ＭＩＭＯ伝送方式を適用しており、「ｓ１（ｉ）の変調方式をＱＰＳＫ（４個の信号点がある変調方式）、ｓ２（ｉ）の変調方式をＱＰＳＫ（４個の信号点がある変調方式）」と設定したとき、必要となるメモリ量は、２符号化ブロック分の４０３２ビットとなる。一方、「ｓ１（ｉ）の変調方式を１６ＱＡＭ（１６個の信号点がある変調方式）、ｓ２（ｉ）の変調方式を１６ＱＡＭ（１６個の信号点がある変調方式）」と指定したとき、必要となるメモリ量は、４符号化ブロック分の８０６４ビットとなる。そして、「ｓ１（ｉ）の変調方式を６４ＱＡＭ（６４個の信号点がある変調方式）、ｓ２（ｉ）の変調方式を６４ＱＡＭ（６４個の信号点がある変調方式）」と指定したとき、必要となるメモリ量は、２符号化ブロック分の４０３２ビットとなる。
【１０７８】
この点が特徴的な点となる。なお、このとき、並び替え部６４０４が必ず必要とは限らない。
また、図１の送信装置は、ＯＦＤＭの変調信号を送信するだけでなく、シングルキャリア方式の変調信号を送信することも可能であり、「ＯＦＤＭの変調信号の送信」と「シングルキャリア方式の変調信号の送信」の切り替えが可能であるものとする。（無線部１１０Ａ、１１０Ｂは、ＯＦＤＭ用の動作、シングルキャリア方式用の動作の両者に対応していることになる。）
そして、図２７において、例えば、プリアンブル２７０１Ａ、２７０１Ｂの（時間的）前に、シングルキャリア方式により形成された制御情報シンボルを配置し、この制御情報シンボルには、「プリアンブル２７０１Ａ、２７０１Ｂ、および、データシンボル群２７０２Ａ、２７０２Ｂが、シングルキャリア方式のシンボルであるか、ＯＦＤＭのシンボルであるのかを示す制御情報」が含まれているものとする。
【１０７９】
また、プリアンブル２７０３Ａの（時間的）前に、シングルキャリア方式により形成された制御情報シンボルを配置し、この制御情報シンボルには、「プリアンブル２７０３Ａ、および、データシンボル群２７０４Ａが、シングルキャリア方式のシンボルであるか、ＯＦＤＭのシンボルであるかを示す制御情報」が含まれているものとする。
なお、データシンボル群が、ＯＦＤＭのシンボルであるとき、モード＃１からモード＃１２のいずれかのシンボルであり、このときの実施方法については、実施の形態１、実施の形態４、本実施の形態で説明したとおりである。
【１０８０】
このとき、通信相手の図２８の受信装置の制御情報復号部２８０９は、「シンボルキャリア方式のシンボルであるか、ＯＦＤＭのシンボルであるのかを示す制御情報」を、復調・復号することにより得、出力するものとする。（したがって、制御情報信号２８１０には、「シンボルキャリア方式のシンボルであるか、ＯＦＤＭのシンボルであるのかを示す制御情報」が含まれていることになる。）
そして、信号処理部２８１１は、制御情報信号２８１０に含まれる「シンボルキャリア方式のシンボルであるか、ＯＦＤＭのシンボルであるのかを示す制御情報」に基づいて、データシンボルの復調・復号を行うことになる。なお、「シンボルキャリア方式のシンボルであるか、ＯＦＤＭのシンボルであるのかを示す制御情報」が、「ＯＦＤＭ」と示している場合の動作については、前に説明したとおりである。
【１０８１】
以上の説明のように、モード♭１からモード♭１２いずれかで図１の送信装置が変調信号を送信することで、各モードにおいて、送受信装置ともに、記憶部の容量を少なくすることができるという効果を得ることができるとともに、各モードで、高いデータの受信品質を得ることができるという効果を得ることができる。なお、各モードにおいて、符号化ブロックとキャリアの関係は、実施の形態１、実施の形態４、本実施の形態で説明したものに限ったものではなく、別の割り当てを行ってもよい。（ただし、ある時間（例えば、図７０の時刻＆１）に存在する符号化ブロックについては、これまでの説明どおり変わらないものとする。（つまり、符号化ブロックのキャリアへの割り当ては、実施の形態１、実施の形態４、本実施の形態で説明と異なっていてもよい。）
また、図１の送信装置は、モード♭１からモード♭１２のうちで選択可能な変調方式のうち、いずれか２つ以上の変調方式を選択することができる場合についても、同様の効果を得ることが可能である。
【１０８２】
なお、実施の形態１、実施の形態４、本実施の形態において、１６ＱＡＭを適用して説明した内容については、１６ＱＡＭの代わりに１６ＡＰＳＫや同相Ｉ−直交Ｑ平面において信号点が１６個存在する変調方式（シンボルあたり４ビット伝送の変調方式）を用いても同様に実施することができる。
【１０８３】
同様に、実施の形態１、実施の形態５、本実施の形態において、６４ＱＡＭを適用して説明した内容については、６４ＱＡＭの代わりに６４ＡＰＳＫや同相Ｉ−直交Ｑ平面において信号点が６４個存在する変調方式（シンボルあたり６ビット伝送の変調方式）を用いても同様に実施することができる。
そして、実施の形態１、実施の形態５、本実施の形態において、ＱＰＳＫを適用して説明した内容については、ＱＰＳＫの代わりに同相Ｉ−直交Ｑ平面において信号点が４個存在する変調方式（シンボルあたり２ビット伝送の変調方式）を用いても同様に実施することができる。
【１０８４】
（補足２）
実施の形態１、実施の形態４、実施の形態５、実施の形態６、実施の形態７において、シングルキャリア伝送／ＯＦＤＭ伝送、シングルストリーム伝送／ＭＩＭＯ伝送、変調方式、誤り訂正符号化方式（例えば、符号化率、符号長（ブロック長））が決定した際、複数のフレーム構成（シンボルのキャリアへの割り当て）から、一つのフレーム構成方法を選択し、図１の送信装置が変調信号を送信するようにしてもよい。このとき、図１の送信装置は、制御情報シンボルにより、選択したフレーム構成の情報を送信することになる。
【１０８５】
そして、通信相手の受信装置は、選択したフレーム構成の情報に基づいて、データシンボルの復調・復号を行うことになる。
このようにすることで、電波の伝搬環境に適したフレーム構成を選択することができるようになり、データの受信品質が向上するという効果を得ることができる。
（補足３）
本明細書で開示した各実施の形態において、送信装置の構成として図１、図２９、図５１、図７５などを例に挙げて説明した。なお、図２９、図５１の信号処理部２９０３の構成として、図１、図７５の構成を用いてもよい。また、プリコーディングと位相変更の処理を含む関連部分の構成として、図２、図３、図４、図５を例に挙げて説明した。しかしながら、送信装置の構成は図１、図２９、図５１、図７５などで説明した構成に限られず、信号処理部２９０３の構成は、図１、図７５で示した構成に限られない。また、プリコーディングと位相変更の処理を含む関連部分の構成は、図２、図３、図４、図５で示した構成に限られない。すなわち、送信装置が本明細書で開示した各実施の形態において説明した信号（信号１０９Ａと信号１０９Ｂまたは信号２９０４Ａと信号２９０４）のいずれかと同じ信号を生成し、複数のアンテナ部を用いて送信することができれば、送信装置及びその信号処理部２９０３は、どのような構成でもよい。
【１０８６】
以下では、そのような条件を満たす、送信装置及びその信号処理部２９０３の異なる構成例について説明する。
異なる構成例の一つとしては、図１のマッピング部１０６Ａ、１０６Ｂが、符号化データ１５２、フレーム構成信号１１３及び送信方法に関する情報の信号１１５に基づいて、重み付け合成後の信号１０９Ａ、１１６Ｂに相当する信号を、マッピング後の信号１０７Ａ、１０７Ｂとして生成する。送信装置は、図１から重み付け合成部１０８Ａ、１０８Ｂを除いた構成を備え、マッピング後の信号１０７Ａが無線部Ａに入力され、マッピング後の信号１０７Ｂが位相変更部１１７Ｂに入力される。
【１０８７】
また、異なる構成例の別の一つとしては、重み付け合成（プリコーディング）の処理が、式（３３）または式（３４）で示す（プリコーディング）行列Ｆであらわされる場合、図１における重み付け合成部１０８Ａ、１０８Ｂは、マッピング後の信号１０７Ａ、１０７Ｂに対し、重み付け合成のための信号処理を施さずに、マッピング後の信号１０７Ａを重み付け合成後の信号１０９Ａとして出力し、マッピング後の信号１０７Ｂを重み付け合成後の信号１１６Ｂとして出力する。この場合、重み付け合成部１０８Ａ、１０８Ｂは、送信方法に関する情報の信号１１５に基づいて、（ｉ）重み付け合成に対応する信号処理を施して重み付け合成後の信号１０９Ａ、１１６Ｂを生成する、（ｉｉ）重み付け合成のための信号処理を行わず、マッピング後の信号１０７Ａを重み付け合成後の信号１０９Ａとして出力し、マッピング後の信号１０７Ｂを重み付け合成後の信号１１６Ｂとして出力する、という（ｉ）の処理と（ｉｉ）の処理を切り替える制御を行う。また、重み付け合成（プリコーディング）の処理として、式（３３）または式（３４）の（プリコーディング）行列Ｆであらわされるものしか実施しない場合、重み付け合成部１０８Ａ、１０８Ｂを備えていなくてもよい。
【１０８８】
このように、送信装置の具体的な構成が異なっていたとしても、本明細書で開示した各実施の形態において説明した信号（信号１０９Ａと信号１０９Ｂまたは信号２９０４Ａと信号２９０４）のいずれかと同じ信号を生成し、複数のアンテナ部を用いて送信すれば、受信装置は、直接波が支配的な環境、特に、ＬＯＳ環境のときに、ＭＩＭＯ伝送を行っている（複数のストリームを伝送している）データシンボルの受信装置におけるデータの受信品質が向上するという効果を得ることができる。
【１０８９】
また、「プリコーディングを行う、または、プリコーディングを行わない送信方法（位相変更なし）（ただし、プリコーディングを行わない送信方法とは、複数のマッピング後の信号を複数のアンテナから送信する方法であり、この点については、別途説明を行っている。）」、「（プリコーディングを行う、または、プリコーディングを行わない）、かつ、位相変更を行う送信方法（ただし、プリコーディングを行わない送信方法とは、複数のマッピング後の信号を複数のアンテナから送信する方法であり、この点については、別途説明を行っている。）」について図２、図３、図４、図５を用いて説明したが、いずれの送信方法を用いるかについて制御情報により切り替え、選択された送信方法を用いて変調信号を送信してもよい。このとき、位相変更を行うか行わないかの情報を制御情報として送信装置が、受信装置に送信してもよい。
【１０９０】
また、例えば、２つのストリームを、「プリコーディングを行う、または、プリコーディングを行わない送信方法（位相変更なし）（ただし、プリコーディングを行わない送信方法とは、複数のマッピング後の信号を複数のアンテナから送信する方法であり、この点については、別途説明を行っている。）」、または、「（プリコーディングを行う、または、プリコーディングを行わない）、かつ、位相変更を行う送信方法（ただし、プリコーディングを行わない送信方法とは、複数のマッピング後の信号を複数のアンテナから送信する方法であり、この点については、別途説明を行っている。）」のいずれかを用いて送信する際、２つのストリームの変調方式（セット）により、選択できる送信方法が異なっていてもよい。
【１０９１】
例えば、
・２つのストリームの変調方式がともにＢＰＳＫ（または、同相Ｉ−直交Ｑ平面に２つの信号点をもつ変調方式）のとき、「プリコーディングを行う、または、プリコーディングを行わない送信方法（位相変更なし）」、または、「（プリコーディングを行う、または、プリコーディングを行わない）、かつ、位相変更を行う送信方法」のいずれかを選択することができる。
・２つのストリームの変調方式がともにＱＰＳＫ（または、同相Ｉ−直交Ｑ平面に４つの信号点をもつ変調方式）のとき、「プリコーディングを行う、または、プリコーディングを行わない送信方法（位相変更なし）」、または、「（プリコーディングを行う、または、プリコーディングを行わない）、かつ、位相変更を行う送信方法」のいずれかを選択することができる。
・２つのストリームの変調方式がともに１６ＱＡＭ（または、同相Ｉ−直交Ｑ平面に１６個の信号点をもつ変調方式）のとき、「プリコーディングを行う、または、プリコーディングを行わない送信方法（位相変更なし）」、または、「（プリコーディングを行う、または、プリコーディングを行わない）、かつ、位相変更を行う送信方法」のいずれかを選択することができる。
・２つのストリームの変調方式がともに６４ＱＡＭ（または、同相Ｉ−直交Ｑ平面に６４個の信号点をもつ変調方式）のとき、「プリコーディングを行う、または、プリコーディングを行わない送信方法（位相変更なし）」を選択することができるものとする。
【１０９２】
とする。このように、変調方式（セット）により、送信方法の選択が異なるようにすると、通信相手の受信装置のデータの受信品質を好適に得ることができるという効果を得ることができる。なぜなら、変調方式（セット）により、「プリコーディングを行う、または、プリコーディングを行わない送信方法（位相変更なし）」による受信装置におけるデータの受信品質の改善量が異なるからである。
【産業上の利用可能性】
【１０９３】
本発明は、複数のアンテナからそれぞれ異なる変調信号を送信する無線システムに広く適用でき、例えば、シングルキャリアにおけるＭＩＭＯ通信システム、ＯＦＤＭ−ＭＩＭＯ通信システムに適用して好適である。また、複数の送信箇所を持つ有線通信システム（例えば、ＰＬＣ（Ｐｏｗｅｒ  Ｌｉｎｅ  Ｃｏｍｍｕｎｉｃａｔｉｏｎ）システム、光通信システム、ＤＳＬ（Ｄｉｇｉｔａｌ  Ｓｕｂｓｃｒｉｂｅｒ  Ｌｉｎｅ：デジタル加入者線）システム）において、ＭＩＭＯ伝送を行う場合についても適用することができ、このとき、複数の送信箇所を用いて、本発明で説明したような複数の変調信号を送信することになる。また、変調信号は、複数の送信箇所から送信されてもよい。
【符号の説明】
【１０９４】
１１７Ｂ  位相変更部
２００  重み付け合成部
【図１】
2017112589.tif 000067
【図２】
2017112589.tif 000068
【図３】
2017112589.tif 000069
【図４】
2017112589.tif 000070
【図５】
2017112589.tif 000071
【図６】
2017112589.tif 000072
【図７】
2017112589.tif 000073
【図８】
2017112589.tif 000074
【図９】
2017112589.tif 000075
【図１０】
2017112589.tif 000076
【図１１】
2017112589.tif 000077
【図１２】
2017112589.tif 000078
【図１３】
2017112589.tif 000079
【図１４】
2017112589.tif 000080
【図１５】
2017112589.tif 000081
【図１６】
2017112589.tif 000082
【図１７】
2017112589.tif 000083
【図１８】
2017112589.tif 000084
【図１９】
2017112589.tif 000085
【図２０】
2017112589.tif 000086
【図２１】
2017112589.tif 000087
【図２２】
2017112589.tif 000088
【図２３】
2017112589.tif 000089
【図２４】
2017112589.tif 000090
【図２５】
2017112589.tif 000091
【図２６】
2017112589.tif 000092
【図２７】
2017112589.tif 000093
【図２８】
2017112589.tif 000094
【図２９】
2017112589.tif 000095
【図３０】
2017112589.tif 000096
【図３１】
2017112589.tif 000097
【図３２】
2017112589.tif 000098
【図３３】
2017112589.tif 000099
【図３４】
2017112589.tif 000100
【図３５】
2017112589.tif 000101
【図３６】
2017112589.tif 000102
【図３７】
2017112589.tif 000103
【図３８】
2017112589.tif 000104
【図３９】
2017112589.tif 000105
【図４０】
2017112589.tif 000106
【図４１】
2017112589.tif 000107
【図４２】
2017112589.tif 000108
【図４３】
2017112589.tif 000109
【図４４】
2017112589.tif 000110
【図４５】
2017112589.tif 000111
【図４６】
2017112589.tif 000112
【図４７】
2017112589.tif 000113
【図４８】
2017112589.tif 000114
【図４９】
2017112589.tif 000115
【図５０】
2017112589.tif 000116
【図５１】
2017112589.tif 000117
【図５２】
2017112589.tif 000118
【図５３】
2017112589.tif 000119
【図５４】
2017112589.tif 000120
【図５５】
2017112589.tif 000121
【図５６】
2017112589.tif 000122
【図５７】
2017112589.tif 000123
【図５８】
2017112589.tif 000124
【図５９】
2017112589.tif 000125
【図６０】
2017112589.tif 000126
【図６１】
2017112589.tif 000127
【図６２】
2017112589.tif 000128
【図６３】
2017112589.tif 000129
【図６４】
2017112589.tif 000130
【図６５】
2017112589.tif 000131
【図６６】
2017112589.tif 000132
【図６７】
2017112589.tif 000133
【図６８】
2017112589.tif 000134
【図６９】
2017112589.tif 000135
【図７０】
2017112589.tif 000136
【図７１】
2017112589.tif 000137
【図７２】
2017112589.tif 000138
【図７３】
2017112589.tif 000139
【図７４】
2017112589.tif 000140
【図７５】
2017112589.tif 000141
【図７６】
2017112589.tif 000142
【図７７】
2017112589.tif 000143
【図７８】
2017112589.tif 000144
【図７９】
2017112589.tif 000145
【図８０】
2017112589.tif 000146
【図８１】
2017112589.tif 000147
【図８２】
2017112589.tif 000148
【図８３】
2017112589.tif 000149
【図８４】
2017112589.tif 000150
【図８５】
2017112589.tif 000151
【図８６】
2017112589.tif 000152
【図８７Ａ】
2017112589.tif 000153
【図８７Ｂ】
2017112589.tif 000154
【図８７Ｃ】
2017112589.tif 000155
【図８８】
2017112589.tif 000156
【図８９】
2017112589.tif 000157
【図９０】
2017112589.tif 000158
【図９１】
2017112589.tif 000159
【図９２】
2017112589.tif 000160
【図９３】
2017112589.tif 000161
【図９４】
2017112589.tif 000162
【図９５】
2017112589.tif 000163